(57)【要約】【課題】自然に存在する電磁波を無燃料で蓄電（貯蔵）することができる無燃料蓄電（貯蔵）システム及び装置（素子）、無燃料で電流を増幅することができる無燃料電流増幅装置（素子）、微少電流を蓄電できる微少電流蓄電装置（素子）、並びに無燃料可動電子機器若しくは機器を提供する。【解決手段】（１）電磁波検知手段により自然に存在する電磁波が検知され、電磁波整流手段により検知された電磁波が整流され、電磁波蓄電（貯蔵）手段により整流された電磁波が蓄電（貯蔵）される。（２）蓄電手段は、蓄電に所定の起電力を有しない、自然に存在する電磁波の電圧程度、所定の電磁波の電圧程度の起電力、又は蓄電に所定の起電力を有する蓄電手段の起電力より少なくとも小さい起電力を有した仮蓄電手段であり、仮蓄電手段に蓄電された電力は、所定の起電力になった後に繰り返し蓄電に所定の起電力を有する蓄電手段に蓄電される。【選択図】図１−１
2011097819.tif 000002
【特許請求の範囲】
【請求項１】
無燃料により、電力を蓄電（貯蔵）する無燃料蓄電（貯蔵）システム又は装置であって、
自然に存在する電磁波を検知する電磁波検知手段と、
電磁波検知手段により検知された電磁波を整流する電磁波整流手段と、
電磁波整流手段により整流された電磁波を蓄電する電磁波蓄電（貯蔵）手段と
を有（し、蓄電（貯蔵）に所定の起電力を有する蓄電（貯蔵）手段に蓄電（貯蔵））すること（前記電磁波蓄電手段は、前記電磁波蓄電手段に蓄電された電力を蓄電に所定の起電力を有する蓄電手段に蓄電する仮蓄電手段であって、仮蓄電手段に蓄電された電力は、所定の起電力になった後に蓄電に所定の起電力を有する蓄電手段に蓄電されること）を特徴とする無燃料蓄電（貯蔵）システム又は装置。
【請求項２】
無燃料により、電力を蓄電する無燃料蓄電システム又は装置であって、
請求項１に記載の無燃料蓄電システム又は装置において、
前記電磁波蓄電手段は、前記電磁波蓄電手段に蓄電された電力を蓄電に所定の起電力を有する蓄電手段に蓄電する仮蓄電手段であって、前記仮蓄電手段は、蓄電に所定の起電力を有しない、自然に存在する電磁波の電圧程度、所定の電磁波の電圧程度の起電力、又は前記所定の起電力を有する蓄電手段の起電力より少なくとも小さい起電力を有した仮蓄電手段であって、
前記仮蓄電手段は、
蓄電に所定の起電力を有しない仮（一時）蓄電手段と、
並びに／若しくは、
前記仮（一時）蓄電手段に仮（一時）に（検知）蓄電される電力の電圧を所定の電圧になれば同通を許可する（第１の）所定（検知）電圧付加導通許可手段と、
前記仮（一時）蓄電手段に仮（一時）に蓄電される電力の電圧を所定の電圧になれば同通を許可する第２の所定電圧付加導通許可手段と、
前記仮（一時）蓄電手段に仮（一時）に蓄電された電力を整流する電力整流手段と、
及び／又は、
前記仮（一時）蓄電手段に仮（一時）に蓄電された電力の電圧を所定の電圧になれば同通を許可する第３の所定電圧付加導通許可手段と
から構成され、及び／又は、前記仮（一時）蓄電手段に仮（一時）に（検知）蓄電される電力の電圧を所定の電圧になれば同通を許可する（第１の）所定（検知）電圧付加導通許可手段は、システム又は装置に対して単数又は複数並列に接続されたものであり、及び／又は、複数備えられた場合、一方の導通方向は他方の導通方向と異なる方向に設置されており、
仮蓄電手段に蓄電された電力は、所定の起電力になった後に繰り返し蓄電に所定の起電力を有する蓄電手段に蓄電されること
を特徴とする請求項１に記載の無燃料蓄電システム又は装置。
【請求項３】
無燃料により、電力を蓄電する無燃料蓄電システム又は装置であって、
請求項２に記載の無燃料蓄電システム又は装置において、
前記仮蓄電手段は、
及び／又は、前記（第１の）所定（検知）電圧付加導通許可手段の導通許可（検知）電圧値を所定の電圧値に自在に調整する（第１の）許可（検知）電圧値自在調整手段を備え、
及び／又は、前記第２の所定電圧付加導通許可手段の導通許可電圧値を所定の電圧値に自在に調整する第２の許可電圧値自在調整手段を備え、
前記蓄電手段の起電力を計測し、計測した起電力に応じて、前記第１、第２、及び／又は第３の所定電圧付加導通許可手段の導通許可電圧値を自在に調整する第３の許可電圧値自在調整手段
を備え、
仮蓄電手段は、前記蓄電手段の起電力を計測し、計測した起電力に応じた容量(及び／又は電圧)に自在に調整され、所定の起電力になると自在に（例えば、容量を小さくし、電圧値を大きくして）前記蓄電手段に電力を供給し、蓄電すること
を特徴とする請求項２に記載の無燃料蓄電システム又は装置。
【請求項４】
無燃料により、電力を蓄電する無燃料蓄電システム又は装置であって、
請求項２、又は請求項３に記載の無燃料蓄電システム又は装置において、
前記仮蓄電手段を備え、並びに／若しくは、前記仮蓄電手段に接続された第２の仮（一時）蓄電手段と、前記第２の仮（一時）蓄電手段に接続された前記電力整流手段と、第1の所定電圧付加導通許可手段，第２の所定電圧付加導通許可手段と、及び／又は、第３の所定電圧付加導通許可手段とから構成される第２の仮蓄電手段を単数又は複数備え、前記仮蓄電手段及び第２の仮蓄電手段に単数又は複数回仮蓄電し、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電すること、
及び／又は、仮蓄電手段が単数又は複数繰り返された上記構成において、各要素間から別に分岐して、上記構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、に接続するようにし、電力を供給し、蓄電する、並びに／若しくは、電力を供給すること
を特徴とする請求項２、又は請求項３に記載の無燃料蓄電システム又は装置。
【請求項５】
無燃料により、電力を増幅して蓄電する無燃料蓄電システム又は装置であって、
請求項１乃至請求項４に記載の無燃料蓄電システム又は装置において、
各手段間に単数又は複数個所に設置された、電磁波を増幅する電磁波増幅手段
を有し、前記電磁波蓄電手段に蓄電される電磁波は、電磁波増幅手段により増幅された電磁波であり、
及び／又は、前記電磁波増幅手段は、さらに備えられた請求項１乃至請求項４に記載の無燃料蓄電システム又は装置であり、前記電磁波蓄電手段に蓄電される電磁波は、請求項１乃至請求項４に記載の無燃料蓄電システム又は装置により増幅された電磁波であり、及び／又は、前記電磁波増幅手段を請求項１乃至請求項４に記載の無燃料蓄電システム又は装置とする構成を単数又は複数回繰り返した構成である
ことを特徴とする請求項１乃至請求項４に記載の無燃料蓄電システム又は装置。
【請求項６】
無燃料により、電力を蓄電する無燃料蓄電システム又は装置であって、
請求項１乃至請求項５に記載の無燃料蓄電システム又は装置において、
前記電磁波検知手段は、先端にクリップが装着若しくは非装着されたアンテナ、パラボラアンテナ、コイル状アンテナ、コード、及び／又はコード状のアンテナ、２次コイルを有し、所望の周波数の電磁波を検知できるもの（コイル状アンテナ（1次コイルと2次コイルと及び／又はコンデンサーを備え、所望の周波数の電磁波を検知できるようにしたもの））、金属性等、少なくとも金属性のものから構成されたもの等、電磁波を検知できるもの、並びに／若しくは、前記電磁波検知手段は、少なくとも体自身を構成したものであり、
前記電磁波整流手段は、ダイオード及び／又はトランジスタであり、
前記電磁波蓄電手段は、コンデンサーであるか、並びに／若しくは、コンデンサーと、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、コンデンサーに蓄電された電力が一定の電圧になるのを監視してON/OFFを制御する制御手段又はシステム集積回路を有し、前記制御手段又はシステム集積回路の可動は、前記電磁波蓄電手段に蓄電された電力が使用され（第３の所定電圧付加導通許可手段）る
ことを特徴とする請求項１乃至請求項５に記載の無燃料蓄電システム又は装置。
【請求項７】
無燃料により、電力を蓄電する無燃料蓄電システム又は装置であって、
請求項６に記載の無燃料蓄電システム又は装置において、
＜第３の所定電圧付加導通許可手段＞
前記電磁波蓄電手段は、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）であるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）と、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）と充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電磁波蓄電手段に蓄電された電力が使用され（第３の所定電圧付加導通許可手段）、
＜第２の所定電圧付加導通許可手段＞
及び、又は、
前記電磁波整流手段と前記仮蓄電手段との間に、又は前記電磁波整流手段の変わりに、単数又は直列にトランジスタ、レギュレータ、スイッチ、リレースイッチ、アナログスイッチ、コンパレータスイッチ、及び／又はタイマースイッチを介して接続された複数の、（定電圧（ツェナー））ダイオードを備え、
スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電磁波蓄電手段に蓄電された電力が使用され（第２の所定電圧付加導通許可手段）、
＜第１の所定検知電圧付加導通許可手段，第１の所定電圧付加導通許可手段＞
及び、又は、
前記検知手段と前記整流手段間、及び／又は、前記整流手段の前及び／又は後と前記蓄電手段間、及び／又は、前記仮蓄電手段が複数備えられている場合、前記仮（一時）蓄電手段と次の構成の仮蓄電手段の整流手段から前記蓄電手段（又は回路）に対して平列に備えられた、前及び／又は後ろに整流手段が備えられた、単数又は複数の、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードであるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードと、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）、並びに／若しくは（定電圧（ツェナー））ダイオードと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであって、複数組の場合、一方のコンデンサー、可変容量コンデンサー、及び／又は可変容量コンデンサー（ダイオード）、並びに／若しくは（定電圧（ツェナー））ダイオードは、他方のものと（定電圧（ツェナー））ダイオードの導通方向の向きが逆であり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電磁波蓄電手段に蓄電された電力が使用され（第１の所定検知電圧付加導通許可手段，第１の所定電圧付加導通許可手段）る
こと
を特徴とする請求項６に記載の無燃料蓄電システム又は装置。
【請求項８】
無燃料により、電力を蓄電する無燃料蓄電システム又は装置であって、
請求項６又は請求項７に記載の無燃料蓄電システム又は装置において、
請求項５に記載の前記電磁波増幅手段は、トランジスタ、オペアンプ、及び／又はトランス、並びに／若しくは、前記電磁波増幅手段は、さらに備えられた請求項１乃至請求項６又は請求項１乃至請求項７に記載の無燃料蓄電システム又は装置であり、前記電磁波蓄電手段に蓄電される電磁波は、請求項１乃至請求項６又は請求項１乃至請求項７に記載の無燃料蓄電システム又は装置により増幅された電磁波であり、及び／又は、前記電磁波増幅手段を請求項１乃至請求項６又は請求項１乃至請求項７に記載の無燃料蓄電システム又は装置とする構成を単数又は複数回繰り返した構成である
ことを特徴とする請求項６又は請求項７に記載の無燃料蓄電システム又は装置。
【請求項９】
無燃料により、電力を蓄電する無燃料蓄電装置であって、
請求項１乃至請求項８に記載の無燃料蓄電システムにおいて、
請求項１乃至請求項８に記載の電磁波整流手段及び電磁波蓄電手段、又は請求項５若しくは請求項８に記載の電力増幅手段を格納する小型又は大型の容器と
を有し、請求項１乃至請求項８に記載の電磁波検知手段は、前記容器の外部に設置されているか、内部に格納されているか、並びに／若しくは少なくとも容器（体）自身を構成しているか、及び／又は充電池を格納する充電池格納部を有する
ことを特徴とする請求項１乃至請求項８に記載の無燃料蓄電装置。
【請求項１０】
無燃料により、電力を蓄電する無燃料蓄電システム又は装置であって、
電磁波を含む各種自然界量のうちの少なくとも２つの各種自然界量から各種自然界量を検知する各種自然界量検知手段と、
各種自然界量検知手段により検知された各種自然界量を電力に変換する電力変換手段と、
電力変換手段により変換された電力を整流する電力整流手段と、
電力整流手段により整流された電力を蓄電する電力蓄電手段と
を有（し、蓄電に所定の起電力を有する電力蓄電手段に蓄電）すること（前記電力蓄電手段は、前記電力蓄電手段に蓄電された電力を蓄電に所定の起電力を有する蓄電手段に蓄電する仮蓄電手段であって、仮蓄電手段に蓄電された電力は、所定の起電力になった後に蓄電に所定の起電力を有する蓄電手段に蓄電されること）を特徴とする無燃料蓄電システム又は装置。
【請求項１１】
無燃料により、電力を蓄電する無燃料蓄電システム又は装置であって、
請求項１０に記載の無燃料蓄電システム又は装置において、
前記電力蓄電手段は、前記電力蓄電手段に蓄電された電力を蓄電に所定の起電力を有する蓄電手段に蓄電する仮蓄電手段であって、前記仮蓄電手段は、蓄電に所定の起電力を有しない、自然に存在する各種自然界量の電圧程度、所定の各種自然界量の電圧程度の起電力、又は前記所定の起電力を有する蓄電手段の起電力より少なくとも小さい起電力を有した仮蓄電手段であって、
前記仮蓄電手段は、
蓄電に所定の起電力を有しない仮（一時）蓄電手段と、
並びに／若しくは、
前記仮（一時）蓄電手段に仮（一時）に（検知）蓄電される電力の電圧を所定の電圧になれば同通を許可する（第１の）所定（検知）電圧付加導通許可手段と、
前記仮（一時）蓄電手段に仮（一時）に蓄電される電力の電圧を所定の電圧になれば同通を許可する第２の所定電圧付加導通許可手段と、
前記仮（一時）蓄電手段に仮（一時）に蓄電された電力を整流する電力整流手段と、
及び／又は、
前記仮（一時）蓄電手段に仮（一時）に蓄電された電力の電圧を所定の電圧になれば同通を許可する第３の所定電圧付加導通許可手段と
から構成され、及び／又は、前記仮（一時）蓄電手段に仮（一時）に（検知）蓄電される電力の電圧を所定の電圧になれば同通を許可する（第１の）所定（検知）電圧付加導通許可手段は、システム又は装置に対して単数又は複数並列に接続されたものであり、及び／又は、複数備えられた場合、一方の導通方向は他方の導通方向と異なる方向に設置されており、
仮蓄電手段に蓄電された電力は、所定の起電力になった後に繰り返し蓄電に所定の起電力を有する蓄電手段に蓄電されること
を特徴とする請求項１０に記載の無燃料蓄電システム又は装置。
【請求項１２】
無燃料により、電力を蓄電する無燃料蓄電システム又は装置であって、
請求項１１に記載の無燃料蓄電システム又は装置において、
前記仮蓄電手段は、
及び／又は、前記（第１の）所定（検知）電圧付加導通許可手段の導通許可（検知）電圧値を所定の電圧値に自在に調整する（第１の）許可（検知）電圧値自在調整手段を備え、
及び／又は、前記第２の所定電圧付加導通許可手段の導通許可電圧値を所定の電圧値に自在に調整する第２の許可電圧値自在調整手段を備え、
前記蓄電手段の起電力を計測し、計測した起電力に応じて、前記第１、第２、及び／又は第３の所定電圧付加導通許可手段の導通許可電圧値を自在に調整する第３の許可電圧値自在調整手段
を備え、
仮蓄電手段は、前記蓄電手段の起電力を計測し、計測した起電力に応じた容量(及び／又は電圧)に自在に調整され、所定の起電力になると自在に（例えば、容量を小さくし、電圧値を大きくして）前記蓄電手段に電力を供給し、蓄電すること
を特徴とする請求項１１に記載の無燃料蓄電システム又は装置。
【請求項１３】
無燃料により、電力を蓄電する無燃料蓄電システム又は装置であって、
請求項１１、又は請求項１２に記載の無燃料蓄電システム又は装置において、
前記仮蓄電手段を備え、並びに／若しくは、前記仮蓄電手段に接続された第２の仮（一時）蓄電手段と、前記第２の仮（一時）蓄電手段に接続された前記電力整流手段と、第1の所定電圧付加導通許可手段，第２の所定電圧付加導通許可手段と、及び／又は、第３の所定電圧付加導通許可手段とから構成される第２の仮蓄電手段を単数又は複数備え、前記仮蓄電手段及び第２の仮蓄電手段に単数又は複数回仮蓄電し、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電すること、
及び／又は、仮蓄電手段が単数又は複数繰り返された上記構成において、各要素間から別に分岐して、上記構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、に接続するようにし、電力を供給し、蓄電する、並びに／若しくは、電力を供給すること
を特徴とする請求項１１、又は請求項１２に記載の無燃料蓄電システム又は装置。
【請求項１４】
無燃料により、電力を蓄電する無燃料蓄電システム又は装置であって、
請求項１０乃至請求項１３に記載の無燃料蓄電システム又は装置において、
各手段間に単数又は複数個所に設置された、電力を増幅する電力増幅手段
を有し、前記電力蓄電手段に蓄電される電力は、前記電力増幅手段により増幅された電力であり、
及び／又は、前記電力増幅手段は、さらに備えられた請求項１０乃至請求項１３に記載の無燃料蓄電システム又は装置であり、前記電力蓄電手段に蓄電される各種自然界量は、請求項１０乃至請求項１３に記載の無燃料蓄電システム又は装置により増幅された各種自然界量であり、及び／又は、前記電力増幅手段を請求項１０乃至請求項１３に記載の無燃料蓄電システム又は装置とする構成を単数又は複数回繰り返した構成である
ことを特徴とする請求項１０乃至請求項１３に記載の無燃料蓄電システム又は装置。
【請求項１５】
無燃料により、電力を蓄電する無燃料蓄電システム又は装置であって、
請求項１０乃至請求項１４に記載の無燃料蓄電システム又は装置において、
前記各種自然界量検知手段は、水圧センサ、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の各種自然界量に対応した各種の自然界量を検知できるものであり、並びに／若しくは前記各種自然界量検知手段は、少なくとも体自身を構成したものであり、並びに／若しくは、電磁波検知手段である、先端にクリップが装着若しくは非装着されたアンテナ、パラボラアンテナ、コイル状アンテナ、コード、及び／又はコード状のアンテナ、２次コイルを有し、所望の周波数の電磁波を検知できるもの（コイル状アンテナ（1次コイルと2次コイルと及び／又はコンデンサーを備え、所望の周波数の電磁波を検知できるようにしたもの））、金属性等、少なくとも金属性のものから構成されたもの等、電磁波を検知できるもの、並びに／若しくは前記電磁波検知手段は、少なくとも体自身を構成したものであって、前記各種自然界量検知手段は、前述した前記各種自然界量検知手段及び／又は前記電磁波検知手段のうちの少なくとも２つの自然界量検知手段であり、
前記電力整流手段は、ダイオード及び／又はトランジスタであり、
前記電力蓄電手段は、コンデンサーであるか、並びに／若しくは、コンデンサーと、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、コンデンサーに蓄電された電力が一定の電圧になるのを監視してON/OFFを制御する制御手段又はシステム集積回路を有し、前記制御手段又はシステム集積回路の可動は、前記電磁波蓄電手段に蓄電された電力が使用され（第３の所定電圧付加導通許可手段）ている
ことを特徴とする請求項１０乃至請求項１４に記載の無燃料蓄電システム又は装置。
【請求項１６】
無燃料により、電力を蓄電する無燃料蓄電システム又は装置であって、
請求項１５に記載の無燃料蓄電システム又は装置において、
＜第３の所定電圧付加導通許可手段＞
前記電力蓄電手段は、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）であるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）と、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）と充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電力蓄電手段に蓄電された電力が使用され（第３の所定電圧付加導通許可手段）、
＜第２の所定電圧付加導通許可手段＞
及び、又は、
前記電力整流手段と前記仮蓄電手段との間に、又は前記電力整流手段の変わりに、単数又は直列にトランジスタ、レギュレータ、スイッチ、リレースイッチ、アナログスイッチ、コンパレータスイッチ、及び／又はタイマースイッチを介して接続された複数の、（定電圧（ツェナー））ダイオードを備え、
スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電力蓄電手段に蓄電された電力が使用され（第２の所定電圧付加導通許可手段）、
＜第１の所定検知電圧付加導通許可手段，第１の所定電圧付加導通許可手段＞
及び、又は、
前記検知手段と前記整流手段間、及び／又は、前記整流手段の前及び／又は後と前記蓄電手段間、及び／又は、前記仮蓄電手段が複数備えられている場合、前記仮（一時）蓄電手段と次の構成の仮蓄電手段の整流手段から前記蓄電手段（又は回路）に対して平列に備えられた、前及び／又は後ろに整流手段が備えられた、単数又は複数の、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードであるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードと、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）、並びに／若しくは（定電圧（ツェナー））ダイオードと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであって、複数組の場合、一方のコンデンサー、可変容量コンデンサー、及び／又は可変容量コンデンサー（ダイオード）、並びに／若しくは（定電圧（ツェナー））ダイオードは、他方のものと（定電圧（ツェナー））ダイオードの導通方向の向きが逆であり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電力蓄電手段に蓄電された電力が使用され（第１の所定検知電圧付加導通許可手段，第１の所定電圧付加導通許可手段）る
こと
を特徴とする請求項１５に記載の無燃料蓄電システム又は装置。
【請求項１７】
無燃料により、電力を蓄電する無燃料蓄電システム又は装置であって、
請求項１５又は請求項１６に記載の無燃料蓄電システム又は装置において、
請求項１４に記載の前記電力増幅手段は、トランジスタ、オペアンプ、及び／又はトランス、並びに／若しくは、前記電力増幅手段は、さらに備えられた請求項１０乃至請求項１５又は請求項１０乃至請求項１６に記載の無燃料蓄電システム又は装置であり、前記電力蓄電手段に蓄電される電力は、請求項１０乃至請求項１５又は請求項１０乃至請求項１６に記載の無燃料蓄電システム又は装置により増幅された電力であり、及び／又は、前記電力増幅手段を請求項１０乃至請求項１５又は請求項１０乃至請求項１６に記載の無燃料蓄電システム又は装置とする構成を単数又は複数回繰り返した構成である
ことを特徴とする請求項１５又は請求項１６に記載の無燃料蓄電システム又は装置。
【請求項１８】
無燃料により、電力を蓄電する無燃料蓄電装置であって、
請求項１０乃至請求項１７に記載の無燃料蓄電システムにおいて、
請求項１０乃至請求項１７に記載の電力整流手段及び電力蓄電手段、又は請求項１４若しくは請求項１７に記載の電力増幅手段を格納する小型又は大型の容器と
を有し、請求項１０乃至請求項１７に記載の自然界量検知手段は、前記容器の外部に設置されているか、内部に格納されているか、並びに／若しくは少なくとも容器（体）自身を構成しているか、及び／又は充電池を格納する充電池格納部を有する
ことを特徴とする請求項１０乃至請求項１７に記載の無燃料蓄電装置。
【請求項１９】
無燃料で電流を増幅する無燃料電流増幅装置であって、
請求項１乃至請求項８、若しくは請求項１０乃至請求項１７に記載の無燃料蓄電システム、又は、請求項１乃至請求項９、若しくは請求項１０乃至請求項１８に記載の無燃料蓄電装置において、
請求項１乃至請求項８、若しくは請求項１０乃至請求項１７に記載の無燃料蓄電システム、又は、請求項１乃至請求項９、若しくは請求項１０乃至請求項１８に記載の無燃料蓄電装置に蓄電された電力を出力する出力手段を有し、請求項９、若しくは請求項１８に記載の無燃料蓄電装置においては、充電池を格納する充電池格納部を有しない
ことを特徴とする無燃料電流増幅装置。
【請求項２０】
無燃料で電流を増幅する無燃料電流増幅装置であって、
請求項１９に記載の無燃料電流増幅装置において、
請求項１９に記載の出力手段は、プラス端子及びマイナス端子であること
を特徴とする無燃料電流増幅装置。
【請求項２１】
微少電流を無燃料で蓄電することができる微少電流蓄電装置であって、
電流が入力された電流入力手段と、
入力された電流を仮に蓄電する仮蓄電手段と、
仮蓄電手段の仮蓄電手段一定電圧監視送出手段により送出された電力を充電池に送出する送出手段としての、プラス及びマイナスに接続されたプラス端子及びマイナス端子と、
仮蓄電手段とプラス端子又はマイナス端子の少なくとも一方の端子間に接続された、仮蓄電手段に仮に蓄電された電力が一定電圧になるのを監視し、一定電圧になった後に電力を送出する仮蓄電手段一定電圧監視送出手段と
仮蓄電手段一定電圧監視送出手段により送出された電力を出力する出力手段と
を有し、
微少電流を仮蓄電手段に蓄電した後に、所望の起電力になった後に、所望の起電力を有する充電池に充電するという構成動作を繰り返すことにより、充電池に充電するようにしたことを特徴とする微少電流蓄電装置。
【請求項２２】
微少電流を無燃料で蓄電することができる微少電流蓄電装置であって、
請求項２１に記載の微少電流蓄電装置において、
前記仮蓄電手段は、前記仮蓄電手段に蓄電された電力を蓄電に所定の起電力を有する蓄電手段に蓄電する仮蓄電手段であって、前記仮蓄電手段は、蓄電に所定の起電力を有しない、自然に存在する電磁波を含む各種自然界量等の微少電流の電圧程度、所定の電磁波を含む各種自然界量等の微少電流の電圧程度の起電力、又は前記所定の起電力を有する蓄電手段の起電力より少なくとも小さい起電力を有した仮蓄電手段であって、
前記仮蓄電手段は、
蓄電に所定の起電力を有しない仮（一時）蓄電手段と、
並びに／若しくは、
前記仮蓄電手段一定電圧監視送出手段である、
前記仮（一時）蓄電手段に仮（一時）に（検知）蓄電される電力の電圧を所定の電圧になれば同通を許可する（第１の）所定（検知）電圧付加導通許可手段と、
前記仮（一時）蓄電手段に仮（一時）に蓄電される電力の電圧を所定の電圧になれば同通を許可する第２の所定電圧付加導通許可手段と、
前記仮（一時）蓄電手段に仮（一時）に蓄電された電力を整流する電力整流手段と、
及び／又は、
前記仮（一時）蓄電手段に仮（一時）に蓄電された電力の電圧を所定の電圧になれば同通を許可する第３の所定電圧付加導通許可手段と
から構成され、及び／又は、前記仮（一時）蓄電手段に仮（一時）に（検知）蓄電される電力の電圧を所定の電圧になれば同通を許可する（第１の）所定（検知）電圧付加導通許可手段は、システム又は装置に対して単数又は複数並列に接続されたものであり、及び／又は、複数備えられた場合、一方の導通方向は他方の導通方向と異なる方向に設置されており、
仮蓄電手段に蓄電された電力は、所定の起電力になった後に繰り返し蓄電に所定の起電力を有する蓄電手段に蓄電されること
を特徴とする請求項２１に記載の微少電流蓄電装置。
【請求項２３】
微少電流を無燃料で蓄電することができる微少電流蓄電装置であって、
請求項２２に記載の微少電流蓄電装置において、
前記仮蓄電手段は、
及び／又は、前記（第１の）所定（検知）電圧付加導通許可手段の導通許可（検知）電圧値を所定の電圧値に自在に調整する（第１の）許可（検知）電圧値自在調整手段を備え、
及び／又は、前記第２の所定電圧付加導通許可手段の導通許可電圧値を所定の電圧値に自在に調整する第２の許可電圧値自在調整手段を備え、
前記蓄電手段の起電力を計測し、計測した起電力に応じて、前記第１、第２、及び／又は第３の所定電圧付加導通許可手段の導通許可電圧値を自在に調整する第３の許可電圧値自在調整手段
を備え、
仮蓄電手段は、前記蓄電手段の起電力を計測し、計測した起電力に応じた容量(及び／又は電圧)に自在に調整され、所定の起電力になると自在に（例えば、容量を小さくし、電圧値を大きくして）前記蓄電手段に電力を供給し、蓄電すること
を特徴とする請求項２２に記載の微少電流蓄電装置。
【請求項２４】
微少電流を無燃料で蓄電することができる微少電流蓄電装置であって、
請求項２２、又は請求項２３に記載の微少電流蓄電装置において、
前記仮蓄電手段を備え、並びに／若しくは、前記仮蓄電手段に接続された第２の仮（一時）蓄電手段と、前記第２の仮（一時）蓄電手段に接続された前記電力整流手段と、第1の所定電圧付加導通許可手段，第２の所定電圧付加導通許可手段と、及び／又は、第３の所定電圧付加導通許可手段とから構成される第２の仮蓄電手段を単数又は複数備え、前記仮蓄電手段及び第２の仮蓄電手段に単数又は複数回仮蓄電し、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電すること、
及び／又は、仮蓄電手段が単数又は複数繰り返された上記構成において、各要素間から別に分岐して、上記構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、に接続するようにし、電力を供給し、蓄電する、並びに／若しくは、電力を供給すること
を特徴とする請求項２２、又は請求項２３に記載の微少電流蓄電装置。
【請求項２５】
微少電流を無燃料で蓄電することができる微少電流蓄電装置であって、
請求項２１乃至請求項２４に記載の微少電流蓄電装置において、
前記電流入力手段は、電流入力プラス端子及び電流入力マイナス端子であり、
前記仮（一時）蓄電手段は、コンデンサーであり、
前記仮蓄電手段一定電圧監視送出手段は、前記コンデンサーに蓄電された電圧が一定以上になった場合、電力を充電池に供給する定電圧ダイオード（ツェナーダイオード）、トランジスタ、レギュレータ、リレースイッチ、スイッチ、アナログスイッチ、コンパレータスイッチ、及び／又はタイマースイッチであり、スイッチの場合、コンデンサーに蓄電された電力が一定の電圧になるのを監視してON/OFFを制御する制御手段又はシステム集積回路を有し、前記制御手段又はシステム集積回路の可動は、前記電磁波蓄電手段に蓄電された電力が使用され（第３の所定電圧付加導通許可手段）るものであり、
前記電力出力手段は、電力出力プラス端子及び電力出力マイナス端子であり、
微少電流をコンデンサーに蓄電した後に、所望の起電力になった後に、所望の起電力を有する充電池に充電するという構成動作を繰り返すことにより、充電池に充電するようにしたことを特徴とする微少電流蓄電装置。
【請求項２６】
微少電流を無燃料で蓄電することができる微少電流蓄電装置であって、
請求項２５に記載の微少電流蓄電装置において、
＜第３の所定電圧付加導通許可手段＞
前記仮蓄電手段は、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）であるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）と、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）と充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記仮蓄電手段に蓄電された電力が使用され（第３の所定電圧付加導通許可手段）、
＜第２の所定電圧付加導通許可手段＞
及び、又は、
前記仮蓄電手段の前に前記整流手段が備えられている場合、前記整流手段と前記仮蓄電手段との間に、又は前記整流手段の変わりに、単数又は直列にトランジスタ、レギュレータ、スイッチ、リレースイッチ、アナログスイッチ、コンパレータスイッチ、及び／又はタイマースイッチを介して接続された複数の、（定電圧（ツェナー））ダイオードを備え、
スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記仮蓄電手段に蓄電された電力が使用され（第２の所定電圧付加導通許可手段）、
＜第１の所定検知電圧付加導通許可手段，第１の所定電圧付加導通許可手段＞
及び、又は、
前記仮蓄電手段の前に前記整流手段が備えられている場合、前記整流手段の前及び／又は後と前記蓄電手段間、及び／又は、前記仮蓄電手段が複数備えられている場合、前記仮（一時）蓄電手段と次の構成の仮蓄電手段の整流手段から前記蓄電手段（又は回路）に対して平列に備えられた、前及び／又は後ろに整流手段が備えられた、単数又は複数の、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードであるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードと、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）、並びに／若しくは（定電圧（ツェナー））ダイオードと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであって、複数組の場合、一方のコンデンサー、可変容量コンデンサー、及び／又は可変容量コンデンサー（ダイオード）、並びに／若しくは（定電圧（ツェナー））ダイオードは、他方のものと（定電圧（ツェナー））ダイオードの導通方向の向きが逆であり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記仮蓄電手段に蓄電された電力が使用され（第１の所定検知電圧付加導通許可手段，第１の所定電圧付加導通許可手段）る
こと
を特徴とする請求項２５に記載の微少電流蓄電装置。
【請求項２７】
請求項１乃至請求項６又は請求項８、若しくは、請求項１０乃至請求項１５又は請求項１７に記載の無燃料蓄電システム、又は、請求項１乃至請求項９、若しくは請求項１０乃至請求項１８に記載の無燃料蓄電装置、又は、請求項１９乃至請求項２０に記載の無燃料電流増幅装置、又は、請求項２１乃至請求項２５に記載の微少電流蓄電装置を素子化したものであって、
（１）
基板上に絶縁膜が形成され、絶縁膜上にダイオード、定電圧ダイオード（ツェナーダイオード）、コンデンサーが其々形成されており、
第１のダイオード、第１の定電圧ダイオード（ツェナーダイオード）、コンデンサー間は絶縁膜により覆われており、
第１のダイオードは、ｐ型半導体膜をｎ型半導体膜が覆うように形成されており、ｎ型半導体膜は絶縁膜により覆われており、
第１の定電圧ダイオード（ツェナーダイオード）は、ｐ型半導体膜をｎ型半導体膜が覆うように形成されており、ｎ型半導体膜は絶縁膜により覆われており、
コンデンサーは、プラス電極を覆うように誘電膜（又は絶縁膜、真空層、空気層、若しくはガス層）が形成され、誘電膜（又は絶縁膜、真空層、空気層、若しくはガス層）を覆うようにマイナス電極が形成されており、
第１のダイオードのｎ型半導体膜とコンデンサーのマイナス電極とは第１のダイオードのｎ型半導体膜とコンデンサーのマイナス電極との間に形成された絶縁膜により絶縁され、第１のダイオードのｎ型半導体膜の表面上とコンデンサーのマイナス電極の表面上とを繋ぐように、第１のダイオードのｎ型半導体膜の表面上、絶縁膜の表面上、コンデンサーのマイナス電極の表面上に導電膜が形成されており、
第１のダイオードのｐ型半導体膜と第１の定電圧ダイオード（ツェナーダイオード）のｎ型半導体膜とは、第１のダイオードのｎ型半導体膜と第１の定電圧ダイオード（ツェナーダイオード）のｐ型半導体膜との間に形成された絶縁膜により絶縁され、第１のダイオードのｎ型半導体膜の表面上と第１の定電圧ダイオード（ツェナーダイオード）のｐ型半導体膜の表面上とを繋ぐように、第１のダイオードのｎ型半導体膜の表面上、絶縁膜の表面上、第１の定電圧ダイオード（ツェナーダイオード）のｐ型半導体膜の表面上に導電膜が形成されており、
第１の定電圧ダイオード（ツェナーダイオード）のｐ型半導体膜の表面には、第１の端子が形成されており、
第１のダイオードのｐ型半導体膜上には、電磁波検知手段及び／又は各種自然界量検知手段が形成されており、
コンデンサーのプラス電極上には、第２の端子、第３の端子が形成されており、
上記のように形成された、第１のダイオード、第１の定電圧ダイオード（ツェナーダイオード）、コンデンサー上には絶縁膜が形成され、被覆されている
ことを特徴とするか、若しくは、
（２）
（１）において、
さらに、第２のダイオードが絶縁膜を挟んでコンデンサーが形成されており、
第２のダイオードは、ｐ型半導体膜をｎ型半導体膜が覆うように形成されており、ｎ型半導体膜は絶縁膜により覆われており、
第２のダイオードのｐ型半導体膜とコンデンサーのマイナス電極とは第２のダイオードのｐ型半導体膜とコンデンサーのマイナス電極との間に形成された絶縁膜により絶縁され、第２のダイオードのｐ型半導体膜の表面上とコンデンサーのマイナス電極の表面上とを繋ぐように、第２のダイオードのｐ型半導体膜の表面上、絶縁膜の表面上、コンデンサーのマイナス電極の表面上に導電膜が形成されており、
第２のダイオードのｎ型半導体膜上には、第４の端子が形成されており、
コンデンサーのプラス電極上の第３の端子は削除されており、
上記のように形成された、第１のダイオード、第２のダイオード、第１の定電圧ダイオード（ツェナーダイオード）、コンデンサー上には絶縁膜が形成され、被覆されている
ことを特徴とするか、若しくは、
（３）
（２）において、
第２のダイオードの代わりに、第２の定電圧ダイオード（ツェナーダイオード）が形成されており、
第２の定電圧ダイオード（ツェナーダイオード）は、ｐ型半導体膜をｎ型半導体膜が覆うように形成されており、ｎ型半導体膜は絶縁膜により覆われており、
第２の定電圧ダイオード（ツェナーダイオード）のｐ型半導体膜とコンデンサーのマイナス電極とは第２の定電圧ダイオード（ツェナーダイオード）のｐ型半導体膜とコンデンサーのマイナス電極との間に形成された絶縁膜により絶縁され、第２の定電圧ダイオード（ツェナーダイオード）のｐ型半導体膜の表面上とコンデンサーのマイナス電極の表面上とを繋ぐように、第２の定電圧ダイオード（ツェナーダイオード）のｐ型半導体膜の表面上、絶縁膜の表面上、コンデンサーのマイナス電極の表面上に導電膜が形成されており、
第２の定電圧ダイオード（ツェナーダイオード）のｎ型半導体膜上には、第４の端子が形成されており、
コンデンサーのプラス電極上の第３の端子は削除されており、
上記のように形成された、第１のダイオード、第１の定電圧ダイオード（ツェナーダイオード）、第１の定電圧ダイオード（ツェナーダイオード）、コンデンサー上には絶縁膜が形成され、被覆されている
ことを特徴とするか、若しくは、
（４）
（３）において、
第２のダイオードが形成されており、
第２のダイオードは、ｐ型半導体膜をｎ型半導体膜が覆うように形成されており、ｎ型半導体膜は絶縁膜により覆われており、
第２のダイオードのｐ型半導体膜とコンデンサーのマイナス電極とは第２のダイオードのｐ型半導体膜とコンデンサーのマイナス電極との間に形成された絶縁膜により絶縁され、第２のダイオードのｐ型半導体膜の表面上とコンデンサーのマイナス電極の表面上とを繋ぐように、第２のダイオードのｐ型半導体膜の表面上、絶縁膜の表面上、コンデンサーのマイナス電極の表面上に導電膜が形成されており、
第２のダイオードのｎ型半導体膜上には、第４の端子が形成されており、コンデンサーのプラス電極上の第３の端子は削除されており、
上記のように形成された、第１のダイオード、第２のダイオード、第１の定電圧ダイオード（ツェナーダイオード）、第２の定電圧ダイオード（ツェナーダイオード）、コンデンサー上には絶縁膜が形成され、被覆されている
ことを特徴とし、
上術した（１）から（４）の構成を単数又は複数繰り返して構成したものである
ことを特徴とする無燃料蓄電素子、無燃料電力増幅素子、電流増幅素子、及び／又は、
前記無燃料蓄電素子、前記無燃料電力増幅素子、前記電流増幅素子が、接続用の端子が２本及び／又は必要な本数分(複数繰り返した構成に対応する増加分)伸び出た、上面が半月の筒状の、若しくは立方体のプラスチック製の容器、又はプラスチック製のフラットパッケージ容器に格納されている
ことを特徴とする無燃料蓄電素子、無燃料電力増幅素子、電流増幅素子、
又は、
上記した無燃料蓄電素子、無燃料電力増幅素子、電流増幅素子において、さらに、第１のダイオードには、ｐ型半導体膜上に第５の端子が形成されている
ことを特徴とする微少電流蓄電素子、及び／又は、
前記微少電流蓄電素子が、接続用の端子が４本伸び出た、上面が半月の筒状の、若しくは立方体のプラスチック製の及び／又は第１の定電圧ダイオード（ツェナーダイオード）のｐ型半導体膜の表面には、導電膜（導線）が形成されており、導電膜（導線）に接続された、金属性等、少なくとも金属性のものから構成されたもの等、電磁波を検知できるものである電磁波検知手段及び／又は各種自然界量検知手段から少なくとも構成された容器、又はプラスチック製の及び／又は第１の定電圧ダイオード（ツェナーダイオード）のｐ型半導体膜の表面には、導電膜（導線）が形成されており、導電膜（導線）に接続された、金属性等、少なくとも金属性のものから構成されたもの等、電磁波を検知できるものである電磁波検知手段及び／又は各種自然界量検知手段から少なくとも構成されたフラットパッケージ容器に格納されている
ことを特徴とする微少電流蓄電素子。
【請求項２８】
請求項１乃至請求項８、若しくは、請求項１０乃至請求項１７に記載の無燃料蓄電システム、又は、請求項１乃至請求項９、若しくは請求項１０乃至請求項１８に記載の無燃料蓄電装置、又は、請求項１９乃至請求項２０に記載の無燃料電流増幅装置、又は、請求項２１乃至請求項２６に記載の微少電流蓄電装置を素子化したものであって、
請求項２７に記載の無燃料蓄電素子、無燃料電力増幅素子、電流増幅素子、又は微少電流蓄電素子において、
＜第３の所定電圧付加導通許可手段＞
コンデンサーを可変容量コンデンサー（ダイオード）とトランジスタとを交互に複数形成し、其々のトランジスタは、さらに他のトランジスタに接続されており、他のトランジスタ間も接続された構成としたものであって、前記可変容量コンデンサー（ダイオード）と前記トランジスタ間には、絶縁膜が形成されており、前記他のトランジスタ間も絶縁膜が形成されており、
前記可変容量コンデンサー（ダイオード）は、p型半導体膜を覆うようにn型半導体膜が形成されており、p型半導体膜とn型半導体膜との間に空乏層が形成されており（又は形成され）、ｐ型半導体膜により第１のｎ型半導体膜表面と第２のｎ型半導体膜表面とを有しており、
前記トランジスタ及び前記他のトランジスタは、第１のn型半導体膜及び第２のn型半導体膜を覆うようにｐ型半導体膜が形成されており、ｐ型半導体膜表面は、第１のn型半導体膜表面との間に形成された第１のｐ型半導体膜表面、第２のn型半導体膜表面との間に形成された第２のｐ型半導体膜表面、第１のn型半導体膜表面と第２のn型半導体膜表面との間に形成された第３のｐ型半導体膜表面とを有しており、
前記可変容量コンデンサー（ダイオード）のp型半導体膜上と第１のn型半導体膜上には端子が形成されており、前記トランジスタ及び前記他のトランジスタのｐ型半導体膜上には端子が形成されており、
前記可変容量コンデンサー（ダイオード）のp型半導体膜とn型半導体膜との間に形成された又は形成される空乏層上には絶縁膜が形成されており、前記トランジスタ及び前記他のトランジスタのｐ型半導体膜上には絶縁膜が形成されており、
前記可変容量コンデンサー（ダイオード）のｐ型半導体膜と前記トランジスタの第１のｎ型半導体膜との間には、前記トランジスタの第１のｐ型半導体膜表面上に形成された絶縁膜を覆うように、導電膜が形成され接続されており、
前記トランジスタの第２のｎ型半導体膜と、前記トランジスタに対して前記可変容量コンデンサー（ダイオード）の反対側に形成された他の可変容量コンデンサー（ダイオード）の第１のｎ型半導体膜との間には導電膜が形成され接続されており、
前記トランジスタの第１のｎ型半導体膜と前記他のトランジスタの第１のｎ型半導体膜との間には、導電膜が形成されて接続されており、
前記他のトランジスタの第２のｎ型半導体膜と隣り合う前記他のトランジスタの第１のｎ型半導体膜との間には、前記他のトランジスタの第１のｐ型半導体膜表面上に形成された絶縁膜を覆うように、導電膜が形成され接続されており、
以上の構成を複数回繰り返し、最後のトランジスタ及び最後の他のトランジスタの第２のｎ型半導体膜は、前記最後のトランジスタ及び前記最後の他のトランジスタのｐ型半導体膜上に形成された絶縁膜を覆うように、導電膜が形成され接続されており、さらに、他の要素との間に導電膜が形成され接続されており、請求項２７に記載の（４）の場合、最初の前記可変容量コンデンサー（ダイオード）のp型半導体膜は、他の要素との間に導電膜が形成され接続されていること、
＜第２の所定電圧付加導通許可手段＞
及び／又は、
第２の定電圧ダイオード（ツェナーダイオード）を第２の定電圧ダイオード（ツェナーダイオード）とトランジスタとを交互に複数形成した構成としたものであって、上述した第３の所定電圧付加導通許可手段において、前記可変容量コンデンサー（ダイオード）を第２の定電圧ダイオード（ツェナーダイオード）に置き換えた構成としたものであること、
＜第１の所定検知電圧付加導通許可手段，第１の所定電圧付加導通許可手段＞
上述した第３の所定電圧付加導通許可手段の前及び／又は後に、整流手段を備えた第１の所定検知電圧付加導通許可手段，第１の所定電圧付加導通許可手段を、前記第１のダイオードの前に、及び／又は前記第１のダイオードとコンデンサーとの間に、並びに／若しくは、請求項２７の（１）から（４）の構成を単数又は複数繰り返して構成したものである場合、コンデンサーと次の請求項２７の（１）から（４）の構成の第１のダイオードとの間に、素子全体に対して並列に単数又は複数接続した構成としたものであって、複数組の場合、一方の組のダイオードの導通方向の向きに対して他方の組のダイオードの導通方向の向きが逆向きに構成されていること
を特徴とした無燃料蓄電素子、無燃料電力増幅素子、電流増幅素子、又は微少電流蓄電素子。
【請求項２９】
無燃料で可動する無燃料可動電子機器若しくは機器であって、
請求項１乃至請求項８、若しくは、請求項１０乃至請求項１７に記載の無燃料蓄電システム、又は、請求項１乃至請求項９、若しくは請求項１０乃至請求項１８に記載の無燃料蓄電装置、又は、請求項１９乃至請求項２０に記載の無燃料電流増幅装置、又は、請求項２１乃至請求項２６に記載の微少電流蓄電装置、又は、請求項２７乃至請求項２８に記載の無燃料蓄電素子、又は、請求項２７乃至請求項２８に記載の無燃料電流増幅素子、又は、請求項２７乃至請求項２８に記載の微少電流蓄電素子を、電子機器若しくは機器の内部又は外部に備え、当該電子機器若しくは機器の電源手段を蓄電に起電力を有する蓄電手段に変え、前記蓄電手段に接続されていること、又は、当該電子機器若しくは機器の電源手段が交流波電源入力の場合は、及び／又は、蓄電に起電力を有する蓄電手段を備え、さらに、所定の周波数に変換された交流波に変換する交流波変換手段を備え、交流波変換手段により変換された交流波が入力されるように接続されていること
を特徴とする無燃料可動電子機器若しくは機器。
【発明の詳細な説明】
【技術分野】
【０００１】
本発明は、無燃料蓄電システム及び装置（素子）並びに方法、無燃料電流増幅装置（素子）及び無燃料電流増幅方法、微少電流蓄電装置（素子）及び方法、並びに無燃料可動電子機器若しくは機器及び方法に関する。
【背景技術】
【０００２】
【発明の開示】
【発明が解決しようとする課題】
【０００３】
従来、自然に存在する電磁波から電力を無燃料で蓄電することができなかった。また、各種自然界量から電力を無燃料で蓄電することができなかった。
【０００４】
また、無燃料で電流を増幅することができなかった。
【０００５】
また、微少電流を蓄電することができなかった。
【０００６】
本発明は、上記問題を解決する為に、自然に存在する電磁波及び各種自然界量から電力を無燃料で蓄電することができる無燃料蓄電システム及び装置（素子）並びに方法、無燃料で電流を増幅することができる無燃料電流増幅装置（素子）及び無燃料電流増幅方法、微少電流を蓄電できる微少電流蓄電装置（素子）及び方法、並びに無燃料で可動することができる無燃料可動電子機器若しくは機器を提供することを目的とする。
【課題を解決するための手段】
【０００７】
上記課題を解決するために、請求項１に記載の無燃料蓄電（貯蔵）システム又は装置は、無燃料により、電力を蓄電（貯蔵）する無燃料蓄電（貯蔵）システム又は装置であって、自然に存在する電磁波を検知する電磁波検知手段と、電磁波検知手段により検知された電磁波を整流する電磁波整流手段と、電磁波整流手段により整流された電磁波を蓄電する電磁波蓄電（貯蔵）手段とを有することを特徴とする無燃料蓄電（貯蔵）システム又は装置としたことにより解決された。
【０００８】
本請求項に記載の無燃料蓄電（貯蔵）システム又は装置は、自然に存在する電磁波、即ち微弱な非人工的な電磁波を無燃料で蓄電（貯蔵）するというものである。
【０００９】
尚、自然に存在する電磁波とは、微弱であり、人工的でない電磁波のことを示し、蓄電とは、一時的蓄電、例えば、蓄電に所定の起電力を有しない手段（例えば、コンデンサー）に蓄電された状態は含んでおらず、所定の起電力を有する蓄電手段に蓄電（貯蔵）された状態を示している。
【００１０】
従って、本請求項に記載の無燃料蓄電（貯蔵）システム又は装置によれば、微弱で人工的でない自然に存在する電磁波を無燃料で蓄電（貯蔵）することができる。
【００１１】
（  上記課題を解決するために、請求項１に記載の無燃料蓄電（貯蔵）システム又は装置は、無燃料により、電力を蓄電（貯蔵）する無燃料蓄電（貯蔵）システム又は装置であって、自然に存在する電磁波を検知する電磁波検知手段と、電磁波検知手段により検知された電磁波を整流する電磁波整流手段と、電磁波整流手段により整流された電磁波を蓄電する電磁波蓄電（貯蔵）手段とを有（し、蓄電（貯蔵）に所定の起電力を有する蓄電（貯蔵）手段に蓄電（貯蔵））すること（（前記電磁波蓄電手段は、前記電磁波蓄電手段に蓄電された電力を蓄電に所定の起電力を有する蓄電手段に蓄電する仮蓄電手段であって、仮蓄電手段に蓄電された電力は、所定の起電力になった後に蓄電に所定の起電力を有する蓄電手段に蓄電されること））を特徴とする無燃料蓄電（貯蔵）システム又は装置としたことにより解決された。
【００１２】
本請求項に記載の無燃料蓄電（貯蔵）システム又は装置は、自然に存在する電磁波、即ち微弱な非人工的な電磁波を無燃料で蓄電（貯蔵）するというものである。
【００１３】
尚、自然に存在する電磁波とは、微弱であり、人工的でない電磁波のことを示し、蓄電とは、一時的蓄電、例えば、蓄電に所定の起電力を有しない手段（例えば、コンデンサー）に蓄電された状態は含んでおらず、所定の起電力を有する蓄電手段に蓄電（貯蔵）された状態を示している。
【００１４】
（  また、本発明の実施の形態の無燃料蓄電システム又は装置は、仮蓄電手段に一時的に電磁波を蓄電し、仮蓄電手段に蓄電された電力は、所定の起電力になった後に蓄電に所定の起電力を有する蓄電手段に蓄電するというものである。）
【００１５】
従って、本請求項に記載の無燃料蓄電（貯蔵）システム又は装置によれば、微弱で人工的でない自然に存在する電磁波を無燃料で蓄電（貯蔵）することができる。）
【００１６】
また、上記課題を解決するために、請求項２に記載の無燃料蓄電システム又は装置は、
無燃料により、電力を蓄電する無燃料蓄電システム又は装置であって、
請求項１に記載の無燃料蓄電システム又は装置において、
前記電磁波蓄電手段は、前記電磁波蓄電手段に蓄電された電力を蓄電に所定の起電力を有する蓄電手段に蓄電する仮蓄電手段であって、前記仮蓄電手段は、蓄電に所定の起電力を有しない、自然に存在する電磁波の電圧程度、所定の電磁波の電圧程度の起電力、又は前記所定の起電力を有する蓄電手段の起電力より少なくとも小さい起電力を有した仮蓄電手段であって、
前記仮蓄電手段は、
蓄電に所定の起電力を有しない仮（一時）蓄電手段と、
並びに／若しくは、
前記仮（一時）蓄電手段に仮（一時）に（検知）蓄電される電力の電圧を所定の電圧になれば同通を許可する（第１の）所定（検知）電圧付加導通許可手段と、
前記仮（一時）蓄電手段に仮（一時）に蓄電される電力の電圧を所定の電圧になれば同通を許可する第２の所定電圧付加導通許可手段と、
前記仮（一時）蓄電手段に仮（一時）に蓄電された電力を整流する電力整流手段と、
及び／又は、
前記仮（一時）蓄電手段に仮（一時）に蓄電された電力の電圧を所定の電圧になれば同通を許可する第３の所定電圧付加導通許可手段と
から構成され、及び／又は、前記仮（一時）蓄電手段に仮（一時）に（検知）蓄電される電力の電圧を所定の電圧になれば同通を許可する（第１の）所定（検知）電圧付加導通許可手段は、システム又は装置に対して単数又は複数並列に接続されたものであり、及び／又は、複数備えられた場合、一方の導通方向は他方の導通方向と異なる方向に設置されており、
仮蓄電手段に蓄電された電力は、所定の起電力になった後に繰り返し蓄電に所定の起電力を有する蓄電手段に蓄電されること
を特徴とする請求項１に記載の無燃料蓄電システム又は装置
としたことにより解決された。
【００１７】
本請求項に記載の無燃料蓄電システム又は装置は、蓄電に所定の起電力を有しない、自然に存在する電磁波の電圧程度、所定の電磁波の電圧程度の起電力、又は前記蓄電手段の起電力より少なくとも小さい起電力を有した仮蓄電手段に一時的に電磁波を蓄電し、仮蓄電手段に蓄電された電力は、所定の起電力になった後に繰り返し蓄電に所定の起電力を有する蓄電手段に蓄電するというものである。
【００１８】
従って、起電力を有する蓄電手段の起電力より小さな電圧を有する微弱な人工的でない自然に存在する電磁波を無燃料で蓄電することができる。また、電磁波整流手段を複数備えている為、電磁波の乱れを整えることができ、電磁波を無駄なく蓄電することができ、蓄電効率が向上する。また、所望の周波数及び／又は電圧を有した電磁波を選択的に検知することができるので、所望の周波数及び／又は電圧を有した電磁波を選択的に蓄電することができる。尚、充電に所定の起電力を有する蓄電（充電、貯蔵）手段としては、例えば、化学反応を利用した化学電池等の充電池があり、充電に所定の起電力を有しない仮（一時）蓄電手段としては、例えば、コンデンサーがあり、充電に所定の起電力を有せず、所定の電圧以内で放電しない仮（一時）蓄電手段としては、例えば、各種コンデンサーと電磁波整流手段とを合わせて充電池としたもの、各種コンデンサーと各種コンデンサーを両側から挟んだ電磁波整流手段とを合わせて充電池としたものがあり、みかけ充電に所定の起電力を有する見かけ蓄電手段（充電に所定の起電力を有する蓄電手段の一種）としては、例えば、各種コンデンサーと各種コンデンサーに対して充電方向側に設置された電磁波整流手段及び所定電圧付加導通許可手段と、及び／又は、その反対側に設置された電磁波整流手段及び／又は所定電圧付加導通許可手段とを合わせて充電池としたものがある。
【００１９】
また、上記課題を解決するために、請求項３に記載の無燃料蓄電システム又は装置は、
無燃料により、電力を蓄電する無燃料蓄電システム又は装置であって、
請求項２に記載の無燃料蓄電システム又は装置において、
前記仮蓄電手段は、
及び／又は、前記（第１の）所定（検知）電圧付加導通許可手段の導通許可（検知）電圧値を所定の電圧値に自在に調整する（第１の）許可（検知）電圧値自在調整手段を備え、
及び／又は、前記第２の所定電圧付加導通許可手段の導通許可電圧値を所定の電圧値に自在に調整する第２の許可電圧値自在調整手段を備え、
前記蓄電手段の起電力を計測し、計測した起電力に応じて、前記第１、第２、及び／又は第３の所定電圧付加導通許可手段の導通許可電圧値を自在に調整する第３の許可電圧値自在調整手段
を備え、
仮蓄電手段は、前記蓄電手段の起電力を計測し、計測した起電力に応じた容量(及び／又は電圧)に自在に調整され、所定の起電力になると自在に（例えば、容量を小さくし、電圧値を大きくして）前記蓄電手段に電力を供給し、蓄電すること
を特徴とする請求項２に記載の無燃料蓄電システム又は装置
としたことにより解決された。
【００２０】
本請求項に記載の無燃料蓄電システム又は装置は、仮蓄電手段が起電力を有しない蓄電手段で、自然に存在する人工的でない微弱な電磁波を一時的に仮蓄電し、蓄電手段の起電力を計測し、計測した起電力に応じた容量(及び／又は電圧)に自在に調整され、所定の起電力になると自在に前記蓄電手段に電力を供給するというものである。
【００２１】
従って、仮蓄電手段が蓄電に起電力を有しない蓄電手段である為、自然に存在する人工的でない微弱な電磁波を一時的に仮蓄電でき、蓄電に起電力を有する蓄電手段の起電力を自動的に計測し、所定の起電力になると（電圧調整を行わずとも）自動的に電力を蓄電に起電力を有する蓄電手段に供給することができるので、自然に存在する人工的でない微弱な電磁波を無燃料で蓄電に起電力を有する蓄電手段に蓄電することができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電精度を向上させて自動的に蓄電することができ、所望の周波数及び／又は電圧を有した電磁波を選択的に蓄電精度を向上させて自動的に蓄電することができる。
【００２２】
また、上記課題を解決するために、請求項４に記載の無燃料蓄電システム又は装置は、
無燃料により、電力を蓄電する無燃料蓄電システム又は装置であって、
請求項２、又は請求項３に記載の無燃料蓄電システム又は装置において、
前記仮蓄電手段を備え、並びに／若しくは、前記仮蓄電手段に接続された第２の仮（一時）蓄電手段と、前記第２の仮（一時）蓄電手段に接続された前記電力整流手段と、第1の所定電圧付加導通許可手段，第２の所定電圧付加導通許可手段と、及び／又は、第３の所定電圧付加導通許可手段とから構成される第２の仮蓄電手段を単数又は複数備え、前記仮蓄電手段及び第２の仮蓄電手段に単数又は複数回仮蓄電し、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電すること、
及び／又は、仮蓄電手段が単数又は複数繰り返された上記構成において、各要素間から別に分岐して、上記構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、に接続するようにし、電力を供給し、蓄電する、並びに／若しくは、電力を供給すること
を特徴とする請求項２、又は請求項３に記載の無燃料蓄電システム又は装置
としたことにより解決された。
【００２３】
これにより、1つ1つの仮蓄電手段の蓄電容量が小さくとも、全体として大電力を無燃料で（電圧調整を行わずとも）自動的に蓄電することができる。
【００２４】
尚、仮蓄電手段が単数又は複数繰り返された構成において、第２の仮（一時）蓄電手段を挟むように設置された、隣り合う第１の所定電圧付加導通許可手段と第１の所定電圧付加導通許可手段よりも蓄電に起電力を有する蓄電手段に近いほうの第２の所定電圧付加導通許可手段の導通許可電圧は、第２の所定電圧付加導通許可手段の導通許可電圧の方が、第１の所定電圧付加導通許可手段の導通許可電圧よりも大きく、小さく、ばらばらに、又は同じように構成してもよい。
【００２５】
また、仮蓄電手段が単数又は複数繰り返された構成において、各要素間から別に分岐して、構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、接続するようにし、電力を供給し、蓄電する、並びに／若しくは、電力を供給するように接続してもよい。
【００２６】
また、上記課題を解決するために、請求項５に記載の無燃料蓄電システム又は装置は、無燃料により、電力を増幅して蓄電する無燃料蓄電システム又は装置であって、請求項１乃至請求項４に記載の無燃料蓄電システム又は装置において、各手段間に単数又は複数個所に設置された、電磁波を増幅する電磁波増幅手段を有し、前記電磁波蓄電手段に蓄電される電磁波は、電磁波増幅手段により増幅された電磁波であり、及び／又は、前記電磁波増幅手段は、さらに備えられた請求項１乃至請求項４に記載の無燃料蓄電システム又は装置であり、前記電磁波蓄電手段に蓄電される電磁波は、請求項１乃至請求項４に記載の無燃料蓄電システム又は装置により増幅された電磁波であり、及び／又は、前記電磁波増幅手段を請求項１乃至請求項４に記載の無燃料蓄電システム又は装置とする構成を単数又は複数回繰り返した構成であることを特徴とする請求項１乃至請求項４に記載の無燃料蓄電システム又は装置としたことにより解決された。
【００２７】
これにより、自然に存在する電磁波を無燃料で増幅して蓄電することができる。
【００２８】
また、上記課題を解決するために、請求項６に記載の無燃料蓄電システム又は装置は、無燃料により、電力を蓄電する無燃料蓄電システム又は装置であって、請求項１乃至請求項５に記載の無燃料蓄電システム又は装置において、前記電磁波検知手段は、先端にクリップが装着若しくは非装着されたアンテナ、パラボラアンテナ、コイル状アンテナ、コード、及び／又はコード状のアンテナ、２次コイルを有し、所望の周波数の電磁波を検知できるもの（コイル状アンテナ（1次コイルと2次コイルと及び／又はコンデンサーを備え、所望の周波数の電磁波を検知できるようにしたもの））、金属性等、少なくとも金属性のものから構成されたもの等、電磁波を検知できるもの、並びに／若しくは、前記電磁波検知手段は、少なくとも体自身を構成したものであり、前記電磁波整流手段は、ダイオード及び／又はトランジスタであり、前記電磁波蓄電手段は、コンデンサーであるか、並びに／若しくは、コンデンサーと、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、コンデンサーに蓄電された電力が一定の電圧になるのを監視してON/OFFを制御する制御手段又はシステム集積回路を有し、前記制御手段又はシステム集積回路の可動は、前記電磁波蓄電手段に蓄電された電力が使用され（第３の所定電圧付加導通許可手段）ることを特徴とする請求項１乃至請求項５に記載の無燃料蓄電システム又は装置としたことにより解決された。
【００２９】
これにより、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチにより、コンデンサーに蓄電された電圧が一定電圧になるまで自然に存在する微弱な電磁波を全て無駄なく蓄電した後、充電池の起電力に応じた一定電圧までコンデンサーに蓄電した後、充電池に電力を充電するので、自然に存在する微弱な電磁波も無駄なく全て無燃料で蓄電することができる。
【００３０】
また、上記課題を解決するために、請求項７に記載の無燃料蓄電システム又は装置は、
無燃料により、電力を蓄電する無燃料蓄電システム又は装置であって、
請求項６に記載の無燃料蓄電システム又は装置において、
＜第３の所定電圧付加導通許可手段＞
前記電磁波蓄電手段は、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）であるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）と、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）と充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電磁波蓄電手段に蓄電された電力が使用され（第３の所定電圧付加導通許可手段）、
＜第２の所定電圧付加導通許可手段＞
及び、又は、
前記電磁波整流手段と前記仮蓄電手段との間に、又は前記電磁波整流手段の変わりに、単数又は直列にトランジスタ、レギュレータ、スイッチ、リレースイッチ、アナログスイッチ、コンパレータスイッチ、及び／又はタイマースイッチを介して接続された複数の、（定電圧（ツェナー））ダイオードを備え、
スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電磁波蓄電手段に蓄電された電力が使用され（第２の所定電圧付加導通許可手段）、
＜第１の所定検知電圧付加導通許可手段，第１の所定電圧付加導通許可手段＞
及び、又は、
前記検知手段と前記整流手段間、及び／又は、前記整流手段の前及び／又は後と前記蓄電手段間、及び／又は、前記仮蓄電手段が複数備えられている場合、前記仮（一時）蓄電手段と次の構成の仮蓄電手段の整流手段から前記蓄電手段（又は回路）に対して平列に備えられた、前及び／又は後ろに整流手段が備えられた、単数又は複数の、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードであるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードと、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）、並びに／若しくは（定電圧（ツェナー））ダイオードと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであって、複数組の場合、一方のコンデンサー、可変容量コンデンサー、及び／又は可変容量コンデンサー（ダイオード）、並びに／若しくは（定電圧（ツェナー））ダイオードは、他方のものと（定電圧（ツェナー））ダイオードの導通方向の向きが逆であり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電磁波蓄電手段に蓄電された電力が使用され（第１の所定検知電圧付加導通許可手段，第１の所定電圧付加導通許可手段）る
こと
を特徴とする請求項６に記載の無燃料蓄電システム又は装置としたことにより解決された。
【００３１】
これにより、電磁波蓄電手段に蓄電された電力が使用され、無燃料で、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給することができる。
【００３２】
また、上記課題を解決するために、請求項８に記載の無燃料蓄電システム又は装置は、無燃料により、電力を蓄電する無燃料蓄電システム又は装置であって、請求項６又は請求項７に記載の無燃料蓄電システム又は装置において、請求項５に記載の前記電磁波増幅手段は、トランジスタ、オペアンプ、及び／又はトランス、並びに／若しくは、前記電磁波増幅手段は、さらに備えられた請求項１乃至請求項６又は請求項１乃至請求項７に記載の無燃料蓄電システム又は装置であり、前記電磁波蓄電手段に蓄電される電磁波は、請求項１乃至請求項６又は請求項１乃至請求項７に記載の無燃料蓄電システム又は装置により増幅された電磁波であり、及び／又は、前記電磁波増幅手段を請求項１乃至請求項６又は請求項１乃至請求項７に記載の無燃料蓄電システム又は装置とする構成を単数又は複数回繰り返した構成であることを特徴とする請求項６又は請求項７に記載の無燃料蓄電システム又は装置としたことにより解決された。
【００３３】
これにより、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチにより、コンデンサーに蓄電された電圧が一定電圧になるまで自然に存在する微弱な電磁波を全て無駄なく増幅して蓄電した後、充電池の起電力に応じた一定電圧までコンデンサーに蓄電した後、充電池に電力を充電するので、自然に存在する微弱な電磁波も無駄なく全て無燃料で増幅して蓄電することができる。
【００３４】
また、上記課題を解決するために、請求項９に記載の無燃料蓄電装置は、無燃料により、電力を蓄電する無燃料蓄電装置であって、請求項１乃至請求項８に記載の無燃料蓄電システムにおいて、請求項１乃至請求項８に記載の電磁波整流手段及び電磁波蓄電手段、又は請求項５若しくは請求項８に記載の電力増幅手段を格納する小型又は大型の容器とを有し、請求項１乃至請求項８に記載の電磁波検知手段は、前記容器の外部に設置されているか、内部に格納されているか、並びに／若しくは少なくとも容器（体）自身を構成しているか、及び／又は充電池を格納する充電池格納部を有することを特徴とする請求項１乃至請求項８に記載の無燃料蓄電装置としたことにより解決された。
【００３５】
これにより、どこにでも置いておいたり、身に着けておくだけで、自然に存在する微弱な電磁波も無駄なく全て無燃料で増幅して蓄電することができる。
【００３６】
また、上記課題を解決するために、請求項１０に記載の無燃料蓄電システム又は装置は、無燃料により、電力を蓄電する無燃料蓄電システム又は装置であって、電磁波を含む各種自然界量のうちの少なくとも２つの各種自然界量から各種自然界量を検知する各種自然界量検知手段と、各種自然界量検知手段により検知された各種自然界量を電力に変換する電力変換手段と、電力変換手段により変換された電力を整流する電力整流手段と、電力整流手段により整流された電力を蓄電する電力蓄電手段とを有することを特徴とする無燃料蓄電システム又は装置としたことにより解決された。
【００３７】
これにより、自然に存在する電磁波を含む各種自然界量のうちの少なくとも２つの各種自然界量を無燃料で蓄電することができる。
【００３８】
（  また、上記課題を解決するために、請求項１０に記載の無燃料蓄電システム又は装置は、無燃料により、電力を蓄電する無燃料蓄電システム又は装置であって、電磁波を含む各種自然界量のうちの少なくとも２つの各種自然界量から各種自然界量を検知する各種自然界量検知手段と、各種自然界量検知手段により検知された各種自然界量を電力に変換する電力変換手段と、電力変換手段により変換された電力を整流する電力整流手段と、電力整流手段により整流された電力を蓄電する電力蓄電手段とを有（し、蓄電に所定の起電力を有する電力蓄電手段に蓄電）すること（（前記電力蓄電手段は、前記電力蓄電手段に蓄電された電力を蓄電に所定の起電力を有する蓄電手段に蓄電する仮蓄電手段であって、仮蓄電手段に蓄電された電力は、所定の起電力になった後に蓄電に所定の起電力を有する蓄電手段に蓄電されること））を特徴とする無燃料蓄電システム又は装置としたことにより解決された。
【００３９】
（  本請求項に記載の無燃料蓄電システム又は装置は、仮蓄電手段に一時的に電磁波を含む各種自然界量のうちの少なくとも２つの各種自然界量を蓄電し、仮蓄電手段に蓄電された電力は、所定の起電力になった後に蓄電に所定の起電力を有する蓄電手段に蓄電するというものである。）
【００４０】
これにより、自然に存在する電磁波を含む各種自然界量のうちの少なくとも２つの各種自然界量を無燃料で蓄電することができる。）
【００４１】
また、上記課題を解決するために、請求項１１に記載の無燃料蓄電システム又は装置は、
無燃料により、電力を蓄電する無燃料蓄電システム又は装置であって、
請求項１０に記載の無燃料蓄電システム又は装置において、
前記電力蓄電手段は、前記電力蓄電手段に蓄電された電力を蓄電に所定の起電力を有する蓄電手段に蓄電する仮蓄電手段であって、前記仮蓄電手段は、蓄電に所定の起電力を有しない、自然に存在する各種自然界量の電圧程度、所定の各種自然界量の電圧程度の起電力、又は前記所定の起電力を有する蓄電手段の起電力より少なくとも小さい起電力を有した仮蓄電手段であって、
前記仮蓄電手段は、
蓄電に所定の起電力を有しない仮（一時）蓄電手段と、
並びに／若しくは、
前記仮（一時）蓄電手段に仮（一時）に（検知）蓄電される電力の電圧を所定の電圧になれば同通を許可する（第１の）所定（検知）電圧付加導通許可手段と、
前記仮（一時）蓄電手段に仮（一時）に蓄電される電力の電圧を所定の電圧になれば同通を許可する第２の所定電圧付加導通許可手段と、
前記仮（一時）蓄電手段に仮（一時）に蓄電された電力を整流する電力整流手段と、
及び／又は、
前記仮（一時）蓄電手段に仮（一時）に蓄電された電力の電圧を所定の電圧になれば同通を許可する第３の所定電圧付加導通許可手段と
から構成され、及び／又は、前記仮（一時）蓄電手段に仮（一時）に（検知）蓄電される電力の電圧を所定の電圧になれば同通を許可する（第１の）所定（検知）電圧付加導通許可手段は、システム又は装置に対して単数又は複数並列に接続されたものであり、及び／又は、複数備えられた場合、一方の導通方向は他方の導通方向と異なる方向に設置されており、
仮蓄電手段に蓄電された電力は、所定の起電力になった後に繰り返し蓄電に所定の起電力を有する蓄電手段に蓄電されること
を特徴とする請求項１０に記載の無燃料蓄電システム又は装置
としたことにより解決された
【００４２】
本請求項に記載の無燃料蓄電システム又は装置は、蓄電に所定の起電力を有しない、自然に存在する電磁波を含む各種自然界量の電圧程度、所定の電磁波を含む各種自然界量の電圧程度の起電力、又は前記蓄電手段の起電力より少なくとも小さい起電力を有した仮蓄電手段に一時的に電磁波を含む各種自然界量を蓄電し、仮蓄電手段に蓄電された電力は、所定の起電力になった後に繰り返し蓄電に所定の起電力を有する蓄電手段に蓄電するというものである。
【００４３】
従って、起電力を有する蓄電手段の起電力より小さな電圧を有する微弱な人工的でない自然に存在する電磁波を含む各種自然界量のうちの少なくとも２つの各種自然界量を無燃料で蓄電することができる。また、電力整流手段を複数備えている為、各種自然界量の乱れを整えることができ、各種自然界量を無駄なく蓄電することができ、蓄電効率が向上する。また、所望の周波数及び／又は電圧を有した各種自然界量を選択的に検知することができるので、所望の周波数及び／又は電圧を有した各種自然界量を選択的に蓄電することができる。尚、充電に所定の起電力を有する蓄電（充電、貯蔵）手段としては、例えば、化学反応を利用した化学電池等の充電池があり、充電に所定の起電力を有しない仮（一時）蓄電手段としては、例えば、コンデンサーがあり、充電に所定の起電力を有せず、所定の電圧以内で放電しない仮（一時）蓄電手段としては、例えば、各種コンデンサーと電力整流手段とを合わせて充電池としたもの、各種コンデンサーと各種コンデンサーを両側から挟んだ電力整流手段とを合わせて充電池としたものがあり、みかけ充電に所定の起電力を有する見かけ蓄電手段（充電に所定の起電力を有する蓄電手段の一種）としては、例えば、各種コンデンサーと各種コンデンサーに対して充電方向側に設置された電力整流手段及び所定電圧付加導通許可手段と、及び／又は、その反対側に設置された電力整流手段及び／又は所定電圧付加導通許可手段とを合わせて充電池としたものがある。
【００４４】
また、上記課題を解決するために、請求項１２に記載の無燃料蓄電システム又は装置は、
無燃料により、電力を蓄電する無燃料蓄電システム又は装置であって、
請求項１１に記載の無燃料蓄電システム又は装置において、
前記仮蓄電手段は、
及び／又は、前記（第１の）所定（検知）電圧付加導通許可手段の導通許可（検知）電圧値を所定の電圧値に自在に調整する（第１の）許可（検知）電圧値自在調整手段を備え、
及び／又は、前記第２の所定電圧付加導通許可手段の導通許可電圧値を所定の電圧値に自在に調整する第２の許可電圧値自在調整手段を備え、
前記蓄電手段の起電力を計測し、計測した起電力に応じて、前記第１、第２、及び／又は第３の所定電圧付加導通許可手段の導通許可電圧値を自在に調整する第３の許可電圧値自在調整手段
を備え、
仮蓄電手段は、前記蓄電手段の起電力を計測し、計測した起電力に応じた容量(及び／又は電圧)に自在に調整され、所定の起電力になると自在に（例えば、容量を小さくし、電圧値を大きくして）前記蓄電手段に電力を供給し、蓄電すること
を特徴とする請求項１１に記載の無燃料蓄電システム又は装置
としたことにより解決された。
【００４５】
本請求項に記載の無燃料蓄電システム又は装置は、仮蓄電手段が起電力を有しない蓄電手段で、自然に存在する人工的でない微弱な電磁波を含む各種自然界量のうちの少なくとも２つの各種自然界量を一時的に仮蓄電し、蓄電手段の起電力を計測し、計測した起電力に応じた容量(及び／又は電圧)に自在に調整され、所定の起電力になると自在に前記蓄電手段に電力を供給するというものである。
【００４６】
従って、仮蓄電手段が蓄電に起電力を有しない蓄電手段である為、自然に存在する人工的でない微弱な電磁波を含む各種自然界量のうちの少なくとも２つの各種自然界量を一時的に仮蓄電でき、蓄電に起電力を有する蓄電手段の起電力を自動的に計測し、所定の起電力になると（電圧調整を行わずとも）自動的に電力を蓄電に起電力を有する蓄電手段に供給することができるので、自然に存在する人工的でない微弱な電磁波を含む各種自然界量のうちの少なくとも２つの各種自然界量を無燃料で蓄電に起電力を有する蓄電手段に蓄電することができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知する電磁波を含む各種自然界量のうちの少なくとも２つの各種自然界量の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を含む各種自然界量のうちの少なくとも２つの各種自然界量を所望の電圧値で蓄電精度を向上させて自動的に蓄電することができ、所望の周波数及び／又は電圧を有した電磁波を含む各種自然界量のうちの少なくとも２つの各種自然界量を選択的に蓄電精度を向上させて自動的に蓄電することができる。
【００４７】
また、上記課題を解決するために、請求項１３に記載の無燃料蓄電システム又は装置は、
無燃料により、電力を蓄電する無燃料蓄電システム又は装置であって、
請求項１１、又は請求項１２に記載の無燃料蓄電システム又は装置において、
前記仮蓄電手段を備え、並びに／若しくは、前記仮蓄電手段に接続された第２の仮（一時）蓄電手段と、前記第２の仮（一時）蓄電手段に接続された前記電力整流手段と、第1の所定電圧付加導通許可手段，第２の所定電圧付加導通許可手段と、及び／又は、第３の所定電圧付加導通許可手段とから構成される第２の仮蓄電手段を単数又は複数備え、前記仮蓄電手段及び第２の仮蓄電手段に単数又は複数回仮蓄電し、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電すること、
及び／又は、仮蓄電手段が単数又は複数繰り返された上記構成において、各要素間から別に分岐して、上記構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、に接続するようにし、電力を供給し、蓄電する、並びに／若しくは、電力を供給すること
を特徴とする請求項１１、又は請求項１２に記載の無燃料蓄電システム又は装置
としたことにより解決された。
【００４８】
これにより、1つ1つの仮蓄電手段の蓄電容量が小さくとも、全体として大電力を無燃料で（電圧調整を行わずとも）自動的に蓄電することができる。
【００４９】
尚、仮蓄電手段が単数又は複数繰り返された構成において、第２の仮（一時）蓄電手段を挟むように設置された、隣り合う第１の所定電圧付加導通許可手段と第１の所定電圧付加導通許可手段よりも蓄電に起電力を有する蓄電手段に近いほうの第２の所定電圧付加導通許可手段の導通許可電圧は、第２の所定電圧付加導通許可手段の導通許可電圧の方が、第１の所定電圧付加導通許可手段の導通許可電圧よりも大きく、小さく、ばらばらに、又は同じように構成してもよい。
【００５０】
また、仮蓄電手段が単数又は複数繰り返された構成において、各要素間から別に分岐して、構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、接続するようにし、電力を供給し、蓄電する、並びに／若しくは、電力を供給するように接続してもよい。
【００５１】
また、上記課題を解決するために、請求項１４に記載の無燃料蓄電システム又は装置は、無燃料により、電力を蓄電する無燃料蓄電システム又は装置であって、請求項１０乃至請求項１３に記載の無燃料蓄電システム又は装置において、各手段間に単数又は複数個所に設置された、電力を増幅する電力増幅手段を有し、前記電力蓄電手段に蓄電される電力は、前記電力増幅手段により増幅された電力であり、及び／又は、前記電力増幅手段は、さらに備えられた請求項１０乃至請求項１３に記載の無燃料蓄電システム又は装置であり、前記電力蓄電手段に蓄電される各種自然界量は、請求項１０乃至請求項１３に記載の無燃料蓄電システム又は装置により増幅された各種自然界量であり、及び／又は、前記電力増幅手段を請求項１０乃至請求項１３に記載の無燃料蓄電システム又は装置とする構成を単数又は複数回繰り返した構成であることを特徴とする請求項１０乃至請求項１３に記載の無燃料蓄電システム又は装置としたことにより解決された。
【００５２】
これにより、自然に存在する電磁波を含む各種自然界量のうちの少なくとも２つの各種自然界量を無燃料で増幅して蓄電することができる。
【００５３】
また、上記課題を解決するために、請求項１５に記載の無燃料蓄電システム又は装置は、無燃料により、電力を蓄電する無燃料蓄電システム又は装置であって、請求項１０乃至請求項１４に記載の無燃料蓄電システム又は装置において、前記各種自然界量検知手段は、水圧センサ、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の各種自然界量に対応した各種の自然界量を検知できるものであり、並びに／若しくは前記各種自然界量検知手段は、少なくとも体自身を構成したものであり、並びに／若しくは、電磁波検知手段である、先端にクリップが装着若しくは非装着されたアンテナ、パラボラアンテナ、コイル状アンテナ、コード、及び／又はコード状のアンテナ、２次コイルを有し、所望の周波数の電磁波を検知できるもの（コイル状アンテナ（1次コイルと2次コイルと及び／又はコンデンサーを備え、所望の周波数の電磁波を検知できるようにしたもの））、金属性等、少なくとも金属性のものから構成されたもの等、電磁波を検知できるもの、並びに／若しくは前記電磁波検知手段は、少なくとも体自身を構成したものであって、前記各種自然界量検知手段は、前述した前記各種自然界量検知手段及び／又は前記電磁波検知手段のうちの少なくとも２つの自然界量検知手段であり、前記電力整流手段は、ダイオード及び／又はトランジスタであり、前記電力蓄電手段は、コンデンサーであるか、並びに／若しくは、コンデンサーと、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、コンデンサーに蓄電された電力が一定の電圧になるのを監視してON/OFFを制御する制御手段又はシステム集積回路を有し、前記制御手段又はシステム集積回路の可動は、前記電磁波蓄電手段に蓄電された電力が使用され（第３の所定電圧付加導通許可手段）ていることを特徴とする請求項１０乃至請求項１４に記載の無燃料蓄電システム又は装置としたことにより解決された。
【００５４】
これにより、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチにより、コンデンサーに蓄電された電圧が一定電圧になるまで自然に存在する微弱な各種自然界量を全て無駄なく蓄電した後、充電池の起電力に応じた一定電圧までコンデンサーに蓄電した後、充電池に電力を充電するので、自然に存在する微弱な各種自然界量も無駄なく全て無燃料で蓄電することができる。
【００５５】
また、上記課題を解決するために、請求項１６に記載の無燃料蓄電システム又は装置は、
無燃料により、電力を蓄電する無燃料蓄電システム又は装置であって、
請求項１５に記載の無燃料蓄電システム又は装置において、
＜第３の所定電圧付加導通許可手段＞
前記電力蓄電手段は、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）であるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）と、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）と充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電力蓄電手段に蓄電された電力が使用され（第３の所定電圧付加導通許可手段）、
＜第２の所定電圧付加導通許可手段＞
及び、又は、
前記電力整流手段と前記仮蓄電手段との間に、又は前記電力整流手段の変わりに、単数又は直列にトランジスタ、レギュレータ、スイッチ、リレースイッチ、アナログスイッチ、コンパレータスイッチ、及び／又はタイマースイッチを介して接続された複数の、（定電圧（ツェナー））ダイオードを備え、
スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電力蓄電手段に蓄電された電力が使用され（第２の所定電圧付加導通許可手段）、
＜第１の所定検知電圧付加導通許可手段，第１の所定電圧付加導通許可手段＞
及び、又は、
前記検知手段と前記整流手段間、及び／又は、前記整流手段の前及び／又は後と前記蓄電手段間、及び／又は、前記仮蓄電手段が複数備えられている場合、前記仮（一時）蓄電手段と次の構成の仮蓄電手段の整流手段から前記蓄電手段（又は回路）に対して平列に備えられた、前及び／又は後ろに整流手段が備えられた、単数又は複数の、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードであるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードと、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）、並びに／若しくは（定電圧（ツェナー））ダイオードと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであって、複数組の場合、一方のコンデンサー、可変容量コンデンサー、及び／又は可変容量コンデンサー（ダイオード）、並びに／若しくは（定電圧（ツェナー））ダイオードは、他方のものと（定電圧（ツェナー））ダイオードの導通方向の向きが逆であり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記電力蓄電手段に蓄電された電力が使用され（第１の所定検知電圧付加導通許可手段，第１の所定電圧付加導通許可手段）る
こと
を特徴とする請求項１５に記載の無燃料蓄電システム又は装置としたことにより解決された。
【００５６】
これにより、電力蓄電手段に蓄電された電力が使用され、無燃料で、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給することができる。
【００５７】
また、上記課題を解決するために、請求項１７に記載の無燃料蓄電システム又は装置は、無燃料により、電力を蓄電する無燃料蓄電システム又は装置であって、請求項１５又は請求項１６に記載の無燃料蓄電システム又は装置において、請求項１４に記載の前記電力増幅手段は、トランジスタ、オペアンプ、及び／又はトランス、並びに／若しくは、前記電力増幅手段は、さらに備えられた請求項１０乃至請求項１５又は請求項１０乃至請求項１６に記載の無燃料蓄電システム又は装置であり、前記電力蓄電手段に蓄電される電力は、請求項１０乃至請求項１５又は請求項１０乃至請求項１６に記載の無燃料蓄電システム又は装置により増幅された電力であり、及び／又は、前記電力増幅手段を請求項１０乃至請求項１５又は請求項１０乃至請求項１６に記載の無燃料蓄電システム又は装置とする構成を単数又は複数回繰り返した構成であることを特徴とする請求項１５又は請求項１６に記載の無燃料蓄電システム又は装置としたことにより解決された。
【００５８】
これにより、どこにでも置いておいたり、身に着けておくだけで、自然に存在する微弱な各種自然界量も無駄なく全て無燃料で増幅して蓄電することができる。
【００５９】
また、上記課題を解決するために、請求項１７に記載の無燃料蓄電システム又は装置は、無燃料により、電力を蓄電する無燃料蓄電システム又は装置であって、請求項１５又は請求項１６に記載の無燃料蓄電システム又は装置において、請求項１４に記載の前記電力増幅手段は、トランジスタ、オペアンプ、及び／又はトランス、並びに／若しくは、前記電力増幅手段は、さらに備えられた請求項１０乃至請求項１５又は請求項１０乃至請求項１６に記載の無燃料蓄電システム又は装置であり、前記電力蓄電手段に蓄電される電力は、請求項１０乃至請求項１５又は請求項１０乃至請求項１６に記載の無燃料蓄電システム又は装置により増幅された電力であり、及び／又は、前記電力増幅手段を請求項１０乃至請求項１５又は請求項１０乃至請求項１６に記載の無燃料蓄電システム又は装置とする構成を単数又は複数回繰り返した構成であることを特徴とする請求項１５又は請求項１６に記載の無燃料蓄電システム又は装置としたことにより解決された。
【００６０】
これにより、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチにより、コンデンサーに蓄電された電圧が一定電圧になるまで自然に存在する微弱な各種自然界量を全て無駄なく増幅して蓄電した後、充電池の起電力に応じた一定電圧までコンデンサーに蓄電した後、充電池に電力を充電するので、自然に存在する微弱な各種自然界量も無駄なく全て無燃料で増幅して蓄電することができる。
【００６１】
また、上記課題を解決するために、請求項１８に記載の無燃料蓄電装置は、無燃料により、電力を蓄電する無燃料蓄電装置であって、請求項１０乃至請求項１７に記載の無燃料蓄電システムにおいて、請求項１０乃至請求項１７に記載の電力整流手段及び電力蓄電手段、又は請求項１４若しくは請求項１７に記載の電力増幅手段を格納する小型又は大型の容器とを有し、請求項１０乃至請求項１７に記載の自然界量検知手段は、前記容器の外部に設置されているか、内部に格納されているか、並びに／若しくは少なくとも容器（体）自身を構成しているか、及び／又は充電池を格納する充電池格納部を有することを特徴とする請求項１０乃至請求項１７に記載の無燃料蓄電装置としたことにより解決された。
【００６２】
これにより、どこにでも置いておいたり、身に着けておくだけで、自然に存在する微弱な電磁波も無駄なく全て無燃料で増幅して蓄電することができる。
【００６３】
また、上記課題を解決するために、請求項１９に記載の無燃料電流増幅装置は、無燃料で電流を増幅する無燃料電流増幅装置であって、請求項１乃至請求項８、若しくは請求項１０乃至請求項１７に記載の無燃料蓄電システム、又は、請求項１乃至請求項９、若しくは請求項１０乃至請求項１８に記載の無燃料蓄電装置において、請求項１乃至請求項８、若しくは請求項１０乃至請求項１７に記載の無燃料蓄電システム、又は、請求項１乃至請求項９、若しくは請求項１０乃至請求項１８に記載の無燃料蓄電装置に蓄電された電力を出力する出力手段を有し、請求項９、若しくは請求項１８に記載の無燃料蓄電装置においては、充電池を格納する充電池格納部を有しないことを特徴とする無燃料電流増幅装置としたことにより解決された。
【００６４】
また、上記課題を解決するために、請求項２０に記載の無燃料電流増幅装置は、無燃料で電流を増幅する無燃料電流増幅装置であって、請求項１９に記載の無燃料電流増幅装置において、請求項１９に記載の出力手段は、プラス端子及びマイナス端子であることを特徴とする無燃料電流増幅装置としたことにより解決された。
【００６５】
これにより（請求項１９又は請求項２０に記載の無燃料電流増幅装置によれば）、無燃料で電流を付加増幅することができる。
【００６６】
また、上記課題を解決するために、請求項２１に記載の微少電流蓄電装置は、微少電流を無燃料で蓄電することができる微少電流蓄電装置であって、電流が入力された電流入力手段と、入力された電流を仮に蓄電する仮蓄電手段と、仮蓄電手段の仮蓄電手段一定電圧監視送出手段により送出された電力を充電池に送出する送出手段としての、プラス及びマイナスに接続されたプラス端子及びマイナス端子と、仮蓄電手段とプラス端子又はマイナス端子の少なくとも一方の端子間に接続された、仮蓄電手段に仮に蓄電された電力が一定電圧になるのを監視し、一定電圧になった後に電力を送出する仮蓄電手段一定電圧監視送出手段と仮蓄電手段一定電圧監視送出手段により送出された電力を出力する出力手段とを有し、微少電流を仮蓄電手段に蓄電した後に、所望の起電力になった後に、所望の起電力を有する充電池に充電するという構成動作を繰り返すことにより、充電池に充電するようにしたことを特徴とする微少電流蓄電装置としたことにより解決された。
【００６７】
これにより、微弱で微少電流を仮蓄電手段に蓄電した後に、所望の起電力になった後に、所望の起電力を有する充電池に充電するという構成動作を繰り返すことにより、充電池に充電するようにしたので、微弱で微少電流を無燃料で蓄電することができる。
【００６８】
また、上記課題を解決するために、請求項２２に記載の微少電流蓄電装置は、
微少電流を無燃料で蓄電することができる微少電流蓄電装置であって、
請求項２１に記載の微少電流蓄電装置において、
前記仮蓄電手段は、前記仮蓄電手段に蓄電された電力を蓄電に所定の起電力を有する蓄電手段に蓄電する仮蓄電手段であって、前記仮蓄電手段は、蓄電に所定の起電力を有しない、自然に存在する電磁波を含む各種自然界量等の微少電流の電圧程度、所定の電磁波を含む各種自然界量等の微少電流の電圧程度の起電力、又は前記所定の起電力を有する蓄電手段の起電力より少なくとも小さい起電力を有した仮蓄電手段であって、
前記仮蓄電手段は、
蓄電に所定の起電力を有しない仮（一時）蓄電手段と、
並びに／若しくは、
前記仮蓄電手段一定電圧監視送出手段である、
前記仮（一時）蓄電手段に仮（一時）に（検知）蓄電される電力の電圧を所定の電圧になれば同通を許可する（第１の）所定（検知）電圧付加導通許可手段と、
前記仮（一時）蓄電手段に仮（一時）に蓄電される電力の電圧を所定の電圧になれば同通を許可する第２の所定電圧付加導通許可手段と、
前記仮（一時）蓄電手段に仮（一時）に蓄電された電力を整流する電力整流手段と、
及び／又は、
前記仮（一時）蓄電手段に仮（一時）に蓄電された電力の電圧を所定の電圧になれば同通を許可する第３の所定電圧付加導通許可手段と
から構成され、及び／又は、前記仮（一時）蓄電手段に仮（一時）に（検知）蓄電される電力の電圧を所定の電圧になれば同通を許可する（第１の）所定（検知）電圧付加導通許可手段は、システム又は装置に対して単数又は複数並列に接続されたものであり、及び／又は、複数備えられた場合、一方の導通方向は他方の導通方向と異なる方向に設置されており、
仮蓄電手段に蓄電された電力は、所定の起電力になった後に繰り返し蓄電に所定の起電力を有する蓄電手段に蓄電されること
を特徴とする請求項２１に記載の微少電流蓄電装置
としたことにより解決された
【００６９】
本請求項に記載の微少電流蓄電装置は、蓄電に所定の起電力を有しない、自然に存在する電磁波を含む各種自然界量等の微少電流の電圧程度、所定の電磁波を含む各種自然界量等の微少電流の電圧程度の起電力、又は前記蓄電手段の起電力より少なくとも小さい起電力を有した仮蓄電手段に一時的に電磁波を含む各種自然界量等の微少電流を蓄電し、仮蓄電手段に蓄電された電力は、所定の起電力になった後に繰り返し蓄電に所定の起電力を有する蓄電手段に蓄電するというものである。
【００７０】
従って、起電力を有する蓄電手段の起電力より小さな電圧を有する微弱な人工的でない自然に存在する電磁波を含む各種自然界量等の微少電流を無燃料で蓄電することができる。また、整流手段を複数備えている為、電磁波を含む各種自然界量等の微少電流の乱れを整えることができ、電磁波を含む各種自然界量等の微少電流を無駄なく蓄電することができ、蓄電効率が向上する。また、所望の周波数及び／又は電圧を有した電磁波を含む各種自然界量等の微少電流を選択的に検知することができるので、所望の周波数及び／又は電圧を有した電磁波を含む各種自然界量等の微少電流を選択的に蓄電することができる。尚、充電に所定の起電力を有する蓄電（充電、貯蔵）手段としては、例えば、化学反応を利用した化学電池等の充電池があり、充電に所定の起電力を有しない仮（一時）蓄電手段としては、例えば、コンデンサーがあり、充電に所定の起電力を有せず、所定の電圧以内で放電しない仮（一時）蓄電手段としては、例えば、各種コンデンサーと整流手段とを合わせて充電池としたもの、各種コンデンサーと各種コンデンサーを両側から挟んだ整流手段とを合わせて充電池としたものがあり、みかけ充電に所定の起電力を有する見かけ蓄電手段（充電に所定の起電力を有する蓄電手段の一種）としては、例えば、各種コンデンサーと各種コンデンサーに対して充電方向側に設置された整流手段及び所定電圧付加導通許可手段と、及び／又は、その反対側に設置された整流手段及び／又は所定電圧付加導通許可手段とを合わせて充電池としたものがある。
【００７１】
また、上記課題を解決するために、請求項２３に記載の微少電流蓄電装置は、
微少電流を無燃料で蓄電することができる微少電流蓄電装置であって、
請求項２２に記載の微少電流蓄電装置において、
前記仮蓄電手段は、
及び／又は、前記（第１の）所定（検知）電圧付加導通許可手段の導通許可（検知）電圧値を所定の電圧値に自在に調整する（第１の）許可（検知）電圧値自在調整手段を備え、
及び／又は、前記第２の所定電圧付加導通許可手段の導通許可電圧値を所定の電圧値に自在に調整する第２の許可電圧値自在調整手段を備え、
前記蓄電手段の起電力を計測し、計測した起電力に応じて、前記第１、第２、及び／又は第３の所定電圧付加導通許可手段の導通許可電圧値を自在に調整する第３の許可電圧値自在調整手段
を備え、
仮蓄電手段は、前記蓄電手段の起電力を計測し、計測した起電力に応じた容量(及び／又は電圧)に自在に調整され、所定の起電力になると自在に（例えば、容量を小さくし、電圧値を大きくして）前記蓄電手段に電力を供給し、蓄電すること
を特徴とする請求項２２に記載の微少電流蓄電装置
としたことにより解決された。
【００７２】
本請求項に記載の微少電流蓄電装置は、仮蓄電手段が起電力を有しない蓄電手段で、自然に存在する人工的でない微弱な電磁波を含む各種自然界量等の微少電流を一時的に仮蓄電し、蓄電手段の起電力を計測し、計測した起電力に応じた容量(及び／又は電圧)に自在に調整され、所定の起電力になると自在に前記蓄電手段に電力を供給するというものである。
【００７３】
従って、仮蓄電手段が蓄電に起電力を有しない蓄電手段である為、自然に存在する人工的でない微弱な電磁波を含む各種自然界量等の微少電流を一時的に仮蓄電でき、蓄電に起電力を有する蓄電手段の起電力を自動的に計測し、所定の起電力になると（電圧調整を行わずとも）自動的に電力を蓄電に起電力を有する蓄電手段に供給することができるので、自然に存在する人工的でない微弱な電磁波を含む各種自然界量等の微少電流を無燃料で蓄電に起電力を有する蓄電手段に蓄電することができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知及び／又は蓄電する電磁波を含む各種自然界量等の微少電流の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を含む各種自然界量等の微少電流を所望の電圧値で蓄電精度を向上させて自動的に蓄電することができ、所望の周波数及び／又は電圧を有した電磁波を含む各種自然界量等の微少電流を選択的に蓄電精度を向上させて自動的に蓄電することができる。
【００７４】
また、上記課題を解決するために、請求項２４に記載の微少電流蓄電装置は、
微少電流を無燃料で蓄電することができる微少電流蓄電装置であって、
請求項２２、又は請求項２３に記載の微少電流蓄電装置において、
前記仮蓄電手段を備え、並びに／若しくは、前記仮蓄電手段に接続された第２の仮（一時）蓄電手段と、前記第２の仮（一時）蓄電手段に接続された前記電力整流手段と、第1の所定電圧付加導通許可手段，第２の所定電圧付加導通許可手段と、及び／又は、第３の所定電圧付加導通許可手段とから構成される第２の仮蓄電手段を単数又は複数備え、前記仮蓄電手段及び第２の仮蓄電手段に単数又は複数回仮蓄電し、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電すること、
及び／又は、仮蓄電手段が単数又は複数繰り返された上記構成において、各要素間から別に分岐して、上記構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、に接続するようにし、電力を供給し、蓄電する、並びに／若しくは、電力を供給すること
を特徴とする請求項２２、又は請求項２３に記載の微少電流蓄電装置
としたことにより解決された。
【００７５】
これにより、1つ1つの仮蓄電手段の蓄電容量が小さくとも、全体として大電力を無燃料で（電圧調整を行わずとも）自動的に蓄電することができる。
【００７６】
尚、仮蓄電手段が単数又は複数繰り返された構成において、第２の仮（一時）蓄電手段を挟むように設置された、隣り合う第１の所定電圧付加導通許可手段と第１の所定電圧付加導通許可手段よりも蓄電に起電力を有する蓄電手段に近いほうの第２の所定電圧付加導通許可手段の導通許可電圧は、第２の所定電圧付加導通許可手段の導通許可電圧の方が、第１の所定電圧付加導通許可手段の導通許可電圧よりも大きく、小さく、ばらばらに、又は同じように構成してもよい。
【００７７】
また、仮蓄電手段が単数又は複数繰り返された構成において、各要素間から別に分岐して、構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、接続するようにし、電力を供給し、蓄電する、並びに／若しくは、電力を供給するように接続してもよい。
【００７８】
また、上記課題を解決するために、請求項２５に記載の微少電流蓄電装置は、微少電流を無燃料で蓄電することができる微少電流蓄電装置であって、請求項２１乃至請求項２４に記載の微少電流蓄電装置において、前記電流入力手段は、電流入力プラス端子及び電流入力マイナス端子であり、前記仮（一時）蓄電手段は、コンデンサーであり、前記仮蓄電手段一定電圧監視送出手段は、前記コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、コンデンサーに蓄電された電力が一定の電圧になるのを監視してON/OFFを制御する制御手段又はシステム集積回路を有し、前記制御手段又はシステム集積回路の可動は、前記電磁波蓄電手段に蓄電された電力が使用され（第３の所定電圧付加導通許可手段）るものであり、前記電力出力手段は、電力出力プラス端子及び電力出力マイナス端子であり、微少電流をコンデンサーに蓄電した後に、所望の起電力になった後に、所望の起電力を有する充電池に充電するという構成動作を繰り返すことにより、充電池に充電するようにしたことを特徴とする微少電流蓄電装置としたことにより解決された。
【００７９】
これにより（請求項２１又は請求項２５に記載の微少電流蓄電装置によれば）、微弱で微少電流を仮蓄電手段に蓄電した後に、所望の起電力になった後に、所望の起電力を有する充電池に充電するという構成動作を繰り返すことにより、充電池に充電するようにしたので、微弱で微少電流を無燃料で蓄電することができる。
【００８０】
また、上記課題を解決するために、請求項２６に記載の微少電流蓄電装置は、
微少電流を無燃料で蓄電することができる微少電流蓄電装置であって、
請求項２５に記載の微少電流蓄電装置において、
＜第３の所定電圧付加導通許可手段＞
前記仮蓄電手段は、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）であるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）と、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）と充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記仮蓄電手段に蓄電された電力が使用され（第３の所定電圧付加導通許可手段）、
＜第２の所定電圧付加導通許可手段＞
及び、又は、
前記仮蓄電手段の前に前記整流手段が備えられている場合、前記整流手段と前記仮蓄電手段との間に、又は前記整流手段の変わりに、単数又は直列にトランジスタ、レギュレータ、スイッチ、リレースイッチ、アナログスイッチ、コンパレータスイッチ、及び／又はタイマースイッチを介して接続された複数の、（定電圧（ツェナー））ダイオードを備え、
スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記仮蓄電手段に蓄電された電力が使用され（第２の所定電圧付加導通許可手段）、
＜第１の所定検知電圧付加導通許可手段，第１の所定電圧付加導通許可手段＞
及び、又は、
前記仮蓄電手段の前に前記整流手段が備えられている場合、前記整流手段の前及び／又は後と前記蓄電手段間、及び／又は、前記仮蓄電手段が複数備えられている場合、前記仮（一時）蓄電手段と次の構成の仮蓄電手段の整流手段から前記蓄電手段（又は回路）に対して平列に備えられた、前及び／又は後ろに整流手段が備えられた、単数又は複数の、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードであるか、並びに／若しくは、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー、及び／又は可変容量コンデンサー（ダイオード）、並びに／若しくは（定電圧（ツェナー））ダイオードと、単数又は直列にトランジスタ、レギュレータ、スイッチ、リレースイッチ、アナログスイッチ、コンパレータスイッチ、及び／又はタイマースイッチを介して接続された複数の、コンデンサー、可変容量コンデンサー及び／又は可変容量コンデンサー（ダイオード）、並びに／若しくは（定電圧（ツェナー））ダイオードと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチであって、複数組の場合、一方のコンデンサー、可変容量コンデンサー、及び／又は可変容量コンデンサー（ダイオード）、並びに／若しくは（定電圧（ツェナー））ダイオードは、他方のものと（定電圧（ツェナー））ダイオードの導通方向の向きが逆であり、スイッチの場合、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給する制御手段又はシステム集積回路を有し、前記制御手段又はシステム集積回路の可動は、前記仮蓄電手段に蓄電された電力が使用され（第１の所定検知電圧付加導通許可手段，第１の所定電圧付加導通許可手段）る
こと
を特徴とする請求項２５に記載の微少電流蓄電装置
としたことにより解決された。
【００８１】
これにより、仮蓄電手段に蓄電された電力が使用され、無燃料で、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給することができる。
【００８２】
また、上記課題を解決するために、請求項２７に記載の無燃料蓄電素子、無燃料電流増幅装置、又は微少電流蓄電素子は、
請求項１乃至請求項６又は請求項８、若しくは、請求項１０乃至請求項１５又は請求項１７に記載の無燃料蓄電システム、又は、請求項１乃至請求項９、若しくは請求項１０乃至請求項１８に記載の無燃料蓄電装置、又は、請求項１９乃至請求項２０に記載の無燃料電流増幅装置、又は、請求項２１乃至請求項２５に記載の微少電流蓄電装置を素子化したものであって、
（１）
基板上に絶縁膜が形成され、絶縁膜上にダイオード、定電圧ダイオード（ツェナーダイオード）、コンデンサーが其々形成されており、
第１のダイオード、第１の定電圧ダイオード（ツェナーダイオード）、コンデンサー間は絶縁膜により覆われており、
第１のダイオードは、ｐ型半導体膜をｎ型半導体膜が覆うように形成されており、ｎ型半導体膜は絶縁膜により覆われており、
第１の定電圧ダイオード（ツェナーダイオード）は、ｐ型半導体膜をｎ型半導体膜が覆うように形成されており、ｎ型半導体膜は絶縁膜により覆われており、
コンデンサーは、プラス電極を覆うように誘電膜（又は絶縁膜、真空層、空気層、若しくはガス層）が形成され、誘電膜（又は絶縁膜、真空層、空気層、若しくはガス層）を覆うようにマイナス電極が形成されており、
第１のダイオードのｎ型半導体膜とコンデンサーのマイナス電極とは第１のダイオードのｎ型半導体膜とコンデンサーのマイナス電極との間に形成された絶縁膜により絶縁され、第１のダイオードのｎ型半導体膜の表面上とコンデンサーのマイナス電極の表面上とを繋ぐように、第１のダイオードのｎ型半導体膜の表面上、絶縁膜の表面上、コンデンサーのマイナス電極の表面上に導電膜が形成されており、
第１のダイオードのｐ型半導体膜と第１の定電圧ダイオード（ツェナーダイオード）のｎ型半導体膜とは、第１のダイオードのｎ型半導体膜と第１の定電圧ダイオード（ツェナーダイオード）のｐ型半導体膜との間に形成された絶縁膜により絶縁され、第１のダイオードのｎ型半導体膜の表面上と第１の定電圧ダイオード（ツェナーダイオード）のｐ型半導体膜の表面上とを繋ぐように、第１のダイオードのｎ型半導体膜の表面上、絶縁膜の表面上、第１の定電圧ダイオード（ツェナーダイオード）のｐ型半導体膜の表面上に導電膜が形成されており、
第１の定電圧ダイオード（ツェナーダイオード）のｐ型半導体膜の表面には、第１の端子が形成されており、
第１のダイオードのｐ型半導体膜上には、電磁波検知手段及び／又は各種自然界量検知手段が形成されており、
コンデンサーのプラス電極上には、第２の端子、第３の端子が形成されており、
上記のように形成された、第１のダイオード、第１の定電圧ダイオード（ツェナーダイオード）、コンデンサー上には絶縁膜が形成され、被覆されている
ことを特徴とするか、若しくは、
（２）
（１）において、
さらに、第２のダイオードが絶縁膜を挟んでコンデンサーが形成されており、
第２のダイオードは、ｐ型半導体膜をｎ型半導体膜が覆うように形成されており、ｎ型半導体膜は絶縁膜により覆われており、
第２のダイオードのｐ型半導体膜とコンデンサーのマイナス電極とは第２のダイオードのｐ型半導体膜とコンデンサーのマイナス電極との間に形成された絶縁膜により絶縁され、第２のダイオードのｐ型半導体膜の表面上とコンデンサーのマイナス電極の表面上とを繋ぐように、第２のダイオードのｐ型半導体膜の表面上、絶縁膜の表面上、コンデンサーのマイナス電極の表面上に導電膜が形成されており、
第２のダイオードのｎ型半導体膜上には、第４の端子が形成されており、
コンデンサーのプラス電極上の第３の端子は削除されており、
上記のように形成された、第１のダイオード、第２のダイオード、第１の定電圧ダイオード（ツェナーダイオード）、コンデンサー上には絶縁膜が形成され、被覆されている
ことを特徴とするか、若しくは、
（３）
（２）において、
第２のダイオードの代わりに、第２の定電圧ダイオード（ツェナーダイオード）が形成されており、
第２の定電圧ダイオード（ツェナーダイオード）は、ｐ型半導体膜をｎ型半導体膜が覆うように形成されており、ｎ型半導体膜は絶縁膜により覆われており、
第２の定電圧ダイオード（ツェナーダイオード）のｐ型半導体膜とコンデンサーのマイナス電極とは第２の定電圧ダイオード（ツェナーダイオード）のｐ型半導体膜とコンデンサーのマイナス電極との間に形成された絶縁膜により絶縁され、第２の定電圧ダイオード（ツェナーダイオード）のｐ型半導体膜の表面上とコンデンサーのマイナス電極の表面上とを繋ぐように、第２の定電圧ダイオード（ツェナーダイオード）のｐ型半導体膜の表面上、絶縁膜の表面上、コンデンサーのマイナス電極の表面上に導電膜が形成されており、
第２の定電圧ダイオード（ツェナーダイオード）のｎ型半導体膜上には、第４の端子が形成されており、
コンデンサーのプラス電極上の第３の端子は削除されており、
上記のように形成された、第１のダイオード、第１の定電圧ダイオード（ツェナーダイオード）、第１の定電圧ダイオード（ツェナーダイオード）、コンデンサー上には絶縁膜が形成され、被覆されている
ことを特徴とするか、若しくは、
（４）
（３）において、
第２のダイオードが形成されており、
第２のダイオードは、ｐ型半導体膜をｎ型半導体膜が覆うように形成されており、ｎ型半導体膜は絶縁膜により覆われており、
第２のダイオードのｐ型半導体膜とコンデンサーのマイナス電極とは第２のダイオードのｐ型半導体膜とコンデンサーのマイナス電極との間に形成された絶縁膜により絶縁され、第２のダイオードのｐ型半導体膜の表面上とコンデンサーのマイナス電極の表面上とを繋ぐように、第２のダイオードのｐ型半導体膜の表面上、絶縁膜の表面上、コンデンサーのマイナス電極の表面上に導電膜が形成されており、
第２のダイオードのｎ型半導体膜上には、第４の端子が形成されており、コンデンサーのプラス電極上の第３の端子は削除されており、
上記のように形成された、第１のダイオード、第２のダイオード、第１の定電圧ダイオード（ツェナーダイオード）、第２の定電圧ダイオード（ツェナーダイオード）、コンデンサー上には絶縁膜が形成され、被覆されている
ことを特徴とし、
上術した（１）から（４）の構成を単数又は複数繰り返して構成したものである
ことを特徴とする無燃料蓄電素子、無燃料電力増幅素子、電流増幅素子、及び／又は、
前記無燃料蓄電素子、前記無燃料電力増幅素子、前記電流増幅素子が、接続用の端子が２本及び／又は必要な本数分(複数繰り返した構成に対応する増加分)伸び出た、上面が半月の筒状の、若しくは立方体のプラスチック製の容器、又はプラスチック製のフラットパッケージ容器に格納されている
ことを特徴とする無燃料蓄電素子、無燃料電力増幅素子、電流増幅素子、
又は、
上記した無燃料蓄電素子、無燃料電力増幅素子、電流増幅素子において、さらに、第１のダイオードには、ｐ型半導体膜上に第５の端子が形成されている
ことを特徴とする微少電流蓄電素子、及び／又は、
前記微少電流蓄電素子が、接続用の端子が４本伸び出た、上面が半月の筒状の、若しくは立方体のプラスチック製の及び／又は第１の定電圧ダイオード（ツェナーダイオード）のｐ型半導体膜の表面には、導電膜（導線）が形成されており、導電膜（導線）に接続された、金属性等、少なくとも金属性のものから構成されたもの等、電磁波を検知できるものである電磁波検知手段及び／又は各種自然界量検知手段から少なくとも構成された容器、又はプラスチック製の及び／又は第１の定電圧ダイオード（ツェナーダイオード）のｐ型半導体膜の表面には、導電膜（導線）が形成されており、導電膜（導線）に接続された、金属性等、少なくとも金属性のものから構成されたもの等、電磁波を検知できるものである電磁波検知手段及び／又は各種自然界量検知手段から少なくとも構成されたフラットパッケージ容器に格納されている
ことを特徴とする微少電流蓄電素子
としたことにより解決された。
【００８３】
これにより、請求項１乃至請求項６又は請求項８、若しくは、請求項１０乃至請求項１５又は請求項１７に記載の無燃料蓄電システム、又は、請求項１乃至請求項９、若しくは請求項１０乃至請求項１８に記載の無燃料蓄電装置、又は、請求項１９乃至請求項２０に記載の無燃料電流増幅装置、又は、請求項２１乃至請求項２５に記載の微少電流蓄電装置と同様の作用、効果を、さらに高速に、かつ、さらに電流の無駄をなくして蓄電、増幅、微少電流を蓄電することができる。また、容器を及び／又は第１の定電圧ダイオード（ツェナーダイオード）のｐ型半導体膜の表面には、導電膜（導線）が形成されており、導電膜（導線）に接続された、金属性等、少なくとも金属性のものから構成されたもの等、電磁波を検知できるものである電磁波検知手段及び／又は各種自然界量検知手段から少なくとも構成したものとすることにより、さらに無駄な電磁波を蓄電することができる。
【００８４】
また、上記課題を解決するために、請求項２８に記載の無燃料蓄電素子、無燃料電流増幅装置、又は微少電流蓄電素子は、
請求項１乃至請求項８、若しくは、請求項１０乃至請求項１７に記載の無燃料蓄電システム、又は、請求項１乃至請求項９、若しくは請求項１０乃至請求項１８に記載の無燃料蓄電装置、又は、請求項１９乃至請求項２０に記載の無燃料電流増幅装置、又は、請求項２１乃至請求項２６に記載の微少電流蓄電装置を素子化したものであって、
請求項２７に記載の無燃料蓄電素子、無燃料電力増幅素子、電流増幅素子、又は微少電流蓄電素子において、
＜第３の所定電圧付加導通許可手段＞
コンデンサーを可変容量コンデンサー（ダイオード）とトランジスタとを交互に複数形成し、其々のトランジスタは、さらに他のトランジスタに接続されており、他のトランジスタ間も接続された構成としたものであって、前記可変容量コンデンサー（ダイオード）と前記トランジスタ間には、絶縁膜が形成されており、前記他のトランジスタ間も絶縁膜が形成されており、
前記可変容量コンデンサー（ダイオード）は、p型半導体膜を覆うようにn型半導体膜が形成されており、p型半導体膜とn型半導体膜との間に空乏層が形成されており（又は形成され）、ｐ型半導体膜により第１のｎ型半導体膜表面と第２のｎ型半導体膜表面とを有しており、
前記トランジスタ及び前記他のトランジスタは、第１のn型半導体膜及び第２のn型半導体膜を覆うようにｐ型半導体膜が形成されており、ｐ型半導体膜表面は、第１のn型半導体膜表面との間に形成された第１のｐ型半導体膜表面、第２のn型半導体膜表面との間に形成された第２のｐ型半導体膜表面、第１のn型半導体膜表面と第２のn型半導体膜表面との間に形成された第３のｐ型半導体膜表面とを有しており、
前記可変容量コンデンサー（ダイオード）のp型半導体膜上と第１のn型半導体膜上には端子が形成されており、前記トランジスタ及び前記他のトランジスタのｐ型半導体膜上には端子が形成されており、
前記可変容量コンデンサー（ダイオード）のp型半導体膜とn型半導体膜との間に形成された又は形成される空乏層上には絶縁膜が形成されており、前記トランジスタ及び前記他のトランジスタのｐ型半導体膜上には絶縁膜が形成されており、
前記可変容量コンデンサー（ダイオード）のｐ型半導体膜と前記トランジスタの第１のｎ型半導体膜との間には、前記トランジスタの第１のｐ型半導体膜表面上に形成された絶縁膜を覆うように、導電膜が形成され接続されており、
前記トランジスタの第２のｎ型半導体膜と、前記トランジスタに対して前記可変容量コンデンサー（ダイオード）の反対側に形成された他の可変容量コンデンサー（ダイオード）の第１のｎ型半導体膜との間には導電膜が形成され接続されており、
前記トランジスタの第１のｎ型半導体膜と前記他のトランジスタの第１のｎ型半導体膜との間には、導電膜が形成されて接続されており、
前記他のトランジスタの第２のｎ型半導体膜と隣り合う前記他のトランジスタの第１のｎ型半導体膜との間には、前記他のトランジスタの第１のｐ型半導体膜表面上に形成された絶縁膜を覆うように、導電膜が形成され接続されており、
以上の構成を複数回繰り返し、最後のトランジスタ及び最後の他のトランジスタの第２のｎ型半導体膜は、前記最後のトランジスタ及び前記最後の他のトランジスタのｐ型半導体膜上に形成された絶縁膜を覆うように、導電膜が形成され接続されており、さらに、他の要素との間に導電膜が形成され接続されており、請求項２７に記載の（４）の場合、最初の前記可変容量コンデンサー（ダイオード）のp型半導体膜は、他の要素との間に導電膜が形成され接続されていること、
＜第２の所定電圧付加導通許可手段＞
及び／又は、
第２の定電圧ダイオード（ツェナーダイオード）を第２の定電圧ダイオード（ツェナーダイオード）とトランジスタとを交互に複数形成した構成としたものであって、上述した第３の所定電圧付加導通許可手段において、前記可変容量コンデンサー（ダイオード）を第２の定電圧ダイオード（ツェナーダイオード）に置き換えた構成としたものであること、
＜第１の所定検知電圧付加導通許可手段，第１の所定電圧付加導通許可手段＞
上述した第３の所定電圧付加導通許可手段の前及び／又は後に、整流手段を備えた第１の所定検知電圧付加導通許可手段，第１の所定電圧付加導通許可手段を、前記第１のダイオードの前に、及び／又は前記第１のダイオードとコンデンサーとの間に、並びに／若しくは、請求項２７の（１）から（４）の構成を単数又は複数繰り返して構成したものである場合、コンデンサーと次の請求項２７の（１）から（４）の構成の第１のダイオードとの間に、素子全体に対して並列に単数又は複数接続した構成としたものであって、複数組の場合、一方の組のダイオードの導通方向の向きに対して他方の組のダイオードの導通方向の向きが逆向きに構成されていること
を特徴とした無燃料蓄電素子、無燃料電力増幅素子、電流増幅素子、又は微少電流蓄電素子としたことにより解決された。
【００８５】
これにより、コンデンサー間の電圧が所定（一定）電圧になってから充電池への充電の切り替えを自動的に行うことができるので、微少電流でも無燃料で蓄電することができる。また、充電池に応じた起電力で（電圧調整を行わずとも）自動的に充電を行うことができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電精度を向上させて自動的に蓄電することができる。
【００８６】
また、上記課題を解決するために、請求項２９に記載の無燃料可動電子機器若しくは機器は、無燃料で可動する無燃料可動電子機器若しくは機器であって、請求項１乃至請求項８、若しくは、請求項１０乃至請求項１７に記載の無燃料蓄電システム、又は、請求項１乃至請求項９、若しくは請求項１０乃至請求項１８に記載の無燃料蓄電装置、又は、請求項１９乃至請求項２０に記載の無燃料電流増幅装置、又は、請求項２１乃至請求項２６に記載の微少電流蓄電装置、又は、請求項２７乃至請求項２８に記載の無燃料蓄電素子、又は、請求項２７乃至請求項２８に記載の無燃料電流増幅素子、又は、請求項２７乃至請求項２８に記載の微少電流蓄電素子を、電子機器若しくは機器の内部又は外部に備え、当該電子機器若しくは機器の電源手段を蓄電に起電力を有する蓄電手段に変え、前記蓄電手段に接続されていること、又は、当該電子機器若しくは機器の電源手段が交流波電源入力の場合は、及び／又は、蓄電に起電力を有する蓄電手段を備え、さらに、所定の周波数に変換された交流波に変換する交流波変換手段を備え、交流波変換手段により変換された交流波が入力されるように接続されていることを特徴とする無燃料可動電子機器若しくは機器としたことにより解決された。
【００８７】
これにより、無燃料で電子機器若しくは機器を可動できると共に、可動中に発生する無駄な電磁波若しくは各種自然界量、又は自然に存在する電磁波若しくは各種自然界量を無燃料で無駄なく全て蓄電することができる。また、無燃料蓄電システム又は装置、無燃料電流増幅装置、微少電流蓄電装置、無燃料蓄電素子、無燃料電流増幅素子、微少電流蓄電素子を搭載前の電子機器若しくは機器の動作と同等に安定して動作させることができる。
【００８８】
【発明の効果】
【００８９】
請求項１に記載の無燃料蓄電システム又は装置によれば、微弱で人工的でない自然に存在する電磁波を無燃料で蓄電（貯蔵）することができる。
【００９０】
請求項２に記載の無燃料蓄電システム又は装置によれば、起電力を有する蓄電手段の起電力より小さな電圧を有する微弱な人工的でない自然に存在する電磁波を無燃料で蓄電することができる。また、電磁波整流手段を複数備えている為、電磁波の乱れを整えることができ、電磁波を無駄なく蓄電することができ、蓄電効率が向上する。また、所望の周波数及び／又は電圧を有した電磁波を選択的に検知することができるので、所望の周波数及び／又は電圧を有した電磁波を選択的に蓄電することができる。
【００９１】
請求項３に記載の無燃料蓄電システム又は装置によれば、仮蓄電手段が蓄電に起電力を有しない蓄電手段である為、自然に存在する人工的でない微弱な電磁波を一時的に仮蓄電でき、蓄電に起電力を有する蓄電手段の起電力を自動的に計測し、所定の起電力になると（電圧調整を行わずとも）自動的に電力を蓄電に起電力を有する蓄電手段に供給することができるので、自然に存在する人工的でない微弱な電磁波を無燃料で蓄電に起電力を有する蓄電手段に蓄電することができると共に、蓄電精度を向上することができる。また、また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電精度を向上させて自動的に蓄電することができ、所望の周波数及び／又は電圧を有した電磁波を選択的に蓄電精度を向上させて自動的に蓄電することができる。
【００９２】
また、請求項４に記載の無燃料蓄電システム又は装置によれば、1つ1つの仮蓄電手段の蓄電容量が小さくとも、全体として大電力を無燃料で（電圧調整を行わずとも）自動的に蓄電することができる。
【００９３】
また、請求項５に記載の無燃料蓄電システム又は装置によれば、自然に存在する電磁波を無燃料で増幅して蓄電することができる。
【００９４】
また、請求項６に記載の無燃料蓄電システム又は装置によれば、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチにより、コンデンサーに蓄電された電圧が一定電圧になるまで自然に存在する微弱な電磁波を全て無駄なく蓄電した後、充電池の起電力に応じた一定電圧までコンデンサーに蓄電した後、充電池に電力を充電するので、自然に存在する微弱な電磁波も無駄なく全て無燃料で蓄電することができる。
【００９５】
また、請求項７に記載の無燃料蓄電システム又は装置によれば、電磁波蓄電手段に蓄電された電力が使用され、無燃料で、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給することができる。
【００９６】
また、請求項８に記載の無燃料蓄電システム又は装置によれば、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチにより、コンデンサーに蓄電された電圧が一定電圧になるまで自然に存在する微弱な電磁波を全て無駄なく増幅して蓄電した後、充電池の起電力に応じた一定電圧までコンデンサーに蓄電した後、充電池に電力を充電するので、自然に存在する微弱な電磁波も無駄なく全て無燃料で増幅して蓄電することができる。
【００９７】
また、請求項９に記載の無燃料蓄電装置によれば、どこにでも置いておいたり、身に着けておくだけで、自然に存在する微弱な電磁波も無駄なく全て無燃料で増幅して蓄電することができる。
【００９８】
また、請求項１０に記載の無燃料蓄電システム又は装置によれば、自然に存在する電磁波を含む各種自然界量のうちの少なくとも２つの各種自然界量を無燃料で蓄電することができる。
【００９９】
また、請求項１１に記載の無燃料蓄電システム又は装置によれば、起電力を有する蓄電手段の起電力より小さな電圧を有する微弱な人工的でない自然に存在する電磁波を含む各種自然界量のうちの少なくとも２つの各種自然界量を無燃料で蓄電することができる。また、電力整流手段を複数備えている為、各種自然界量の乱れを整えることができ、各種自然界量を無駄なく蓄電することができ、蓄電効率が向上する。また、所望の周波数及び／又は電圧を有した各種自然界量を選択的に検知することができるので、所望の周波数及び／又は電圧を有した各種自然界量を選択的に蓄電することができる。
【０１００】
また、請求項１２に記載の無燃料蓄電システム又は装置によれば、仮蓄電手段が蓄電に起電力を有しない蓄電手段である為、自然に存在する人工的でない微弱な電磁波を含む各種自然界量のうちの少なくとも２つの各種自然界量を一時的に仮蓄電でき、蓄電に起電力を有する蓄電手段の起電力を自動的に計測し、所定の起電力になると（電圧調整を行わずとも）自動的に電力を蓄電に起電力を有する蓄電手段に供給することができるので、自然に存在する人工的でない微弱な電磁波を含む各種自然界量のうちの少なくとも２つの各種自然界量を無燃料で蓄電に起電力を有する蓄電手段に蓄電することができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知する電磁波を含む各種自然界量のうちの少なくとも２つの各種自然界量の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を含む各種自然界量のうちの少なくとも２つの各種自然界量を所望の電圧値で蓄電精度を向上させて自動的に蓄電することができ、所望の周波数及び／又は電圧を有した電磁波を含む各種自然界量のうちの少なくとも２つの各種自然界量を選択的に蓄電精度を向上させて自動的に蓄電することができる。
【０１０１】
また、請求項１３に記載の無燃料蓄電システム又は装置によれば、1つ1つの仮蓄電手段の蓄電容量が小さくとも、全体として大電力を無燃料で（電圧調整を行わずとも）自動的に蓄電することができる。
【０１０２】
また、請求項１４に記載の無燃料蓄電システム又は装置によれば、自然に存在する電磁波を含む各種自然界量のうちの少なくとも２つの各種自然界量を無燃料で増幅して蓄電することができる。
【０１０３】
また、請求項１５に記載の無燃料蓄電システム又は装置によれば、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチにより、コンデンサーに蓄電された電圧が一定電圧になるまで自然に存在する微弱な各種自然界量を全て無駄なく蓄電した後、充電池の起電力に応じた一定電圧までコンデンサーに蓄電した後、充電池に電力を充電するので、自然に存在する微弱な各種自然界量も無駄なく全て無燃料で蓄電することができる。
【０１０４】
また、請求項１６に記載の無燃料蓄電システム又は装置によれば、電力蓄電手段に蓄電された電力が使用され、無燃料で、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給することができる。
【０１０５】
また、請求項１７に記載の無燃料蓄電システム又は装置によれば、どこにでも置いておいたり、身に着けておくだけで、自然に存在する微弱な各種自然界量も無駄なく全て無燃料で増幅して蓄電することができる。
【０１０６】
また、請求項１７に記載の無燃料蓄電システム又は装置によれば、コンデンサーと充電池間に設置された定電圧ダイオード（ツェナーダイオード）、トランジスタ、レギュレータ、スイッチ、リレースイッチ、アナログスイッチ、コンパレータスイッチ、及び／又はタイマースイッチにより、コンデンサーに蓄電された電圧が一定電圧になるまで自然に存在する微弱な各種自然界量を全て無駄なく増幅して蓄電した後、充電池の起電力に応じた一定電圧までコンデンサーに蓄電した後、充電池に電力を充電するので、自然に存在する微弱な各種自然界量も無駄なく全て無燃料で増幅して蓄電することができる。
【０１０７】
また、請求項１８に記載の無燃料蓄電装置によれば、どこにでも置いておいたり、身に着けておくだけで、自然に存在する微弱な電磁波も無駄なく全て無燃料で増幅して蓄電することができる。
【０１０８】
また、請求項１９又は請求項２０に記載の無燃料電流増幅装置によれば、無燃料で電流を付加増幅することができる。
【０１０９】
また、請求項２１又は請求項２５に記載の微少電流蓄電装置によれば、微弱で微少電流を仮蓄電手段に蓄電した後に、所望の起電力になった後に、所望の起電力を有する充電池に充電するという構成動作を繰り返すことにより、充電池に充電するようにしたので、微弱で微少電流を無燃料で蓄電することができる。
【０１１０】
また、請求項２２に記載の微少電流蓄電装置によれば、起電力を有する蓄電手段の起電力より小さな電圧を有する微弱な人工的でない自然に存在する電磁波を含む各種自然界量等の微少電流を無燃料で蓄電することができる。また、整流手段を複数備えている為、電磁波を含む各種自然界量等の微少電流の乱れを整えることができ、電磁波を含む各種自然界量等の微少電流を無駄なく蓄電することができ、蓄電効率が向上する。また、所望の周波数及び／又は電圧を有した電磁波を含む各種自然界量等の微少電流を選択的に検知することができるので、所望の周波数及び／又は電圧を有した電磁波を含む各種自然界量等の微少電流を選択的に蓄電することができる。
【０１１１】
また、請求項２３に記載の微少電流蓄電装置によれば、仮蓄電手段が蓄電に起電力を有しない蓄電手段である為、自然に存在する人工的でない微弱な電磁波を含む各種自然界量等の微少電流を一時的に仮蓄電でき、蓄電に起電力を有する蓄電手段の起電力を自動的に計測し、所定の起電力になると（電圧調整を行わずとも）自動的に電力を蓄電に起電力を有する蓄電手段に供給することができるので、自然に存在する人工的でない微弱な電磁波を含む各種自然界量等の微少電流を無燃料で蓄電に起電力を有する蓄電手段に蓄電することができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知及び／又は蓄電する電磁波を含む各種自然界量等の微少電流の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を含む各種自然界量等の微少電流を所望の電圧値で蓄電精度を向上させて自動的に蓄電することができ、所望の周波数及び／又は電圧を有した電磁波を含む各種自然界量等の微少電流を選択的に蓄電精度を向上させて自動的に蓄電することができる。
【０１１２】
また、請求項２４に記載の微少電流蓄電装置によれば、1つ1つの仮蓄電手段の蓄電容量が小さくとも、全体として大電力を無燃料で（電圧調整を行わずとも）自動的に蓄電することができる。
【０１１３】
また、請求項２６に記載の微少電流蓄電装置によれば、仮蓄電手段に蓄電された電力が使用され、無燃料で、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）の合計容量を切り替え、コンデンサーに蓄電された電力が一定の電圧になるのを監視してON/OFFを制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、前（定電圧（ツェナー））ダイオードの合計容量を切り替え、（定電圧（ツェナー））ダイオードの合計容量を制御し、及び／又はON後、可変コンデンサーの容量を変動（例えば、小さく）して電圧を変動（例えば、大きく）して電力供給することができ、並びに／若しくは、初期動作時若しくは任意の動作時、初期設定値又は設定値入力手段による設定情報に基づいて、及び／又は、蓄電手段の起電力を計測し、計測した起電力に応じて、接続間のスイッチを切り替え、及び／又は可変容量コンデンサー、及び／又は可変容量コンデンサー（ダイオード）の場合、可変容量コンデンサー、及び／又は可変容量コンデンサー（ダイオード）に電力を供給し容量を設定し、前記コンデンサー、可変容量コンデンサー、及び／又は可変容量コンデンサー（ダイオード）、並びに／若しくは（定電圧（ツェナー））ダイオードの合計容量を切り替え、所望の導通許可電圧値幅（上限値及び／又は下限値）を制御し、及び／又はON後、可変コンデンサーの容量を変動（例えば、小さく）して電圧を変動（例えば、大きく）して電力供給することができる。
【０１１４】
また、請求項２７に記載の無燃料蓄電素子、無燃料電流増幅装置、又は微少電流蓄電素子によれば、請求項１乃至請求項６又は請求項８、若しくは、請求項１０乃至請求項１５又は請求項１７に記載の無燃料蓄電システム、又は、請求項１乃至請求項９、若しくは請求項１０乃至請求項１８に記載の無燃料蓄電装置、又は、請求項１９乃至請求項２０に記載の無燃料電流増幅装置、又は、請求項２１乃至請求項２５に記載の微少電流蓄電装置と同様の作用、効果を、さらに高速に、かつ、さらに電流の無駄をなくして蓄電、増幅、微少電流を蓄電することができる。また、容器自身を、金属性等、少なくとも金属性のものから構成されたもの等、電磁波を検知できるものである電磁波検知手段及び／又は各種自然界量検知手段から少なくとも構成したものとすることにより、さらに無駄な電磁波を蓄電することができる。
【０１１５】
また、請求項２８に記載の無燃料蓄電素子、無燃料電流増幅装置、又は微少電流蓄電素子によれば、コンデンサー間の電圧が所定（一定）電圧になってから充電池への充電の切り替えを自動的に行うことができるので、微少電流でも無燃料で蓄電することができる。また、充電池に応じた起電力で（電圧調整を行わずとも）自動的に充電を行うことができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電精度を向上させて自動的に蓄電することができる。
【０１１６】
また、請求項２９に記載の無燃料可動電子機器若しくは機器によれば、無燃料で電子機器若しくは機器を可動できると共に、可動中に発生する無駄な電磁波若しくは各種自然界量、又は自然に存在する電磁波若しくは各種自然界量を無燃料で無駄なく全て蓄電することができる。また、無燃料蓄電システム又は装置、無燃料電流増幅装置、微少電流蓄電装置、無燃料蓄電素子、無燃料電流増幅素子、少電流蓄電素子を搭載前の電子機器若しくは機器の動作と同等に安定して動作させることができる。
【０１１７】
したがって、本発明により、自然に存在する電磁波を無燃料で蓄電することができる無燃料蓄電システム及び装置（素子）並びに方法、無燃料で電流を増幅することができる無燃料電流増幅装置（素子）及び無燃料電流増幅方法、微少電流を蓄電することができる微少電流蓄電装置（素子）及び方法、並びに無燃料で可動することができる無燃料可動電子機器若しくは機器及び方法を提供することができた。
【発明を実施するための最良の形態】
【０１１８】
本発明の実施の形態について、図１−１，図１−３を用いて詳細に説明する。
【０１１９】
本発明の実施の形態の図１−１（１），図１−３（１）の無燃料蓄電システム又は装置は、図１−１（１），図１−３（１）に示すように、
無燃料により、電力を蓄電（貯蔵）する無燃料蓄電（貯蔵）システム又は装置であって、
自然に存在する電磁波を検知する電磁波検知手段と、
電磁波検知手段により検知された電磁波を整流する電磁波整流手段と、
電磁波整流手段により整流された電磁波を蓄電する電磁波蓄電（貯蔵）手段と
を有（し、
蓄電（貯蔵）に所定の起電力を有する蓄電（貯蔵）手段に蓄電（貯蔵））
することを特徴とする無燃料蓄電（貯蔵）システム又は装置である。
【０１２０】
本発明の実施の形態の無燃料蓄電（貯蔵）システム又は装置は、自然に存在する電磁波、即ち微弱な非人工的な電磁波を無燃料で蓄電（貯蔵）するというものである。
【０１２１】
尚、自然に存在する電磁波とは、微弱であり、人工的でない電磁波のことを示し、蓄電とは、一時的蓄電、例えば、蓄電に所定の起電力を有しない手段（例えば、コンデンサー）に蓄電された状態は含んでおらず、所定の起電力を有する蓄電手段に蓄電（貯蔵）された状態を示している。
【０１２２】
従って、本発明の実施の形態によれば、微弱で人工的でない自然に存在する電磁波を無燃料で蓄電（貯蔵）することができる。
【０１２３】
（  本発明の実施の形態の図１−１（１），図１−３（１）の無燃料蓄電システム又は装置は、図１−１（１），図１−３（１）に示すように、
無燃料により、電力を蓄電（貯蔵）する無燃料蓄電（貯蔵）システム又は装置であって、
自然に存在する電磁波を検知する電磁波検知手段と、
電磁波検知手段により検知された電磁波を整流する電磁波整流手段と、
電磁波整流手段により整流された電磁波を蓄電する電磁波蓄電（貯蔵）手段と
を有（し、
蓄電（貯蔵）に所定の起電力を有する蓄電（貯蔵）手段に蓄電（貯蔵））
すること
（（前記電磁波蓄電手段は、前記電磁波蓄電手段に蓄電された電力を蓄電に所定の起電力を有する蓄電手段に蓄電する仮蓄電手段であって、
仮蓄電手段に蓄電された電力は、所定の起電力になった後に蓄電に所定の起電力を有する蓄電手段に蓄電されるという構成動作を単数又は複数回繰り返し蓄電に所定の起電力を有する蓄電手段に蓄電されること））
を特徴とする無燃料蓄電（貯蔵）システム又は装置である。
【０１２４】
本発明の実施の形態の無燃料蓄電（貯蔵）システム又は装置は、自然に存在する電磁波、即ち微弱な非人工的な電磁波を無燃料で蓄電（貯蔵）するというものである。
【０１２５】
尚、自然に存在する電磁波とは、微弱であり、人工的でない電磁波のことを示し、蓄電とは、一時的蓄電、例えば、蓄電に所定の起電力を有しない手段（例えば、コンデンサー）に蓄電された状態は含んでおらず、所定の起電力を有する蓄電手段に蓄電（貯蔵）された状態を示している。
【０１２６】
（  また、本発明の実施の形態の無燃料蓄電システム又は装置は、仮蓄電手段に一時的に電磁波を蓄電し、仮蓄電手段に蓄電された電力は、所定の起電力になった後に蓄電に所定の起電力を有する蓄電手段に蓄電するという構成動作を単数又は複数回繰り返し蓄電に所定の起電力を有する蓄電手段に蓄電するというものである。）
【０１２７】
従って、本発明の実施の形態によれば、微弱で人工的でない自然に存在する電磁波を無燃料で蓄電（貯蔵）することができる。）
【０１２８】
本発明の実施の形態の図１−１（２），図１−３（２）の無燃料蓄電システム又は装置は、図１−１（２），図１−３（２）に示すように、
無燃料により、電力を蓄電する無燃料蓄電システム又は装置であって、
図１−１（１），図１−３（１）に示す無燃料蓄電システム又は装置において、
前記電磁波蓄電手段は、前記電磁波蓄電手段に蓄電された電力を蓄電に所定の起電力を有する蓄電手段に蓄電する仮蓄電手段であって、前記仮蓄電手段は、蓄電に所定の起電力を有しない、自然に存在する電磁波の電圧程度、所定の電磁波の電圧程度の起電力、又は前記所定の起電力を有する蓄電手段の起電力より少なくとも小さい起電力を有した仮蓄電手段であって、
前記仮蓄電手段は、
蓄電に所定の起電力を有しない仮（一時）蓄電手段と、
並びに／若しくは、
前記仮（一時）蓄電手段に仮（一時）に（検知）蓄電される電力の電圧を所定の電圧になれば同通を許可する（第１の）所定（検知）電圧付加導通許可手段と、
前記仮（一時）蓄電手段に仮（一時）に蓄電される電力の電圧を所定の電圧になれば同通を許可する第２の所定電圧付加導通許可手段と、
前記仮（一時）蓄電手段に仮（一時）に蓄電された電力を整流する電力整流手段と、
及び／又は、
前記仮（一時）蓄電手段に仮（一時）に蓄電された電力の電圧を所定の電圧になれば同通を許可する第３の所定電圧付加導通許可手段と
から構成され、及び／又は、前記仮（一時）蓄電手段に仮（一時）に（検知）蓄電される電力の電圧を所定の電圧になれば同通を許可する（第１の）所定（検知）電圧付加導通許可手段は、システム又は装置に対して単数又は複数並列に接続されたものであり、及び／又は、複数備えられた場合、一方の導通方向は他方の導通方向と異なる方向に設置されており、
仮蓄電手段に蓄電された電力は、所定の起電力になった後に蓄電に所定の起電力を有する蓄電手段に蓄電されるという構成動作を単数又は複数回繰り返し蓄電に所定の起電力を有する蓄電手段に蓄電されること
を特徴とする無燃料蓄電システム又は装置である。
【０１２９】
本発明の実施の形態の無燃料蓄電システム又は装置は、蓄電に所定の起電力を有しない、自然に存在する電磁波の電圧程度、所定の電磁波の電圧程度の起電力、又は前記蓄電手段の起電力より少なくとも小さい起電力を有した仮蓄電手段に一時的に電磁波を蓄電し、仮蓄電手段に蓄電された電力は、所定の起電力になった後に蓄電に所定の起電力を有する蓄電手段に蓄電するという構成動作を単数又は複数回繰り返し蓄電に所定の起電力を有する蓄電手段に蓄電するというものである。
【０１３０】
従って、起電力を有する蓄電手段の起電力より小さな電圧を有する微弱な人工的でない自然に存在する電磁波を無燃料で蓄電することができる。また、電磁波整流手段を複数備えている為、電磁波の乱れを整えることができ、電磁波を無駄なく蓄電することができ、蓄電効率が向上する。また、所望の周波数及び／又は電圧を有した電磁波を選択的に検知することができるので、所望の周波数及び／又は電圧を有した電磁波を選択的に蓄電することができる。尚、充電に所定の起電力を有する蓄電（充電、貯蔵）手段としては、例えば、化学反応を利用した化学電池等の充電池があり、充電に所定の起電力を有しない仮（一時）蓄電手段としては、例えば、コンデンサーがあり、充電に所定の起電力を有せず、所定の電圧以内で放電しない仮（一時）蓄電手段としては、例えば、各種コンデンサーと電磁波整流手段とを合わせて充電池としたもの、各種コンデンサーと各種コンデンサーを両側から挟んだ電磁波整流手段とを合わせて充電池としたものがあり、みかけ充電に所定の起電力を有する見かけ蓄電手段（充電に所定の起電力を有する蓄電手段の一種）としては、例えば、各種コンデンサーと各種コンデンサーに対して充電方向側に設置された電磁波整流手段及び所定電圧付加導通許可手段と、及び／又は、その反対側に設置された電磁波整流手段及び／又は所定電圧付加導通許可手段とを合わせて充電池としたものがある。
【０１３１】
本発明の実施の形態の図１−１（３），図１−３（３）の無燃料蓄電システム又は装置は、図１−１（３），図１−３（３）に示すように、
無燃料により、電力を蓄電する無燃料蓄電システム又は装置であって、
図１−１（２），図１−３（２）に示す無燃料蓄電システム又は装置において、
前記仮蓄電手段は、
及び／又は、前記（第１の）所定（検知）電圧付加導通許可手段の導通許可（検知）電圧値を所定の電圧値に自在に調整する（第１の）許可（検知）電圧値自在調整手段を備え、
及び／又は、前記第２の所定電圧付加導通許可手段の導通許可電圧値を所定の電圧値に自在に調整する第２の許可電圧値自在調整手段を備え、
前記蓄電手段の起電力を計測し、計測した起電力に応じて、前記第１、第２、及び／又は第３の所定電圧付加導通許可手段の導通許可電圧値を自在に調整する第３の許可電圧値自在調整手段
を備え、
仮蓄電手段は、前記蓄電手段の起電力を計測し、計測した起電力に応じた容量(及び／又は電圧)に自在に調整され、所定の起電力になると自在に（例えば、容量を小さくし、電圧値を大きくして）前記蓄電手段に電力を供給し、蓄電すること
を特徴とする無燃料蓄電システム又は装置である。
【０１３２】
本発明の実施の形態の無燃料蓄電システム又は装置は、仮蓄電手段が起電力を有しない蓄電手段で、自然に存在する人工的でない微弱な電磁波を一時的に仮蓄電し、蓄電手段の起電力を計測し、計測した起電力に応じた容量(及び／又は電圧)に自在に調整され、所定の起電力になると自在に前記蓄電手段に電力を供給するというものである。
【０１３３】
従って、仮蓄電手段が蓄電に起電力を有しない蓄電手段である為、自然に存在する人工的でない微弱な電磁波を一時的に仮蓄電でき、蓄電に起電力を有する蓄電手段の起電力を自動的に計測し、所定の起電力になると（電圧調整を行わずとも）自動的に電力を蓄電に起電力を有する蓄電手段に供給することができるので、自然に存在する人工的でない微弱な電磁波を無燃料で蓄電に起電力を有する蓄電手段に蓄電することができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電精度を向上させて自動的に蓄電することができ、所望の周波数及び／又は電圧を有した電磁波を選択的に蓄電精度を向上させて自動的に蓄電することができる。
【０１３４】
本発明の実施の形態の図１−１（４），図１−３（４）の無燃料蓄電システム又は装置は、図１−１（４），図１−３（４）に示すように、
無燃料により、電力を蓄電する無燃料蓄電システム又は装置であって、
図１−１（２），図１−３（２）、又は図１−１（３），図１−３（３）に示す無燃料蓄電システム又は装置において、
前記仮蓄電手段を備え、並びに／若しくは、前記仮蓄電手段に接続された第２の仮（一時）蓄電手段と、前記第２の仮（一時）蓄電手段に接続された前記電力整流手段と、第1の所定電圧付加導通許可手段，第２の所定電圧付加導通許可手段と、及び／又は、第３の所定電圧付加導通許可手段とから構成される第２の仮蓄電手段を単数又は複数備え、前記仮蓄電手段及び第２の仮蓄電手段に単数又は複数回仮蓄電し、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電すること（図１−１（４−（２）），図１−１（４−（３））、図１−３（４−（２）），図１−３（４−（３））参照）、
及び／又は、仮蓄電手段が単数又は複数繰り返された上記構成において、各要素間から別に分岐して、上記構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、に接続するようにし、電力を供給し、蓄電する、並びに／若しくは、電力を供給すること（図１−１（４−（２）’），図１−１（４−（３）’）、図１−３（４−（２）’），図１−３（４−（３）’）参照）
を特徴とする無燃料蓄電システム又は装置である。
【０１３５】
以下において、整流手段と記載されているものは、整流手段及び／又は所定電圧付加導通許可手段のことを意味する。例えば、ダイオードは、整流手段の一例であり、定電圧ダイオードは、整流手段及び所定電圧付加導通許可手段の一例である。
【０１３６】
これにより、1つ1つの仮蓄電手段の蓄電容量が小さくとも、全体として大電力を無燃料で（電圧調整を行わずとも）自動的に蓄電することができる。
【０１３７】
尚、仮蓄電手段が単数又は複数繰り返された構成において、第２の仮（一時）蓄電手段を挟むように設置された、隣り合う第１の所定電圧付加導通許可手段と第１の所定電圧付加導通許可手段よりも蓄電に起電力を有する蓄電手段に近いほうの第２の所定電圧付加導通許可手段の導通許可電圧は、第２の所定電圧付加導通許可手段の導通許可電圧の方が、第１の所定電圧付加導通許可手段の導通許可電圧よりも大きく、小さく、ばらばらに、又は同じように構成してもよい。
【０１３８】
また、仮蓄電手段が単数又は複数繰り返された構成において、各要素間から別に分岐して、構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、接続するようにし、電力を供給し、蓄電する、並びに／若しくは、電力を供給するように接続してもよい。
【０１３９】
即ち、以上の図１−１における説明を簡潔に要約すると、次のようになる。（図１−１（１））電磁波検知手段により自然に存在する電磁波が検知され、電磁波整流手段により検知された電磁波が整流され、電磁波蓄電（貯蔵）手段により整流された電磁波が蓄電（貯蔵）される。（図１−１（２））蓄電手段は、蓄電に所定の起電力を有しない、自然に存在する電磁波の電圧程度、所定の電磁波の電圧程度の起電力、又は蓄電に所定の起電力を有する蓄電手段の起電力より少なくとも小さい起電力を有した仮蓄電手段であり、仮蓄電手段に蓄電された電力は、所定の起電力になった後に所定の起電力を有する蓄電手段に蓄電されるという構成動作を単数又は複数回繰り返し蓄電に所定の起電力を有する蓄電手段に蓄電される。（図１−１（３））仮蓄電手段は、蓄電に起電力を有する蓄電手段の起電力を計測し、計測した起電力に応じた容量に自在に調整され、所定の起電力になると自在に（例えば、容量を小さくし、電圧値を大きくして）蓄電に起電力を有する蓄電手段に電力を供給し、蓄電する。（図１−１（４））仮蓄電手段を単数又は複数備え、仮蓄電手段に単数又は複数回仮蓄電し、蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電する。
【０１４０】
本発明の実施の形態について、図１−２，図１−３を用いて詳細に説明する。
【０１４１】
本発明の実施の形態の図１−２（１），図１−３（１）の無燃料蓄電システム又は装置は、図１−２（１），図１−３（１）に示すように、
無燃料により、電力を蓄電（貯蔵）する無燃料蓄電（貯蔵）システム又は装置であって、
電磁波を含む各種自然界量のうちの少なくとも２つの各種自然界量から各種自然界量を検知する各種自然界量検知手段と、
各種自然界量検知手段により検知された各種自然界量を電力に変換する電力変換手段と、
電力変換手段により変換された電力を整流する電力整流手段と、
電力整流手段により整流された電力を蓄電する電力蓄電手段と
を有することを特徴とする無燃料蓄電システム又は装置である。
【０１４２】
これにより、自然に存在する電磁波を含む各種自然界量のうちの少なくとも２つの各種自然界量を無燃料で蓄電することができる。
【０１４３】
（  本発明の実施の形態の図１−２（１），図１−３（１）の無燃料蓄電システム又は装置は、図１−２（１），図１−３（１）に示すように、
無燃料により、電力を蓄電（貯蔵）する無燃料蓄電（貯蔵）システム又は装置であって、
電磁波を含む各種自然界量のうちの少なくとも２つの各種自然界量から各種自然界量を検知する各種自然界量検知手段と、
各種自然界量検知手段により検知された各種自然界量を電力に変換する電力変換手段と、
電力変換手段により変換された電力を整流する電力整流手段と、
電力整流手段により整流された電力を蓄電（貯蔵）する電力蓄電（貯蔵）手段と
を有（し、
蓄電（貯蔵）に所定の起電力を有する電力蓄電（貯蔵）手段に蓄電（貯蔵））
すること
（（前記電力蓄電手段は、前記電力蓄電手段に蓄電された電力を蓄電に所定の起電力を有する蓄電手段に蓄電する仮蓄電手段であって、
仮蓄電手段に蓄電された電力は、所定の起電力になった後に蓄電に所定の起電力を有する蓄電手段に蓄電するという構成動作を単数又は複数回繰り返し蓄電に所定の起電力を有する蓄電手段に蓄電されること））
を特徴とする無燃料蓄電（貯蔵）システム又は装置である。
【０１４４】
（  本発明の実施の形態の無燃料蓄電システム又は装置は、仮蓄電手段に一時的に電磁波を含む各種自然界量のうちの少なくとも２つの各種自然界量を蓄電し、仮蓄電手段に蓄電された電力は、所定の起電力になった後に蓄電に所定の起電力を有する蓄電手段に蓄電するという構成動作を単数又は複数回繰り返し蓄電に所定の起電力を有する蓄電手段に蓄電するというものである。）
【０１４５】
これにより、自然に存在する電磁波を含む各種自然界量のうちの少なくとも２つの各種自然界量を無燃料で蓄電することができる。）
【０１４６】
本発明の実施の形態の図１−２（２），図１−３（２）の無燃料蓄電システム又は装置は、図１−２（２），図１−３（２）に示すように、
無燃料により、電力を蓄電する無燃料蓄電システム又は装置であって、
図１−２（１），図１−３（１）に示す無燃料蓄電システム又は装置において、
前記電力蓄電手段は、前記電力蓄電手段に蓄電された電力を蓄電に所定の起電力を有する蓄電手段に蓄電する仮蓄電手段であって、前記仮蓄電手段は、蓄電に所定の起電力を有しない、自然に存在する各種自然界量の電圧程度、所定の各種自然界量の電圧程度の起電力、又は前記所定の起電力を有する蓄電手段の起電力より少なくとも小さい起電力を有した仮蓄電手段であって、
前記仮蓄電手段は、
蓄電に所定の起電力を有しない仮（一時）蓄電手段と、
並びに／若しくは、
前記仮（一時）蓄電手段に仮（一時）に（検知）蓄電される電力の電圧を所定の電圧になれば同通を許可する（第１の）所定（検知）電圧付加導通許可手段と、
前記仮（一時）蓄電手段に仮（一時）に蓄電される電力の電圧を所定の電圧になれば同通を許可する第２の所定電圧付加導通許可手段と、
前記仮（一時）蓄電手段に仮（一時）に蓄電された電力を整流する電力整流手段と、
及び／又は、
前記仮（一時）蓄電手段に仮（一時）に蓄電された電力の電圧を所定の電圧になれば同通を許可する第３の所定電圧付加導通許可手段と
から構成され、及び／又は、前記仮（一時）蓄電手段に仮（一時）に（検知）蓄電される電力の電圧を所定の電圧になれば同通を許可する（第１の）所定（検知）電圧付加導通許可手段は、システム又は装置に対して単数又は複数並列に接続されたものであり、及び／又は、複数備えられた場合、一方の導通方向は他方の導通方向と異なる方向に設置されており、
仮蓄電手段に蓄電された電力は、所定の起電力になった後に蓄電に所定の起電力を有する蓄電手段に蓄電されるという構成動作を単数又は複数回繰り返し蓄電に所定の起電力を有する蓄電手段に蓄電されること
を特徴とする無燃料蓄電システム又は装置である。
【０１４７】
本発明の実施の形態の無燃料蓄電システム又は装置は、蓄電に所定の起電力を有しない、自然に存在する電磁波を含む各種自然界量の電圧程度、所定の電磁波を含む各種自然界量の電圧程度の起電力、又は前記蓄電手段の起電力より少なくとも小さい起電力を有した仮蓄電手段に一時的に電磁波を含む各種自然界量を蓄電し、仮蓄電手段に蓄電された電力は、所定の起電力になった後に蓄電に所定の起電力を有する蓄電手段に蓄電するという構成動作を単数又は複数回繰り返し蓄電に所定の起電力を有する蓄電手段に蓄電するというものである。
【０１４８】
従って、起電力を有する蓄電手段の起電力より小さな電圧を有する微弱な人工的でない自然に存在する電磁波を含む各種自然界量のうちの少なくとも２つの各種自然界量を無燃料で蓄電することができる。また、電力整流手段を複数備えている為、各種自然界量の乱れを整えることができ、各種自然界量を無駄なく蓄電することができ、蓄電効率が向上する。また、所望の周波数及び／又は電圧を有した各種自然界量を選択的に検知することができるので、所望の周波数及び／又は電圧を有した各種自然界量を選択的に蓄電することができる。尚、充電に所定の起電力を有する蓄電（充電、貯蔵）手段としては、例えば、化学反応を利用した化学電池等の充電池があり、充電に所定の起電力を有しない仮（一時）蓄電手段としては、例えば、コンデンサーがあり、充電に所定の起電力を有せず、所定の電圧以内で放電しない仮（一時）蓄電手段としては、例えば、各種コンデンサーと電力整流手段とを合わせて充電池としたもの、各種コンデンサーと各種コンデンサーを両側から挟んだ電力整流手段とを合わせて充電池としたものがあり、みかけ充電に所定の起電力を有する見かけ蓄電手段（充電に所定の起電力を有する蓄電手段の一種）としては、例えば、各種コンデンサーと各種コンデンサーに対して充電方向側に設置された電力整流手段及び所定電圧付加導通許可手段と、及び／又は、その反対側に設置された電力整流手段及び／又は所定電圧付加導通許可手段とを合わせて充電池としたものがある。
【０１４９】
本発明の実施の形態の図１−２（３），図１−３（３）の無燃料蓄電システム又は装置は、図１−２（３），図１−３（３）に示すように、
無燃料により、電力を蓄電する無燃料蓄電システム又は装置であって、
図１−２（２），図１−３（２）に示す無燃料蓄電システム又は装置において、
前記仮蓄電手段は、
及び／又は、前記（第１の）所定（検知）電圧付加導通許可手段の導通許可（検知）電圧値を所定の電圧値に自在に調整する（第１の）許可（検知）電圧値自在調整手段を備え、
及び／又は、前記第２の所定電圧付加導通許可手段の導通許可電圧値を所定の電圧値に自在に調整する第２の許可電圧値自在調整手段を備え、
前記蓄電手段の起電力を計測し、計測した起電力に応じて、前記第１、第２、及び／又は第３の所定電圧付加導通許可手段の導通許可電圧値を自在に調整する第３の許可電圧値自在調整手段
を備え、
仮蓄電手段は、前記蓄電手段の起電力を計測し、計測した起電力に応じた容量(及び／又は電圧)に自在に調整され、所定の起電力になると自在に（例えば、容量を小さくし、電圧値を大きくして）前記蓄電手段に電力を供給し、蓄電すること
を特徴とする無燃料蓄電システム又は装置である。
【０１５０】
本発明の実施の形態の無燃料蓄電システム又は装置は、仮蓄電手段が起電力を有しない蓄電手段で、自然に存在する人工的でない微弱な電磁波を含む各種自然界量のうちの少なくとも２つの各種自然界量を一時的に仮蓄電し、蓄電手段の起電力を計測し、計測した起電力に応じた容量(及び／又は電圧)に自在に調整され、所定の起電力になると自在に前記蓄電手段に電力を供給するというものである。
【０１５１】
従って、仮蓄電手段が蓄電に起電力を有しない蓄電手段である為、自然に存在する人工的でない微弱な電磁波を含む各種自然界量のうちの少なくとも２つの各種自然界量を一時的に仮蓄電でき、蓄電に起電力を有する蓄電手段の起電力を自動的に計測し、所定の起電力になると（電圧調整を行わずとも）自動的に電力を蓄電に起電力を有する蓄電手段に供給することができるので、自然に存在する人工的でない微弱な電磁波を含む各種自然界量のうちの少なくとも２つの各種自然界量を無燃料で蓄電に起電力を有する蓄電手段に蓄電することができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知する電磁波を含む各種自然界量のうちの少なくとも２つの各種自然界量の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を含む各種自然界量のうちの少なくとも２つの各種自然界量を所望の電圧値で蓄電精度を向上させて自動的に蓄電することができ、所望の周波数及び／又は電圧を有した電磁波を含む各種自然界量のうちの少なくとも２つの各種自然界量を選択的に蓄電精度を向上させて自動的に蓄電することができる。
【０１５２】
本発明の実施の形態の図１−２（４），図１−３（４）の無燃料蓄電システム又は装置は、図１−２（４），図１−３（４）に示すように、
無燃料により、電力を蓄電する無燃料蓄電システム又は装置であって、
図１−２（２），図１−３（２）、又は図１−２（３），図１−３（３）に示す無燃料蓄電システム又は装置において、
前記仮蓄電手段を備え、並びに／若しくは、前記仮蓄電手段に接続された第２の仮（一時）蓄電手段と、前記第２の仮（一時）蓄電手段に接続された前記電力整流手段と、第1の所定電圧付加導通許可手段，第２の所定電圧付加導通許可手段と、及び／又は、第３の所定電圧付加導通許可手段とから構成される第２の仮蓄電手段を単数又は複数備え、前記仮蓄電手段及び第２の仮蓄電手段に単数又は複数回仮蓄電し、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電すること（図１−２（４−（２）），図１−２（４−（３））、図１−３（４−（２）），図１−３（４−（３））参照）、
及び／又は、仮蓄電手段が単数又は複数繰り返された上記構成において、各要素間から別に分岐して、上記構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、に接続するようにし、電力を供給し、蓄電する、並びに／若しくは、電力を供給すること（図１−２（４−（２）’），図１−２（４−（３）’）、図１−３（４−（２）’），図１−３（４−（３）’）参照）
を特徴とする無燃料蓄電システム又は装置である。
【０１５３】
以下において、整流手段と記載されているものは、整流手段及び／又は所定電圧付加導通許可手段のことを意味する。例えば、ダイオードは、整流手段の一例であり、定電圧ダイオードは、整流手段及び所定電圧付加導通許可手段の一例である。
【０１５４】
これにより、1つ1つの仮蓄電手段の蓄電容量が小さくとも、全体として大電力を無燃料で（電圧調整を行わずとも）自動的に蓄電することができる。
【０１５５】
尚、仮蓄電手段が単数又は複数繰り返された構成において、第２の仮（一時）蓄電手段を挟むように設置された、隣り合う第１の所定電圧付加導通許可手段と第１の所定電圧付加導通許可手段よりも蓄電に起電力を有する蓄電手段に近いほうの第２の所定電圧付加導通許可手段の導通許可電圧は、第２の所定電圧付加導通許可手段の導通許可電圧の方が、第１の所定電圧付加導通許可手段の導通許可電圧よりも大きく、小さく、ばらばらに、又は同じように構成してもよい。
【０１５６】
また、仮蓄電手段が単数又は複数繰り返された構成において、各要素間から別に分岐して、構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、接続するようにし、電力を供給し、蓄電する、並びに／若しくは、電力を供給するように接続してもよい。
【０１５７】
本発明の実施の形態について、図１−４を用いて詳細に説明する。
【０１５８】
本発明の実施の形態の図１−４（１），１−４（２）の無燃料蓄電システム又は装置微少電流蓄電装置は、図１−４（１），１−４（２）に示すように、
微少電流を無燃料で蓄電することができる微少電流蓄電装置であって、
電流が入力された電流入力手段と、
入力された電流を仮に蓄電する仮蓄電手段と、
仮蓄電手段の仮蓄電手段一定電圧監視送出手段により送出された電力を充電池に送出する送出手段としての、プラス及びマイナスに接続されたプラス端子及びマイナス端子と、
仮蓄電手段とプラス端子又はマイナス端子の少なくとも一方の端子間に接続された、仮蓄電手段に仮に蓄電された電力が一定電圧になるのを監視し、一定電圧になった後に電力を送出する仮蓄電手段一定電圧監視送出手段と
仮蓄電手段一定電圧監視送出手段により送出された電力を出力する出力手段と
を有し、
微少電流を仮蓄電手段に蓄電した後に、所望の起電力になった後に、所望の起電力を有する充電池に充電するという構成動作を単数又は複数回繰り返すことにより、充電池に充電するようにしたことを特徴とする微少電流蓄電装置である。
【０１５９】
これにより、微弱で微少電流を仮蓄電手段に蓄電した後に、所望の起電力になった後に、所望の起電力を有する充電池に充電するという構成動作を単数又は複数回繰り返すことにより、充電池に充電するようにしたので、微弱で微少電流を無燃料で蓄電することができる。
【０１６０】
本発明の実施の形態の図１−４（２）の微少電流蓄電装置は、図１−４（２）に示すように、
微少電流を無燃料で蓄電することができる微少電流蓄電装置であって、
図１−４（１）に示す微少電流蓄電装置において、
前記仮蓄電手段は、前記仮蓄電手段に蓄電された電力を蓄電に所定の起電力を有する蓄電手段に蓄電する仮蓄電手段であって、前記仮蓄電手段は、蓄電に所定の起電力を有しない、自然に存在する電磁波を含む各種自然界量等の微少電流の電圧程度、所定の電磁波を含む各種自然界量等の微少電流の電圧程度の起電力、又は前記所定の起電力を有する蓄電手段の起電力より少なくとも小さい起電力を有した仮蓄電手段であって、
前記仮蓄電手段は、
蓄電に所定の起電力を有しない仮（一時）蓄電手段と、
並びに／若しくは、
前記仮蓄電手段一定電圧監視送出手段である、
前記仮（一時）蓄電手段に仮（一時）に（検知）蓄電される電力の電圧を所定の電圧になれば同通を許可する（第１の）所定（検知）電圧付加導通許可手段と、
前記仮（一時）蓄電手段に仮（一時）に蓄電される電力の電圧を所定の電圧になれば同通を許可する第２の所定電圧付加導通許可手段と、
前記仮（一時）蓄電手段に仮（一時）に蓄電された電力を整流する電力整流手段と、
及び／又は、
前記仮（一時）蓄電手段に仮（一時）に蓄電された電力の電圧を所定の電圧になれば同通を許可する第３の所定電圧付加導通許可手段と
から構成され、及び／又は、前記仮（一時）蓄電手段に仮（一時）に（検知）蓄電される電力の電圧を所定の電圧になれば同通を許可する（第１の）所定（検知）電圧付加導通許可手段は、システム又は装置に対して単数又は複数並列に接続されたものであり、及び／又は、複数備えられた場合、一方の導通方向は他方の導通方向と異なる方向に設置されており、
仮蓄電手段に蓄電された電力は、所定の起電力になった後に蓄電に所定の起電力を有する蓄電手段に蓄電されるという構成動作を単数又は複数回繰り返し蓄電に所定の起電力を有する蓄電手段に蓄電されること
を特徴とする微少電流蓄電装置である。
【０１６１】
本発明の実施の形態の微少電流蓄電装置は、蓄電に所定の起電力を有しない、自然に存在する電磁波を含む各種自然界量等の微少電流の電圧程度、所定の電磁波を含む各種自然界量等の微少電流の電圧程度の起電力、又は前記蓄電手段の起電力より少なくとも小さい起電力を有した仮蓄電手段に一時的に電磁波を含む各種自然界量等の微少電流を蓄電し、仮蓄電手段に蓄電された電力は、所定の起電力になった後に蓄電に所定の起電力を有する蓄電手段に蓄電されるという構成動作を単数又は複数回繰り返し蓄電に所定の起電力を有する蓄電手段に蓄電するというものである。
【０１６２】
従って、起電力を有する蓄電手段の起電力より小さな電圧を有する微弱な人工的でない自然に存在する電磁波を含む各種自然界量等の微少電流を無燃料で蓄電することができる。また、整流手段を複数備えている為、電磁波を含む各種自然界量等の微少電流の乱れを整えることができ、電磁波を含む各種自然界量等の微少電流を無駄なく蓄電することができ、蓄電効率が向上する。また、所望の周波数及び／又は電圧を有した電磁波を含む各種自然界量等の微少電流を選択的に検知することができるので、所望の周波数及び／又は電圧を有した電磁波を含む各種自然界量等の微少電流を選択的に蓄電することができる。尚、充電に所定の起電力を有する蓄電（充電、貯蔵）手段としては、例えば、化学反応を利用した化学電池等の充電池があり、充電に所定の起電力を有しない仮（一時）蓄電手段としては、例えば、コンデンサーがあり、充電に所定の起電力を有せず、所定の電圧以内で放電しない仮（一時）蓄電手段としては、例えば、各種コンデンサーと整流手段とを合わせて充電池としたもの、各種コンデンサーと各種コンデンサーを両側から挟んだ整流手段とを合わせて充電池としたものがあり、みかけ充電に所定の起電力を有する見かけ蓄電手段（充電に所定の起電力を有する蓄電手段の一種）としては、例えば、各種コンデンサーと各種コンデンサーに対して充電方向側に設置された整流手段及び所定電圧付加導通許可手段と、及び／又は、その反対側に設置された整流手段及び／又は所定電圧付加導通許可手段とを合わせて充電池としたものがある。
【０１６３】
本発明の実施の形態の図１−４（３）の微少電流蓄電装置は、図１−４（３）に示すように、
微少電流を無燃料で蓄電することができる微少電流蓄電装置であって、
図１−４（２）に示す微少電流蓄電装置において、
前記仮蓄電手段は、
及び／又は、前記（第１の）所定（検知）電圧付加導通許可手段の導通許可（検知）電圧値を所定の電圧値に自在に調整する（第１の）許可（検知）電圧値自在調整手段を備え、
及び／又は、前記第２の所定電圧付加導通許可手段の導通許可電圧値を所定の電圧値に自在に調整する第２の許可電圧値自在調整手段を備え、
前記蓄電手段の起電力を計測し、計測した起電力に応じて、前記第１、第２、及び／又は第３の所定電圧付加導通許可手段の導通許可電圧値を自在に調整する第３の許可電圧値自在調整手段
を備え、
仮蓄電手段は、前記蓄電手段の起電力を計測し、計測した起電力に応じた容量(及び／又は電圧)に自在に調整され、所定の起電力になると自在に（例えば、容量を小さくし、電圧値を大きくして）前記蓄電手段に電力を供給し、蓄電すること
を特徴とする微少電流蓄電装置である。
【０１６４】
本発明の実施の形態の微少電流蓄電装置は、仮蓄電手段が起電力を有しない蓄電手段で、自然に存在する人工的でない微弱な電磁波を含む各種自然界量等の微少電流を一時的に仮蓄電し、蓄電手段の起電力を計測し、計測した起電力に応じた容量(及び／又は電圧)に自在に調整され、所定の起電力になると自在に前記蓄電手段に電力を供給するというものである。
【０１６５】
従って、仮蓄電手段が蓄電に起電力を有しない蓄電手段である為、自然に存在する人工的でない微弱な電磁波を含む各種自然界量等の微少電流を一時的に仮蓄電でき、蓄電に起電力を有する蓄電手段の起電力を自動的に計測し、所定の起電力になると（電圧調整を行わずとも）自動的に電力を蓄電に起電力を有する蓄電手段に供給することができるので、自然に存在する人工的でない微弱な電磁波を含む各種自然界量等の微少電流を無燃料で蓄電に起電力を有する蓄電手段に蓄電することができると共に、蓄電精度を向上することができる。また、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、第１の所定検知電圧付加導通許可手段，第１の所定電圧付加導通許可手段、第２の所定電圧付加導通許可手段の許可電圧を設定することができる為、検知及び／又は蓄電する電磁波を含む各種自然界量等の微少電流の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を含む各種自然界量等の微少電流を所望の電圧値で蓄電精度を向上させて自動的に蓄電することができ、所望の周波数及び／又は電圧を有した電磁波を含む各種自然界量等の微少電流を選択的に蓄電精度を向上させて自動的に蓄電することができる。
【０１６６】
本発明の実施の形態の図１−４（４）の微少電流蓄電装置は、図１−４（４）に示すように、
微少電流を無燃料で蓄電することができる微少電流蓄電装置であって、
図１−４（２）、又は図１−４（３）に示す無燃料蓄電システム又は装置において、
前記仮蓄電手段を備え、並びに／若しくは、前記仮蓄電手段に接続された第２の仮（一時）蓄電手段と、前記第２の仮（一時）蓄電手段に接続された前記電力整流手段と、第1の所定電圧付加導通許可手段，第２の所定電圧付加導通許可手段と、及び／又は、第３の所定電圧付加導通許可手段とから構成される第２の仮蓄電手段を単数又は複数備え、前記仮蓄電手段及び第２の仮蓄電手段に単数又は複数回仮蓄電し、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段に電力を供給し、蓄電すること（図１−４（４−（２）），図１−４（４−（３））参照）、
及び／又は、仮蓄電手段が単数又は複数繰り返された上記構成において、各要素間から別に分岐して、上記構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、に接続するようにし、電力を供給し、蓄電する、並びに／若しくは、電力を供給すること（図１−４（４−（２）’），図１−４（４−（３）’）参照）
を特徴とする無燃料蓄電システム又は装置である。
【０１６７】
以下において、整流手段と記載されているものは、整流手段及び／又は所定電圧付加導通許可手段のことを意味する。例えば、ダイオードは、整流手段の一例であり、定電圧ダイオードは、整流手段及び所定電圧付加導通許可手段の一例である。
【０１６８】
これにより、1つ1つの仮蓄電手段の蓄電容量が小さくとも、全体として大電力を無燃料で（電圧調整を行わずとも）自動的に蓄電することができる。
【０１６９】
尚、仮蓄電手段が単数又は複数繰り返された構成において、第２の仮（一時）蓄電手段を挟むように設置された、隣り合う第１の所定電圧付加導通許可手段と第１の所定電圧付加導通許可手段よりも蓄電に起電力を有する蓄電手段に近いほうの第２の所定電圧付加導通許可手段の導通許可電圧は、第２の所定電圧付加導通許可手段の導通許可電圧の方が、第１の所定電圧付加導通許可手段の導通許可電圧よりも大きく、小さく、ばらばらに、又は同じように構成してもよい。
【０１７０】
また、仮蓄電手段が単数又は複数繰り返された構成において、各要素間から別に分岐して、構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、接続するようにし、電力を供給し、蓄電する、並びに／若しくは、電力を供給するように接続してもよい。
【０１７１】
本発明の無燃料蓄電システムの第1の実施の形態について図１を用いて説明する。
【０１７２】
本発明の無燃料蓄電システムの第1の実施の形態の無燃料電磁波蓄電システムの実施の形態の構成について説明する。
【０１７３】
本発明の第1の実施の形態の無燃料電磁波蓄電システム１は、自然の電磁波を検知する電磁波検知部１１と、電磁波検知部１１により検知された電磁波を整流する電磁波整流部１２と、電磁波整流部１２により整流された電磁波を蓄電する電磁波蓄電部１４とから構成されている。
【０１７４】
電磁波検知部１１としては、例えば、先端にクリップが装着若しくは非装着されたアンテナ、パラボラアンテナ、コイル状アンテナ、コイル状アンテナ（1次コイルと2次コイルと及び／又はコンデンサーを備え、所望の周波数の電磁波を検知できるようにしたもの）、コード、及び／又はコード状のアンテナ等、金属性等、少なくとも金属性のものから構成されたもの等、自然の電磁波を検知できるものであれば何でもよい（電磁波検知手段として電磁波吸収体（材料）を使用することも可能である。この場合、導電線は、電磁波吸収体（材料）の金属性部分に接続する必要がある）（また、体自身を少なくとも電磁波を検知できるものから構成した電磁波検知部１１としてもよい）。また、電磁波整流部１２としては、例えば、ダイオード、及び／又はトランジスタ等、電磁波を整流できるものであれば何でもよい。また、電磁波蓄電部１４としては、充電池（充電に所定の起電力を有する蓄電（充電、貯蔵）手段）、各種コンデンサー（充電に所定の起電力を有しない一時蓄電手段）、各種コンデンサーと電磁波整流手段とを合わせて充電池としたもの（充電に所定の起電力を有せず、所定の電圧以内で放電しない一時蓄電手段）、及び／又は充電システム等、電磁波を蓄電できるものであれば何でもよい。また、充電池としては、電磁波の大きさに応じて起電力の小さいものから大きいものまで使用が可能である。電磁波の大きさが小さい場合は、各種コンデンサーと電磁波整流手段とを合わせて充電池に一旦蓄電した後、蓄電した起電力に応じた充電池に充電し直すようにしてもよいし、この動作を単数又は複数回繰り返して充電池に充電するような構成としてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。このようにすれば、微少電流を蓄電することができる。また、無燃料電磁波蓄電システム及び／又は充電池としては、容器に挿入された着脱可能で軽量で持ち運べるようなものから、複数の電磁波検知部及び電磁波整流部から一箇所の充電池に集めるような設置固定式又は着脱可能で軽量で持ち運べるようなシステムとしてもよい。また、複数の電磁波検知部及び電磁波整流部から一箇所の充電池に集めるようなシステムの際、電磁波の大きさが小さい場合は、各種コンデンサーと電磁波整流手段とを合わせて充電池に一旦蓄電した後、蓄電した起電力に応じた電池に充電してから一���所の充電池に集めるようなシステムとしてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。（図26簡易説明箇所初め）尚、図２６−１（１）−１に示すように、コンデンサーの変わりに、単に２枚の金属板を平行に設置しただけのものを使用することも可能であり、また、コンデンサーの変わりに、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定するようにしてもよい。また、図２６−１（１）−２に示すように、コンデンサーの変わりに、直列にスイッチ、トランジスタ、（レギュレータ、リレースイッチ、アナログスイッチ、コンパレータスイッチ、及び／又はタイマースイッチ）を介して接続された、コンデンサー、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定し、図２６−１に示すスイッチ制御装置により、スイッチ、トランジスタ、（レギュレータ、リレースイッチ、アナログスイッチ、コンパレータスイッチ、及び／又はタイマースイッチ）を切り替えて全体のコンデンサーの合成容量を設定するようにしてもよい。これにより、充電池に応じた起電力で（電圧調整を行わずとも）自動的に充電を行うことができると共に、蓄電精度を向上することができる。また、所定の起電力になった後、電力を供給する際、スイッチをＯＮにした後、コンデンサーの可変容量を所定の大きさにして（例えば、小さくし）、起電力を所定の大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）この許可電圧値の設定情報は、初期設定により行われ、又、さらに備えられた許可電圧設定情報設定手段により任意の時刻に設定を行うこと��できる。＜第１の所定電圧付加導通許可手段＞また、図２６−２（１）−５に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオードの変わりに、スイッチ、トランジスタを介して直列に接続された（定電圧）ダイオードを、さらに備えられた許可電圧設定部より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定手段により任意の時刻に許可電圧設定を行うことができる。尚、第３の所定電圧付加導通許可手段のコンデンサーを（定電圧）ダイオードに置き換えたものを第２の所定電圧付加導通許可手段としてもよい。＜第２の所定電圧付加導通許可手段＞また、図２６−２（１）−３，（１）−４に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）ダイオードに前及び／又は後から接続されたコンデンサーを検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すスイッチ制御装置により、単数又は複数の、スイッチ、トランジスタを介して接続された（定電圧、可変容量）ダイオード、（可変）コンデンサーを、さらに備えられた容量設定部によりスイッチを制御することにより、全体の許可電圧を調整するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電することができる。この許可電圧値の設定情報は、初期設定により行われ、又、さらに備えられた許可電圧設定情報設定手段により任意の時刻に設定を行うことができる。＜第１の所定検知電圧付加導通許可手段，第１の所定電圧付加導通許可手段＞（図26簡易説明箇所終わり）また、ダイオードとしては、ショットキーバリアダイオード、定電圧（ツェナー）ダイオード等、各種のダイオードがある。また、コンデンサーとしては、２枚の金属版を平行に設置したもの、平板コンデンサー、真空コンデンサー、ガスを封入したコンデンサー、電解コンデンサー等、無極性コンデンサー等、各種のコンデンサーがある。
【０１７５】
次に、本発明の第1の実施の形態の無燃料電磁波蓄電システム１の動作及び本発明の無燃料蓄電方法であり、本発明の第1の実施の形態の無燃料電磁波蓄電システム１の無燃料電磁波蓄電方法について説明する。
【０１７６】
電磁波検知部１１は電磁波を検知する。電磁波整流部１２は、電磁波検知部１１により検知された電磁波を整流する。電磁波蓄電部１４は、電磁波整流部１２により整流された電磁波を蓄電する。
【０１７７】
以上のように、本発明の第1の実施の形態の無燃料電磁波蓄電システム１によれば、自然に存在する電磁波から電力を無燃料で蓄電することができる。
【０１７８】
本発明の無燃料蓄電システムの第２の実施の形態について図２を用いて説明する。
【０１７９】
本発明の無燃料蓄電システムの第２の実施の形態の無燃料電磁波蓄電システムの実施の形態の構成について説明する。
【０１８０】
図２（１）に示す本実施の形態の無燃料電磁波蓄電システム２は、自然の電磁波を検知する電磁波検知部２１と、電磁波検知部２１により検知された電磁波を整流する電磁波整流部２２と、電磁波整流部２２により整流された電磁波を増幅する電磁波増幅部２３と、電磁波増幅部２３により増幅された電磁波を蓄電する電磁波蓄電部２４とから構成されている。また、図２（２）に示す本実施の形態の無燃料電磁波蓄電システム２は、自然の電磁波を検知する電磁波検知部２１と、電磁波検知部２１により検知された電磁波を増幅する電磁波増幅部２３と、電磁波増幅部２３により増幅された電磁波を整流する電磁波整流部２２と、電磁波整流部２２により整流された電磁波を蓄電する電磁波蓄電部２４とから構成されている。図２（３）に示す本実施の形態の無燃料電磁波蓄電システム２は、自然の電磁波を検知する電磁波検知部２１と、電磁波検知部２１により検知された電磁波を整流増幅する電磁波整流増幅部２２，２３と、電磁波整流増幅部２２，２３により整流増幅された電磁波を蓄電する電磁波蓄電部２４とから構成されている。
【０１８１】
電磁波検知部２１としては、例えば、先端にクリップが装着若しくは非装着されたアンテナ、パラボラアンテナ、コイル状アンテナ、コイル状アンテナ（1次コイルと2次コイルと及び／又はコンデンサーを備え、所望の周波数の電磁波を検知できるようにしたもの）、コード、及び／又はコード状のアンテナ等、金属性等、少なくとも金属性のものから構成されたもの等、自然の電磁波を検知できるものであれば何でもよい（電磁波検知手段として電磁波吸収体（材料）を使用することも可能である。この場合、導電線は、電磁波吸収体（材料）の金属性部分に接続する必要がある）（また、体自身を少なくとも電磁波を検知できるものから構成した電磁波検知部２１としてもよい）。また、電磁波整流部２２としては、例えば、ダイオード、及び／又はトランジスタ等、電磁波を整流できるものであれば何でもよい。また、電磁波増幅部２３としては、例えば、トランジスタ、オペアンプ、及び／又はトランス等、電磁波を増幅できるものであれば何でもよい。また、電磁波蓄電部２４としては、充電池（充電に所定の起電力を有する蓄電（充電、貯蔵）手段）、コンデンサー（充電に所定の起電力を有しない一時蓄電手段）、各種コンデンサーと電磁波整流手段とを合わせて充電池としたもの（充電に所定の起電力を有せず、所定の電圧以内で放電しない一時蓄電手段）、及び／又は充電システム等、電磁波を蓄電できるものであれば何でもよい。また、充電池としては、電磁波の大きさに応じて起電力の小さいものから大きいものまで使用が可能である。電磁波の大きさが小さい場合は、各種コンデンサーと電磁波整流手段とを合わせて充電池に一旦蓄電した後、蓄電した起電力に応じた充電池に充電し直すようにしてもよいし、この動作を単数又は複数回繰り返して充電池に充電するような構成としてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。このようにすれば、微少電流を蓄電することができる。また、無燃料電磁波蓄電システム及び／又は充電池としては、容器に挿入された着脱可能で軽量で持ち運べるようなものから、複数の電磁波検知部及び電磁波整流部から一箇所の充電池に集めるような設置固定式又は着脱可能で軽量で持ち運べるようなシステムとしてもよい。また、複数の電磁波検知部及び電磁波整流部から一箇所の充電池に集めるようなシステムの際、電磁波の大きさ���小さい場合は、各種コンデンサーと電磁波整流手段とを合わせて充電池に一旦蓄電した後、蓄電した起電力に応じた電池に充電してから一箇所の充電池に集めるようなシステムとしてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。（図26簡易説明箇所初め）尚、図２６−１（１）−１に示すように、コンデンサーの変わりに、単に２枚の金属板を平行に設置しただけのものを使用することも可能であり、また、コンデンサーの変わりに、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定するようにしてもよい。また、図２６−１（１）−２に示すように、コンデンサーの変わりに、直列にスイッチ、トランジスタ、（レギュレータ、リレースイッチ、アナログスイッチ、コンパレータスイッチ、及び／又はタイマースイッチ）を介して接続された、コンデンサー、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定し、図２６−１に示すスイッチ制御装置により、スイッチ、トランジスタ、（レギュレータ、リレースイッチ、アナログスイッチ、コンパレータスイッチ、及び／又はタイマースイッチ）を切り替えて全体のコンデンサーの合成容量を設定するようにしてもよい。これにより、充電池に応じた起電力で（電圧調整を行わずとも）自動的に充電を行うことができると共に、蓄電精度を向上することができる。また、所定の起電力になった後、電力を供給する際、スイッチをＯＮにした後、コンデンサーの可変容量を所定の大きさにして（例えば、小さくし）、起電力を所定の大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）��の許可電圧値の設定情報は、初期設定により行われ、又、さらに備えられた許可電圧設定情報設定手段により任意の時刻に設定を行うことができる。＜第１の所定電圧付加導通許可手段＞また、図２６−２（１）−５に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオードの変わりに、スイッチ、トランジスタを介して直列に接続された（定電圧）ダイオードを、さらに備えられた許可電圧設定部より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定手段により任意の時刻に許可電圧設定を行うことができる。尚、第３の所定電圧付加導通許可手段のコンデンサーを（定電圧）ダイオードに置き換えたものを第２の所定電圧付加導通許可手段としてもよい。＜第２の所定電圧付加導通許可手段＞また、図２６−２（１）−３，（１）−４に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）ダイオードに前及び／又は後から接続されたコンデンサーを検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すスイッチ制御装置により、単数又は複数の、スイッチ、トランジスタを介して接続された（定電圧、可変容量）ダイオード、（可変）コンデンサーを、さらに備えられた容量設定部によりスイッチを制御することにより、全体の許可電圧を調整するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電することができる。この許可電圧値の設定情報は、初期設定により行われ、又、さらに備えられた許可電圧設定情報設定手段により任意の時刻に設定を行うことができる。＜第１の所定検知電圧付加導通許可手段，第１の所定電圧付加導通許可手段＞（図26簡易説明箇所終わり）また、ダイオードとしては、ショットキーバリアダイオード、定電圧（ツェナー）ダイオード等、各種のダイオードがある。また、コンデンサーとしては、２枚の金属版を平行に設置したもの、平板コンデンサー、真空コンデンサー、ガスを封入したコンデンサー、電解コンデンサー等、無極性コンデンサー等、各種のコンデンサーがある。
【０１８２】
次に、本発明の第２の実施の形態の無燃料電磁波蓄電システム２の動作及び本発明の無燃料蓄電方法であり、本発明の第２の実施の形態の無燃料電磁波蓄電システム２の無燃料電磁波蓄電方法について説明する。
【０１８３】
図２（１）に示す本実施の形態の無燃料電磁波蓄電システム２においては、電磁波検知部２１は電磁波を検知する。電磁波整流部２２は、電磁波検知部２１により検知された電磁波を整流する。電磁波増幅部２３は、電磁波整流部２２により整流された電磁波を増幅する。電磁波蓄電部２４は、電磁波増幅部２３により整流された電磁波を無燃料で蓄電する。また、図２（２）に示す本実施の形態の無燃料電磁波蓄電システム２においては、電磁波検知部２１は電磁波を検知する。電磁波増幅部２２は、電磁波検知部２１により検知された電磁波を増幅する。電磁波整流部２３は、電磁波増幅部２２により増幅された電磁波を整流する。電磁波蓄電部２４は、電磁波整流部２３により整流された電磁波を無燃料で蓄電する。また、図２（３）に示す本実施の形態の無燃料電磁波蓄電システム２においては、電磁波検知部２１は電磁波を検知する。電磁波整流増幅部２２，２３は、電磁波検知部２１により検知された電磁波を整流増幅する。電磁波蓄電部２４は、電磁波整流増幅部２２，２３により整流増幅された電磁波を無燃料で蓄電する。
【０１８４】
以上のように、本発明の第２の実施の形態の無燃料電磁波蓄電システム２によれば、自然に存在する電磁波から電力を無燃料で増幅して無燃料で蓄電することができる。
【０１８５】
本発明の無燃料蓄電システムの第３の実施の形態について図３を用いて説明する。
【０１８６】
本発明の無燃料蓄電システムの第３の実施の形態の無燃料自然界量蓄電システムの実施の形態の構成について説明する。
【０１８７】
本実施の形態の無燃料自然界量蓄電システム３は、各種自然界量から各種自然界量を検知する自然界量検知部３１と、各種自然界量検知部３１により検知された各種自然界量を電力に変換する電力変換部３５と、電力変換部３５により変換された電力を整流する電力整流部３２と、電力整流部３２により整流された電力を蓄電する電力蓄電部３４とから構成されている。尚、各種自然界量によって、整流する必要がない場合、電力整流部３２を削除し、電力蓄電部３４は、電力変換部３５により変換された電力を蓄電する構成としてよい。
【０１８８】
各種自然界量としては、例えば、水圧、風圧、重力、温度、湿度、音、振動、衝撃、光、赤外線、速度、加速度、変位、角度、接触、触覚、力覚、距離、近接覚、すべり覚、音響、視覚、味、におい、バイオ、磁気、地震、及び／又は超音波等があり、あらゆる種類の（全ての）各種自然界量のことを示す。各種自然界量検知部３１としては、例えば、水圧センサ、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の(全ての)各種自然界量に対応した各種の自然界量を検知できるものであれば何でもよい（また、体自身を少なくとも自然界量を検知できるものから構成した各種自然界量検知部３１から少なくとも構成されるものとしてもよい。尚、複数種の各種自然界量検知部を１つの各種自然界量検知部内に備えた各種自然界量検知部としてもよい。）。また、電力変換部３５としては、例えば、水圧センサ、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の(全ての)各種自然界量を電力に変換できるものであれば何でもよい。各種自然界量検知部３１と電力変換部３３とを合わせた手段としてもよい。また、電力整流部３２としては、例えば、ダイオード、及び／又はトランジスタ等、各種自然界量を整流できるものであれば何でもよい。また、電力蓄電部３４としては、充電池、各種コンデンサーと各種自然界量整流手段とを合わせて電池としたもの、及び／又は充電システム等、電力を蓄電できるものであれば何でもよい。また、充電池としては、起電力の小さいものから大きいものまで使用が可能である。各種自然界量の大きさが小さい場合は、各種コンデンサーと各種自然界量整流手段とを合わせて充電池に一旦蓄電した後、蓄電した起電力に応じた充電池に充電し直すようにしてもよいし、この動作を単数又は複数回繰り返して充電池に充電するような構成としてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明��る）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。このようにすれば、微少電流を蓄電することができる。また、無燃料各種自然界量蓄電システム及び／又は充電池としては、着脱可能で軽量で持ち運べるようなものから、複数の各種自然界量検知部及び各種自然界量整流部から一箇所の充電池に集めるような設置固定式又は着脱可能で軽量で持ち運べるようなシステムとしてもよい。また、複数の各種自然界量検知部及び各種自然界量整流部から一箇所の充電池に集めるようなシステムの際、各種自然界量の大きさが小さい場合は、各種コンデンサーと各種自然界量整流手段とを合わせて充電池に一旦蓄電した後、蓄電した起電力に応じた電池に充電してから一箇所の充電池に集めるようなシステムとしてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。（図26簡易説明箇所初め）尚、図２６−１（１）−１に示すように、コンデンサーの変わりに、単に２枚の金属板を平行に設置しただけのものを使用することも可能であり、また、コンデンサーの変わりに、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定するようにしてもよい。また、図２６−１（１）−２に示すように、コンデンサーの変わりに、直列にスイッチ、トランジスタ、（レギュレータ、リレースイッチ、アナログスイッチ、コンパレータスイッチ、及び／又はタイマースイッチ）を介して接続された、コンデンサー、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定し、図２６−１に示すスイッチ制御装置により、スイッチ、トランジスタ、（レギュレータ、リレースイッチ、アナログスイッチ、コンパレータスイッチ、及び／又はタイマースイッチ）を切り替えて全体のコンデンサーの合成容量を設定するようにしてもよい。これにより、充電池に応じた起電力で（電圧調整を行わずとも）自動的に充電を行うことができると共に、蓄電精度を向上することができる。また、所定の起電力になった後、電力を供給する際、スイッチをＯＮにした後、コンデンサーの可変容量を所定の大きさにして（例えば、小さくし）、起電力を所定の大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）この許可電圧値の設定情報は、初期設定により行われ、又、さらに備えられた許可電圧設定情報設定手段により任意の時刻に設定を行うことができる。＜第１の所定電圧付加導通許可手段＞また、図２６−２（１）−５に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオードの変わりに、スイッチ、トランジスタを介して直列に接続された（定電圧）ダイオードを、さらに備えられた許可電圧設定部より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定手段により任意の時刻に許可電圧設定を行うことができる。尚、第３の所定電圧付加導通許可手段のコンデンサーを（定電圧）ダイオードに置き換えたものを第２の所定電圧付加導通許可手段としてもよい。＜第２の所定電圧付加導通許可手段＞また、図２６−２（１）−３，（１）−４に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）ダイオードに前及び／又は後から接続されたコンデンサーを検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すスイッチ制御装置により、単数又は複数の、スイッチ、トランジスタを介して接続された（定電圧、可変容量）ダイオード、（可変）コンデンサーを、さらに備えられた容量設定部によりスイッチを制御することにより、全体の許可電圧を調整するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電することができる。この許可電圧値の設定情報は、初期設定により行われ、又、さらに備えられた許可電圧設定情報設定手段により任意の時刻に設定を行うことができる。＜第１の所定検知電圧付加導通許可手段，第１の所定電圧付加導通許可手段＞（図26簡易説明箇所終わり）（複数種及び／又は同種の各種自然界量検知部並びに／若しくは複数及び／又は単数の各種自然界量検知部から検知された各種自然界量から直列に一対一対応して接続された電力変換部により変換された電力を１つの電力蓄電部（電力整流部を含む／含まない）で蓄電するような構成としてもよい。（複数種及び／又は同種の各種自然界量検知部並びに／若しくは複数及び／又は単数の各種自然界量検知部から検知された各種自然界量から直列に一対一対応して接続された整流部で整流された電力を１つの電力蓄電部（電力整流部を含む／含まない）で蓄電するような構成としてもよい。）また、図２５に示すように、複数種であり、かつ複数の電磁波検知部を含んだ各種自然界量検知部から検知された電磁波を含んだ各種自然界量から直列に一対一対応して接続された電力変換部により変換された電力を１つの電力蓄電部で蓄電するような構成としてもよい。尚、複数種であり、かつ複数の電磁波検知部を含んだ各種自然界量検知部を１つの各種自然界量検知部内に備えた各種自然界量検知部としてもよい。尚、ここで、複数種の種別とは各種自然界量の種別及び又は同種の自然界量のうちの異種の検知手段の種別を示している（ここで、複数種の種別とは各種自然界量の種別と同種の自然界量のうちの異種の検知手段の種別との片方又は両方を示している）。）また、ダイオードとしては、ショットキーバリアダイオード、定電圧（ツェナー）ダイオード等、各種のダイオードがある。また、コンデンサーとしては、２枚の金属版を平行に設置したもの、平板コンデンサー、真空コンデンサー、ガスを封入したコンデンサー、電解コンデンサー等、無極性コンデンサー等、各種のコン
デンサーがある。
【０１８９】
次に、本発明の第３の実施の形態の無燃料自然界量蓄電システム３の動作及び本発明の無燃料蓄電方法であり、本発明の第３の実施の形態の無燃料自然界量蓄電システム３の無燃料自然界量蓄電方法について説明する。
【０１９０】
各種自然界量検知部３１は各種自然界量を検知する。電力変換部３５は、各種自然界量検知部３１により検知された各種自然界量を電力に変換する。電力整流部３２は、電力変換部３５により変換された電力を整流する。電力蓄電部３４は、電力整流部３２により整流された電力を無燃料で蓄電する。
【０１９１】
整流する必要がない各種自然界量の場合の、電力整流部３２を設けない構成の場合においては、各種自然界量検知部３１は各種自然界量を検知する。電力変換部３５は、各種自然界量検知部３１により検知された各種自然界量を電力に変換する。電力蓄電部３４は、電力変換部３５により変換された電力を無燃料で蓄電する。
【０１９２】
以上のように、本発明の第３の実施の形態の無燃料自然界量蓄電システム３によれば、無燃料で各種自然界量から電力を蓄電することができる。
【０１９３】
本発明の無燃料蓄電システムの第４の実施の形態について図４を用いて説明する。
【０１９４】
本発明の無燃料蓄電システムの第４の実施の形態の無燃料自然界量蓄電システムの実施の形態の構成について説明する。
【０１９５】
図４（１）に示す本実施の形態の無燃料自然界量蓄電システム４は、各種自然界量から各種自然界量を検知する各種自然界量検知部４１と、各種自然界量検知部４１により検知された各種自然界量を電力に変換する電力変換部４５と、電力変換部４５により変換された電力を整流する電力整流部４２と、電力整流部４２により整流された電力を増幅する電力増幅部４３と、電力増幅部４３により増幅された電力を蓄電する電力蓄電部４４とから構成されている。また、図４（２）に示す本実施の形態の無燃料自然界量蓄電システム４は、各種自然界量から各種自然界量を検知する各種自然界量検知部４１と、各種自然界量検知部４１により検知された各種自然界量を電力に変換する電力変換部４５と、電力変換部４５により変換された電力を増幅する電力増幅部４３と、電力増幅部４３により増幅された電力を蓄電する電力蓄電部４４とから構成されている。また、図４（３）に示す本実施の形態の無燃料自然界量蓄電システム４は、各種自然界量から各種自然界量を検知する各種自然界量検知部４１と、各種自然界量検知部４１により検知された各種自然界量を電力に変換する電力変換部４５と、電力変換部４５により変換された電力を整流増幅する電力整流増幅部４２，４３と、電力整流増幅部４２，４３により整流増幅された電力を蓄電する電力蓄電部４４とから構成されている。尚、各種自然界量によって、整流する必要がない場合、図４（１）〜（３）は同一の構成となり、電力整流部４２を削除し、電力蓄電部４４は、電力増幅部４３により変換された電力を蓄電する構成としてよい。
【０１９６】
各種自然界量としては、例えば、水圧、風圧、重力、温度、湿度、音、振動、衝撃、光、赤外線、速度、加速度、変位、角度、接触、触覚、力覚、距離、近接覚、すべり覚、音響、視覚、味、におい、バイオ、磁気、地震、及び／又は超音波等があり、あらゆる種類の（全ての）各種自然界量のことを示す。各種自然界量検知部４１としては、例えば、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の(全ての)各種自然界量に対応した各種の自然界量を検知できるものであれば何でもよい（また、体自身を少なくとも自然界量を検知できるものから構成した各種自然界量検知部４１から少なくとも構成されるものとしてもよい。尚、複数種の各種自然界量検知部を１つの各種自然界量検知部内に備えた各種自然界量検知部としてもよい。）。また、電力変換部４５としては、例えば、水圧センサ、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の(全ての)各種自然界量を電力に変換できるものであれば何でもよい。各種自然界量検知部４１と電力変換部４２とを合わせた手段としてもよい。また、電力整流部４２としては、例えば、ダイオード、及び／又はトランジスタ等、各種自然界量を整流できるものであれば何でもよい。また、電力増幅部４３としては、例えば、トランジスタ、オペアンプ、及び／又はトランス等、電力を増幅できるものであれば何でもよい。また、電力蓄電部４４としては、充電池、各種コンデンサーと各種自然界量整流手段とを合わせて充電池としたもの、及び／又は充電システム等、電力を蓄電できるものであれば何でもよい。また、充電池としては、起電力の小さいものから大きいものまで使用が可能である。各種自然界量の大きさが小さい場合は、各種コンデンサーと各種自然界量整流手段とを合わせて充電池に一旦蓄電した後、蓄電した起電力に応じた充電池に充電し直すようにしてもよいし、この動作を単数又は複数回繰り返して充電池に充電するような構成としてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。このようにすれば、微少電流を蓄電することができる。また、無燃料各種自然界量蓄電システム及び／又は充電池としては、着脱可能で軽量で持ち運べるようなものから、複数の各種自然界量検知部及び各種自然界量整流部から一箇所の充電池に集めるような設置固定式又は着脱可能で軽量で持ち運べるようなシステムとしてもよい。また、複数の各種自然界量検知部及び各種自然界量整流部から一箇所の充電池に集めるようなシステムの際、各種自然界量の大きさが小さい場合は、各種コンデンサーと各種自然界量整流手段とを合わせて充電池に一旦蓄電した後、蓄電した起電力に応じた電池に充電してから一箇所の充電池に集めるようなシステムとしてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。（図26簡易説明箇所初め）尚、図２６−１（１）−１に示すように、コンデンサーの変わりに、単に２枚の金属板を平行に設置しただけのものを使用することも可能であり、また、コンデンサーの変わりに、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定するようにしてもよい。また、図２６−１（１）−２に示すように、コンデンサーの変わりに、直列にスイッチ、トランジスタ、（レギュレータ、リレースイッチ、アナログスイッチ、コンパレータスイッチ、及び／又はタイマースイッチ）を介して接続された、コンデンサー、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定し、図２６−１に示すスイッチ制御装置により、スイッチ、トランジスタ、（レギュレータ、リレースイッチ、アナログスイッチ、コンパレータスイッチ、及び／又はタイマースイッチ）を切り替えて全体のコンデンサーの合成容量を設定するようにしてもよい。これにより、充電池に応じた起電力で（電圧調整を行わずとも）自動的に充電を行うことができると共に、蓄電精度を向上することができる。また、所定の起電力になった後、電力を供給する際、スイッチをＯＮにした後、コンデンサーの可変容量を所定の大きさにして（例えば、小さくし）、起電力を所定の大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）この許可電圧値の設定情報は、初期設定により行われ、又、さらに備えられた許可電圧設定情報設定手段により任意の時刻に設定を行うことができる。＜第１の所定電圧付加導通許可手段＞また、図２６−２（１）−５に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオードの変わりに、スイッチ、トランジスタを介して直列に接続された（定電圧）ダイオードを、さらに備えられた許可電圧設定部より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定手段により任意の時刻に許可電圧設定を行うことができる。尚、第３の所定電圧付加導通許可手段のコンデンサーを（定電圧）ダイオードに置き換えたものを第２の所定電圧付加導通許可手段としてもよい。＜第２の所定電圧付加導通許可手段＞また、図２６−２（１）−３，（１）−４に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）ダイオードに前及び／又は後から接続されたコンデンサーを検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すスイッチ制御装置により、単数又は複数の、スイッチ、トランジスタを介して接続された（定電圧、可変容量）ダイオード、（可変）コンデンサーを、さらに備えられた容量設定部によりスイッチを制御することにより、全体の許可電圧を調整するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電することができる。この許可電圧値の設定情報は、初期設定により行われ、又、さらに備えられた許可電圧設定情報設定手段により任意の時刻に設定を行うことができる。＜第１の所定検知電圧付加導通許可手段，第１の所定電圧付加導通許可手段＞（図26簡易説明箇所終わり）（複数種であり、かつ複数の各種自然界量検知部から検知された各種自然界量から直列に一対一対応して接続された電力変換部により変換された電力を１つの電力蓄電部（電力整流部を含む／含まない）で蓄電するような構成としてもよい。（複数種であり、かつ複数の各種自然界量検知部から検知された各種自然界量から直列に一対一対応して接続された整流部で整流された電力を１つの電力蓄電部で蓄電するような構成としてもよい。）また、図２５に示すように、複数種であり、かつ複数の電磁波検知部を含んだ各種自然界量検知部から検知された電磁波を含んだ各種自然界量から直列に一対一対応して接続された電力変換部により変換された電力を１つの電力蓄電部（電力整流部を含む／含まない）で蓄電するような構成としてもよい。尚、複数種であり、かつ複数の電磁波検知部を含んだ各種自然界量検知部を１つの各種自然界量検知部内に備えた各種自然界量検知部としてもよい。尚、ここで、複数種の種別とは各種自然界量の種別及び又は同種の自然界量のうちの異種の検知手段の種別を示している（ここで、複数種の種別とは各種自然界量の種別と同種の自然界量のうちの異種の検知手段の種別との片方又は両方を示している）。）また、ダイオードとしては、ショットキーバリアダイオード、定電圧（ツェナー）ダイオード等、各種のダイオードがある。また、コンデンサーとしては、２枚の金属版を平行に設置したもの、平板コンデンサー、真空コンデンサー、ガスを封入したコンデンサー、電解コンデンサー等、無極性コンデンサー等
、各種のコンデンサーがある。
【０１９７】
次に、本発明の第４の実施の形態の無燃料自然界量蓄電システム４の動作及び本発明の無燃料蓄電方法であり、本発明の第４の実施の形態の無燃料自然界量蓄電システム４の無燃料自然界量蓄電方法について説明する。
【０１９８】
図４（１）に示す本発明の第４の実施の形態の無燃料自然界量蓄電システム４においては、各種自然界量検知部４１は自然界量を検知する。電力変換部４５は、各種自然界量検知部４１により検知された各種自然界量を電力に変換する。電力整流部４２は、電力変換部４５により変換された電力を整流する。電力増幅部４３は、電力整流部４２により整流された電力を増幅する。電力蓄電部４４は、電力増幅部４３により増幅された電力を無燃料で蓄電する。また、図４（２）に示す本発明の第４の実施の形態の無燃料自然界量蓄電システム４においては、各種自然界量検知部４１は自然界量を検知する。電力変換部４５は、各種自然界量検知部４１により検知された各種自然界量を電力に変換する。電力増幅部４３は、電力変換部４５により変換された電力を整流する。電力整流部４２は、電力増幅部４３により増幅された電力を整流する。電力蓄電部４４は、電力整流部４２により整流された電力を無燃料で蓄電する。また、図４（３）に示す本発明の第４の実施の形態の無燃料自然界量蓄電システム４においては、各種自然界量検知部４１は自然界量を検知する。電力変換部４５は、各種自然界量検知部４１により検知された各種自然界量を電力に変換する。電力整流増幅部４２，４３は、電力変換部４５により変換された電力を整流増幅する。電力蓄電部４４は、電力整流増幅部４２，４３により整流増幅された電力を無燃料で蓄電する。
【０１９９】
整流する必要がない各種自然界量の場合の、電力整流部３２を設けない構成の場合においては、図４（１）〜（３）は同一の動作及び方法となり、各種自然界量検知部４１は自然界量を検知する。電力変換部４５は、各種自然界量検知部４１により検知された各種自然界量を電力に変換する。電力増幅部４３は、電力変換部４５により変換された電力を増幅する。電力蓄電部４４は、電力増幅部４３により増幅された電力を無燃料で蓄電する。
【０２００】
以上のように、本発明の第４の実施の形態の無燃料自然界量蓄電システム４によれば、各種自然界量から無燃料で電力を増幅して蓄電することができる。
【０２０１】
本発明の無燃料蓄電システムの第６の実施の形態であり、本発明の微少電流蓄電装置及び微少電流蓄電方法の実施の形態について図２１を用いて説明する。
【０２０２】
図２１は、本発明の無燃料蓄電システムの第６の実施の形態であり、本発明の微少電流蓄電装置の実施の形態の微少電流蓄電装置を示す概念図である。
【０２０３】
本発明の実施の形態の微少電流蓄電装置２１０は、電流を整流する電流整流部２１２と、整流された電流を仮に蓄電する電流仮蓄電部２１３と、電流仮蓄電部２１３に一定電圧蓄電されたかどうか監視し、一定電圧蓄電された場合、電流を送出する一定電圧蓄電監視送出部２１４と、一定電圧蓄電監視送出部２１４から送出された電流を流す端子（不図示）から構成されている。この端子の先には、所望の起電力の充電池が接続され、一定電圧蓄電されてから後に、所望の起電力の充電池に充電し直すという動作を単数又は複数回繰り返して充電池に電力が蓄電される。
【０２０４】
図２１（１）〜図２１（４）は、本実施の形態の微少電流蓄電装置２１０の詳細の構成を示したものである。図２１（１）の微少電流蓄電装置２１０は、電流を仮に蓄電する仮蓄電部２１３と、仮蓄電部２１３に接続されている電流が入力されるプラス又はマイナスであるIN端子２１１a又はIN端子２１１ｂと、IN端子ｂ２１１ｂと仮蓄電部２１３との間に接続されている、電流を整流する電流整流部２１２aと、仮蓄電部２１３の充電側のプラス及びマイナスに接続されたプラス端子及びマイナス端子であるOUT(充電)端子２１５a及びOUT(充電)端子２１５ｂと、仮蓄電部２１３とOUT(充電)端子２１５aとの間に接続された、仮蓄電部２１３に一定電圧の電力が蓄電されるのを監視し、一定電圧蓄電された場合、OUT(充電)端子２１５aに電流を送出する一定電圧蓄電監視送出部２１４aとから構成されている。図２１（２）の微少電流蓄電装置２１０は、図２１（１）の微少電流蓄電装置２１０において、さらに、IN端子ｂ２１１ｂと仮蓄電部２１３との間にも電流を整流する電流整流部２１２ｂが接続された構成となっている。図２１（３）の微少電流蓄電装置２１０は、図２１（１）の微少電流蓄電装置２１０において、さらに、仮蓄電部２１３とOUT(充電)端子２１５bとの間にも一定電圧蓄電監視送出部２１４ｂが接続された構成となっている。図２１（４）の微少電流蓄電装置２１０は、図２１（１）の微少電流蓄電装置２１０において、さらに、IN端子ｂ２１１ｂと仮蓄電部２１３との間にも電流を整流する電流整流部２１２ｂが接続され、仮蓄電部２１３とOUT(充電)端子２１５bとの間にも一定電圧蓄電監視送出部２１４ｂが接続された構成となっている。一定電圧蓄電監視送出部２１４a,ｂとしては、仮蓄電部２１３に蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、仮蓄電部２１３と電流整流部２１２a,ｂとを合わせた仮蓄電部２１３若しくは仮蓄電部２１３に一旦蓄電した後、蓄電した起電力に応じた充電池に充電し直す動作を単数又は複数回繰り返して充電池に充電するような構成としてもよい。（図26簡易説明箇所初め）尚、図２６−１（１）−１に示すように、コンデンサーの変わりに、単に２枚の金属板を平行に設置しただけのものを使用することも可能であり、また、コンデンサーの変わりに、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定するようにしてもよい。また、図２６−１（１）−２に示すように、コンデンサーの変わりに、直列にスイッチ、トランジスタ、（レギュレータ、リレースイッチ、アナログスイッチ、コンパレータスイッチ、及び／又はタイマースイッチ）を介して接続された、コンデンサー、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定し、図２６−１に示すスイッチ制御装置により、スイッチ、トランジスタ、（レギュレータ、リレースイッチ、アナログスイッチ、コンパレータスイッチ、及び／又はタイマースイッチ）を切り替えて全体のコンデンサーの合成容量を設定するようにしてもよい。これにより、充電池に応じた起電力で（電圧調整を行わずとも）自動的に充電を行うことができると共に、蓄電精度を向上することができる。また、所定の起電力になった後、電力を供給する際、スイッチをＯＮにした後、コンデンサーの可変容量を所定の大きさにして（例えば、小さくし）、起電力を所定の大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）この許可電圧値の設定情報は、初期設定により行われ、又、さらに備えられた許可電圧設定情報設定手段により任意の時刻に設定を行うことができる。＜第１の所定電圧付加導通許可手段＞また、図２６−２（１）−５に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオードの変わりに、スイッチ、トランジスタを介して直列に接続された（定電圧）ダイオードを、さらに備えられた許可電圧設定部より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定手段により任意の時刻に許可電圧設定を行うことができる。尚、第３の所定電圧付加導通許可手段のコンデンサーを（定電圧）ダイオードに置き換えたものを第２の所定電圧付加導通許可手段としてもよい。＜第２の所定電圧付加導通許可手段＞また、図２６−２（１）−３，（１）−４に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）ダイオードに前及び／又は後から接続されたコンデンサーを検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すスイッチ制御装置により、単数又は複数の、スイッチ、トランジスタを介して接続された（定電圧、可変容量）ダイオード、（可変）コンデンサーを、さらに備えられた容量設定部によりスイッチを制御することにより、全体の許可電圧を調整するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電することができる。この許可電圧値の設定情報は、初期設定により行われ、又、さらに備えられた許可電圧設定情報設定手段により任意の時刻に設定を行うことができる。＜第１の所定検知電圧付加導通許可手段，第１の所定電圧付加導通許可手段＞（図26簡易説明箇所終わり）尚、図１−４及び図２１−１（図１−１、図１−２、図１−３）に示すように、本実施の形態の無燃料（電磁波、各種自然界量）蓄電システム又は装置において説明した構成が、本実施の形態の無燃料（電磁波、各種自然界量）蓄電システム又は装置の起電力無仮（一部）蓄電手段が微少電流蓄電装置２１０の仮蓄電手段（部）に対応し、無燃料（電磁波、各種自然界量）蓄電システム又は装置の（電磁波、各種自然界量）起電力無又は所定仮蓄電手段の仮蓄電手段以外の要素が微少電流蓄電装置２１０の一定電圧蓄電監視送出手段（部）に対応するようにして本実施の形態の微少電流蓄電装置２１０には含まれている。
【０２０５】
従って、本発明の実施の形態の微少電流蓄電装置によれば、所望の電圧まで仮に電力を蓄電し、一定の電圧蓄電されてから後に、充電池に蓄電するという動作を単数又は複数回繰り返して充電をする為、充電池の起電力がいかなる起電力のものであっても、微少電流を無駄なく充電池に充電することができる。
【０２０６】
本発明の無燃料蓄電システムの第５の実施の形態であり、本発明の無燃料電力増幅装置（素子）及び無燃料電力増幅方法の実施の形態について図５を用いて説明する。
【０２０７】
本発明の実施の形態の無燃料電力増幅装置（素子）５は、本発明の第１、第２、第３、及び／又は第４の実施の形態の無燃料蓄電システムの電力蓄電部に電力出力機能又はスイッチ機能を有した電力出力機能を設け、第１、第２、第３、及び／又は第４の実施の形態の無燃料蓄電システムの電力蓄電部に電力出力機能から出力される電力を出力する電力出力機能又はスイッチ機能を有した電力出力機能を設け、無燃料電力増幅装置（素子）として適用したものであり、電力蓄電部に蓄電された電力を本発明の第１、第２、第３、及び／又は第４の実施の形態の無燃料蓄電システムの電流増幅部又は入力電力への付加電力としたものである。電力蓄電部の電力出力機能としては、単なる電力出力の他、スイッチ機能を設け、電力蓄電部に所望の電力が蓄電されてから出力し、電力蓄電部の電力が所望の電力になったら出力しなくなるようにしてもよいし、この動作を単数又は複数回繰り返すようにしてもよい。また、このスイッチ機能を自動的に行うようにしてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。（図26簡易説明箇所初め）尚、図２６−１（１）−１に示すように、コンデンサーの変わりに、単に２枚の金属板を平行に設置しただけのものを使用することも可能であり、また、コンデンサーの変わりに、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定するようにしてもよい。また、図２６−１（１）−２に示すように、コンデンサーの変わりに、直列にスイッチ、トランジスタ、（レギュレータ、リレースイッチ、アナログスイッチ、コンパレータスイッチ、及び／又はタイマースイッチ）を介して接続された、コンデンサー、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定し、図２６−１に示すスイッチ制御装置により、スイッチ、トランジスタ、（レギュレータ、リレースイッチ、アナログスイッチ、コンパレータスイッチ、及び／���はタイマースイッチ）を切り替えて全体のコンデンサーの合成容量を設定するようにしてもよい。これにより、充電池に応じた起電力で（電圧調整を行わずとも）自動的に充電を行うことができると共に、蓄電精度を向上することができる。また、所定の起電力になった後、電力を供給する際、スイッチをＯＮにした後、コンデンサーの可変容量を所定の大きさにして（例えば、小さくし）、起電力を所定の大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）この許可電圧値の設定情報は、初期設定により行われ、又、さらに備えられた許可電圧設定情報設定手段により任意の時刻に設定を行うことができる。＜第１の所定電圧付加導通許可手段＞また、図２６−２（１）−５に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオードの変わりに、スイッチ、トランジスタを介して直列に接続された（定電圧）ダイオードを、さらに備えられた許可電圧設定部より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定手段により任意の時刻に許可電圧設定を行うことができる。尚、第３の所定電圧付加導通許可手段のコンデンサーを（定電圧）ダイオードに置き換えたものを第２の所定電圧付加導通許可手段としてもよい。＜第２の所定電圧付加導通許可手段＞また、図２６−２（１）−３，（１）−４に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）ダイオードに前及び／又は後から接続されたコンデンサーを検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すスイッチ制御装置により、単数又は複数の、スイッチ、トランジスタを介して接続された（定電圧、可変容量）ダイオード、（可変）コンデンサーを、さらに備えられた容量設定部によりスイッチを制御することにより、全体の許可電圧を調整するようにしてもよい（この全体での許可電圧値の設定は、第１の所定検知電圧付加導通許可手段，第１の所定電圧付加導通���可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電することができる。この許可電圧値の設定情報は、初期設定により行われ、又、さらに備えられた許可電圧設定情報設定手段により任意の時刻に設定を行うことができる。＜第１の所定検知電圧付加導通許可手段，第１の所定電圧付加導通許可手段＞（図26簡易説明箇所終わり）本発明の実施の形態の無燃料電力増幅装置（素子）５を本発明の第１、第２、第３、及び／又は第４の実施の形態の無燃料蓄電システムに無燃料電力増幅装置（素子）として適用する場合は、図２、図４に示すように各部と各部との間に、及び／又は（AND／OR）の関係で、無燃料電力増幅装置（素子）の出力を入力する。また、この構成の上に、さらに、図５に示すように、無燃料電力増幅装置（素子）５の第１、第２、第３、及び／又は第４の実施の形態の無燃料蓄電システム１、２、３、及び／又は４の各部と各部との間に、及び／又は（AND／OR）の関係で、無燃料電力増幅装置（素子）５の出力を入力するような構成を複数回繰り返すような構成（入力した無燃料電力増幅装置（素子）５に無燃料電力増幅装置（素子）５が入力されている構成が複数回繰り返された構成）としてもよい。このようにして単数又は複数回繰り返して構成された無燃料蓄電システム又は第１乃至第４の無燃料蓄電システムの蓄電部からの出力を一箇所に蓄電部に集めるような構成としてもよい。また、コンデンサーと、充電池と、コンデンサーと充電池間に設置された、コンデンサーに蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサーと電磁波整流手段とを合わせた充電池に一旦蓄電した後、蓄電した起電力に応じた充電池に充電し直す動作を単数又は複数回繰り返して充電池に充電するような構成としてもよい。このような複数回繰り返す構成とした無燃料蓄電システムの場合、無燃料で増幅した大きな電力を無燃料で蓄電することができる。（図26簡易説明箇所初め）尚、図２６−１（１）−１に示すように、コンデンサーの変わりに、単に２枚の金属板を平行に設置しただけのものを使用することも可能であり、また、コンデンサーの変わりに、可変容量コンデンサー、可変容量コンデンサー（ダイオード）を使用し、図２６−１に示すスイッチ制御装置により、可変容量コンデ��サー、可変容量コンデンサー（ダイオード）に電力を供給して可変容量コンデンサー、可変容量コンデンサー（ダイオード）の容量を設定するようにしてもよい。また、図２６−１（１）−２に示すように、コンデンサーの変わりに、直列にスイッチ、トランジスタ、（レギュレータ、リレースイッチ、アナログスイッチ、コンパレータスイッチ、及び／又はタイマースイッチ）を介して接続された、コンデンサー、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定し、図２６−１に示すスイッチ制御装置により、スイッチ、トランジスタ、（レギュレータ、リレースイッチ、アナログスイッチ、コンパレータスイッチ、及び／又はタイマースイッチ）を切り替えて全体のコンデンサーの合成容量を設定するようにしてもよい。これにより、充電池に応じた起電力で（電圧調整を行わずとも）自動的に充電を行うことができると共に、蓄電精度を向上することができる。また、所定の起電力になった後、電力を供給する際、スイッチをＯＮにした後、コンデンサーの可変容量を所定の大きさにして（例えば、小さくし）、起電力を所定の大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）この許可電圧値の設定情報は、初期設定により行われ、又、さらに備えられた許可電圧設定情報設定手段により任意の時刻に設定を行うことができる。＜第１の所定電圧付加導通許可手段＞また、図２６−２（１）−５に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオードの変わりに、スイッチ、トランジスタを介して直列に接続された（定電圧）ダイオードを、さらに備えられた許可電圧設定
部より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定手段により任意の時刻に許可電圧設定を行うことができる。尚、第３の所定電圧付加導通許可手段のコンデンサーを（定電圧）ダイオードに置き換えたものを第２の所定電圧付加導通許可手段としてもよい。＜第２の所定電圧付加導通許可手段＞また、図２６−２（１）−３，（１）−４に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）ダイオードに前及び／又は後から接続されたコンデンサーを検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すスイッチ制御装置により、単数又は複数の、スイッチ、トランジスタを介して接続された（定電圧、可変容量）ダイオード、（可変）コンデンサーを、さらに備えられた容量設定部によりスイッチを制御することにより、全体の許可電圧を調整するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電することができる。この許可電圧値の設定情報は、初期設定により行われ、又、さらに備えられた許可電圧設定情報設定手段により任意の時刻に設定を行うことができる。＜第１の所定検知電圧付加導通許可手段，第１の所定電圧付加導通許可手段＞（図26簡易説明箇所終わり）また、本発明の実施の形態の無燃料電力増幅装置（素子）５によれば、無燃料で電力を増幅することができる。尚、本発明の無燃料電力増幅装置（素子）５は、無燃料で蓄電した電力を増幅回路に使用する電力としてもよい。また、この無燃料電力増幅装置（素子）を無燃料電力蓄電システムの増幅部としてもよい。また、増幅回路までを含めて無燃料電力増幅装置（素子）としてもよい。また、このようにして構成された無燃料電力増幅装置（素子）を無燃料電力蓄電システムの増幅部としてもよい。
【０２０８】
以上の本実施の形態の無燃料蓄電システム及び方法において、本実施の形態の無燃料電磁波蓄電システム及び方法は、携帯電話、テレビ、電子レンジ等電磁波を発生させる電子機器若しくは機器等（断続的に電力を必要とする電子機器若しくは機器又は不連続な（連続的でない）所定の時間のみ（一定時間だけ）電力を必要する電子機器若しくは機器）に備えるようにすれば、無駄に放出される電磁波を無駄なく有効利用して、無燃料で蓄電することができる。尚、無燃料電磁波蓄電システム又は装置を供給先（電子機器若しくは機器）に備える際は、供給先（電子機器若しくは機器）の電源を蓄電に起電力を有する蓄電手段に変え、この蓄電手段に無燃料電磁波蓄電システム又は装置において仮蓄電された電力が蓄電されるような構成とする。及び／又は、蓄電に起電力を有する蓄電手段を備え、さらに、所定の周波数に変換された交流波に変換する交流波変換手段を備え、交流波変換手段により交流を電源とする供給先（電子機器若しくは機器）の場合は、電力を所定の周波数に変換し、供給する。尚、電源を除いて回路に電力を供給する場合は、及び／又は充電池（等の起電力を有する蓄電手段）の（を備える）かわりに、（充電池（等の起電力を有する蓄電手段）を備え、さらに、又は、充電池（等の起電力を有する蓄電手段）の（を備える）かわりに、）供給先（電子機器若しくは機器（回路））を安定的に動作させる為に必要な（安定動作)供給電圧を自動的に計測し、計測した電圧に応じて電力を供給する回路電圧自動計測供給手段を備え、回路電圧自動計測供給手段により、供給先（電子機器若しくは機器（回路））を安定的に動作させる為に必要な（安定動作)供給電圧を自動的に計測し、計測した電圧に応じて電力を供給するようにし、交流波電源の場合は、さらに、交流波変換手段を備え、交流波に変換して供給するようにしてもよい。供給先（電子機器若しくは機器）としては、断続的に電力を必要とする供給先（電子機器若しくは機器）又は不連続な（連続的でない）所定の時間のみ（一定時間だけ）電力を必要する供給先（電子機器若しくは機器）がある。
【０２０９】
また、本実施の形態の無燃料電磁波蓄電システム及び方法は、人間が身につけておくだけで、無燃料で電力を蓄電することができる。
【０２１０】
また、本実施の形態の無燃料各種自然界量蓄電システム及び方法は、プール、川等、水流の発生する場所に設置すれば、水流を利用して無燃料で蓄電することができる。
【０２１１】
また、本実施の形態の無燃料各種自然界量蓄電システム及び方法は、人間が身につけておくだけで、無燃料で電力を蓄電することができる。
【０２１２】
また、本実施の形態の無燃料電磁波蓄電システム及び方法並びに無燃料各種自然界量蓄電システム及び方法は、どこにでも置いておくだけで、無燃料で電力を蓄電することができる。
【０２１３】
また、複数の場所に設置された本実施の形態の無燃料蓄電システム及び方法を一箇所の蓄電部で蓄電するような構成及び方法としてもよい。
【０２１４】
〔実施例１〕
【０２１５】
本発明の無燃料蓄電システムの第１の実施の形態の無燃料電磁波蓄電システムの１実施例である実施例１の無燃料電磁波蓄電装置について図６を用いて説明する。
【０２１６】
本発明の第１の実施の形態の無燃料電磁波蓄電システムの実施例１の無燃料電磁波蓄電装置６の（１-1）から(１−6)は、自然の電磁波を検知して充電し、スイッチにより充電した電力を他の充電池への充電及び／又は他の電子機器若しくは機器を動かすのに利用するのに対して、（２-1）から(２−6)及び（３-1）から(３−6)は、特定の周波数に同調した自然の電磁波を検知して充電する構成となっており、（３-1）から(３−6)では、コイル状のアンテナ（1次コイルと2次コイル）を備えた構成となっている。(  -1）から(  −6)は、電磁波整流部の設置回数と設置位置による違いであり、これにより、電磁波蓄電部の構成が変化する構成となっている。このスイッチは、 CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）により、機能のコンデンサーに蓄電された電力が一定の電圧になるのを監視してON/OFFが制御される。また、スイッチとしては、スイッチ、リレースイッチ、アナログスイッチ、コンパレータスイッチ、及び／又はタイマースイッチ、並びに／若しくは、定電圧ダイオード（ツェナーダイオード）、トランジスタ、及び／又はレギュレータを使用することができる。このようにすることにより、コンデンサーと電磁波整流手段とを合わせた充電池に一旦蓄電した後、コンデンサーに蓄電された電圧が一定以上になった場合、蓄電した起電力に応じた充電池及び／又は電力の供給先（電子機器若しくは機器）に電力を充電及び／又は供給し直す直す動作を単数又は複数回繰り返して充電及び／又は供給するような構成とすることができる。尚、以上において、無燃料電磁波蓄電システム又は装置の供給先（電子機器若しくは機器）は、供給先（電子機器若しくは機器）の電源を起電力を有する蓄電手段に変え、この蓄電手段に無燃料電磁波蓄電システム又は装置において仮蓄電された電力が蓄電される。交流を電源とする供給先（電子機器若しくは機器）の場合は、電力を所定の周波数に変換し、供給する。尚、電源を除いて回路に電力を供給する場合は、及び／又は充電池（等の起電力を有する蓄電手段）の（を備える）かわりに、（充電池（等の起電力を有する蓄電手段）を備え、さらに、又は、充電池（等の起電力を有する蓄電手段）の（を備える）かわりに、）供給先（電子機器若しくは機器（回路））を安定的に動作させる為に必要な（安定動作)供給電圧を自動的に計測し、計測した電圧に応じて電力を供給する回路電圧自動計測供給手段を備え、回路電圧自動計測供給手段により、供給先（電子機器若しくは機器（回路））を安定的に動作させる為に必要な（安定動作)供給電圧を自動的に計測し、計測した電圧に応じて電力を供給するようにし、交流波電源の場合は、さらに、交流波変換手段を備え、交流波に変換して供給するようにしてもよい。供給先（電子機器若しくは機器）としては、断続的に電力を必要とする供給先（電子機器若しくは機器）又は不連続な（連続的でない）所定の時間のみ（一定時間だけ）電力を必要する供給先（電子機器若しくは機器）がある。尚、以上において、無燃料電磁波蓄電システム又は装置の供給先（電子機器��しくは機器）は、供給先（電子機器若しくは機器）の電源を蓄電に起電力を有する蓄電手段に変え、この蓄電手段に無燃料電磁波蓄電システム又は装置において仮蓄電された電力が蓄電される。交流を電源とする供給先（電子機器若しくは機器）の場合は、及び／又は、蓄電に起電力を有する蓄電手段を備え、さらに、所定の周波数に変換された交流波に変換する交流波変換手段を備え、交流波変換手段により電力を所定の周波数に変換し、供給する。尚、電源を除いて回路に電力を供給する場合は、及び／又は充電池（等の起電力を有する蓄電手段）の（を備える）かわりに、（充電池（等の起電力を有する蓄電手段）を備え、さらに、又は、充電池（等の起電力を有する蓄電手段）の（を備える）かわりに、）供給先（電子機器若しくは機器（回路））を安定的に動作させる為に必要な（安定動作)供給電圧を自動的に計測し、計測した電圧に応じて電力を供給する回路電圧自動計測供給手段を備え、回路電圧自動計測供給手段により、供給先（電子機器若しくは機器（回路））を安定的に動作させる為に必要な（安定動作)供給電圧を自動的に計測し、計測した電圧に応じて電力を供給するようにし、交流波電源の場合は、さらに、交流波変換手段を備え、交流波に変換して供給するようにしてもよい。供給先（電子機器若しくは機器）としては、断続的に電力を必要とする供給先（電子機器若しくは機器）又は不連続な（連続的でない）所定の時間のみ（一定時間だけ）電力を必要する供給先（電子機器若しくは機器）がある。（図26簡易説明箇所初め）尚、図２６−１（１）−１に示すように、コンデンサーの変わりに、単に２枚の金属板を平行に設置しただけのものを使用することも可能であり、また、コンデンサーの変わりに、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定するようにしてもよい。また、図２６−１（１）−２に示すように、コンデンサーの変わりに、直列にスイッチ、トランジスタ、（レギュレータ、リレースイッチ、アナログスイッチ、コンパレータスイッチ、及び／又はタイマースイッチ）を介して接続された、コンデンサー、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定し、図２６−１に示すスイッチ制御装置により、スイッチ、トランジスタ、（レギュレータ、リレースイッチ、アナログスイッチ、コンパレータスイッチ、及び／又はタイマースイッチ）を切り替えて全体のコンデンサーの合成容量を設定するようにしてもよい。これにより、充電池に応じた起電力で（電圧調整を行わずとも）自動的に充電を行うことができると共に、蓄電精度を向上することができる。また、所定の起電力になった後、電力を供給する際、スイッチをＯＮにした後、コンデンサーの可変容量を所定の大きさにして（例えば、小さくし）、起電力を所定���大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）この許可電圧値の設定情報は、初期設定により行われ、又、さらに備えられた許可電圧設定情報設定手段により任意の時刻に設定を行うことができる。＜第１の所定電圧付加導通許可手段＞また、図２６−２（１）−５に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオードの変わりに、スイッチ、トランジスタを介して直列に接続された（定電圧）ダイオードを、さらに備えられた許可電圧設定部より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定手段により任意の時刻に許可電圧設定を行うことができる。尚、第３の所定電圧付加導通許可手段のコンデンサーを（定電圧）ダイオードに置き換えたものを第２の所定電圧付加導通許可手段としてもよい。＜第２の所定電圧付加導通許可手段＞また、図２６−２（１）−３，（１）−４に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）ダイオードに前及び／又は後から接続されたコンデンサーを検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すスイッチ制御装置により、単数又は複数の、スイッチ、トランジスタを介して接続された（定電圧、可変容量）ダイオード、（可変）コンデンサーを、さらに備えられた容量設定部によりスイッチを制御することにより、全体の許可電圧を調整するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電���波を所望の電圧値で蓄電することができる。この許可電圧値の設定情報は、初期設定により行われ、又、さらに備えられた許可電圧設定情報設定手段により任意の時刻に設定を行うことができる。＜第１の所定検知電圧付加導通許可手段，第１の所定電圧付加導通許可手段＞（図26簡易説明箇所終わり）
【０２１７】
（実施例１（１-1））
【０２１８】
本発明の第１の実施の形態の無燃料電磁波蓄電システムの実施例１（１-1）の無燃料電磁波蓄電装置６の形態の構成について図６（１-1）を用いて説明する。
【０２１９】
本実施例１（１-1）の無燃料電磁波蓄電装置６（１-1）は、自然の電磁波を検知する電磁波検知部としてのアンテナ６１（１-1）と、電磁波検知部としてのアンテナ６１（１-1）により検知された電磁波を整流する電磁波整流部としてのダイオード６２（１-1）と、電磁波整流部としてのダイオード６２（１-1）により整流された電磁波を蓄電する電磁波蓄電部としてのコンデンサー６３（１-1）と、電磁波蓄電部としてのコンデンサー６３（１-1）に蓄電された電磁波を他の充電池への充電及び／又は他の電子機器若しくは機器を動かすのに利用する切り替えする為の切替部としてのスイッチ６４（１-1）a、６４（１-1）bと、他の動作用の切替端子部として端子６５（１-1）a、６５（１-1）bから構成されている。
【０２２０】
次に、本発明の第１の実施の形態の無燃料電磁波蓄電システムの実施例１（１-1）の無燃料電磁波蓄電装置６の動作及び本発明の無燃料蓄電方法の第１の実施の形態の無燃料電磁波蓄電方法の１実施例である実施例１（１-1）の無燃料電磁波蓄電方法であり、本発明の第１の実施の形態の無燃料電磁波蓄電システムの実施例１（１-1）の無燃料電磁波蓄電装置６の無燃料電磁波蓄電方法について説明する。
【０２２１】
電磁波検知部としてのアンテナ６１（１-1）は電磁波を検知する。電磁波整流部としてのダイオード６２（１-1）は、電磁波検知部としてのアンテナ６１（１-1）により検知された電磁波を整流する。電磁波蓄電部としてのコンデンサー６３（１-1）は、電磁波検知部としてのアンテナ６１（１-1）により整流された電磁波を蓄電する。切替部としてのスイッチ６４（１-1）a、６４（１-1）bにより、電磁波蓄電部としてのコンデンサー６３（１-1）に充電された電力が他の充電池への充電及び／又は他の電子機器若しくは機器を動かすのに利用される。
【０２２２】
以上のように、本発明の第１の実施の形態の無燃料電磁波蓄電システムの実施例１（１-1）の無燃料電磁波蓄電装置６によれば、自然に存在する電磁波から電力を無燃料で蓄電することができる。
【０２２３】
尚、以上の本発明の第１の実施の形態の無燃料電磁波蓄電システムの実施例１（１-1）の無燃料電磁波蓄電装置６において、電磁波蓄電部６６（１-1）として、コンデンサー６３（１-1）とダイオード６２（１-1）を含んだものを電磁波蓄電部６６（１-1）としてもよい。また、以上の本発明の第１の実施の形態の無燃料電磁波蓄電システムの実施例１（１-1）の無燃料電磁波蓄電装置６において、電磁波蓄電部６６（１-1）内部にダイオードを備えるようにしてもよい。この場合、蓄電された電磁波を他の充電池への充電及び／又は他の電子機器若しくは機器を動かすのに利用する切り替え中の際、コンデンサー６３（１-1）からの放電を防ぐことができる。また、以上の第１の本発明の実施の形態の無燃料電磁波蓄電システムの実施例１（１-1）の無燃料電磁波蓄電装置６において、スイッチ６４（１-1）a、６４（１-1）bを設けずに、コンデンサー６３（１-1）に所望の電力が蓄電され、所望の起電力を有するようになった後、他の充電池（及び／又は他の電子機器若しくは機器）をダイオード６２（１-1）とコンデンサー６３（１-1）との間からコンデンサー６３（１-1）を含む間に並列に接続するようにし、コンデンサー内から充電池（及び／又は他の電子機器若しくは機器）への充電（及び／又は電力供給）が終わった後、並列接続を解除しという動作を単数又は複数回繰り返し、他の充電池（及び／又は他の電子機器若しくは機器）に電力を充電（及び／又は供給）させるような構成としてもよい。以上において説明したような充電の構成としたので、微少電流を放電させることなく充電することができる。
【０２２４】
（実施例１（１-2））
【０２２５】
本発明の無燃料蓄電システムの第１の実施の形態の無燃料電磁波蓄電システムの１実施例である実施例１（１-2）の無燃料電磁波蓄電装置６の形態の構成について図６（１-2）を用いて説明する。
【０２２６】
本発明の第１の実施の形態の無燃料電磁波蓄電システムの実施例１（１-2）の無燃料電磁波蓄電装置６の形態の構成は、実施例１（１-1）の構成にさらに、電磁波整流部としてのダイオードが１つ追加され、電磁波蓄電部としてのコンデンサーの両極が電磁波整流部としてのダイオードで挟まれた構成となっており、電磁波蓄電部としてのコンデンサーへの充電中にさらに放電がしにくい構成となっている。
【０２２７】
本実施例１（１-2）の無燃料電磁波蓄電装置６（１-2）は、自然の電磁波を検知する電磁波検知部としてのアンテナ６１（１-2）と、電磁波検知部としてのアンテナ６１（１-2）により検知された電磁波を整流する電磁波整流部としてのダイオード６２（１-2）aと、電磁波整流部としてのダイオード６２（１-2）aにより整流された電磁波を蓄電する電磁波蓄電部としてのコンデンサー６３（１-2）と、電磁波蓄電部としてのコンデンサー６３（１-2）に蓄電された電力の放電を妨げる為に、電磁波整流部としてのダイオード６２（１-2）aとで電磁波蓄電部としてのコンデンサー６３（１-2）を挟んで設置された電磁波整流部としてのダイオード６２（１-2）bと、電磁波蓄電部としてのコンデンサー６３（１-2）に蓄電された電磁波を他の充電池への充電及び／又は他の電子機器若しくは機器を動かすのに利用する切り替えする為の切替部としてのスイッチ６４（１-2）a、６４（１-2）bと、他の動作用の切替端子部として端子６５（１-2）a、６５（１-2）bから構成されている。
【０２２８】
次に、本発明の第１の実施の形態の無燃料電磁波蓄電システムの実施例１（１-2）の無燃料電磁波蓄電装置６の動作及び本発明の無燃料蓄電方法の第１の実施の形態の無燃料電磁波蓄電方法の１実施例である実施例１（１-2）の無燃料電磁波蓄電方法であり、本発明の第１の実施の形態の無燃料電磁波蓄電システムの実施例１（１-2）の無燃料電磁波蓄電装置６の無燃料電磁波蓄電方法について説明する。
【０２２９】
電磁波検知部としてのアンテナ６１（１-2）は電磁波を検知する。電磁波整流部としてのダイオード６２（１-2）aは、電磁波検知部としてのアンテナ６１（１-2）により検知された電磁波を整流する。電磁波整流部としてのダイオード６２（１-2）a，６２（１-2）bは、電磁波蓄電部としてのコンデンサー６３（１-2）に蓄電された電力の放電を妨げる。電磁波検知部としてのアンテナ６１（１-2）bにより検知された電磁波を整流する。電磁波蓄電部としてのコンデンサー６３（１-2）は、電磁波検知部としてのアンテナ６１（１-2）により整流された電磁波を蓄電する。切替部としてのスイッチ６４（１-2）a、６４（１-2）bにより、電磁波蓄電部としてのコンデンサー６３（１-2）に充電された電力が他の充電池への充電及び／又は他の電子機器若しくは機器を動かすのに利用される。
【０２３０】
以上のように、本発明の第１の実施の形態の無燃料電磁波蓄電システムの実施例１（１-2）の無燃料電磁波蓄電装置６によれば、自然に存在する電磁波から電力を無燃料で蓄電することができる。
【０２３１】
また、本発明の第１の実施の形態の無燃料電磁波蓄電システムの実施例１（１-2）の無燃料電磁波蓄電装置６によれば、電磁波蓄電部としてのコンデンサーの両極が電磁波整流部としてのダイオードで挟まれた構成となっており、電磁波蓄電部としてのコンデンサーへの充電中にさらに放電がしにくくすることができ、蓄電効率が上昇する。
【０２３２】
尚、以上の本発明の第１の実施の形態の無燃料電磁波蓄電システムの実施例１（１-2）の無燃料電磁波蓄電装置６において、電磁波蓄電部６６（１-2）として、コンデンサー６３（１-2）とダイオード６２（１-2）を含んだものを電磁波蓄電部６６（１-2）としてもよい。また、以上の本発明の第１の実施の形態の無燃料蓄電システムの実施例１（１-2）の無燃料電磁波蓄電装置６において、電磁波蓄電部６６（１-2）内部にダイオードを備えるようにしてもよい。この場合、蓄電された電磁波を他の充電池への充電及び／又は他の電子機器若しくは機器を動かすのに利用する切り替え中の際、コンデンサー６３（１-2）からの放電を防ぐことができる。また、以上の本発明の実施の形態の無燃料蓄電システムの実施例１（１-2）の無燃料電磁波蓄電装置６において、スイッチ６４（１-2）a、６４（１-2）bを設けずに、コンデンサー６３（１-2）に所望の電力が蓄電され、所望の起電力を有するようになった後、他の充電池をダイオード６２（１-2）aとコンデンサー６３（１-2）との間からコンデンサー６３（１-2）とダイオード６２（１-2）bまでを含む間に並列に接続するようにし、コンデンサー内から充電池（及び／又は他の電子機器若しくは機器）への充電（及び／又は電力供給）が終わった後、並列接続を解除しという動作を単数又は複数回繰り返し、他の充電池（及び／又は他の電子機器若しくは機器）に電力を充電（及び／又は供給）させるような構成としてもよい。以上において説明したような充電の構成としたので、微少電流を放電させることなく充電することができる。
【０２３３】
（実施例１（１-3））
【０２３４】
本発明の無燃料蓄電システムの第１の実施の形態の無燃料電磁波蓄電システムの１実施例である実施例１（１-3）の無燃料電磁波蓄電装置６の実施の形態の構成について図６（１-3）を用いて説明する。
【０２３５】
本発明の第１の実施の形態の無燃料電磁波蓄電システムの実施例１（１-3）の無燃料電磁波蓄電装置６の実施の形態の構成は、実施例１（１-1）の構成において、電磁波蓄電部として、電磁波整流部としてのダイオードと電磁波蓄電部としてのコンデンサーとを合わせた構成となっており、電磁波蓄電部としてのコンデンサーに蓄電された電磁波を他の充電池への充電及び／又は他の電子機器若しくは機器を動かすのに利用する切り替え中の際の、電磁波蓄電部としてのコンデンサーに蓄電された電磁波の放電を妨げる構成となっており、電磁波整流部としてのダイオードは電磁波整流部としての機能と、電磁波蓄電部の一部としての機能を兼ねている。
【０２３６】
本実施例１（１-3）の無燃料電磁波蓄電装置６（１-3）は、自然の電磁波を検知する電磁波検知部としてのアンテナ６１（１-3）と、電磁波検知部としてのアンテナ６１（１-3）により検知された電磁波を整流する電磁波整流部としてのダイオード６２（１-3）と、電磁波整流部としてのダイオード６２（１-3）により整流された電磁波を蓄電する電磁波蓄電部としての、電磁波を整流する電磁波整流部としてのダイオード６２（１-3）とコンデンサー６３（１-3）とを合わせた電磁波蓄電部と、電磁波蓄電部としてのコンデンサー６３（１-3）に蓄電された電磁波を他の充電池への充電及び／又は他の電子機器若しくは機器を動かすのに利用する切り替えする為の切替部としてのスイッチ６４（１-3）a、６４（１-3）bと、他の動作用の切替端子部として端子６５（１-3）a、６５（１-3）bから構成されている。電磁波蓄電部は、切替部としてのスイッチ６４（１-3）a、６４（１-3）bとに挟まれた構成となっている。
【０２３７】
次に、本発明の第１の実施の形態の無燃料電磁波蓄電システムの実施例１（１-3）の無燃料電磁波蓄電装置６の動作及び本発明の無燃料蓄電方法の第１の実施の形態の無燃料電磁波蓄電方法の１実施例である実施例１（１-3）の無燃料電磁波蓄電方法であり、本発明の第１の実施の形態の無燃料電磁波蓄電システムの実施例１（１-3）の無燃料電磁波蓄電装置６の無燃料電磁波蓄電方法について説明する。
【０２３８】
電磁波検知部としてのアンテナ６１（１-3）は電磁波を検知する。電磁波整流部としてのダイオード６２（１-3）は、電磁波検知部としてのアンテナ６１（１-3）により検知された電磁波を整流する。電磁波蓄電部としてのコンデンサー６３（１-3）は、電磁波検知部としてのアンテナ６１（１-3）により整流された電磁波を蓄電する。切替部としてのスイッチ６４（１-3）a、６４（１-3）bにより、電磁波蓄電部としてのコンデンサー６３（１-3）に充電された電力が他の充電池への充電及び／又は他の電子機器若しくは機器を動かすのに利用される。
【０２３９】
以上のように、本発明の第１の実施の形態の無燃料電磁波蓄電システムの実施例１（１-3）の無燃料電磁波蓄電装置６によれば、自然に存在する電磁波から電力を無燃料で蓄電することができる。
【０２４０】
また、本発明の第１の実施の形態の無燃料電磁波蓄電システムの実施例１（１-3）の無燃料電磁波蓄電装置６によれば、電磁波蓄電部として、電磁波整流部としてのダイオード６２（１-3）と電磁波蓄電部としてのコンデンサー６３（１-3）とを合わせた構成となっており、電磁波蓄電部としてのコンデンサー６３（１-3）に蓄電された電磁波を他の充電池への充電及び／又は他の電子機器若しくは機器を動かすのに利用する切り替えの際の、電磁波蓄電部としてのコンデンサー６３（１-3）に蓄電された電磁波の放電を妨げる構成となっており、電磁波蓄電部としてのコンデンサー６３（１-3）に蓄電された電磁波を他の充電池への充電及び／又は他の電子機器若しくは機器を動かすのに利用する切り替え中の際にさらに放電がしにくくすることができ、蓄電効率が上昇する。
【０２４１】
尚、本発明の第１の実施の形態の無燃料電磁波蓄電システムの実施例１（１-3）の無燃料電磁波蓄電装置６において、他の充電池への充電及び／又は他の電子機器若しくは機器を動かすのに利用する際、端子６５（１-3）aは、ダイオード６２（１-3）とコンデンサー６３（１-3）との間に接続するような構成としてもよい。また、スイッチ６４（１-3）a、６４（１-3）bを設けずに、コンデンサー６３（１-3）に所望の電力が蓄電され、所望の起電力を有するようになった後、他の充電池をダイオード６２（１-3）とコンデンサー６３（１-3）との間からコンデンサー６３（１-3）までを含む間に並列に接続するようにし、コンデンサー内から充電池（及び／又は他の電子機器若しくは機器）への充電（及び／又は電力供給）が終わった後、並列接続を解除しという動作を単数又は複数回繰り返し、他の充電池（及び／又は他の電子機器若しくは機器）に電力を充電（及び／又は供給）させるような構成としてもよい。以上において説明したような充電の構成としたので、微少電流を放電させることなく充電することができる。
【０２４２】
（実施例１（１-4））
【０２４３】
本発明の無燃料蓄電システムの第１の実施の形態の無燃料電磁波蓄電システムの実施例１（１-4）の無燃料電磁波蓄電装置６の形態の構成について図６（１-4）を用いて説明する。
【０２４４】
本発明の第１の実施の形態の無燃料電磁波蓄電システムの実施例１（１-4）の無燃料電磁波蓄電装置６の形態の構成は、実施例１（１-3）の構成において、電磁波蓄電部として、電磁波整流部としてのダイオードと電磁波蓄電部としてのコンデンサーとを合わせた構成となっており、電磁波整流部としてのダイオード２つが電磁波蓄電部としてのコンデンサーとを挟んだ構成となっており、電磁波蓄電部としてのコンデンサーに蓄電された電磁波を他の充電池への充電及び／又は他の電子機器若しくは機器を動かすのに利用する切り替え中の際の、電磁波蓄電部としてのコンデンサーに蓄電された電磁波の放電を妨げる構成となっており、電磁波整流部としてのダイオードは電磁波整流部としての機能と、電磁波蓄電部の一部としての機能を兼ねている。
【０２４５】
本実施例１（１-4）の無燃料電磁波蓄電装置６（１-4）は、自然の電磁波を検知する電磁波検知部としてのアンテナ６１（１-4）と、電磁波検知部としてのアンテナ６１（１-4）により検知された電磁波を整流する電磁波整流部としてのダイオード６２（１-4）aと、電磁波整流部としてのダイオード６２（１-4）aにより整流された電磁波を蓄電する電磁波蓄電部としての、電磁波を整流する電磁波整流部としてのダイオード６２（１-4）aとコンデンサー６３（１-4）とコンデンサー６３（１-4）に蓄電された電力の放電を妨げる為のダイオード６２（１-4）ｂを合わせた電磁波蓄電部と、電磁波蓄電部としてのコンデンサー６３（１-4）に蓄電された電磁波を他の充電池への充電及び／又は他の電子機器若しくは機器を動かすのに利用する切り替えする為の切替部としてのスイッチ６４（１-4）a、６４（１-4）bと、他の動作用の切替端子部として端子６５（１-4）a、６５（１-4）bから構成されている。電磁波蓄電部は、切替部としてのスイッチ６４（１-4）a、６４（１-4）bとに挟まれた構成となっている。
【０２４６】
次に、本発明の第１の実施の形態の無燃料電磁波蓄電システムの実施例１（１-4）の無燃料電磁波蓄電装置６の動作及び本発明の無燃料蓄電方法の第１の実施の形態の無燃料電磁波蓄電方法の１実施例である実施例１（１-4）の無燃料電磁波蓄電方法であり、本発明の第１の実施の形態の無燃料電磁波蓄電システムの実施例１（１-4）の無燃料電磁波蓄電装置６の無燃料蓄電方法について説明する。
【０２４７】
電磁波検知部としてのアンテナ６１（１-4）は電磁波を検知する。電磁波整流部としてのダイオード６２（１-4）aは、電磁波検知部としてのアンテナ６１（１-4）により検知された電磁波を整流する。電磁波蓄電部としてのコンデンサー６３（１-4）は、電磁波検知部としてのアンテナ６１（１-4）により整流された電磁波を蓄電する。切替部としてのスイッチ６４（１-4）a、６４（１-4）bにより、電磁波蓄電部としてのコンデンサー６３（１-4）に充電された電力が他の充電池への充電及び／又は他の電子機器若しくは機器を動かすのに利用される。電磁波蓄電部としてのコンデンサー６３（１-4）を挟んだ電磁波整流部としてのダイオード６２（１-4）aとコンデンサー６３（１-4）に蓄電された電力の放電を妨げる為のダイオード６２（１-4）ｂは、電磁波蓄電部としてのコンデンサー６３（１-4）に蓄電された電磁波を他の充電池への充電及び／又は他の電子機器若しくは機器を動かすのに利用する切り替え中の際の、電磁波蓄電部としてのコンデンサー６３（１-4）に蓄電された電磁波の放電を妨げる。
【０２４８】
以上のように、本発明の第１の実施の形態の無燃料電磁波蓄電システムの実施例１（１-4）の無燃料電磁波蓄電装置６によれば、自然に存在する電磁波から電力を無燃料で蓄電することができる。
【０２４９】
また、本発明の第１の実施の形態の無燃料電磁波蓄電システムの実施例１（１-4）の無燃料電磁波蓄電装置６によれば、電磁波蓄電部として、電磁波整流部としてのダイオード６２（１-4）aと電磁波蓄電部としてのコンデンサー６３（１-4）とコンデンサー６３（１-4）に蓄電された電力の放電を妨げる為のダイオード６２（１-4）ｂを合わせた構成となっており、電磁波蓄電部としてのコンデンサー６３（１-4）に蓄電された電磁波を他の充電池への充電及び／又は他の電子機器若しくは機器を動かすのに利用する切り替え中の際の、電磁波蓄電部としてのコンデンサー６３（１-4）に蓄電された電磁波の放電を妨げる構成となっており、電磁波蓄電部としてのコンデンサー１４に蓄電された電磁波を他の充電池への充電及び／又は他の電子機器若しくは機器を動かすのに利用する切り替え中の際にさらに放電がしにくくすることができ、蓄電効率が上昇する。
【０２５０】
尚、本発明の第１の実施の形態の無燃料電磁波蓄電システムの実施例１（１-4）の無燃料電磁波蓄電装置６において、他の充電池への充電及び／又は他の電子機器若しくは機器を動かすのに利用する際、端子６５（１-4）aは、ダイオード６２（１-4）aとコンデンサー６３（１-4）との間に接続し、端子６５（１-4）bは、コンデンサー６３（１-4）とダイオード６２（１-4）bとの間に接続し、コンデンサー６３（１-4）に対して並列に接続するような構成としてもよい。また、スイッチ６４（１-4）a、６４（１-4）bを設けずに、コンデンサー６３（１-4）に所望の電力が蓄電され、所望の起電力を有するようになった後、他の充電池をダイオード６２（１-4）aとコンデンサー６３（１-4）との間からコンデンサー６３（１-4）とダイオード６２（１-4）bとの間にコンデンサー６３（１-4）を含む間に並列に接続するようにし、コンデンサー内から充電池（及び／又は他の電子機器若しくは機器）への充電（及び／又は電力供給）が終わった後、並列接続を解除しという動作を単数又は複数回繰り返し、他の充電池（及び／又は他の電子機器若しくは機器）に電力を充電（及び／又は供給）させるような構成としてもよい。以上において説明したような充電の構成としたので、微少電流を放電させることなく充電することができる。
【０２５１】
（実施例１（１-5））
【０２５２】
本発明の無燃料蓄電システムの第１の実施の形態の無燃料電磁波蓄電システムの実施例１（１-5）の無燃料電磁波蓄電装置６の形態の構成について図６（１-5）を用いて説明する。
【０２５３】
本発明の第１の実施の形態の無燃料電磁波蓄電システムの実施例１（１-5）の無燃料電磁波蓄電装置６の形態の構成は、実施例１（１-4）の構成において、電磁波蓄電部が切替部としてのスイッチ６４（１-5）a、６４（１-5）bとにより挟まれていない側の電磁波検知部としてのアンテナ６１（１-5）側に、電磁波整流部としてのダイオード６２（１-5）cをさらに設置し、電磁波蓄電部としてのコンデンサー６３（１-5）に蓄電された電磁波を他の充電池への充電及び／又は他の電子機器若しくは機器を動かすのに利用する切り替え中の際の、電磁波検知部としてのアンテナ６１（１-5）が受信する、整流されていない電磁波による電磁場の乱れを整える構成となっている。
【０２５４】
本実施例１（１-5）の無燃料電磁波蓄電装置６（１-5）は、自然の電磁波を検知する電磁波検知部としてのアンテナ６１（１-5）と、電磁波検知部としてのアンテナ６１（１-5）により検知された電磁波を整流する電磁波整流部としてのダイオード６２（１-5）c，６２（１-5）aと、電磁波整流部としてのダイオード６２（１-5）c，６２（１-5）aにより整流された電磁波を蓄電する電磁波蓄電部としての、電磁波を整流する電磁波整流部としてのダイオード６２（１-5）aとコンデンサー６３（１-5）とコンデンサー６３（１-5）に蓄電された電力の放電を妨げる為のダイオード６２（１-5）ｂを合わせた電磁波蓄電部と、電磁波蓄電部としてのコンデンサー６３（１-5）に蓄電された電磁波を他の充電池への充電及び／又は他の電子機器若しくは機器を動かすのに利用する切り替えする為の切替部としてのスイッチ６４（１-5）a、６４（１-5）bと、他の動作用の切替端子部として端子６５（１-5）a、６５（１-5）bから構成されている。電磁波蓄電部は、切替部としてのスイッチ６４（１-5）a、６４（１-5）bとに挟まれた構成となっている。
【０２５５】
次に、本発明の第１の実施の形態の無燃料電磁波蓄電システムの実施例１（１-5）の無燃料電磁波蓄電装置６の動作及び本発明の無燃料蓄電方法の第１の実施の形態の無燃料電磁波蓄電方法の１実施例である実施例１（１-5）の無燃料電磁波蓄電方法であり、本発明の第１の実施の形態の無燃料電磁波蓄電システムの実施例１（１-5）の無燃料電磁波蓄電装置６の無燃料電磁波蓄電方法について説明する。
【０２５６】
電磁波検知部としてのアンテナ６１（１-5）は電磁波を検知する。電磁波整流部としてのダイオード６２（１-5）cは、電磁波検知部としてのアンテナ６１（１-5）により検知された電磁波を整流する。電磁波蓄電部としてのコンデンサー６３（１-5）は、電磁波検知部としてのアンテナ６１（１-5）により検知され、電磁波整流部としてのダイオード６２（１-5）c，６２（１-5）aにより整流された電磁波を蓄電する。切替部としてのスイッチ６４（１-5）a、６４（１-5）bにより、電磁波蓄電部としてのコンデンサー６３（１-5）に充電された電力が他の充電池への充電及び／又は他の電子機器若しくは機器を動かすのに利用される。電磁波蓄電部としてのコンデンサー６３（１-5）を挟んだ電磁波整流部としてのダイオード６２（１-5）aとコンデンサー６３（１-5）に蓄電された電力の放電を妨げる為のダイオード６２（１-5）ｂは、電磁波蓄電部としてのコンデンサー６３（１-5）に蓄電された電磁波を他の充電池への充電及び／又は他の電子機器若しくは機器を動かすのに利用する切り替え中の際の、電磁波蓄電部としてのコンデンサー６３（１-5）に蓄電された電磁波の放電を妨げる。電磁波整流部としてのダイオード６２（１-5）cは、電磁波蓄電部としてのコンデンサー１４に蓄電された電磁波を他の充電池への充電及び／又は他の電子機器若しくは機器を動かすのに利用する切り替え中の際の、電磁波検知部としてのアンテナ６１（１-5）が受信する、整流されていない電磁波による電磁場の乱れを整え、電磁場の乱れを整える。
【０２５７】
以上のように、本発明の第１の実施の形態の無燃料電磁波蓄電システムの実施例１（１-5）の無燃料電磁波蓄電装置６によれば、自然に存在する電磁波から電力を無燃料で蓄電することができる。
【０２５８】
また、本発明の第１の実施の形態の無燃料電磁波蓄電システムの実施例１（１-5）の無燃料電磁波蓄電装置６によれば、電磁波蓄電部として、電磁波整流部としてのダイオード６２（１-5）aと電磁波蓄電部としてのコンデンサー６３（１-5）とコンデンサー６３（１-5）に蓄電された電力の放電を妨げる為のダイオード６２（１-5）ｂを合わせた構成となっており、電磁波蓄電部としてのコンデンサー６３（１-5）に蓄電された電磁波を他の充電池への充電及び／又は他の電子機器若しくは機器を動かすのに利用する切り替え中の際の、電磁波蓄電部としてのコンデンサー６３（１-5）に蓄電された電磁波の放電を妨げる構成となっており、電磁波蓄電部としてのコンデンサー６３（１-5）に蓄電された電磁波を他の充電池への充電及び／又は他の電子機器若しくは機器を動かすのに利用する切り替え中の際にさらに放電がしにくくすることができ、蓄電効率が上昇する。
【０２５９】
また、本発明の第１の実施の形態の無燃料電磁波蓄電システムの実施例１（１-5）の無燃料電磁波蓄電装置６によれば、電磁波蓄電部が切替部としてのスイッチ６４（１-5）a、６４（１-5）bとにより挟まれていない側の電磁波検知部としてのアンテナ６１（１-5）側に、電磁波整流部としてのダイオード６２（１-5）cをさらに設置し、電磁波蓄電部としてのコンデンサー６３（１-5）に蓄電された電磁波を他の充電池への充電及び／又は他の電子機器若しくは機器を動かすのに利用する切り替え中の際の、電磁波検知部としてのアンテナ６１（１-5）が受信する、整流されていない電磁波による電磁場の乱れを整えることができ、電磁場の乱れを整えることができる。
【０２６０】
尚、本発明の第１の実施の形態の無燃料電磁波蓄電システムの実施例１（１-5）の無燃料電磁波蓄電装置６において、他の充電池への充電及び／又は他の電子機器若しくは機器を動かすのに利用する際、端子６５（１-5）aは、ダイオード６２（１-5）aとコンデンサー６３（１-5）との間に接続し、端子６５（１-5）bは、コンデンサー６３（１-5）とダイオード６２（１-5）bとの間に接続し、コンデンサー６３（１-5）に対して並列に接続するような構成としてもよい。また、スイッチ６４（１-5）a、６４（１-5）bを設けずに、コンデンサー６３（１-5）に所望の電力が蓄電され、所望の起電力を有するようになった後、他の充電池をダイオード６２（１-5）aとコンデンサー６３（１-5）との間からコンデンサー６３（１-5）とダイオード６２（１-5）bとの間にコンデンサー６３（１-5）を含む間に並列に接続するようにし、コンデンサー内から充電池（及び／又は他の電子機器若しくは機器）への充電（及び／又は電力供給）が終わった後、並列接続を解除しという動作を単数又は複数回繰り返し、他の充電池（及び／又は他の電子機器若しくは機器）に電力を充電（及び／又は供給）させるような構成としてもよい。以上において説明したような充電の構成としたので、微少電流を放電させることなく充電することができる。
【０２６１】
（実施例１（１-6））
【０２６２】
本発明の無燃料蓄電システムの第１の実施の形態の無燃料電磁波蓄電システムの実施例１（１-6）の無燃料電磁波蓄電装置６の形態の構成について図６（１-6）を用いて説明する。
【０２６３】
本発明の第１の実施の形態の無燃料電磁波蓄電システムの実施例１（１-6）の無燃料電磁波蓄電装置６の形態の構成は、実施例１（１-5）の構成において、電磁波蓄電部が切替部としてのスイッチ６４（１-6）a、６４（１-6）bとにより挟まれていない側の電磁波検知部としてのアンテナ６１（１-6）側でない導線側に、電磁波整流部としてのダイオード６２（１-6）dをさらに設置し、電磁波蓄電部としてのコンデンサー６３（１-6）に蓄電された電磁波を他の充電池への充電及び／又は他の電子機器若しくは機器を動かすのに利用する切り替え中の際の、電磁波検知部としてのアンテナ６１（１-6）が受信する、整流されていない電磁波による電磁場の乱れを整える構成となっている。
【０２６４】
本実施例１（１-6）の無燃料電磁波蓄電装置６（１-6）は、自然の電磁波を検知する電磁波検知部としてのアンテナ６１（１-6）と、電磁波検知部としてのアンテナ６１（１-6）により検知された電磁波を整流する電磁波整流部としてのダイオード６２（１-6）c，６２（１-6）aと、電磁波整流部としてのダイオード６２（１-6）c，６２（１-6）aにより整流された電磁波を蓄電する電磁波蓄電部としての、電磁波を整流する電磁波整流部としてのダイオード６２（１-6）aとコンデンサー６３（１-6）とコンデンサー６３（１-6）に蓄電された電力の放電を妨げる為のダイオード６２（１-6）ｂを合わせた電磁波蓄電部と、電磁波蓄電部としてのコンデンサー６３（１-6）に蓄電された電磁波を他の充電池への充電及び／又は他の電子機器若しくは機器を動かすのに利用する切り替えする為の切替部としてのスイッチ６４（１-6）a、６４（１-6）bと、他の動作用の切替端子部として端子６５（１-6）a、６５（１-6）bから構成されている。電磁波蓄電部は、切替部としてのスイッチ６４（１-6）a、６４（１-6）bとに挟まれた構成となっている。
【０２６５】
次に、本発明の第１の実施の形態の無燃料電磁波蓄電システムの実施例１（１-6）の無燃料電磁波蓄電装置６の動作及び本発明の無燃料蓄電方法の第１の実施の形態の無燃料電磁波蓄電方法の１実施例である実施例１（１-6）の無燃料電磁波蓄電方法であり、本発明の第１の実施の形態の無燃料電磁波蓄電システムの実施例１（１-6）の無燃料電磁波蓄電装置６の無燃料電磁波蓄電方法について説明する。
【０２６６】
電磁波検知部としてのアンテナ６１（１-6）は電磁波を検知する。電磁波整流部としてのダイオード６２（１-6）cは、電磁波検知部としてのアンテナ６１（１-6）により検知された電磁波を整流する。電磁波蓄電部としてのコンデンサー６３（１-6）は、電磁波検知部としてのアンテナ６１（１-6）により検知され、電磁波整流部としてのダイオード６２（１-6）c，６２（１-6）aにより整流された電磁波を蓄電する。切替部としてのスイッチ６４（１-6）a、６４（１-6）bにより、電磁波蓄電部としてのコンデンサー６３（１-6）に充電された電力が他の充電池への充電及び／又は他の電子機器若しくは機器を動かすのに利用される。電磁波蓄電部としてのコンデンサー６３（１-6）を挟んだ電磁波整流部としてのダイオード６２（１-6）aとコンデンサー６３（１-6）に蓄電された電力の放電を妨げる為のダイオード６２（１-6）ｂは、電磁波蓄電部としてのコンデンサー６３（１-6）に蓄電された電磁波を他の充電池への充電及び／又は他の電子機器若しくは機器を動かすのに利用する切り替え中の際の、電磁波蓄電部としてのコンデンサー６３（１-6）に蓄電された電磁波の放電を妨げる。電磁波整流部としてのダイオード６２（１-6）c，６２（１-6）ｄは、電磁波蓄電部としてのコンデンサー６３（１-6）に蓄電された電磁波を他の充電池への充電及び／又は他の電子機器若しくは機器を動かすのに利用する切り替え中の際の、電磁波検知部としてのアンテナ６１（１-6）が受信する、整流されていない電磁波による電磁場の乱れを整え、電磁場の乱れを整える。電磁波整流部としてのダイオード６２（１-6）ｄは、電磁波蓄電部としてのコンデンサー１４に蓄電された電磁波を他の充電池への充電及び／又は他の電子機器若しくは機器を動かすのに利用する切り替え中の際の、電磁波検知部としてのアンテナ６１（１-6）側でない導線側の導線が受信する、整流されていない電磁波による電磁場の乱れを整え、電磁場の乱れを整える。
【０２６７】
以上のように、本発明の第１の実施の形態の無燃料電磁波蓄電システムの実施例１（１-6）の無燃料電磁波蓄電装置６によれば、自然に存在する電磁波から電力を無燃料で蓄電することができる。
【０２６８】
また、本発明の第１の実施の形態の無燃料電磁波蓄電システムの実施例１（１-6）の無燃料電磁波蓄電装置６によれば、電磁波蓄電部として、電磁波整流部としてのダイオード６２（１-6）aと電磁波蓄電部としてのコンデンサー６３（１-6）とコンデンサー６３（１-6）に蓄電された電力の放電を妨げる為のダイオード６２（１-6）ｂを合わせた構成となっており、電磁波蓄電部としてのコンデンサー６３（１-6）に蓄電された電磁波を他の充電池への充電及び／又は他の電子機器若しくは機器を動かすのに利用する切り替え中の際の、電磁波蓄電部としてのコンデンサー６３（１-6）に蓄電された電磁波の放電を妨げる構成となっており、電磁波蓄電部としてのコンデンサー６３（１-6）に蓄電された電磁波を他の充電池への充電及び／又は他の電子機器若しくは機器を動かすのに利用する切り替え中の際にさらに放電がしにくくすることができ、蓄電効率が上昇する。
【０２６９】
また、本発明の第１の実施の形態の無燃料電磁波蓄電システムの実施例１（１-6）の無燃料電磁波蓄電装置６によれば、電磁波蓄電部が切替部としてのスイッチ６４（１-6）a、６４（１-6）bとにより挟まれていない側の電磁波検知部としてのアンテナ６１（１-6）側に、電磁波整流部としてのダイオード６２（１-6）cをさらに設置し、電磁波蓄電部としてのコンデンサー６３（１-6）に蓄電された電磁波を他の充電池への充電及び／又は他の電子機器若しくは機器を動かすのに利用する切り替え中の際の、電磁波検知部としてのアンテナ６１（１-6）が受信する、整流されていない電磁波による電磁場の乱れを整えることができ、電磁場の乱れを整えることができる。また、電磁波蓄電部が切替部としてのスイッチ６４（１-6）a、６４（１-6）bとにより挟まれていない側の電磁波検知部としてのアンテナ６１（１-6）側でない導線側に、電磁波整流部としてのダイオード６２（１-6）dをさらに設置し、電磁波蓄電部としてのコンデンサー６３（１-6）に蓄電された電磁波を他の充電池への充電及び／又は他の電子機器若しくは機器を動かすのに利用する切り替え中の際の、電磁波検知部としてのアンテナ６１（１-6）及び／又は切替部としてのスイッチ６４（１-6）a、６４（１-6）bとにより挟まれていない側の電磁波検知部としてのアンテナ６１（１-6）側でない導線が受信する、整流されていない電磁波による電磁場の乱れを整えることができ、電磁場の乱れを整えることができる。
【０２７０】
また、本発明の第１の実施の形態の無燃料電磁波蓄電システムの実施例１（１-6）の無燃料電磁波蓄電装置６によれば、電磁波蓄電部が切替部としてのスイッチ６４（１-6）a、６４（１-6）bとにより挟まれていない側の電磁波検知部としてのアンテナ６１（１-6）側でない導線側に、電磁波整流部としてのダイオード６２（１-6）ｄをさらに設置し、電磁波蓄電部としてのコンデンサー６３（１-6）に蓄電された電磁波を他の充電池への充電及び／又は他の電子機器若しくは機器を動かすのに利用する切り替え中の際の、電磁波検知部としてのアンテナ６１（１-6）側でない導線側の導線が受信する、整流されていない電磁波による電磁場の乱れを整えることができ、電磁場の乱れを整えることができる。
【０２７１】
尚、本発明の第１の実施の形態の無燃料電磁波蓄電システムの実施例１（１-6）の無燃料電磁波蓄電装置６において、他の充電池への充電及び／又は他の電子機器若しくは機器を動かすのに利用する際、端子６５（１-6）aは、ダイオード６２（１-6）aとコンデンサー６３（１-6）との間に接続し、端子６５（１-6）bは、コンデンサー６３（１-6）とダイオード６２（１-6）bとの間に接続し、コンデンサー６３（１-6）に対して並列に接続するような構成としてもよい。また、スイッチ６４（１-6）a、６４（１-6）bを設けずに、コンデンサー６３（１-6）に所望の電力が蓄電され、所望の起電力を有するようになった後、他の充電池をダイオード６２（１-6）aとコンデンサー６３（１-6）との間からコンデンサー６３（１-6）とダイオード６２（１-6）bとの間にコンデンサー６３（１-6）を含む間に並列に接続するようにし、コンデンサー内から充電池（及び／又は他の電子機器若しくは機器）への充電（及び／又は電力供給）が終わった後、並列接続を解除しという動作を単数又は複数回繰り返し、他の充電池（及び／又は他の電子機器若しくは機器）に電力を充電（及び／又は供給）させるような構成としてもよい。以上において説明したような充電の構成としたので、微少電流を放電させることなく充電することができる。
【０２７２】
（実施例１（２-1）〜（２-6）、（３-1）〜（３-6））
【０２７３】
本発明の第１の無燃料電磁波蓄電システムの実施の形態の実施例１（２-1）〜（２-6）については、実施例１（１-1）〜（１-6）の構成にさらに、可変容量コンデンサー６８とコイル６７を備え、実施例１（３-1）〜（３-6）については、実施例１（１-1）〜（１-6）の構成にさらに、可変容量コンデンサー６８とコイル６９を含んだコイル状のアンテナ６１を備え、アンテナ６１で検知した電磁波のうち、可変容量コンデンサー６８で設定した所望の周波数を有する電磁波のみ無燃料で蓄電する構成となっており、所望の周波数を有する電磁波からのみ電力を無燃料で蓄電することができる。従って、特定の周波数が存在する環境又は電子機器若しくは機器等に設置すれば、効率的に電力を無燃料で蓄電することができる。また、その特定の周波数の電磁波が除去したいノイズ等であれば、除去したい特定の周波数の電磁波を除去できると共に、効率的に電力を無燃料で蓄電することができる。また、上記以外の構成及び効果は、実施例１（１-1）〜（１-6）と同様である為、実施例１（１-1）〜（１-6）が有する構成及び効果と同様の構成及び効果を実施例１（２-1）〜（２-6）、（３-1）〜（３-6）は有する。
【０２７４】
また、本発明の無燃料蓄電システムの第１の実施の形態の無燃料電磁波蓄電システムの１実施例である実施例１（１-1）〜（１-6）、（２-1）〜（２-6）、（３-1）〜（３-6）は、本発明の無燃料蓄電システムの第１の実施の形態の無燃料電磁波蓄電システムの１実施例であり、本発明の無燃料蓄電システムの第１の実施の形態の無燃料電磁波蓄電システムと同様の構成及び効果を有し、本発明の無燃料蓄電システムの第１の実施の形態の無燃料電磁波蓄電システムの１実施例である実施例１（１-1）〜（１-6）、（２-1）〜（２-6）、（３-1）〜（３-6）には、本発明の無燃料蓄電システムの第１の実施の形態の無燃料電磁波蓄電システムと同様の構成及び効果が適用される。
【０２７５】
尚、以上の本発明の無燃料蓄電システムの第１の実施の形態の無燃料電磁波蓄電システムの１実施例である実施例１（１-1）〜（１-6）、（２-1）〜（２-6）、（３-1）〜（３-6）においては、電磁波蓄電部をコンデンサーとしたが、切替部としてのスイッチ及び切替端子部として端子を介して接続される充電池を電磁波蓄電部としてもよい。また、コンデンサーと充電池とを合わせて電磁波蓄電部としてもよい。
【０２７６】
尚、以上の本発明の無燃料蓄電システムの第１の実施の形態の無燃料電磁波蓄電システムの１実施例である実施例１（１-1）〜（１-6）、（２-1）〜（２-6）、（３-1）〜（３-6）において、電磁波蓄電部としてのコンデンサーが一定の電圧となった場合、切替部としてのスイッチ及び切替端子部として端子を充電池に自動的に接続するような構成としてもよく、さらに、充電池への充電が終わった後、切替部としてのスイッチ及び切替端子部として端子を充電池に自動的にコンデンサーに接続するような構成としてもよい、このような動作構成を単数又は複数回繰り返して充電池に充電するような構成としてもよい。
【０２７７】
尚、以上の本発明の無燃料蓄電システムの第１の実施の形態の無燃料電磁波蓄電システムの１実施例である実施例１（１-1）〜（１-6）、（２-1）〜（２-6）、（３-1）〜（３-6）において、電磁波検知部６１としては、例えば、アンテナ、パラボラアンテナ、コイル状アンテナ、コイル状アンテナ（1次コイルと2次コイルと及び／又はコンデンサーを備え、所望の周波数の電磁波を検知できるようにしたもの）、コード、及び／又はコイル状アンテナ等、金属性等、少なくとも金属性のものから構成されたもの等、自然の電磁波を検知できるものであれば何でもよい（電磁波検知手段として電磁波吸収体（材料）を使用することも可能である。この場合、導電線は、電磁波吸収体（材料）の金属性部分に接続する必要がある）（また、体自身を少なくとも電磁波を検知できるものから構成した電磁波検知部６１としてもよい）。また、電磁波整流部６２としては、例えば、ダイオード、及び／又はトランジスタ等、電磁波を整流できるものであれば何でもよい。また、電磁波蓄電部６６としては、充電池、各種コンデンサー、各種コンデンサーと電磁波整流手段とを合わせて充電池としたもの、及び／又は充電システム等、電磁波を蓄電できるものであれば何でもよい。また、充電池としては、電磁波の大きさに応じて起電力の小さいものから大きいものまで使用が可能である。電磁波の大きさが小さい場合は、各種コンデンサーと電磁波整流手段とを合わせて充電池に一旦蓄電した後、蓄電した起電力に応じた充電池に充電し直すようにしてもよいし、この動作を単数又は複数回繰り返して充電池に充電するような構成としてもよい。このようにすれば、微少電流を蓄電することができる。また、無燃料電磁波蓄電システム及び／又は充電池としては、着脱可能で軽量で持ち運べるようなものから、複数の電磁波検知部及び電磁波整流部から一箇所の充電池に集めるような設置固定式又は着脱可能で軽量で持ち運べるようなシステムとしてもよい。また、複数の電磁波検知部及び電磁波整流部から一箇所の充電池に集めるようなシステムの際、電磁波の大きさが小さい場合は、各種コンデンサーと電磁波整流手段とを合わせて充電池に一旦蓄電した後、蓄電した起電力に応じた電池に充電してから一箇所の充電池に集めるようなシステムとしてもよい。
【０２７８】
〔実施例２〕
【０２７９】
本発明の無燃料蓄電システムの第２の実施の形態の無燃料電磁波蓄電システムの１実施例である実施例２（１-1）〜（１-6）、（２-1）〜（２-6）、（３-1）〜（３-6）について図７を用いて説明する。
【０２８０】
本発明の無燃料蓄電システムの第２の実施の形態の無燃料電磁波蓄電システムの１実施例である実施例２（１-1）〜（１-6）、（２-1）〜（２-6）、（３-1）〜（３-6）は、本発明の無燃料蓄電システムの第１の実施の形態の無燃料電磁波蓄電システムの１実施例である実施例１（１-1）〜（１-6）、（２-1）〜（２-6）、（３-1）〜（３-6）において、検知した電磁波を回路の要素間の間で単数又は複数個所で増幅するようにしたものであり、それ以外は、実施例１と同様である。
【０２８１】
図７（１-1）に示す、本発明の無燃料蓄電システムの第２の実施の形態の無燃料電磁波蓄電システムの１実施例である実施例２（１-1）においては、図６（１-1）に示す、本発明の無燃料蓄電システムの第１の実施の形態の無燃料電磁波蓄電システムの１実施例である実施例１（１-1）において、アンテナ６１（１-1）とダイオード６２（１-1）との間、及び／又は、ダイオード６２（１-1）とスイッチ６４（１-1）aとの間に、増幅回路７１（１-1）a、及び／又は、増幅回路７１（１-1）bが設けられており、回路の要素間の間で単数又は複数個所で電力が増幅されるようにした構成となっている。
【０２８２】
図７（１-2）に示す、本発明の無燃料蓄電システムの第２の実施の形態の無燃料電磁波蓄電システムの１実施例である実施例２（１-2）においては、図６（１-2）に示す、本発明の無燃料蓄電システムの第１の実施の形態の無燃料電磁波蓄電システムの１実施例である実施例１（１-2）において、アンテナ６１（１-2）とダイオード６２（１-2）aとの間、及び／又は、ダイオード６２（１-2）aとスイッチ６４（１-2）aとの間に、増幅回路７１（１-2）a、及び／又は、増幅回路７１（１-2）bが設けられており、回路の要素間の間で単数又は複数個所で電力が増幅されるようにした構成となっている。
【０２８３】
図７（１-3）に示す、本発明の無燃料蓄電システムの第２の実施の形態の無燃料電磁波蓄電システムの１実施例である実施例２（１-3）においては、図６（１-3）に示す、本発明の無燃料蓄電システムの第１の実施の形態の無燃料電磁波蓄電システムの１実施例である実施例１（１-3）において、アンテナ６１（１-3）とスイッチ６４（１-3）aとの間、スイッチ６４（１-3）aとダイオード６２（１-3）との間、及び／又は、ダイオード６２（１-3）aとコンデンサー６３（１-3）との間に、増幅回路７１（１-3）a、増幅回路７１（１-3）ｂ、及び／又は、増幅回路７１（１-3）cが設けられており、回路の要素間の間で単数又は複数個所で電力が増幅されるようにした構成となっている。
【０２８４】
図７（１-4）に示す、本発明の無燃料蓄電システムの第２の実施の形態の無燃料電磁波蓄電システムの１実施例である実施例２（１-4）においては、図６（１-4）に示す、本発明の無燃料蓄電システムの第１の実施の形態の無燃料電磁波蓄電システムの１実施例である実施例１（１-4）において、アンテナ６１（１-4）とスイッチ６４（１-4）aとの間、スイッチ６４（１-4）aとダイオード６２（１-4）aとの間、及び／又は、ダイオード６２（１-4）aとコンデンサー６３（１-4）との間に、増幅回路７１（１-4）a、増幅回路７１（１-4）ｂ、及び／又は、増幅回路７１（１-4）cが設けられており、回路の要素間の間で単数又は複数個所で電力が増幅されるようにした構成となっている。
【０２８５】
図７（１-5）に示す、本発明の無燃料蓄電システムの第２の実施の形態の無燃料電磁波蓄電システムの１実施例である実施例２（１-5）においては、図６（１-5）に示す、本発明の無燃料蓄電システムの第１の実施の形態の無燃料電磁波蓄電システムの１実施例である実施例１（１-5）において、アンテナ６１（１-5）とダイオード６４（１-5）aとの間、スイッチ６４（１-5）aとダイオード６２（１-6）aとの間の充電池部６６(１-5)外の箇所に、スイッチ６４（１-5）aとダイオード６２（１-6）aとの間の充電池部６６(１-5)の箇所に、及び／又は、ダイオード６２（１-5）aとコンデンサー６３（１-5）との間に、増幅回路７１（１-5）a、増幅回路７１（１-5）ｂ、増幅回路７１（１-5）c、及び／又は、増幅回路７１（１-5）dが設けられており、回路の要素間の間で単数又は複数個所で電力が増幅されるようにした構成となっている。
【０２８６】
図７（１-6）に示す、本発明の無燃料蓄電システムの第２の実施の形態の無燃料電磁波蓄電システムの１実施例である実施例２（１-6）においては、図６（１-6）に示す、本発明の無燃料蓄電システムの第１の実施の形態の無燃料電磁波蓄電システムの１実施例である実施例１（１-6）において、アンテナ６１（１-6）とダイオード６４（１-6）aとの間、スイッチ６４（１-6）aとダイオード６２（１-6）aとの間にの充電池部６６(１-6)外の箇所に、スイッチ６４（１-6）aとダイオード６２（１-6）aとの間にの充電池部６６(１-6)の箇所に、及び／又は、ダイオード６２（１-6）aとコンデンサー６３（１-6）との間に、増幅回路７１（１-6）a、増幅回路７１（１-6）ｂ、増幅回路７１（１-6）c、及び／又は、増幅回路７１（１-6）dが設けられており、回路の要素間の間で単数又は複数個所で電力が増幅されるようにした構成となっている。
【０２８７】
また、図７（２-1）に示す、本発明の無燃料蓄電システムの第２の実施の形態の無燃料電磁波蓄電システムの１実施例である実施例２（２-1）においては、図６（２-1）に示す、本発明の無燃料蓄電システムの第１の実施の形態の無燃料電磁波蓄電システムの１実施例である実施例１（２-1）において、アンテナ６１（２-1）とダイオード６２（２-1）との間、及び／又は、ダイオード６２（２-1）とスイッチ６４（２-1）aとの間に、増幅回路７１（２-1）a、及び／又は、増幅回路７１（２-1）bが設けられており、回路の要素間の間で単数又は複数個所で電力が増幅されるようにした構成となっている。
【０２８８】
図７（２-2）に示す、本発明の無燃料蓄電システムの第２の実施の形態の無燃料電磁波蓄電システムの１実施例である実施例２（２-2）においては、図６（２-2）に示す、本発明の無燃料蓄電システムの第１の実施の形態の無燃料電磁波蓄電システムの１実施例である実施例１（２-2）において、アンテナ６１（２-2）とダイオード６２（２-2）aとの間、及び／又は、ダイオード６２（２-2）aとスイッチ６４（２-2）aとの間に、増幅回路７１（２-2）a、及び／又は、増幅回路７１（２-2）bが設けられており、回路の要素間の間で単数又は複数個所で電力が増幅されるようにした構成となっている。
【０２８９】
図７（２-3）に示す、本発明の無燃料蓄電システムの第２の実施の形態の無燃料電磁波蓄電システムの１実施例である実施例２（２-3）においては、図６（２-3）に示す、本発明の無燃料蓄電システムの第１の実施の形態の無燃料電磁波蓄電システムの１実施例である実施例１（２-3）において、アンテナ６１（２-3）とスイッチ６４（２-3）aとの間、スイッチ６４（２-3）aとダイオード６２（２-3）との間、及び／又は、ダイオード６２（２-3）aとコンデンサー６３（２-3）との間に、増幅回路７１（２-3）a、増幅回路７１（２-3）ｂ、及び／又は、増幅回路７１（２-3）cが設けられており、回路の要素間の間で単数又は複数個所で電力が増幅されるようにした構成となっている。
【０２９０】
図７（２-4）に示す、本発明の無燃料蓄電システムの第２の実施の形態の無燃料電磁波蓄電システムの１実施例である実施例２（２-4）においては、図６（２-4）に示す、本発明の無燃料蓄電システムの第１の実施の形態の無燃料電磁波蓄電システムの１実施例である実施例１（２-4）において、アンテナ６１（２-4）とスイッチ６４（２-4）aとの間、スイッチ６４（２-4）aとダイオード６２（２-4）aとの間、及び／又は、ダイオード６２（２-4）aとコンデンサー６３（２-4）との間に、増幅回路７１（２-4）a、増幅回路７１（２-4）ｂ、及び／又は、増幅回路７１（２-4）cが設けられており、回路の要素間の間で単数又は複数個所で電力が増幅されるようにした構成となっている。
【０２９１】
図７（２-5）に示す、本発明の無燃料蓄電システムの第２の実施の形態の無燃料電磁波蓄電システムの１実施例である実施例２（２-5）においては、図６（２-5）に示す、本発明の無燃料蓄電システムの第１の実施の形態の無燃料電磁波蓄電システムの１実施例である実施例１（２-5）において、アンテナ６１（２-5）とダイオード６４（２-5）aとの間、スイッチ６４（２-5）aとダイオード６２（２-6）aとの間の充電池部６６(１-5)外の箇所に、スイッチ６４（２-5）aとダイオード６２（２-6）aとの間の充電池部６６(１-5)の箇所に、及び／又は、ダイオード６２（２-5）aとコンデンサー６３（２-5）との間に、増幅回路７１（２-5）a、増幅回路７１（２-5）ｂ、増幅回路７１（２-5）c、及び／又は、増幅回路７１（２-5）dが設けられており、回路の要素間の間で単数又は複数個所で電力が増幅されるようにした構成となっている。
【０２９２】
図７（２-6）に示す、本発明の無燃料蓄電システムの第２の実施の形態の無燃料電磁波蓄電システムの１実施例である実施例２（２-6）においては、図６（２-6）に示す、本発明の無燃料蓄電システムの第１の実施の形態の無燃料電磁波蓄電システムの１実施例である実施例１（２-6）において、アンテナ６１（２-6）とダイオード６４（２-6）aとの間、スイッチ６４（２-6）aとダイオード６２（２-6）aとの間にの充電池部６６(１-6)外の箇所に、スイッチ６４（２-6）aとダイオード６２（２-6）aとの間にの充電池部６６(１-6)の箇所に、及び／又は、ダイオード６２（２-6）aとコンデンサー６３（２-6）との間に、増幅回路７１（２-6）a、増幅回路７１（２-6）ｂ、増幅回路７１（２-6）c、及び／又は、増幅回路７１（２-6）dが設けられており、回路の要素間の間で単数又は複数個所で電力が増幅されるようにした構成となっている。
【０２９３】
また、図７（３-1）に示す、本発明の無燃料蓄電システムの第２の実施の形態の無燃料電磁波蓄電システムの１実施例である実施例２（３-1）においては、図６（３-1）に示す、本発明の無燃料蓄電システムの第１の実施の形態の無燃料電磁波蓄電システムの１実施例である実施例１（３-1）において、アンテナ６１（３-1）とダイオード６２（３-1）との間、及び／又は、ダイオード６２（３-1）とスイッチ６４（３-1）aとの間に、増幅回路７１（３-1）a、及び／又は、増幅回路７１（３-1）bが設けられており、回路の要素間の間で単数又は複数個所で電力が増幅されるようにした構成となっている。
【０２９４】
図７（３-2）に示す、本発明の無燃料蓄電システムの第２の実施の形態の無燃料電磁波蓄電システムの１実施例である実施例２（３-2）においては、図６（３-2）に示す、本発明の無燃料蓄電システムの第１の実施の形態の無燃料電磁波蓄電システムの１実施例である実施例１（３-2）において、アンテナ６１（３-2）とダイオード６２（３-2）aとの間、及び／又は、ダイオード６２（３-2）aとスイッチ６４（３-2）aとの間に、増幅回路７１（３-2）a、及び／又は、増幅回路７１（３-2）bが設けられており、回路の要素間の間で単数又は複数個所で電力が増幅されるようにした構成となっている。
【０２９５】
図７（３-3）に示す、本発明の無燃料蓄電システムの第２の実施の形態の無燃料電磁波蓄電システムの１実施例である実施例２（３-3）においては、図６（３-3）に示す、本発明の無燃料蓄電システムの第１の実施の形態の無燃料電磁波蓄電システムの１実施例である実施例１（３-3）において、アンテナ６１（３-3）とスイッチ６４（３-3）aとの間、スイッチ６４（３-3）aとダイオード６２（３-3）との間、及び／又は、ダイオード６２（３-3）aとコンデンサー６３（３-3）との間に、増幅回路７１（３-3）a、増幅回路７１（３-3）ｂ、及び／又は、増幅回路７１（３-3）cが設けられており、回路の要素間の間で単数又は複数個所で電力が増幅されるようにした構成となっている。
【０２９６】
図７（３-4）に示す、本発明の無燃料蓄電システムの第２の実施の形態の無燃料電磁波蓄電システムの１実施例である実施例２（３-4）においては、図６（３-4）に示す、本発明の無燃料蓄電システムの第１の実施の形態の無燃料電磁波蓄電システムの１実施例である実施例１（３-4）において、アンテナ６１（３-4）とスイッチ６４（３-4）aとの間、スイッチ６４（３-4）aとダイオード６２（３-4）aとの間、及び／又は、ダイオード６２（３-4）aとコンデンサー６３（３-4）との間に、増幅回路７１（３-4）a、増幅回路７１（３-4）ｂ、及び／又は、増幅回路７１（３-4）cが設けられており、回路の要素間の間で単数又は複数個所で電力が増幅されるようにした構成となっている。
【０２９７】
図７（３-5）に示す、本発明の無燃料蓄電システムの第２の実施の形態の無燃料電磁波蓄電システムの１実施例である実施例２（３-5）においては、図６（３-5）に示す、本発明の無燃料蓄電システムの第１の実施の形態の無燃料電磁波蓄電システムの１実施例である実施例１（３-5）において、アンテナ６１（３-5）とダイオード６４（３-5）aとの間、スイッチ６４（３-5）aとダイオード６２（３-6）aとの間の充電池部６６(１-5)外の箇所に、スイッチ６４（３-5）aとダイオード６２（３-6）aとの間の充電池部６６(１-5)の箇所に、及び／又は、ダイオード６２（３-5）aとコンデンサー６３（３-5）との間に、増幅回路７１（３-5）a、増幅回路７１（３-5）ｂ、増幅回路７１（３-5）c、及び／又は、増幅回路７１（３-5）dが設けられており、回路の要素間の間で単数又は複数個所で電力が増幅されるようにした構成となっている。
【０２９８】
図７（３-6）に示す、本発明の無燃料蓄電システムの第２の実施の形態の無燃料電磁波蓄電システムの１実施例である実施例２（３-6）においては、図６（３-6）に示す、本発明の無燃料蓄電システムの第１の実施の形態の無燃料電磁波蓄電システムの１実施例である実施例１（３-6）において、アンテナ６１（３-6）とダイオード６４（３-6）aとの間、スイッチ６４（３-6）aとダイオード６２（３-6）aとの間にの充電池部６６(１-6)外の箇所に、スイッチ６４（３-6）aとダイオード６２（３-6）aとの間にの充電池部６６(１-6)の箇所に、及び／又は、ダイオード６２（３-6）aとコンデンサー６３（３-6）との間に、増幅回路７１（３-6）a、増幅回路７１（３-6）ｂ、増幅回路７１（３-6）c、及び／又は、増幅回路７１（３-6）dが設けられており、回路の要素間の間で単数又は複数個所で電力が増幅されるようにした構成となっている。
【０２９９】
従って、本発明の無燃料蓄電システムの第２の実施の形態の無燃料電磁波蓄電システムの１実施例である実施例２（１-1）〜（１-6）、（２-1）〜（２-6）、（３-1）〜（３-6）によれば、自然に存在する電磁波から電力を増幅して無燃料で蓄電することができる。また、本発明の無燃料蓄電システムの第２の実施の形態の無燃料電磁波蓄電システムの１実施例である実施例２（１-1）〜（１-2）、（２-1）〜（２-2）、（３-1）〜（３-2）の電磁波充電部に、増幅回路を設けるような構成としてもよく、本発明の無燃料蓄電システムの第２の実施の形態の無燃料電磁波蓄電システムの１実施例である実施例２（１-1）〜（１-6）、（２-1）〜（２-6）、（３-1）〜（３-6）の電磁波充電部は、入力された電力を増幅して蓄電することができる。それ以外の構成及び効果は、本発明の無燃料蓄電システムの第１の実施の形態の無燃料電磁波蓄電システムの１実施例である実施例１（１-1）〜（１-6）、（２-1）〜（２-6）、（３-1）〜（３-6）と同様の構成及び効果を有する。また、本発明の無燃料蓄電システムの第２の実施の形態の無燃料電磁波蓄電システムの１実施例である実施例２（１-1）〜（１-6）、（２-1）〜（２-6）、（３-1）〜（３-6）は、本発明の無燃料蓄電システムの第２の実施の形態の無燃料蓄電システムの１実施例であり、本発明の無燃料蓄電システムの第２の実施の形態の無燃料電磁波蓄電システムと同様の構成及び効果を有し、本発明の無燃料蓄電システムの第２の実施の形態の無燃料電磁波蓄電システムの１実施例である実施例２（１-1）〜（１-6）、（２-1）〜（２-6）、（３-1）〜（３-6）には、本発明の無燃料蓄電システムの第２の実施の形態の無燃料電磁波蓄電システムと同様の構成及び効果が適用される。
【０３００】
尚、以上の本発明の無燃料蓄電システムの第２の実施の形態の無燃料電磁波蓄電システムの１実施例である実施例２（１-1）〜（１-6）、（２-1）〜（２-6）、（３-1）〜（３-6）において、電磁波検知部６１としては、例えば、アンテナ、パラボラアンテナ、コイル状アンテナ、コイル状アンテナ（1次コイルと2次コイルと及び／又はコンデンサーを備え、所望の周波数の電磁波を検知できるようにしたもの）、コード、及び／又はコイル状アンテナ等、金属性等、少なくとも金属性のものから構成されたもの等、自然の電磁波を検知できるものであれば何でもよい（電磁波検知手段として電磁波吸収体（材料）を使用することも可能である。この場合、導電線は、電磁波吸収体（材料）の金属性部分に接続する必要がある）（また、体自身を少なくとも電磁波を検知できるものから構成した電磁波検知部６１としてもよい）。また、電磁波整流部６２としては、例えば、ダイオード、及び／又はトランジスタ等、電磁波を整流できるものであれば何でもよい。また、電磁波増幅部７１としては、例えば、トランジスタ、オペアンプ、及び／又はトランス等、電磁波を増幅できるものであれば何でもよい。また、電磁波蓄電部６６としては、充電池、コンデンサー、各種コンデンサーと電磁波整流手段とを合わせて充電池としたもの、及び／又は充電システム等、電磁波を蓄電できるものであれば何でもよい。また、充電池としては、電磁波の大きさに応じて起電力の小さいものから大きいものまで使用が可能である。電磁波の大きさが小さい場合は、各種コンデンサーと電磁波整流手段とを合わせて充電池に一旦蓄電した後、蓄電した起電力に応じた充電池に充電し直すようにしてもよいし、この動作を単数又は複数回繰り返して充電池に充電するような構成としてもよい。このようにすれば、微少電流を蓄電することができる。また、無燃料電磁波蓄電システム及び／又は充電池としては、着脱可能で軽量で持ち運べるようなものから、複数の電磁波検知部及び電磁波整流部から一箇所の充電池に集めるような設置固定式又は着脱可能で軽量で持ち運べるようなシステムとしてもよい。また、複数の電磁波検知部及び電磁波整流部から一箇所の充電池に集めるようなシステムの際、電磁波の大きさが小さい場合は、各種コンデンサーと電磁波整流手段とを合わせて充電池に一旦蓄電した後、蓄電した起電力に応じた電池に充電してから一箇所の充電池に集めるようなシステムとしてもよい。
【０３０１】
〔実施例３〕
【０３０２】
本発明の無燃料蓄電システムの第３の実施の形態の無燃料各種自然界量蓄電システムの１実施例である実施例３（１-1）〜（１-6）、（２-1）〜（２-6）、（３-1）〜（３-6）の無燃料各種自然界量蓄電装置について図８を用いて説明する。
【０３０３】
本発明の無燃料蓄電システムの第３の実施の形態の無燃料各種自然界量蓄電システムの１実施例である実施例３（１-1）〜（１-6）、（２-1）〜（２-6）、（３-1）〜（３-6）の無燃料各種自然界量蓄電装置は、本発明の無燃料蓄電システムの第１の実施の形態の無燃料電磁波蓄電システムの１実施例である実施例１（１-1）〜（１-6）、（２-1）〜（２-6）、（３-1）〜（３-6）の無燃料電磁波蓄電装置において、アンテナを各種自然界量センサとしたものであり、それ以外は実施例１と同様である。従って、本発明の無燃料蓄電システムの第３の実施の形態の無燃料各種自然界量蓄電システムの１実施例である実施例３（１-1）〜（１-6）、（２-1）〜（２-6）、（３-1）〜（３-6）の無燃料各種自然界量蓄電装置によれば、無燃料で各種自然界量から電力を蓄電することができる。また、その他の構成及び効果は、本発明の無燃料蓄電システムの第１の実施の形態の無燃料電磁波蓄電システムの１実施例である実施例１（１-1）〜（１-6）、（２-1）〜（２-6）、（３-1）〜（３-6）の無燃料電磁波蓄電装置と同様の構成及び効果を有する。また、本発明の無燃料蓄電システムの第３の実施の形態の実施例３（１-1）〜（１-6）、（２-1）〜（２-6）、（３-1）〜（３-6）の無燃料各種自然界量蓄電装置は、本発明の無燃料蓄電システムの第３の実施の形態の無燃料各種自然界量蓄電システムの１実施例であり、本発明の無燃料蓄電システムの第３の実施の形態の無燃料蓄電システムと同様の構成及び効果を有し、本発明の無燃料蓄電システムの第３の実施の形態の無燃料電磁波蓄電システムの１実施例である実施例３（１-1）〜（１-6）、（２-1）〜（２-6）、（３-1）〜（３-6）の無燃料各種自然界量蓄電装置には、本発明の無燃料蓄電システムの第３の実施の形態の無燃料各種自然界量蓄電システムと同様の構成及び効果が適用される。
【０３０４】
尚、以上の本発明の無燃料蓄電システムの第３の実施の形態の無燃料各種自然界量蓄電システムの１実施例である実施例３（１-1）〜（１-6）、（２-1）〜（２-6）、（３-1）〜（３-6）の無燃料各種自然界量蓄電装置において、各種自然界量としては、例えば、水圧、風圧、重力、温度、湿度、音、振動、衝撃、光、赤外線、速度、加速度、変位、角度、接触、触覚、力覚、距離、近接覚、すべり覚、音響、視覚、味、におい、バイオ、磁気、地震、及び／又は超音波等があり、あらゆる種類の（全ての）各種自然界量のことを示す。各種自然界量検知部８１としては、例えば、水圧センサ、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の(全ての)各種自然界量に対応した各種の自然界量を検知できるものであれば何でもよい（また、体自身を少なくとも自然界量を検知できるものから構成した各種自然界量検知部８１から少なくとも構成されるものとしてもよい。尚、複数種の各種自然界量検知部を１つの各種自然界量検知部内に備えた各種自然界量検知部としてもよい。）。また、電力変換部８１としては、例えば、水圧センサ、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の(全ての)各種自然界量を電力に変換できるものであれば何でもよい。各種自然界量検知部８１と電力変換部８１とを合わせた手段としてもよい。また、電力整流部８２としては、例えば、ダイオード、及び／又はトランジスタ等、各種自然界量を整流できるものであれば何でもよい。また、電力蓄電部８６としては、充電池、各種コンデンサーと各種自然界量整流手段とを合わせて電池としたもの、及び／又は充電システム等、電力を蓄電できるものであれば何でもよい。また、充電池としては、起電力の小さいものから大きいものまで使用が可能である。各種自然界量の大きさが小さい場合は、各種コンデンサーと各種自然界量整流手段とを合わせて充電池に一旦蓄電した後、蓄電した起電力に応じた充電池に充電し直すようにしてもよいし、この動作を単数又は複数回繰り返して充電池に充電するような構成としてもよい。このようにすれば、微少電流を蓄電することができる。また、無燃料各種自然界量蓄電システム及び／又は充電池としては、着脱可能で軽量で持ち運べるようなものから、複数の各種自然界量検知部及び各種自然界量整流部から一箇所の充電池に集めるような設置固定式又は着脱可能で軽量で持ち運べるようなシステムとしてもよい。また、複数の各種自然界量検知部及び各種自然界量整流部から一箇所の充電池に集めるよ��なシステムの際、各種自然界量の大きさが小さい場合は、各種コンデンサーと各種自然界量整流手段とを合わせて充電池に一旦蓄電した後、蓄電した起電力に応じた電池に充電してから一箇所の充電池に集めるようなシステムとしてもよい。（複数種及び／又は同種の各種自然界量検知部並びに／若しくは複数及び／又は単数の各種自然界量検知部から検知された各種自然界量から直列に一対一対応して接続された電力変換部により変換された電力を１つの電力蓄電部（電力整流部を含む／含まない）で蓄電するような構成としてもよい。（複数種及び／又は同種の各種自然界量検知部並びに／若しくは複数及び／又は単数の各種自然界量検知部から検知された各種自然界量から直列に一対一対応して接続された整流部で整流された電力を１つの電力蓄電部（電力整流部を含む／含まない）で蓄電するような構成としてもよい。）また、図２５に示すように、複数種であり、かつ複数の電磁波検知部を含んだ各種自然界量検知部から検知された電磁波を含んだ各種自然界量から直列に一対一対応して接続された電力変換部により変換された電力を１つの電力蓄電部で蓄電するような構成としてもよい。尚、複数種であり、かつ複数の電磁波検知部を含んだ各種自然界量検知部を１つの各種自然界量検知部内に備えた各種自然界量検知部としてもよい。尚、ここで、複数種の種別とは各種自然界量の種別及び又は同種の自然界量のうちの異種の検知手段の種別を示している（ここで、複数種の種別とは各種自然界量の種別と同種の自然界量のうちの異種の検知手段の種別との片方又は両方を示している）。）
【０３０５】
〔実施例４〕
【０３０６】
本発明の無燃料蓄電システムの第４の実施の形態の無燃料各種自然界量蓄電システムの１実施例である実施例４（１-1）〜（１-6）、（２-1）〜（２-6）、（３-1）〜（３-6）の無燃料各種自然界量蓄電装置について図９を用いて説明する。
【０３０７】
本発明の無燃料蓄電システムの第４の実施の形態の無燃料各種自然界量蓄電システムの１実施例である実施例４（１-1）〜（１-6）、（２-1）〜（２-6）、（３-1）〜（３-6）の無燃料各種自然界量蓄電装置は、本発明の無燃料蓄電システムの第３の実施の形態の無燃料各種自然界量蓄電システムの１実施例である実施例３（１-1）〜（１-6）、（２-1）〜（２-6）、（３-1）〜（３-6）の無燃料各種自然界量蓄電装置において、検知した各種自然界量を回路の要素間の間で単数又は複数個所で増幅するようにしたものであり、違いは、本発明の無燃料蓄電システムの第２の実施の形態の無燃料電磁波蓄電システムの１実施例である実施例２（１-1）〜（１-6）、（２-1）〜（２-6）、（３-1）〜（３-6）の無燃料電磁波蓄電装置の本発明の無燃料蓄電システムの第１の実施の形態の無燃料電磁波蓄電システムの１実施例である実施例１（１-1）〜（１-6）、（２-1）〜（２-6）、（３-1）〜（３-6）の無燃料電磁波蓄電装置との違いと同様であり、それ以外は、本発明の無燃料蓄電システムの第３の実施の形態の無燃料各種自然界量蓄電システムの１実施例である実施例３（１-1）〜（１-6）、（２-1）〜（２-6）、（３-1）〜（３-6）の無燃料各種自然界量蓄電装置と同様である。従って、本発明の無燃料蓄電システムの第４の実施の形態の無燃料各種自然界量蓄電システムの１実施例である実施例４（１-1）〜（１-6）、（２-1）〜（２-6）、（３-1）〜（３-6）の無燃料各種自然界量蓄電装置によれば、各種自然界量から電力を増幅して無燃料で蓄電することができる。また、本発明の無燃料蓄電システムの第４の実施の形態の無燃料各種自然界量蓄電システムの１実施例である実施例４（１-1）〜（１-2）、（２-1）〜（２-2）、（３-1）〜（３-2）の無燃料各種自然界量蓄電装置の各種自然界量充電部に、増幅回路を設けるような構成としてもよく、本発明の無燃料蓄電システムの第４の実施の形態の無燃料各種自然界量蓄電システムの１実施例である実施例４（１-1）〜（１-6）、（２-1）〜（２-6）、（３-1）〜（３-6）の無燃料各種自然界量蓄電装置の各種自然界量充電部は、入力された電力を増幅して蓄電することができる。また、その他の構成及び効果は、本発明の無燃料蓄電システムの第３の実施の形態の無燃料各種自然界量蓄電システムの１実施例である実施例３（１-1）〜（１-6）、（２-1）〜（２-6）、（３-1）〜（３-6）の無燃料各種自然界量蓄電装置と同様の構成及び効果を有する。また、本発明の無燃料蓄電システムの第４の実施の形態の無燃料各種自然界量蓄電システムの１実施例である実施例４（１-1）〜（１-6）、（２-1）〜（２-6）、（３-1）〜（３-6）の無燃料各種自然界量蓄電装置は、本発明の無燃料蓄電システムの第４の実施の形態の無燃料各種自然界量蓄電システムの１実施例であり、本発明の無燃料蓄電システムの第４の実施の形態の無燃料各種自然界量蓄電システムと同様の効果を有し、本発明の無燃料蓄電システムの第４の実施の形態の無燃料電磁波蓄電システムの１実施例である実施例４（１-1）〜（１-6）、（２-1）〜（２-6）、（３-1）〜（３-6）の無燃料各種自然界量蓄電装置には、本発明の無燃料蓄電システムの第４の実施の形態の無燃料各種自然界量蓄電システムと同様の構成及び効果が適用される。
【０３０８】
尚、以上の本発明の無燃料蓄電システムの第４の実施の形態の無燃料各種自然界量蓄電システムの１実施例である実施例４（１-1）〜（１-6）、（２-1）〜（２-6）、（３-1）〜（３-6）の無燃料各種自然界量蓄電装置において、各種自然界量としては、例えば、水圧、風圧、重力、温度、湿度、音、振動、衝撃、光、赤外線、速度、加速度、変位、角度、接触、触覚、力覚、距離、近接覚、すべり覚、音響、視覚、味、におい、バイオ、磁気、地震、及び／又は超音波等があり、あらゆる種類の（全ての）各種自然界量のことを示す。各種自然界量検知部８１としては、例えば、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の(全ての)各種自然界量に対応した各種の自然界量を検知できるものであれば何でもよい（また、体自身を少なくとも自然界量を検知できるものから構成した各種自然界量検知部８１から少なくとも構成されるものとしてもよい。尚、複数種の各種自然界量検知部を１つの各種自然界量検知部内に備えた各種自然界量検知部としてもよい。）。また、電力変換部８５としては、例えば、水圧センサ、風圧センサ、重力センサ、温度センサ、湿度センサ、音センサ、振動センサ、衝撃センサ、光センサ、赤外線センサ、速度センサ、加速度センサ、変位センサ、角度センサ、接触センサ、触覚センサ、力覚センサ、距離センサ、近接覚センサ、すべり覚センサ、音響センサ、視覚センサ、味センサ、においセンサ、バイオセンサ、磁気センサ、地震センサ、及び／又は超音波センサ等、あらゆる種類の(全ての)各種自然界量を電力に変換できるものであれば何でもよい。各種自然界量検知部８１と電力変換部８２とを合わせた手段としてもよい。また、電力整流部８２としては、例えば、ダイオード、及び／又はトランジスタ等、各種自然界量を整流できるものであれば何でもよい。また、電力増幅部９１としては、例えば、トランジスタ、オペアンプ、及び／又はトランス等、電力を増幅できるものであれば何でもよい。また、電力蓄電部８６としては、充電池、各種コンデンサーと各種自然界量整流手段とを合わせて充電池としたもの、及び／又は充電システム等、電力を蓄電できるものであれば何でもよい。また、充電池としては、起電力の小さいものから大きいものまで使用が可能である。各種自然界量の大きさが小さい場合は、各種コンデンサーと各種自然界量整流手段とを合わせて充電池に一旦蓄電した後、蓄電した起電力に応じた充電池に充電し直すようにしてもよいし、この動作を単数又は複数回繰り返して充電池に充電するような構成としてもよい。このようにすれば、微少電流を蓄電することができる。また、無燃料各種自然界量蓄電システム及び／又は充電池としては、着脱可能で軽量で持ち運べるようなものから、複数の各種自然界量検知部及び各種自然界量整流部から一箇所の充電池に集めるような設置固定式又は着脱可能で軽量で持��運べるようなシステムとしてもよい。また、複数の各種自然界量検知部及び各種自然界量整流部から一箇所の充電池に集めるようなシステムの際、各種自然界量の大きさが小さい場合は、各種コンデンサーと各種自然界量整流手段とを合わせて充電池に一旦蓄電した後、蓄電した起電力に応じた電池に充電してから一箇所の充電池に集めるようなシステムとしてもよい。（複数種であり、かつ複数の各種自然界量検知部から検知された各種自然界量から直列に一対一対応して接続された電力変換部により変換された電力を１つの電力蓄電部（電力整流部を含む／含まない）で蓄電するような構成としてもよい。（複数種であり、かつ複数の各種自然界量検知部から検知された各種自然界量から直列に一対一対応して接続された整流部で整流された電力を１つの電力蓄電部（電力整流部を含む／含まない）で蓄電するような構成としてもよい。）また、図２５に示すように、複数種であり、かつ複数の電磁波検知部を含んだ各種自然界量検知部から検知された電磁波を含んだ各種自然界量から直列に一対一対応して接続された電力変換部により変換された電力を１つの電力蓄電部で蓄電するような構成としてもよい。尚、複数種であり、かつ複数の電磁波検知部を含んだ各種自然界量検知部を１つの各種自然界量検知部内に備えた各種自然界量検知部としてもよい。尚、ここで、複数種の種別とは各種自然界量の種別及び又は同種の自然界量のうちの異種の検知手段の種別を示している（ここで、複数種の種別とは各種自然界量の種別と同種の自然界量のうちの異種の検知手段の種別との片方又は両方を示している）。）
【０３０９】
〔実施例６〕
【０３１０】
本発明の無燃料蓄電システム及び方法の第６の実施の形態であり、本発明の微少電流蓄電装置及び方法の実施の形態の１実施例である実施例１１の微少電流蓄電装置及び方法について図２２を用いて説明する。
【０３１１】
図２２は、本発明の無燃料蓄電システムの第６の実施の形態であり、本発明の微少電流蓄電装置の実施の形態の１実施例である実施例１１の微少電流蓄電装置の構成を示す概念図である。
【０３１２】
本発明の実施の形態の微少電流蓄電装置の１実施例である微少電流蓄電装置２１０は、電流を整流するダイオード２１２a，bと、整流された電流を仮に蓄電するコンデンサー２１３と、コンデンサー２１３に一定電圧蓄電されたかどうか監視し、一定電圧蓄電された場合、電流を送出する定電圧ダイオード（ツェナーダイオード）２１４と、定電圧ダイオード（ツェナーダイオード）２１４から送出された電流を流す端子２１５a，bから構成されている。この端子２１１a，bの先には、所望の起電力の充電池が接続され、一定電圧蓄電されてから後に、所望の起電力の充電池に充電し直すという動作を単数又は複数回繰り返して充電池に電力が蓄電される。
【０３１３】
図２２（１）〜図２２（４）は、本実施の形態の微少電流蓄電装置２１０の詳細の構成を示したものである。図２２（１）の微少電流蓄電装置２１０は、電流を仮に蓄電するコンデンサー２１３と、コンデンサー２１３に接続されている電流が入力されるプラス又はマイナスであるIN端子２１１a又はIN端子２１１ｂと、IN端子ｂ２１１ｂと仮蓄電部２１３との間に接続されている、電流を整流するダイオード２１２aと、コンデンサー２１３の充電側のプラス及びマイナスに接続されたプラス端子及びマイナス端子であるOUT(充電)端子２１５a及びOUT(充電)端子２１５ｂと、仮蓄電部２１３とOUT(充電)端子２１５aとの間に接続された、仮蓄電部２１３に一定電圧の電力が蓄電されるのを監視し、一定電圧蓄電された場合、OUT(充電)端子２１５aに電流を送出する定電圧ダイオード（ツェナーダイオード）２１４aとから構成されている。図２２（２）の微少電流蓄電装置２１０は、図２２（１）の微少電流蓄電装置２１０において、さらに、IN端子ｂ２１１ｂと仮蓄電部２１３との間にも電流を整流する電流整流部２１２ｂが接続された構成となっている。図２２（３）の微少電流蓄電装置２１０は、図２２（１）の微少電流蓄電装置２１０において、さらに、コンデンサー２１３とOUT(充電)端子２１５bとの間にも定電圧ダイオード（ツェナーダイオード）２１４ｂが接続された構成となっている。図２２（４）の微少電流蓄電装置２１０は、図２２（１）の微少電流蓄電装置２１０において、さらに、IN端子ｂ２１１ｂとコンデンサー２１３との間にも電流を整流するダイオード２１２ｂが接続され、コンデンサー２１３とOUT(充電)端子２１５bとの間にも定電圧ダイオード（ツェナーダイオード）２１４ｂが接続された構成となっている。一定電圧蓄電監視送出部２１４a,ｂとして設けられた定電圧ダイオード（ツェナーダイオード）２１４a,ｂの代わりに、一定電圧蓄電監視送出部２１４a,ｂとしては、コンデンサー（仮蓄電部）２１３に蓄電された電圧が一定以上になった場合、電力を充電池に供給する定電圧ダイオード（ツェナーダイオード）、トランジスタ、レギュレータ、スイッチ、リレースイッチ、アナログスイッチ、コンパレータスイッチ、及び／又はタイマースイッチを有し、スイッチの場合、コンデンサーに蓄電された電力が一定の電圧になるのを監視してON/OFFを制御する CPU（Central・Processing・Unit）,ROM（Read・Only・Memory）,RAM（Random・Access・Memory）等を備えた制御手段（後述する図２６に示すスイッチ制御装置((図２６−１，図２６−２に示すスイッチ制御装置))にて詳細に説明する）を有するような構成とし、コンデンサー（仮蓄電部）２１３とダイオード（電流整流部）２１２a,ｂとを合わせたコンデンサー（仮蓄電部）２１３若しくはコンデンサー（仮蓄電部）２１３に一旦蓄電した後、蓄電した起電力に応じた充電池に充電し直す動作を単数又は複数回繰り返して充電池に充電するような構成としてもよい。（図26簡易説明箇所初め）尚、図２６−１（１）−１に示すように、コンデンサーの変わりに、単に２枚の金属板を平行に設置しただけのものを使用することも可能であり、また、コンデンサーの変わりに、可変容量コンデンサー、可変容量コンデンサー（ダイオード）を使用し、図２６−１に示すスイッチ制御��置により、可変容量コンデンサー、可変容量コンデンサー（ダイオード）に電力を供給して可変容量コンデンサー、可変容量コンデンサー（ダイオード）の容量を設定するようにしてもよい。また、図２６−１（１）−２に示すように、コンデンサーの変わりに、直列にスイッチ、トランジスタ、（レギュレータ、リレースイッチ、アナログスイッチ、コンパレータスイッチ、及び／又はタイマースイッチ）を介して接続された、コンデンサー、可変容量コンデンサー、可変容量コンデンサー（ダイオード）を使用し、図２６−１に示すスイッチ制御装置により、可変容量コンデンサー、可変容量コンデンサー（ダイオード）に電力を供給して可変容量コンデンサー、可変容量コンデンサー（ダイオード）の容量を設定し、図２６−１に示すスイッチ制御装置により、スイッチ、トランジスタ、（レギュレータ、リレースイッチ、アナログスイッチ、コンパレータスイッチ、及び／又はタイマースイッチ）を切り替えて全体のコンデンサーの合成容量を設定するようにしてもよい。これにより、充電池に応じた起電力で（電圧調整を行わずとも）自動的に充電を行うことができると共に、蓄電精度を向上することができる。また、所定の起電力になった後、電力を供給する際、スイッチをＯＮにした後、コンデンサーの可変容量を所定の大きさにして（例えば、小さくし）、起電力を所定の大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）この許可電圧値の設定情報は、初期設定により行われ、又、さらに備えられた許可電圧設定情報設定手段により任意の時刻に設定を行うことができる。＜第１の所定電圧付加導通許可手段＞また、図２６−２（１）−５に示すスイッチ制御装置により、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオードの変わりに、スイッチ、トランジスタを介して直列に接続された（定電圧）ダイオードを、さらに備えられた許可電圧設定部より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定手段により任意の時刻に許可電圧設定を行うことができる。尚、第３の所定電圧付加導通許可手段のコンデンサーを（定電圧）ダイオードに置き換えたものを第２の所定電圧付加導通許可手段としてもよい。＜第２の所定電圧付加導通許可手段＞また、図２６−２（１）−３，（１）−４に示すスイッチ制御装置により、（検知手段とコンデンサー間又は充電池間とコンデンサー間又はコンデ��サーと充電池間又は複数仮蓄電手段が備えられている場合のコンデンサーと次の仮蓄電手段のダイオード間に備えられた）ダイオードに前及び／又は後から接続されたコンデンサーを検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すスイッチ制御装置により、単数又は複数の、スイッチ、トランジスタを介して接続された（定電圧、可変容量）ダイオード、（可変）コンデンサーを、さらに備えられた容量設定部によりスイッチを制御することにより、全体の許可電圧を調整するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電することができる。この許可電圧値の設定情報は、初期設定により行われ、又、さらに備えられた許可電圧設定情報設定手段により任意の時刻に設定を行うことができる。＜第１の所定検知電圧付加導通許可手段，第１の所定電圧付加導通許可手段＞（図26簡易説明箇所終わり）尚、図１−４及び図２１−１（図１−１、図１−２、図１−３）に示すように、本実施の形態の無燃料（電磁波、各種自然界量）蓄電システム又は装置において説明した構成が、本実施の形態の無燃料（電磁波、各種自然界量）蓄電システム又は装置の起電力無仮（一部）蓄電手段が微少電流蓄電装置２１０の仮蓄電手段（部）に対応し、無燃料（電磁波、各種自然界量）蓄電システム又は装置の（電磁波、各種自然界量）起電力無又は所定仮蓄電手段の仮蓄電手段以外の要素が微少電流蓄電装置２１０の一定電圧蓄電監視送出手段（部）に対応するようにして本実施の形態の微少電流蓄電装置２１０には含まれている。
【０３１４】
従って、本実施例の微少電流蓄電装置によれば、コンデンサーに所望の電圧まで仮に電力を蓄電し、定電圧ダイオード（ツェナーダイオード）によりコンデンサーに一定の電圧蓄電されてから後に、充電池に蓄電するという動作を単数又は複数回繰り返して充電をする為、充電池の起電力がいかなる起電力のものであっても、微少電流を無駄なく充電池に充電することができる。
【０３１５】
〔実施例５〕
【０３１６】
本発明の無燃料蓄電システム及び方法の第５の実施の形態の無燃料電力増幅装置（素子）及び方法の１実施例である実施例５の無燃料電力増幅装置（素子）及び方法であり、本発明の無燃料電力増幅装置（素子）及び方法の実施の形態の無燃料電力増幅装置（素子）及び方法の１実施例である無燃料電力増幅装置（素子）及び方法の実施例について図１０を用いて説明する。
【０３１７】
本実施例の無燃料電力増幅装置（素子）１０は、本発明の第１、第２、第３、及び／又は第４の実施の形態の無燃料蓄電システムの実施例である実施例１、実施例２、実施例３、及び／又は実施例４の無燃料蓄電装置の電力蓄電部に電力出力機能又はスイッチ機能を有した電力出力機能を設け、実施例１、実施例２、実施例３、及び／又は実施例４の無燃料蓄電装置の電力蓄電部に電力出力機能から出力される電力を出力する電力出力機能又はスイッチ機能を有した電力出力機能を設け、無燃料電力増幅装置（素子）として適用したものであり、電力蓄電部に蓄電された電力を実施例１、実施例２、実施例３、及び／又は実施例４の無燃料蓄電装置の電流増幅部又は入力電力への付加電力としたものである。電力蓄電部の電力出力機能としては、単なる電力出力の他、スイッチ機能を設け、電力蓄電部に所望の電力が蓄電されてから出力し、電力蓄電部の電力が所望の電力になったら出力しなくなるようにしてもよいし、この動作を単数又は複数回繰り返すようにしてもよい。また、このスイッチ機能を自動的に行うようにしてもよい。本実施例の無燃料電力増幅装置（素子）１０を実施例１、実施例２、実施例３、及び／又は実施例４の無燃料蓄電装置に無燃料電力増幅装置（素子）として適用する場合は、図２、図４、図７、図９に示すように、実施例１、実施例２、実施例３、及び／又は実施例４の無燃料蓄電装置の各部と各部との間に、及び／又は（AND／OR）の関係で、無燃料電力増幅装置（素子）の出力を入力する。また、この構成の上に、さらに、図５、図１０に示すように、無燃料電力増幅装置（素子）１０の実施例１、実施例２、実施例３、及び／又は実施例４の無燃料蓄電装置の１、２、３、及び／又は４の各部と各部との間に、及び／又は（AND／OR）の関係で、無燃料電力増幅装置（素子）１０の出力を入力するような構成を複数回繰り返すような構成（入力した無燃料電力増幅装置（素子）１０に無燃料電力増幅装置（素子）１０が入力されている構成が複数回繰り返された構成）としてもよい。このようにして繰り返して構成された無燃料蓄電装置又は第１乃至第４の無燃料蓄電装置の蓄電部からの出力を一箇所の蓄電部に集めるような構成としてもよい。このような複数回繰り返す構成とした無燃料蓄電装置の場合、無燃料で増幅した大きな電力を無燃料で蓄電することができる。また、本実施例の無燃料電力増幅装置（素子）１０によれば、無燃料で電力を増幅することができる。尚、本実施例の無燃料電力増幅装置（素子）１０は、無燃料で蓄電した電力を増幅回路に使用する電力としてもよい。また、この無燃料電力増幅装置（素子）を無燃料電力蓄電装置の増幅部としてもよい。また、増幅回路までを含めて無燃料電力増幅装置（素子）としてもよい。また、このようにして構成された無燃料電力増幅装置（素子）を無燃料電力蓄電装置の増幅部としてもよい。尚、図１０では、実施例１、実施例２、実施例３、及び／又は実施例４の無燃料蓄電装置の電力蓄電部に電力出力機能又はスイッチ機能を有した電力出力機能を設け、実施例１の無燃料蓄電装置の電力蓄電部に電力出力機能から出力される電力を出力する電力出力機能又はスイッチ機能を有した電力出力機能を設け、無燃料電力増幅装置��素子）として適用したものを示しているが、実施例２、実施例３、及び／又は実施例４の無燃料蓄電装置を無燃料電力増幅装置（素子）として適用する場合も同様で（不図示）、実施例２、実施例３、及び／又は実施例４の無燃料蓄電装置の電力蓄電部に電力出力機能又はスイッチ機能を有した電力出力機能を設け、実施例２、実施例３、及び／又は実施例４の無燃料蓄電装置の電力蓄電部に電力出力機能から出力される電力を出力する電力出力機能又はスイッチ機能を有した電力出力機能を設け、無燃料電力増幅装置（素子）として適用したものである。
【０３１８】
本実施例の無燃料電力増幅装置（素子）及び方法は、本発明の無燃料蓄電システム及び方法の第５の実施の形態の無燃料電力増幅装置（素子）及び方法と同様の構成及び効果を有し、本実施例の無燃料電力増幅装置（素子）及び方法には、本発明の無燃料蓄電システム及び方法の第５の実施の形態の無燃料電力増幅装置（素子）及び方法と同様の構成及び効果が適用される。
【０３１９】
尚、以上の本発明の実施の形態の無燃料蓄電システム、無燃料電流増幅装置（素子）、微少電流蓄電装置の実施の形態である無燃料電磁波蓄電システム、無燃料各種自然界量蓄電システム、無燃料電流増幅装置（素子）、微少電流蓄電装置の１実施例である実施例の無燃料電磁波蓄電装置、無燃料各種自然界量蓄電装置、無燃料電流増幅装置（素子）、微少電流蓄電装置においては、着脱可能で軽量でどこにでも設置可能で持ち運べるような構成としたが、無燃料電磁波蓄電素子、無燃料各種自然界量蓄電素子、無燃料電流増幅素子、微少電流蓄電素子とするような構成としてもよい。
【０３２０】
以上の本実施の形態の実施例の無燃料蓄電装置及び方法において、本実施例の無燃料電磁波蓄電装置及び方法は、携帯電話、テレビ、電子レンジ等電磁波を発生させる電子機器若しくは機器（断続的に電力を必要とする電子機器若しくは機器又は不連続な（連続的でない）所定の時間のみ（一定時間だけ）電力を必要する電子機器若しくは機器）等に備えるようにすれば、無駄に放出される電磁波を無駄なく有効利用して、無燃料で蓄電することができる。尚、無燃料電磁波蓄電システム又は装置を供給先（電子機器若しくは機器）に備える際は、供給先（電子機器若しくは機器）の電源を蓄電に起電力を有する蓄電手段に変え、この蓄電手段に無燃料電磁波蓄電システム又は装置において仮蓄電された電力が蓄電されるような構成とする。交流を電源とする供給先（電子機器若しくは機器）の場合は、及び／又は、蓄電に起電力を有する蓄電手段を備え、さらに、所定の周波数に変換された交流波に変換する交流波変換手段を備え、交流波変換手段により電力を所定の周波数に変換し、供給する。尚、電源を除いて回路に電力を供給する場合は、及び／又は充電池（等の起電力を有する蓄電手段）の（を備える）かわりに、（充電池（等の起電力を有する蓄電手段）を備え、さらに、又は、充電池（等の起電力を有する蓄電手段）の（を備える）かわりに、）供給先（電子機器若しくは機器（回路））を安定的に動作させる為に必要な（安定動作)供給電圧を自動的に計測し、計測した電圧に応じて電力を供給する回路電圧自動計測供給手段を備え、回路電圧自動計測供給手段により、供給先（電子機器若しくは機器（回路））を安定的に動作させる為に必要な（安定動作)供給電圧を自動的に計測し、計測した電圧に応じて電力を供給するようにし、交流波電源の場合は、さらに、交流波変換手段を備え、交流波に変換して供給するようにしてもよい。供給先（電子機器若しくは機器）としては、断続的に電力を必要とする供給先（電子機器若しくは機器）又は不連続な（連続的でない）所定の時間のみ（一定時間だけ）電力を必要する供給先（電子機器若しくは機器）がある。
【０３２１】
また、本実施例の無燃料電磁波蓄電装置及び方法は、人間が身につけておくだけで、無燃料で電力を蓄電することができる。
【０３２２】
また、本実施例の無燃料各種自然界量蓄電装置及び方法は、プール、川等、水流の発生する場所に設置すれば、水流を利用して無燃料で蓄電することができる。
【０３２３】
また、本実施例の無燃料各種自然界量蓄電装置及び方法は、人間が身につけておくだけで、無燃料で電力を蓄電することができる。
【０３２４】
また、本実施例の無燃料電磁波蓄電装置及び方法並びに無燃料各種自然界量蓄電装置及び方法は、どこにでも置いておくだけで、無燃料で電力を蓄電することができる。
【０３２５】
また、複数の場所に設置された本実施の形態の無燃料蓄電装置及び方法を一箇所の蓄電部で蓄電するような構成及び方法としてもよい。
【０３２６】
尚、以上において、電磁波検知部、自然界量検知部とコンデンサー間に設置されている定電圧（ツェナー）ダイオードは、ダイオードとしてもよく、また、図２６−２に示すように、直列にスイッチを介して接続された定電圧（ツェナー）ダイオードとスイッチを切り替えるスイッチ制御回路としてもよく、また、レギュレータを使用し、所定の電圧以上のものを導通せるようにしてもよく、また、変電圧回路と変電圧回路の電圧を（図２６、図２６−１、図２６−２に示すスイッチ制御回路と同様にして無燃料で）変化させる変圧回路制御部としてもよく、また、図２６、図２６−１、図２６−２に示すスイッチ制御回路としてもよい。
【０３２７】
また、以上において、アンテナ６１の変わりに／とは別にさらに、金属性等、少なくとも金属性のものから構成されたもの等の電磁波を検知できるものである電磁波検知手段を備えるようにしてもよい（電磁波検知手段として電磁波吸収体（材料）を使用することも可能である。この場合、導電線は、電磁波吸収体（材料）の金属性部分に接続する必要がある）。また、アンテナ６１及び／又は各種自然界量検知部８１の変わりに／とは別にさらに備えられた、金属性等、少なくとも金属性のものから構成されたもの等の電磁波を検知できるものである電磁波検知手段、の変わりに／とは別にさらに導線に接続された、金属性等、少なくとも金属性のものから構成されたもの等の電磁波を検知できるものである電磁波検知手段及び／又は各種自然界量検知手段から少なくとも構成される体自身としてもよい。このようにすれば、さらに無駄な電磁波を蓄電することができる。
【０３２８】
本発明の無燃料蓄電システム及び方法の第１乃至第４の実施の形態の無燃料蓄電装置及び方法の１実施例である実施例６乃至実施例９の無燃料電力蓄電装置、並びに本発明の無燃料蓄電システムの第５の実施の形態の無燃料蓄電装置の１実施例である実施例１０の無燃料電力増幅装置（素子）及び方法について、図１１乃至図１４並びに図１５を用いて説明する。
【０３２９】
図１１は、本発明の無燃料蓄電システムの第１の実施の形態の無燃料蓄電装置の実施例６を示す概念図であり、図１２は、本発明の無燃料蓄電システムの第２の実施の形態の無燃料蓄電装置の実施例７を示す概念図であり、図１３は、本発明の無燃料蓄電システムの第３の実施の形態の無燃料蓄電装置の実施例８を示す概念図であり、図１４は、本発明の無燃料蓄電システムの第４の実施の形態の無燃料蓄電装置の実施例９を示す概念図であり、図１５は、本発明の無燃料蓄電システムの第５の実施の形態の無燃料蓄電装置の実施例１０の無燃料電力増幅装置（素子）の実施例を示す概念図である。
【０３３０】
本発明の無燃料蓄電システムの実施例６、７、８、９、１０は、実施例１、２、３、４、５のスイッチ部分を定電圧ダイオード（ツェナーダイオード）に置き換えた構成となっており、図１１乃至図１５の（１）では、コンデンサー６３対して並列に接続された定電圧ダイオード（ツェナーダイオード）１１５aを含んだ端子６５aと端子６５bとから構成されおり、コンデンサー６３のプラス又はマイナス側から接続されたプラス端子又はマイナス端子の一方の端子６５aとコンデンサー６３との間に、定電圧ダイオード（ツェナーダイオード）１１５aが接続されており（尚、コンデンサー６３とアンテナ６１間の導線間にダイオード６２aが接続されている。）、図１１乃至図１５の（２）では、図１１乃至図１５の（１）において、さらに、コンデンサー６３とアンテナ６１間の導線ではない側の導線間にダイオード６２ｂが接続されており、図１１乃至図１５の（３）では、図１１乃至図１５の（１）において、さらに、コンデンサー６３と端子６５bとの間にも定電圧ダイオード（ツェナーダイオード）１１５ｂが接続されており、図１１乃至図１５の（４）では、図１１乃至図１５の（３）において、さらに、コンデンサー６３とアンテナ６１間の導線ではない側の導線間にダイオード６２ｂが接続されており、コンデンサー６３に充電された電力が一定電圧となると、定電圧ダイオード（ツェナーダイオード）１１５a及び／又は１１５bを介して、充電池及び／又は電力の供給先（電子機器若しくは機器）に電力を充電及び／又は供給し直す直す動作を単数又は複数回繰り返して充電及び／又は供給するような構成となっている。この為、微少電流でも無駄なく全て充電池及び／又は電力の供給先（電子機器若しくは機器）に電力を充電及び／又は供給することができる。
【０３３１】
本発明の無燃料蓄電システムの実施の形態の無燃料蓄電装置の１実施例である実施例６、７、８、９、１０によれば、コンデンサーに対して並列に定電圧ダイオード（ツェナーダイオード）を接続するようにしたので、充電池及び／又は電力の供給先（電子機器若しくは機器）に電力を充電及び／又は供給し直す直す動作を単数又は複数回繰り返して充電及び／又は供給することができ、微少電流でも無駄なく全て充電池及び／又は電力の供給先（電子機器若しくは機器）に電力を充電及び／又は供給することができる。
【０３３２】
尚、以上において、図２７〜図２９に示すように、アンテナ６１の変わりに／とは別にさらに、金属性等、少なくとも金属性のものから構成されたもの等の電磁波を検知できるものである電磁波検知手段２７０を備えるようにしてもよい（電磁波検知手段として電磁波吸収体（材料）を使用することも可能である。この場合、導電線は、電磁波吸収体（材料）の金属性部分に接続する必要がある）。また、アンテナ６１及び／又は各種自然界量検知部８１の変わりに／とは別にさらに備えられた、金属性等、少なくとも金属性のものから構成されたもの等の電磁波を検知できるものである電磁波検知手段、の変わりに／とは別にさらに導線に接続された、金属性等、少なくとも金属性のものから構成されたもの等の電磁波を検知できるものである電磁波検知手段及び／又は各種自然界量検知手段から少なくとも構成される体自身としてもよい。このようにすれば、さらに無駄な電磁波を蓄電することができる。
【０３３３】
本発明の無燃料蓄電システム及び方法の第１乃至第４の実施の形態の無燃料蓄電装置及び方法、並びに本発明の無燃料蓄電システム及び方法の第１乃至第４の実施の形態の無燃料蓄電装置及び方法の１実施例である、実施例１乃至実施例４及び実施例６乃至実施例９の無燃料電力蓄電装置及び方法において、実施例１乃至実施例４及び実施例６乃至実施例９の無燃料電力蓄電装置及び方法の概観の構成及び方法について、図１６を用いて説明する。
【０３３４】
図１６は、本発明の無燃料蓄電システムの第１乃至４及び６乃至９の実施の形態の無燃料蓄電装置の１実施例である、実施例１乃至４及び６乃至９の無燃料蓄電装置の概観を示す概略図である。
【０３３５】
図１６（１）に示す無燃料電力蓄電装置１６０は、各電子部品が小型で直方体の容器１６０に挿入され、容器１６０の外部にアンテナ１６１−１が伸びだした又は各種自然界量センサ１６２が備えられた構成となっている。無燃料電力蓄電装置１６０には、充電する為の充電池が格納できる充電池格納部１６３が上部の凹部に設けられている。充電池格納部１６３には、1つの充電池ごとに充電池充電用のプラス端子及びマイナス端子１６６a，bが備えられている。また、充電が完了した際に点滅して表示する充電完了点灯表示部１６７が上部に設けられている。これは、側部に設けてもどこの箇所に設けてもよい。また、プラス及びマイナス端子が差し込める凹部端子部１６４と、プラス及びマイナス端子が電子機器又はコードに差し込めるような凸部として飛び出して構成された凸部端子部１６５とが、側部及び／又は上部に構成されている。尚、凹部端子部１６４と凸部端子部１６５の形状は円形であっても直方体であっても、端子が接続できる形状のものに構成変更可能である。また、充電池としては、市販の各種充電池が格納できるように様々な形状に構成変更が可能である。また、充電完了点灯表示部１６７、充電池格納部１６３、凹部端子部１６４、及び／又は凸部端子部１６５は、及び／又はの関係で構成するようにしてもよく、設置位置もどの箇所であってもよい。図１６（１a）に示す無燃料蓄電装置１６０は、図１６（１）に示す無燃料蓄電装置１６０において、アンテナ１６１−１及び／又は各種自然界量センサ１６２が容器１６０の内部に格納された構成となっている。図１６（２）に示す無燃料蓄電装置１６０は、図１６（１）に示す無燃料蓄電装置１６０において、アンテナ１６１−１をクリップが先端に装着されたコード状のアンテナ１６１−２とした構成となっている。この為、図１６（２）に示す無燃料蓄電装置１６０は、屋内の戸、机等の金属箇所に挟むようにすれば、屋内に帯電している無駄な電磁波を蓄電することができる。また、コード状のアンテナ１６１−３を備えるようにしてもよい。また、外部並びに／若しくは内部に装着されたアンテナ１６１−１、先端クリップ装着コード状アンテナ１６１−２、コード状のアンテナ１６１−３、及び／又は、外部並びに／若しくは内部に装着された各種自然界量センサ１６２を、及び／又はの関係で備えるようにしてもよい。図１６（３）、（３a）、（４）に示す無燃料蓄電装置１６０は、図１６（１）、（１a）、（２）に示す無燃料蓄電装置１６０において、容器１６０を楕円球体とした構成となっている。尚、図１６に示す本実施例において、各電子部品を格納する容器１６０の形状は、どのような形状としてもよい。また、小型のものから大型のものまで応用可能である。また、アンテナ１６１−１、先端クリップ装着コード状アンテナ１６１−２、コード状のアンテナ１６１−３、各種自然界量センサ１６２の設置位置もどこに設置してもよい。
【０３３６】
内部の構成は、本発明の無燃料蓄電システムの第１乃至４及び６乃至９の実施の形態の無燃料蓄電装置及び本発明の無燃料蓄電システムの第１乃至４及び６乃至９の実施の形態の無燃料蓄電装置の１実施例である、実施例１乃至４及び６乃至９の無燃料蓄電装置と同様の構成のものが装着されており、充電池格納部１６３、凹部端子部１６４、及び／又は凸部端子部１６５のプラス端子及びマイナス端子１６６a，bが実施例１乃至４及び６乃至９の無燃料蓄電装置６〜９，１１〜１４の端子６５a，bに該当する。充電池格納部１６３、凹部端子部１６４、及び凸部端子部１６５のプラス端子及びマイナス端子１６６a，bを一度に備える構成とした場合は、実施例１乃至４及び６乃至９の無燃料蓄電装置６〜９，１１〜１４の端子６５a，bから並列して接続するように構成する。
【０３３７】
尚、以上において、図３０に示すように、アンテナ１６１の変わりに／とは別にさらに、金属性等、少なくとも金属性のものから構成されたもの等の電磁波を検知できるものである電磁波検知手段２７０を備えるようにしてもよい（電磁波検知手段として電磁波吸収体（材料）を使用することも可能である。この場合、導電線は、電磁波吸収体（材料）の金属性部分に接続する必要がある）。また、アンテナ１６１の変わりに／とは別にさらに備えられた、金属性等の電磁波を検知できるものである電磁波検知手段２７０、の変わりに／とは別にさらに導線に接続された、金属性等、少なくとも金属性のものから構成されたもの等の電磁波を検知できるものである電磁波検知手段２７０から少なくとも構成される容器としてもよい。また、アンテナ１６１及び／又は各種自然界量検知部１８１の変わりに／とは別にさらに備えられた、金属性等、少なくとも金属性のものから構成されたもの等の電磁波を検知できるものである電磁波検知手段２７０、の変わりに／とは別にさらに導線に接続された、金属性等、少なくとも金属性のものから構成されたもの等の電磁波を検知できるものである電磁波検知手段２７０を含む電磁波検知手段及び／又は各種自然界量検知手段から少なくとも構成される容器としてもよい。このようにすれば、さらに無駄な電磁波を蓄電することができる。
【０３３８】
図１６に示す無燃料電力蓄電装置１６０は、本発明の無燃料蓄電システムの第１乃至４及び６乃至９の実施の形態の無燃料蓄電装置及び本発明の無燃料蓄電システムの第１乃至４及び６乃至９の実施の形態の無燃料蓄電装置の１実施例である、実施例１乃至４及び６乃至９の無燃料蓄電装置の１実施例である為、本発明の無燃料蓄電システムの第１乃至４及び６乃至９の実施の形態の無燃料蓄電装置及び本発明の無燃料蓄電システムの第１乃至４及び６乃至９の実施の形態の無燃料蓄電装置の１実施例である、実施例１乃至４及び６乃至９の無燃料蓄電装置が有する構成及び効果は同様に有するものである。
【０３３９】
本発明の無燃料蓄電システム及び方法の第５の実施の形態の無燃料電力増幅装置（素子）及び方法、並びに本発明の無燃料蓄電システム及び方法の第５の実施の形態の無燃料電力増幅装置（素子）及び方法の１実施例である、実施例５及び実施例１０の無燃料電力増幅装置（素子）及び方法において、実施例５及び実施例１０の無燃料電力増幅装置（素子）及び方法の概観の構成及び方法について、図１７を用いて説明する。
【０３４０】
図１７は、本発明の無燃料蓄電システムの第５及び１０の実施の形態の無燃料電力増幅装置（素子）の実施例５及び１０の無燃料電力増幅装置（素子）の概観の構成を示す概観構成図である。
【０３４１】
図１７に示す無燃料電力増幅装置（素子）１７０は、図１６の無燃料電力蓄電装置１６０において、充電池格納部１６３、充電完了点灯表示部１６７を除いた構成と同様である。
【０３４２】
内部の構成は、本発明の無燃料蓄電システムの第５及び１０の実施の形態の無燃料電力増幅装置（素子）及び本発明の無燃料蓄電システムの第５及び１０の実施の形態の無燃料電力増幅装置（素子）の実施例５及び１０の無燃料電力増幅装置（素子）と同様の構成のものが装着されており、凹部端子部１６４、及び凸部端子部１６５のプラス端子及びマイナス端子１６６a，bが実施例５及び１０の無燃料電力増幅装置１０，１５の端子６５a，bに該当する。凹部端子部１６４、及び凸部端子部１６５のプラス端子及びマイナス端子１６６a，bを一度に複数備える構成とした場合は、実施例５及び１０の無燃料電力増幅装置１０，１５の端子６５a，bから並列して接続するように構成する。
【０３４３】
尚、以上において、図３１に示すように、アンテナ１６１の変わりに／とは別にさらに、金属性等、少なくとも金属性のものから構成されたもの等の電磁波を検知できるものである電磁波検知手段２７０を備えるようにしてもよい（電磁波検知手段として電磁波吸収体（材料）を使用することも可能である。この場合、導電線は、電磁波吸収体（材料）の金属性部分に接続する必要がある）。また、アンテナ１６１の変わりに／とは別にさらに備えられた、金属性等の電磁波を検知できるものである電磁波検知手段２７０、の変わりに／とは別にさらに導線に接続された、金属性等、少なくとも金属性のものから構成されたもの等の電磁波を検知できるものである電磁波検知手段２７０から少なくとも構成される容器としてもよい。また、アンテナ１６１及び／又は各種自然界量検知部１８１の変わりに／とは別にさらに備えられた、金属性等、少なくとも金属性のものから構成されたもの等の電磁波を検知できるものである電磁波検知手段２７０、の変わりに／とは別にさらに導線に接続された、金属性等、少なくとも金属性のものから構成されたもの等の電磁波を検知できるものである電磁波検知手段２７０を含む電磁波検知手段及び／又は各種自然界量検知手段から少なくとも構成される容器としてもよい。このようにすれば、さらに無駄な電磁波を蓄電することができる。
【０３４４】
図１７に示す無燃料電力増幅装置（素子）１７０は、本発明の無燃料蓄電システムの第５及び１０の実施の形態の無燃料電力増幅装置（素子）及び本発明の無燃料蓄電システムの第５及び１０の実施の形態の無燃料電力増幅装置（素子）の実施例５及び１０の無燃料電力増幅装置（素子）の１実施例である為、本発明の無燃料蓄電システムの第５及び１０の実施の形態の無燃料電力増幅装置（素子）及び本発明の無燃料蓄電システムの第５及び１０の実施の形態の無燃料電力増幅装置（素子）の実施例５及び１０の無燃料電力増幅装置（素子）が有する構成及び効果は同様に有するものである。
【０３４５】
尚、以上に示した、本発明の無燃料蓄電システムの第５及び１０の実施の形態の無燃料電力増幅装置（素子）及び本発明の無燃料蓄電システムの第５及び１０の実施の形態の無燃料電力増幅装置（素子）の実施例５及び１０の無燃料電力増幅装置（素子）並びに図１７に示す無燃料電力増幅装置（素子）１７０を、素子（IC（Integrated・Circuit））化するようにしてもよい。
【０３４６】
本発明の無燃料蓄電システム及び方法の第１乃至第４の実施の形態の無燃料蓄電装置及び方法、並びに本発明の無燃料蓄電システム及び方法の第１乃至第４の実施の形態の無燃料蓄電装置及び方法の１実施例である、実施例１乃至実施例４及び実施例６乃至実施例９の無燃料電力蓄電装置及び方法において、実施例１乃至実施例４及び実施例６乃至実施例９の無燃料電力蓄電装置を素子（IC）化した無燃料電力蓄電素子及び方法、並びに、本発明の無燃料蓄電システム及び方法の第５の実施の形態の無燃料電力増幅装置（素子）及び方法、並びに本発明の無燃料蓄電システム及び方法の第５の実施の形態の無燃料電力増幅装置（素子）及び方法の１実施例である、実施例５及び実施例１０の無燃料電力増幅装置（素子）及び方法において、実施例５及び実施例１０の無燃料電力増幅装置（素子）を素子（IC）化した無燃料電力増幅素子及び方法について、図１８を用いて説明する。
【０３４７】
図１８は、本発明の無燃料蓄電システム及び方法の第１乃至第４の実施の形態の無燃料蓄電装置及び方法、並びに本発明の無燃料蓄電システム及び方法の第１乃至第４の実施の形態の無燃料蓄電装置及び方法の１実施例である、実施例１乃至実施例４及び実施例６乃至実施例９の無燃料電力蓄電装置及び方法において、実施例１乃至実施例４及び実施例６乃至実施例９の無燃料電力蓄電装置を素子（IC）化した無燃料電力蓄電素子及び方法、並びに、本発明の無燃料蓄電システム及び方法の第５の実施の形態の無燃料電力増幅装置（素子）及び方法、並びに本発明の無燃料蓄電システム及び方法の第５の実施の形態の無燃料電力増幅装置（素子）及び方法の１実施例である、実施例５及び実施例１０の無燃料電力増幅装置（素子）及び方法において、実施例５及び実施例１０の無燃料電力増幅装置（素子）を素子（IC）化した無燃料電力増幅素子及び方法の内部構成及び外観の構成を示す内部及び概観構成図である。
【０３４８】
図１８（１a）に示す本発明の実施例である、無燃料蓄電素子、無燃料電力増幅素子、電流増幅素子１８０は、基板１８９上に絶縁膜１８８が形成され、絶縁膜１８８上にダイオード、定電圧ダイオード（ツェナーダイオード）、コンデンサーが其々形成されている。ダイオード１８２、定電圧ダイオード（ツェナーダイオード）１８１、コンデンサー１８３間は絶縁膜１８８により覆われている。ダイオード１８２は、ｐ型半導体膜１８２−１をｎ型半導体膜１８２−２が覆うように形成されており、ｎ型半導体膜１８２−２は絶縁膜１８８により覆われている。定電圧ダイオード（ツェナーダイオード）１８１は、ｐ型半導体膜１８１−１をｎ型半導体膜１８１−２が覆うように形成されており、ｎ型半導体膜１８１−２は絶縁膜１８８により覆われている。コンデンサー１８３は、プラス電極１８３−１を覆うように誘電膜（又は絶縁膜、真空層、空気層、若しくはガス層）１８３−２が形成され、誘電膜（又は絶縁膜、真空層、空気層、若しくはガス層）１８３−２を覆うようにマイナス電極１８３−３が形成されている。ダイオード１８２のｎ型半導体膜１８２−２とコンデンサー１８３のマイナス電極１８３−３とはダイオード１８２のｎ型半導体膜１８２−２とコンデンサーのマイナス電極１８３−３との間に形成された絶縁膜１８８により絶縁され、ダイオード１８２のｎ型半導体膜１８２−２の表面上とコンデンサー１８３のマイナス電極１８３−３の表面上とを繋ぐように、ダイオード１８２のｎ型半導体膜１８２−２の表面上、絶縁膜１８８の表面上、コンデンサー１８３のマイナス電極１８３−３の表面上に導電膜１０００が形成されている。ダイオード１８２のｐ型半導体膜１８２−１と定電圧ダイオード（ツェナーダイオード）１８１のｎ型半導体膜１８１−２とは、ダイオード１８２のｎ型半導体膜１８１−２と定電圧ダイオード（ツェナーダイオード）１８１のｐ型半導体膜１８１−１との間に形成された絶縁膜１８８により絶縁され、ダイオード１８２のｎ型半導体膜１８２−２の表面上と定電圧ダイオード（ツェナーダイオード）１８１のｐ型半導体膜１８１−１の表面上とを繋ぐように、ダイオード１８２のｎ型半導体膜１８２−２の表面上、絶縁膜１８８の表面上、定電圧ダイオード（ツェナーダイオード）１８１のｐ型半導体膜１８１−１の表面上に導電膜１０００が形成されている。定電圧ダイオード（ツェナーダイオード）１８１のｐ型半導体膜１８１−１の表面には、端子１８６−１が形成されている。ダイオード１８２のｐ型半導体膜１８２−１上には、電磁波検知手段及び／又は各種自然界量検知手段１８７が形成されている。コンデンサー１８３のプラス電極１８３−１上には、端子１８６−２，３が形成されている。このようにして形成された、ダイオード１８２、定電圧ダイオード（ツェナーダイオード）１８１、コンデンサー１８３上には不図示の絶縁膜１８８が形成され、被覆されている。
【０３４９】
図１８（１b）に示す本発明の実施例である、無燃料蓄電素子、無燃料電力増幅素子、電流増幅素子１８０は、図１８（１a）に示す本発明の実施例である、無燃料蓄電素子、無燃料電力増幅素子、電流増幅素子１８０において、さらに、ダイオード１８４が絶縁膜１８８を挟んでコンデンサー１８３が形成されている。ダイオード１８４は、ｐ型半導体膜１８４−１をｎ型半導体膜１８４−２が覆うように形成されており、ｎ型半導体膜１８４−２は絶縁膜１８８により覆われている。ダイオード１８４のｐ型半導体膜１８４−１とコンデンサーのマイナス電極１８３−３とはダイオード１８４のｐ型半導体膜１８４−１とコンデンサー１８３のマイナス電極１８３−３との間に形成された絶縁膜１８８により絶縁され、ダイオード１８４のｐ型半導体膜１８４−１の表面上とコンデンサー１８３のマイナス電極１８３−３の表面上とを繋ぐように、ダイオード１８４のｐ型半導体膜１８４−１の表面上、絶縁膜１８８の表面上、コンデンサー１８３のマイナス電極１８３−３の表面上に導電膜１０００が形成されている。ダイオード１８４のｎ型半導体膜１８４−１上には、端子１８６−４が形成されている。コンデンサー１８３のプラス電極１８３−１上の端子１８６−３は削除されている。このようにして形成された、ダイオード１８２，１８４、定電圧ダイオード（ツェナーダイオード）１８１、コンデンサー１８３上には不図示の絶縁膜１８８が形成され、被覆されている。
【０３５０】
図１８（１c）に示す本発明の実施例である、無燃料蓄電素子、無燃料電力増幅素子、電流増幅素子１８０は、図１８（１b）に示す本発明の実施例である、無燃料蓄電素子、無燃料電力増幅素子、電流増幅素子１８０において、ダイオード１８４の代わりに、定電圧ダイオード（ツェナーダイオード）１８５が形成されている。すなわち、定電圧ダイオード（ツェナーダイオード）１８５は、ｐ型半導体膜１８５−１をｎ型半導体膜１８５−２が覆うように形成されており、ｎ型半導体膜１８５−２は絶縁膜１８８により覆われている。定電圧ダイオード（ツェナーダイオード）１８５のｐ型半導体膜１８５−１とコンデンサーのマイナス電極１８３−３とは定電圧ダイオード（ツェナーダイオード）１８５のｐ型半導体膜１８５−１とコンデンサー１８３のマイナス電極１８３−３との間に形成された絶縁膜１８８により絶縁され、定電圧ダイオード（ツェナーダイオード）１８５のｐ型半導体膜１８５−１の表面上とコンデンサー１８３のマイナス電極１８３−３の表面上とを繋ぐように、定電圧ダイオード（ツェナーダイオード）１８５のｐ型半導体膜１８５−１の表面上、絶縁膜１８８の表面上、コンデンサー１８３のマイナス電極１８３−３の表面上に導電膜１０００が形成されている。定電圧ダイオード（ツェナーダイオード）１８５のｎ型半導体膜１８５−１上には、端子１８６−４が形成されている。コンデンサー１８３のプラス電極１８３−１上の端子１８６−３は削除されている。このようにして形成された、ダイオード１８２、定電圧ダイオード（ツェナーダイオード）１８１，１８５、コンデンサー１８３上には不図示の絶縁膜１８８が形成され、被覆されている。
【０３５１】
図１８（１d）に示す本発明の実施例である、無燃料蓄電素子、無燃料電力増幅素子、電流増幅素子１８０は、図１８（１ｃ）に示す本発明の実施例である、無燃料蓄電素子、無燃料電力増幅素子、電流増幅素子１８０において、ダイオード１８４が形成されている。すなわち、ダイオード１８５は、ｐ型半導体膜１８４−１をｎ型半導体膜１８４−２が覆うように形成されており、ｎ型半導体膜１８４−２は絶縁膜１８８により覆われている。ダイオード１８４のｐ型半導体膜１８４−１とコンデンサーのマイナス電極１８３−３とはダイオード１８４のｐ型半導体膜１８４−１とコンデンサー１８３のマイナス電極１８３−３との間に形成された絶縁膜１８８により絶縁され、ダイオード１８４のｐ型半導体膜１８４−１の表面上とコンデンサー１８３のマイナス電極１８３−３の表面上とを繋ぐように、ダイオード１８４のｐ型半導体膜１８４−１の表面上、絶縁膜１８８の表面上、コンデンサー１８３のマイナス電極１８３−３の表面上に導電膜１０００が形成されている。ダイオード１８４のｎ型半導体膜１８４−１上には、端子１８６−４が形成されている。コンデンサー１８３のプラス電極１８３−１上の端子１８６−３は削除されている。このようにして形成された、ダイオード１８２，１８４、定電圧ダイオード（ツェナーダイオード）１８１，１８５、コンデンサー１８３上には不図示の絶縁膜１８８が形成され、被覆されている。
【０３５２】
以上に示した（１a）から(１ｄ)までの構成を単数又は複数繰り返した構成としてもよい。
【０３５３】
＜第３の所定電圧付加導通許可手段＞及び／又は＜第２の所定電圧付加導通許可手段＞
尚、図１８（１’）に示すように、コンデンサー１８３及び／又は定電圧ダイオード（ツェナーダイオード）１８１箇所をスイッチを介して直列に接続された複数のコンデンサー及び／又は単数又はスイッチを介して直列に接続された複数の可変容量コンデンサー(又は可変容量ダイオード)とし、スイッチ切り替え用端子を外部に伸びだしたように形成してもよい。すなわち、（１a）〜（１ｄ）において、コンデンサー１８３及び／又は定電圧ダイオード（ツェナーダイオード）１８１を単数又は複数の可変容量コンデンサー（ダイオード）とトランジスタから構成される可変容量コンデンサー（ダイオード）andトランジスタ１８００に置き換えて形成するようにする。
【０３５４】
可変容量コンデンサー（ダイオード）１８００A-1〜nは、ｐ型半導体膜１８００A-1〜n−１をｎ型半導体膜１８００A-1〜n−３が覆うように形成されており、ｐ型半導体膜１８００A-1〜n−１、ｎ型半導体膜１８００A-1〜n−３間には、空欠層１８００A-1〜n−２が形成されている又はされる。可変容量コンデンサー（ダイオード）１８００A-1〜nのｐ型半導体膜１８００A-1〜n−１、ｎ型半導体膜１８００A-1〜n−２上には端子１８１０C-1〜n−１、１８１０C-1〜n−２が形成されている。トランジスタ１８００B-1〜nは、ｎ型半導体膜１８００B-1〜n-2、ｎ型半導体膜１８００B-1〜n-3をｐ型半導体膜１８００B-1〜n-1で覆うように形成されており、ｐ型半導体膜１８００B-1〜n-1、ｎ型半導体膜１８００B-1〜n-2、ｎ型半導体膜１８００B-1〜n-3上には、ゲート電極（端子）１８００D-1〜n-1、ソース電極（端子）１８００D-1〜n-2、ドレイン電極（端子）１８００D-1〜n-3が其々形成されている。可変容量コンデンサー（ダイオード）１８００A-1〜nのｐ型半導体膜１８００A-1〜n-1は、空欠層１８００A-1〜n−２、ｎ型半導体膜１８００A-1〜n−3上を絶縁膜１８８で覆いつつ、さらにトランジスタ１８００B-1〜nのｐ型半導体膜１８００A-1〜n−１上を絶縁膜１８８で覆いつつ、絶縁膜１８８を導電膜１８７で覆ってトランジスタ１８００B-1〜nのｎ型半導体膜１８００A-1〜n−２に接続されるように形成されている。トランジスタのｎ型半導体膜１８００B-1〜n-３は、コンデンサー１８００B-2〜nのｎ型半導体膜１８００B-2〜n-3に繋がるように、ｐ型半導体膜１８００B-1〜n−1上を絶縁膜１８８で覆いつつ、さらに絶縁膜１８８を覆って導電膜１８７を形成している。また、トランジスタ１８００B-1〜nのｎ型半導体膜１８００B-1〜n-2からは、トランジスタ１８００B-1〜nと同様の構成のトランジスタ１８００b-1〜nのｎ型半導体膜１８００b-1〜n-2に繋がるように導電膜１８７が形成されている。トランジスタ１８００b-1〜nのｎ型半導体膜１８００b-1〜n-3は、トランジスタ１８００b-2〜nのｎ型半導体膜１８００b-1〜n-1に繋がるように、トランジスタ１８００b-1〜nのｐ型半導体膜１８００b-1〜n-1上とトランジスタ１８００b-2〜nのｐ型半導体膜１８００b-1〜n-1上を絶縁膜１８８で覆いつつ、さらに絶縁膜１８８上を覆ってトランジスタ１８００b-2〜nのn型半導体膜１８００b-2〜n-2に繋がるように導電膜１８７を形成している。トランジスタ１８００b-1〜nのｐ型半導体膜１８００b-1〜n-1上には端子１８００ｄ-1〜nが形成されている。このような構成をｎ回繰り返し、可変容量コンデンサー（ダイオード）andトランジスタ１８００は形成されている。
【０３５５】
トランジスタ１８００B-n、トランジスタ１８００b-nでは、ｎ型半導体膜１８００B-n−１、ｎ型半導体膜１８００ｂ-n−１は、ｐ型半導体膜１８００B-n−１、ｐ型半導体膜１８００b-n−１上を絶縁膜１８８で覆いつつ、他の要素に接続されるよう、絶縁膜１８８をさらに覆って導電膜１８７が形成されている。また、可変容量コンデンサー（ダイオード）１８００A-1のｎ型半導体膜１８００A-1-1は、（１ｄ）,（１ｄ-1）の場合、他の要素に接続されるように導電膜１８７が形成されている。可変容量コンデンサー（ダイオード）１８００A-1の左側の空乏層１８００A-1-2上、ｐ型半導体膜１８００A-1-3上には、絶縁膜１８８が形成されている。
【０３５６】
すなわち、コンデンサー１８３及び／又は定電圧ダイオード（ツェナーダイオード）１８１を可変容量コンデンサー（ダイオード）１８００A-1〜nとトランジスタ１８００B-1〜nとを交互に複数形成し、其々のトランジスタ１８００B-1〜nは、さらに他のトランジスタ１８００b-1〜nに接続されており、他のトランジスタ１８００b-1〜n間も接続された構成としたものであって、前記可変容量コンデンサー（ダイオード）１８００A-1〜nと前記トランジスタ１８００B-1〜n間には、絶縁膜１８８が形成されており、前記他のトランジスタ１８００b-1〜n間も絶縁膜１８８が形成されており、
前記可変容量コンデンサー（ダイオード）１８００A-1〜nは、p型半導体膜１８００A-1〜n−１を覆うようにn型半導体膜１８００A-1〜n−３が形成されており、p型半導体膜１８００A-1〜n−１とn型半導体膜１８００A-1〜n−３との間に空乏層１８００A-1〜n−２が形成されており（又は形成され）、ｐ型半導体膜１８００A-1〜n−１により第１のｎ型半導体膜表面１８００A-1〜n−３−１と第２のｎ型半導体膜表面１８００A-1〜n−３−２とを有しており、
前記トランジスタ１８００B-1〜n及び前記他のトランジスタ１８００b-1〜nは、第１のn型半導体膜１８００B-1〜n−２，１８００b-1〜n−２及び第２のn型半導体膜１８００B-1〜n−３，１８００b-1〜n−３を覆うようにｐ型半導体膜１８００B-1〜n−１，１８００b-1〜n−１が形成されており、ｐ型半導体膜表面１８００B-1〜n−１，１８００b-1〜n−１は、第１のn型半導体膜表面１８００B-1〜n−２，１８００b-1〜n−２との間に形成された第１のｐ型半導体膜表面１８００B-1〜n−１−２，１８００b-1〜n−１−２、第２のn型半導体膜表面１８００B-1〜n−３，１８００b-1〜n−３との間に形成された第２のｐ型半導体膜表面１８００B-1〜n−１−３，１８００b-1〜n−１−３、第１のn型半導体膜表面１８００B-1〜n−２，１８００b-1〜n−２と第２のn型半導体膜表面１８００B-1〜n−３，１８００b-1〜n−３との間に形成された第３のｐ型半導体膜表面１８００B-1〜n−１−１，１８００b-1〜n−１−１とを有しており、
前記可変容量コンデンサー（ダイオード）１８００A-1〜nのp型半導体膜１８００A-1〜n−１上と第１のn型半導体膜１８００A-1〜n−３−１上には端子１８００C-1〜n−１が形成されており、前記トランジスタ１８００B-1〜n及び前記他のトランジスタ１８００b-1〜nのｐ型半導体膜１８００B-1〜n−１，１８００b-1〜n−１上には端子１８００D-1〜n−１，１８００d-1〜n−１が形成されており、
前記可変容量コンデンサー（ダイオード）１８００A-1〜nのp型半導体膜１８００A-1〜n−１とn型半導体膜１８００A-1〜n−３との間に形成された又は形成される空乏層１８００A-1〜n−２上には絶縁膜１８８が形成されており、前記トランジスタ１８００B-1〜n及び前記他のトランジスタ１８００b-1〜nのｐ型半導体膜１８００B-1〜n−１，１８００b-1〜n−１上には絶縁膜１８８が形成されており、
前記可変容量コンデンサー（ダイオード）１８００A-1〜nのｐ型半導体膜１８００A-1〜n−１と前記トランジスタ１８００B-1〜nの第１のｎ型半導体膜１８００B-1〜n−２との間には、前記トランジスタ１８００B-1〜nの第１のｐ型半導体膜表面１８００B-1〜n−１−２上に形成された絶縁膜１８８を覆うように、導電膜が形成され接続されており、
前記トランジスタ１８００B-1〜nの第２のｎ型半導体膜１８００B-1〜n−３と、前記トランジスタ１８００B-1〜nに対して前記可変容量コンデンサー（ダイオード）１８００A-1〜nの反対側に形成された他の可変容量コンデンサー（ダイオード）１８００A-2〜nの第１のｎ型半導体膜１８００A-2〜n−２との間には導電膜が形成され接続されており、
前記トランジスタ１８００B-1〜nの第１のｎ型半導体膜１８００B-1〜n−２と前記他のトランジスタ１８００b-1〜nの第１のｎ型半導体膜１８００b-1〜n−２との間には、導電膜が形成されて接続されており、
前記他のトランジスタ１８００b-1〜nの第２のｎ型半導体膜１８００b-1〜n−３と隣り合う前記他のトランジスタ１８００b-2〜nの第１のｎ型半導体膜１８００b-1〜n−２との間には、前記他のトランジスタ１８００b-2〜nの第１のｐ型半導体膜表面１８００b-2〜n−１−２上に形成された絶縁膜１８８を覆うように、導電膜が形成され接続されており、
以上の構成を複数回繰り返し、最後のトランジスタ１８００B-n及び最後の他のトランジスタ１８００b-nの第２のｎ型半導体膜１８００b-n−３は、前記最後のトランジスタ１８００B-n及び前記最後の他のトランジスタ１８００b-nのｐ型半導体膜１８００b-n−１上に形成された絶縁膜１８８を覆うように、導電膜が形成され接続されており、さらに、他の要素との間に導電膜が形成され接続されており、図１８の（４）の場合、最初の前記可変容量コンデンサー（ダイオード）１８００A-1のp型半導体膜１８００A-1−１は、他の要素との間に導電膜が形成され接続されている。
【０３５７】
＜第２の所定電圧付加導通許可手段＞
また、定電圧ダイオード（ツェナーダイオード）１８１を、図１８−１（１’２）に示すように、スイッチを介して単数又は複数直列に接続された定電圧ダイオード（ツェナーダイオード）１８０１Ａとしてもよい。すなわち、第２の定電圧ダイオード（ツェナーダイオード）を第２の定電圧ダイオード（ツェナーダイオード）とトランジスタとを交互に複数形成した構成としたものとしてもよい。すなわち、以上に説明した第３の所定電圧付加導通許可手段において、コンデンサー１８００Ａを定電圧ダイオード（ツェナーダイオード）１８０１Ａに置き換えるようにしてもよい。この場合、空乏層１８００A-1〜n−２が削除され、定電圧ダイオード（ツェナーダイオード）１８０１A-1〜ｎのp型半導体膜面上１８０１A-1〜ｎ−１と定電圧ダイオード（ツェナーダイオード）１８００A-1〜ｎのｎ型半導体膜面上１８０１A〜ｎ-３−１との間には絶縁膜１８８が形成された状態としてもよい。
【０３５８】
＜第１の所定検知電圧付加導通許可手段，第１の所定電圧付加導通許可手段＞
また、図１８−２（１）に示すように、第１の所定検知電圧付加導通許可手段，第１の所定電圧付加導通許可手段１８０２は、コンデンサー１８３と、コンデンサー１８３の前及び／又は後に設置された（定電圧）ダイオード１８２とから構成されており、検知手段と（定電圧）ダイオード１８２との間に、及び／又は、（定電圧）ダイオード１８２とコンデンサー１８３との間に、並びに／若しくは、（１a）から(１ｄ)までの構成を単数又は複数繰り返した構成とした場合、コンデンサー１８３と次の構成の（定電圧）ダイオード１８２との間に、素子中の回路に対して並列に単数又は複数接続した構成としたもの（検知電圧制限、及び／又は、電力供給電圧制限）であって、複数組の場合、一方の組の（定電圧）ダイオード１８２の導通方向の向きに対して他方の組の（定電圧）ダイオード１８２の導通方向の向きが逆向きに構成されている第１の所定検知電圧付加導通許可手段，第１の所定電圧付加導通許可手段１８０２を設置するようにしてもよい。また、図１８−２（１’３）に示すように、コンデンサー１８３を図１８−１（１’２）の第３の所定電圧付加導通許可手段１８００に置き換えるようにしてもよい。
【０３５９】
尚、仮蓄電手段が単数又は複数繰り返された構成において、第２の仮（一時）蓄電手段を挟むように設置された、隣り合う第１の所定電圧付加導通許可手段と第１の所定電圧付加導通許可手段よりも蓄電に起電力を有する蓄電手段に近いほうの第２の所定電圧付加導通許可手段の導通許可電圧は、第２の所定電圧付加導通許可手段の導通許可電圧の方が、第１の所定電圧付加導通許可手段の導通許可電圧よりも大きく、小さく、ばらばらに、又は同じように構成してもよい。
【０３６０】
また、仮蓄電手段が単数又は複数繰り返された構成において、各要素間から別に分岐して、構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、並びに／若しくは、回路に接続するようにし、電力を供給し、蓄電する、並びに／若しくは、電力を供給するように接続してもよい。
【０３６１】
また、以上において、（定電圧（ツェナーダイオード））ダイオードのp型半導体膜面上とｎ型半導体膜面上は、p型半導体膜面上とｎ型半導体膜面上が導通しないように絶縁膜が形成されている。
【０３６２】
本発明の無燃料蓄電素子、無燃料電力増幅素子、電流増幅素子は、素子（IC）化したので、電流の損失を限りなく少なくできると共に、動作を速くすることができる。
【０３６３】
図１８（２）は、図８（１）に示した無燃料蓄電素子、無燃料電力増幅素子、電流増幅素子１８０をパッケージングしたものの概観を示した概観図である。
【０３６４】
図１８（２a）に示す無燃料蓄電素子、無燃料電力増幅素子、電流増幅素子１８０−１は、上面が半月の筒状のプラスチック（材質はプラスチック製に限らずどのようなものであってもよい）容器１８０−１に格納された構造となっている。プラスチック容器１８０−１からは接続用の端子が２本伸び出た構造となっている。図１８（２b）に示す無燃料蓄電素子、無燃料電力増幅素子、電流増幅素子１８０−２は、立方体のプラスチック（材質はプラスチック製に限らずどのようなものであってもよい）容器１８０−２に格納された構造となっている。プラスチック容器１８０−２からは接続用の端子が２本伸び出た構造となっている。図１８（２ｃ）に示す無燃料蓄電素子、無燃料電力増幅素子、電流増幅素子１８０−３は、プラスチック製（材質はプラスチック製に限らずどのようなものであってもよい）のフラットパッケージ１８０−３に格納された構造となっている。フラットパッケージ１８０−３からは接続用の端子が２本伸び出た構造となっている。
【０３６５】
尚、図１８((３２))−１（２’）に示すように、図１８((３２))−１（１’）に対応した無燃料蓄電素子、無燃料電力増幅素子、電流増幅素子１８０’−１，１８０’−２，１８０’−３では、図１８（２）の１８０−１，１８０−２，１８０−３に対して、端子が３ｎ本さらに付け加えられた構成となっている。また、図１８((３２))−１（２’２）に示すように、図１８((３２))−１（１’２）に対応した無燃料蓄電素子、無燃料電力増幅素子、電流増幅素子１８０’２−１，１８０’２−２，１８０’２−３では、図１８((３２))−１（２’）の１８０’−１，１８０’−２，１８０’−３に対して、端子が３ｎ本さらに付け加えられた構成となっている。また、図１８((３２))−２（２’３）に示すように、図１８((３２))−１（１’３）に対応した無燃料蓄電素子、無燃料電力増幅素子、電流増幅素子１８０’３−１，１８０’３−２，１８０’３−３では、図１８((３２))−１（２’２）の１８０’２−１，１８０’２−２，１８０’２−３に対して、端子が３ｎ本さらに付け加えられた構成となっている。（尚、図３２−１、図３２−２についても同様）
【０３６６】
尚、以上において、図３２に示すように、電磁波検知手段及び／又は各種自然界量検知手段１８７の変わりに／とは別にさらに、ダイオード１８２のｐ型半導体膜１８２−１上に、金属性等、少なくとも金属性のものから構成されたもの等の電磁波を検知できるものである電磁波検知手段２７０を含む電磁波検知手段及び／又は各種自然界量検知手段１８７’を形成するようにしてもよい（電磁波検知手段として電磁波吸収体（材料）を使用することも可能である。この場合、導電線は、電磁波吸収体（材料）の金属性部分に接続する必要がある）。また、電磁波検知手段及び／又は各種自然界量検知手段１８７の変わりに／とは別にさらにダイオード１８２のｐ型半導体膜１８２−１上に形成された、金属性等、少なくとも金属性のものから構成されたもの等の電磁波を検知できるものである電磁波検知手段２７０を含む電磁波検知手段及び／又は各種自然界量検知手段１８７’、の変わりに／とは別にさらに導電膜１８７’’（導線）に接続された、金属性等、少なくとも少なくとも金属性のものから構成されたもの等の電磁波を検知できるものである電磁波検知手段２７０を含む電磁波検知手段及び／又は各種自然界量検知手段１８７’から少なくとも構成される容器としてもよい。このようにすれば、さらに無駄な電磁波を蓄電することができる。
【０３６７】
図２３は、本発明の他の無燃料電力増幅装置（素子）の内部構成及び外観の構成を示す内部及び概観構成図である。
【０３６８】
本発明の無燃料蓄電システム及び方法の第６の実施の形態の微少電流蓄電装置（素子）及び方法、並びに本発明の無燃料蓄電システム及び方法の第６の実施の形態の微少電流蓄電装置（素子）及び方法の１実施例である、実施例１１の微少電流蓄電装置（素子）及び方法において、実施例１１の微少電流蓄電装置（素子）及び方法の概観の構成及び方法について、図２３を用いて説明する。
【０３６９】
図２３は、本発明の無燃料蓄電システムの第６の実施の形態の微少電流蓄電装置（素子）の実施例１１の微少電流蓄電装置（素子）の概観の構成を示す概観構成図である。
【０３７０】
図２３に示す微少電流蓄電装置（素子）２３０の概観の構成は、図１７に示す無燃料電力増幅装置（素子）１７０に、さらに、電源入力プラス端子，電源入マイナス端子２３１a，bが備えられた構成となっており、それ以外の構成は、図１７に示す無燃料電力増幅装置（素子）１７０と同様の構成である。尚、アンテナ１６１−１、先端クリップ装着コード状アンテナ１６１−２、コード状のアンテナ１６１−３、及び／又は各種自然界量センサ１６２は、備えるようにしても備えないようにしてもよい。
【０３７１】
内部構成は、本発明の無燃料蓄電システムの第６の実施の形態の微少電流蓄電装置（素子）及び本発明の無燃料蓄電システムの第６の実施の形態の微少電流蓄電装置（素子）の実施例１１の微少電流蓄電装置（素子）と同様の構成のものが装着されており、充電池格納部１６３、凹部端子部１６４、及び／又は凸部端子部１６５のプラス端子及びマイナス端子１６６a，bが本発明の無燃料蓄電システムの第６の実施の形態の微少電流蓄電装置（素子）及び本発明の無燃料蓄電システムの第６の実施の形態の微少電流蓄電装置（素子）の実施例１１の微少電流蓄電装置（素子）２１０の端子２１５a，bに該当する。充電池格納部１６３、凹部端子部１６４、及び凸部端子部のプラス端子及びマイナス端子１６６a，bを一度に複数備える構成とした場合は、本発明の無燃料蓄電システムの第６の実施の形態の微少電流蓄電装置（素子）２１０及び本発明の無燃料蓄電システムの第６の実施の形態の微少電流蓄電装置（素子）の実施例１１の微少電流蓄電装置（素子）２１０の端子２１５a，bから並列して接続するように構成する。電源入力プラス端子，電源入マイナス端子２３１a，bが本発明の無燃料蓄電システムの第６の実施の形態の微少電流蓄電装置（素子）２１０及び本発明の無燃料蓄電システムの第６の実施の形態の微少電流蓄電装置（素子）の実施例１１の微少電流蓄電装置（素子）２１０のIN端子２１１a，ｂに該当する。
【０３７２】
尚、以上において、図３３に示すように、アンテナ１６１の変わりに／とは別にさらに、金属性等、少なくとも金属性のものから構成されたもの等の電磁波を検知できるものである電磁波検知手段２７０を備えるようにしてもよい（電磁波検知手段として電磁波吸収体（材料）を使用することも可能である。この場合、導電線は、電磁波吸収体（材料）の金属性部分に接続する必要がある）。また、アンテナ１６１の変わりに／とは別にさらに備えられた、金属性等、少なくとも金属性のものから構成されたもの等の電磁波を検知できるものである電磁波検知手段２７０、の変わりに／とは別にさらに導線に接続された、金属性等、少なくとも金属性のものから構成されたもの等の電磁波を検知できるものである電磁波検知手段２７０から少なくとも構成される容器としてもよい。また、アンテナ１６１及び／又は各種自然界量検知部１８１の変わりに／とは別にさらに備えられた、金属性等、少なくとも金属性のものから構成されたもの等の電磁波を検知できるものである電磁波検知手段２７０、の変わりに／とは別にさらに導線に接続された、金属性等、少なくとも金属性のものから構成されたもの等の電磁波を検知できるものである電磁波検知手段２７０を含む電磁波検知手段及び／又は各種自然界量検知手段から少なくとも構成される容器としてもよい。このようにすれば、さらに無駄な電磁波を蓄電することができる。
【０３７３】
図２３に示す微少電流蓄電装置（素子）２３０は、本発明の無燃料蓄電システムの第６の実施の形態の微少電流蓄電装置（素子）及び本発明の無燃料蓄電システムの第６の実施の形態の微少電流蓄電装置（素子）の実施例１１の微少電流蓄電装置（素子）の１実施例である為、本発明の無燃料蓄電システムの第６の実施の形態の微少電流蓄電装置（素子）及び本発明の無燃料蓄電システムの第６の実施の形態の微少電流蓄電装置（素子）の実施例１１の微少電流蓄電装置（素子）が有する構成及び効果は同様に有するものである。
【０３７４】
尚、以上に示した、本発明の無燃料蓄電システムの第６の実施の形態の微少電流蓄電装置（素子）及び本発明の無燃料蓄電システムの第６の実施の形態の微少電流蓄電装置（素子）の実施例１１の微少電流蓄電装置（素子）並びに図２３に示す微少電流蓄電装置（素子）２３０を、素子（IC（Integrated・Circuit））化するようにしてもよい。
【０３７５】
図２４は、本発明の無燃料蓄電システムの第６の実施の形態の微少電流蓄電装置（素子）の実施例１１の微少電流蓄電装置（素子）の内部構成及び外観の構成を示す内部及び概観構成図である。
【０３７６】
図２４（１）に示す微少電流蓄電素子２４０は、図１８（１）に示す無燃料蓄電素子、無燃料電力増幅素子、電流増幅素子１８０において、ダイオード１８２は、ｐ型半導体膜１８２−１上に端子２４１が形成された構成となっており、それ以外は、図１８（１）に示す無燃料蓄電素子、無燃料電力増幅素子、電流増幅素子１８０と同様の構成となっている。
【０３７７】
また、図２４((３４))−１（１’）、図２４((３４))−１（１’２）、図２４((３４))−２（１’３）に示す微少電流蓄電素子２４０’、２４０’２、２４０’３は、図１８−１（１’）、図１８−１（１’２）、図１８−２（１’３）に示す無燃料蓄電素子、無燃料電力増幅素子、電流増幅素子１８０’、１８０’２、１８０’３において、ダイオード１８２は、ｐ型半導体膜１８２−１上に端子２４１が形成された構成となっており、それ以外は、図１８−１（１’）、図１８−１（１’２）、図１８−２（１’３）に示す無燃料蓄電素子、無燃料電力増幅素子、電流増幅素子１８０’、１８０’２、１８０’３と同様の構成となっている。（尚、図３４−１、図３４−２についても同様）
【０３７８】
図２４（２）は、図２４（１）に示した微少電流蓄電素子２４０をパッケージングしたものの概観を示した概観図である。
【０３７９】
図２４（２a）に示す微少電流蓄電素子２４０−１は、上面が半月の筒状のプラスチック（材質はプラスチック製に限らずどのようなものであってもよい）容器２４０−１に格納された構造となっている。プラスチック容器２４０−１からは接続用の端子が２本伸び出た構造となっている。図２４（２b）に示す微少電流蓄電素子２４０−２は、立方体のプラスチック（材質はプラスチック製に限らずどのようなものであってもよい）容器２４０−２に格納された構造となっている。プラスチック容器２４０−２からは接続用の端子が４本伸び出た構造となっている。図２４（２ｃ）に示す微少電流蓄電素子２４０−３は、プラスチック製（材質はプラスチック製に限らずどのようなものであってもよい）のフラットパッケージ２４０−３に格納された構造となっている。フラットパッケージ２４０−３からは接続用の端子が４本伸び出た構造となっている。
【０３８０】
尚、図２４−１（２’）に示すように、図２４（１’）に対応した示す微少電流蓄電素子２４０’−１，２４０’−２，２４０’−３では、図２４（２）の２４０−１，２４０−２，２４０−３に対して、端子が３ｎ本さらに付け加えられた構成となっている。また、図２４((３４))−１（２’２）に示すように、図２４((３４))−１（１’２）に対応した示す微少電流蓄電素子２４０’２−１，２４０’２−２，２４０’２−３では、図２４((３４))−１（２’）の２４０’−１，２４０’−２，２４０’−３に対して、端子が３ｎ本さらに付け加えられた構成となっている。また、図２４((３４))−２（２’３）に示すように、図２４((３４))−２（１’３）に対応した示す微少電流蓄電素子２４０’３−１，２４０’３−２，２４０’３−３では、図２４((３４))−１（２）の２４０’２−１，２４０’２−２，２４０’２−３に対して、端子が３ｎ本さらに付け加えられた構成となっている。（尚、図３４−１、図３４−２についても同様）
【０３８１】
尚、以上において、図３４に示すように、アンテナ１８７の変わりに／とは別にさらに、ダイオード１８２のｐ型半導体膜１８２−１上に、金属性等、少なくとも金属性のものから構成されたもの等の電磁波を検知できるものである電磁波検知手段２７０を含む電磁波検知手段及び／又は各種自然界量検知手段１８７’を形成するようにしてもよい（電磁波検知手段として電磁波吸収体（材料）を使用することも可能である。この場合、導電線は、電磁波吸収体（材料）の金属性部分に接続する必要がある）。また、アンテナ１８７の変わりに／とは別にさらにダイオード１８２のｐ型半導体膜１８２−１上に形成された、金属性等、少なくとも金属性のものから構成されたもの等の電磁波を検知できるものである電磁波検知手段２７０を含む電磁波検知手段及び／又は各種自然界量検知手段１８７’、の変わりに／とは別にさらに導電膜１８７’’（導線）に接続された、金属性等、少なくとも金属性のものから構成されたもの等の電磁波を検知できるものである電磁波検知手段２７０を含む電磁波検知手段及び／又は各種自然界量検知手段１８７’から少なくとも構成される容器としてもよい。このようにすれば、さらに無駄な電磁波を蓄電することができる。
【０３８２】
本発明の無燃料可動電子機器若しくは機器及び方法の実施の形態又は実施の形態の１実施例である実施例の無燃料可動電子機器若しくは機器及び方法について、図１９、図２０を用いて説明する。
【０３８３】
図１９は、本発明の無燃料可動電子機器若しくは機器の実施の形態又は実施例を示す概念図であり、図２０は、本発明の無燃料可動電子機器若しくは機器の実施の形態の無燃料可動電子機器若しくは機器の１実施例である実施例の概観構成を示す概観構成図である。
【０３８４】
本発明の無燃料可動電子機器若しくは機器は、図１９（１）乃至図１９（４）に示すように、電子機器若しくは機器１９０，１９１の内部又は外部に本発明の無燃料充電装置が搭載又は有線により接続された構成となっている。
【０３８５】
図１９（１）に示す本発明の無燃料可動電子機器若しくは機器１９０は、電子機器若しくは機器１９０の内部に本発明の無燃料充電装置１〜４，６〜９，１１〜１４，１６０，１７０、無燃料蓄電装置（素子）１〜４，６〜９，１１〜１４，１６０，１７０、無燃料電流増幅装置（素子）５，１０，１５，１７０、及び／又は、微少電流蓄電装置２１０，２３０が搭載された構成となっている。また、図１９（２）に示す本発明の無燃料可動電子機器若しくは機器１９０は、電子機器若しくは機器の外部に有線により本発明の無燃料充電装置１〜４，６〜９，１１〜１４，１６０，１７０、無燃料蓄電装置（素子）１〜４，６〜９，１１〜１４，１６０，１７０、無燃料電流増幅装置（素子）５，１０，１５，１７０、及び／又は、微少電流蓄電装置２１０，２３０が接続された構成となっている。また、図１９（３）に示す本発明の無燃料可動機器１９１は、電子機器若しくは機器１９０の内部に本発明の無燃料充電装置１〜４，６〜９，１１〜１４，１６０，１７０、無燃料蓄電装置（素子）１〜４，６〜９，１１〜１４，１６０，１７０、無燃料電流増幅装置（素子）５，１０，１５，１７０、及び／又は、微少電流蓄電装置２１０，２３０が搭載された、本発明の無燃料可動電子機器若しくは機器１９０が格納された構成となっている。また、図１９（４）に示す本発明の無燃料可動機器１９１は、電子機器若しくは機器の外部に有線により本発明の無燃料充電装置１〜４，６〜９，１１〜１４，１６０，１７０、無燃料蓄電装置（素子）１〜４，６〜９，１１〜１４，１６０，１７０、無燃料電流増幅装置（素子）５，１０，１５，１７０、及び／又は、微少電流蓄電装置２１０，２３０が接続された、本発明の無燃料可動電子機器若しくは機器１９０が格納された構成となっている。
【０３８６】
図２０（１），（２）は、電子機器の一例として電子レンジ、又は携帯電話に本発明の無燃料蓄電装置（素子）１〜４，６〜９，１１〜１４，１６０，１７０、無燃料電流増幅装置（素子）５，１０，１５，１７０、及び／又は、微少電流蓄電装置２１０，２３０が適用された例が示されており、無燃料可動電子レンジ２００、又は無燃料可動携帯電話２０１の内部又は外部に本発明の無燃料蓄電装置（素子）１〜４，６〜９，１１〜１４，１６０，１７０、無燃料電流増幅装置（素子）５，１０，１５，１７０、及び／又は、微少電流蓄電装置２１０，２３０が搭載又は有線により接続された概観が示されている。図２０（３）は、機器の一例として、電子掲示板に本発明の無燃料蓄電装置（素子）１〜４，６〜９，１１〜１４，１６０，１７０、無燃料電流増幅装置（素子）５，１０，１５，１７０、及び／又は、微少電流蓄電装置２１０，２３０が適用された例が示されており、無燃料可動電子掲示板２０２の内部又は外部に本発明の無燃料蓄電装置（素子）１〜４，６〜９，１１〜１４，１６０，１７０、無燃料電流増幅装置（素子）５，１０，１５，１７０、及び／又は、微少電流蓄電装置２１０，２３０が搭載又は有線により接続された概観が示されている。
【０３８７】
尚、以上において、無燃料電磁波蓄電システム又は装置の供給先（電子機器若しくは機器）は、供給先（電子機器若しくは機器）の電源を蓄電に起電力を有する蓄電手段に変え、この蓄電手段に無燃料電磁波蓄電システム又は装置において仮蓄電された電力が蓄電される。交流を電源とする供給先（電子機器若しくは機器）の場合は、及び／又は、蓄電に起電力を有する蓄電手段を備え、さらに、所定の周波数に変換された交流波に変換する交流波変換手段を備え、交流波変換手段により電力を所定の周波数に変換し、供給する。尚、電源を除いて回路に電力を供給する場合は、及び／又は充電池（等の起電力を有する蓄電手段）の（を備える）かわりに、（充電池（等の起電力を有する蓄電手段）を備え、さらに、又は、充電池（等の起電力を有する蓄電手段）の（を備える）かわりに、）供給先（電子機器若しくは機器（回路））を安定的に動作させる為に必要な（安定動作)供給電圧を自動的に計測し、計測した電圧に応じて電力を供給する回路電圧自動計測供給手段を備え、回路電圧自動計測供給手段により、供給先（電子機器若しくは機器（回路））を安定的に動作させる為に必要な（安定動作)供給電圧を自動的に計測し、計測した電圧に応じて電力を供給するようにし、交流波電源の場合は、さらに、交流波変換手段を備え、交流波に変換して供給するようにしてもよい。供給先（電子機器若しくは機器）としては、断続的に電力を必要とする供給先（電子機器若しくは機器）又は不連続な（連続的でない）所定の時間のみ（一定時間だけ）電力を必要する供給先（電子機器若しくは機器）がある。
【０３８８】
以上のように、本発明の無燃料可動電子機器若しくは機器の実施の形態又は実施例の無燃料可動電子機器若しくは機器によれば、本発明の無燃料充電装置が内部に搭載又は有線により外部で接続された構成となっているので、無燃料で電子機器若しくは機器を可動させることができると共に、無駄に存在する電磁波又は自然界量を無駄なく蓄電することができる。
【０３８９】
尚、以上に説明した、スイッチのスイッチ制御を行うスイッチ制御装置及び方法の構成について、図２６を用いて詳細に説明する。
【０３９０】
図２６（１）は、スイッチ制御装置２６００の構成を示すブロック図である。
【０３９１】
スイッチ制御装置２６００は、ＣＰＵ（Central・Processing・Unit）２６０１、ＲＯＭ（Read・Only・Memory）２６０２、ＲＡＭ（Random・Access・Memory）２６０３、バス２６０４、入出力インターフェイス２６０５、電流蓄電供給部２６１１、電源スイッチ制御部２６１２、及び／又は電圧計測部２６１３、充電スイッチ制御部２６１４、及び／又はタイマー２６１５とから構成されている。尚、入出力としては、ネットワーク入出力等も含まれるものとする（伝送路（媒体）等入出力も含まれるものとする）。
【０３９２】
ＣＰＵ２６０１は、ＲＯＭ２６０２に記憶されているプログラムに従って、各種の処理を実行する。ＲＡＭ２６０３は、ＣＰＵ２６０１が各種の処理を実行する上において必要なデータ、プログラム等が、適宜記憶される。入出力インターフェイス２６０５は、電流蓄電供給部２６１１、電源スイッチ制御部２６１２、及び／又は電圧計測部２６１３、充電スイッチ制御部２６１４、タイマー２６１５に対する入出力のインターフェース処理を実行する。
【０３９３】
電流供給部２６１１は、電源スイッチ２６２１、及び／又は定電圧ダイオード（ツェナーダイオード）２６２４を介して接続され、所定の電力を蓄える。タイマー１１０６は、所定の時間間隔でタイマー信号を出力する。電圧計測部２６１３は、電圧計２６２３で計測された電圧値を出力する。電源スイッチ制御部２６１２、充電スイッチ制御部２６１４は、電流を供給し、電源スイッチ２６２１、充電スイッチ２６２２の開閉を行う。尚、電源スイッチ２６２１、充電スイッチ２６２２としては、スイッチ、リレースイッチ、アナログスイッチ、コンパレータスイッチ、及び／若しくはタイマースイッチ、又は、定電圧ダイオード（ツェナーダイオード）、トランジスタ２６２５、若しくはレギュレータを使用することができる。尚、電圧計測部２６１３は、電圧計２６２３を含むようにしてもよいし、含まないようにしてもよい。
【０３９４】
以下に、スイッチ制御部２６００の動作について説明する。
【０３９５】
電力蓄電供給部２６１１に所定の電流が供給されると、電源スイッチ制御部２６１２は、電力蓄電供給部２６１１間の電源スイッチ２６２１を閉じ、電圧計測部２６１３により（電圧計２６２３で）計測された電圧値が所定の電圧値になれば、充電スイッチ制御部２６１４より電流を供給し、充電スイッチ２６２２の開閉を行う。電力蓄電供給部２６１１が所定の電圧値以下になると、再度電力供給部間の電源スイッチ２６２１を開く。尚、電力蓄電供給部２６１１に所定の電流が供給されると、電力蓄電供給部２６１１間の電源スイッチ２６２１を閉じ、タイマー２６１５が可動し、電力蓄電供給部２６１１に電力がある間は、タイマー２６１５のタイマー可動によって、電圧計測部２６２３より電圧値を計測するようにしてもよい。電力蓄電供給部２６１１間の電源スイッチ２６２１は、定電圧ダイオード（ツェナーダイオード）２６２４及び／又はトランジスタ２６２５を使用してもよい。この電源スイッチ２６２１、充電スイッチ制御部２６１４のスイッチの開閉は、機械的に行っても、電流を供給することによりリレー式に開閉を行ってもよい。
【０３９６】
＜第３の所定電圧付加導通許可手段＞
また、図２６−１（１）に示すように、さらに、コンデンサー容量変更部２６１６を設け、初期動作時、電圧計測部２６１３から充電池の電圧を計測し、計測した電圧に基づいて所定の電圧（例えば、計測した電圧以上）の容量(及び／又は電圧)を仮（一時）蓄電できるように、図２６−１（１−１）に示す、コンデンサー（コンデンサー６３，８３、可変容量コンデンサー６３’，８３’、可変容量コンデンサー（ダイオード）６３’’，８３’’）の容量(及び／又は電圧)を設定する。このコンデンサーの容量(及び／又は電圧)設定は、可変容量コンデンサー６３’，８３’、可変容量コンデンサー（ダイオード）６３’’，８３’’の場合、コンデンサー容量変更部２６１６により電力を供給することにより、容量(及び／又は電圧)の設定を行い、直列にスイッチ２６２６−１〜ｎ，２６２６’−１〜ｎ及び／又はトランジスタ２６２５−１〜ｎ，２６２５’−１〜ｎを介して接続された可変容量コンデンサー６３’−１〜ｎ，８３’−１〜ｎ、可変容量コンデンサー（ダイオード）６３’’−１〜ｎ，８３’’−１〜ｎの場合、個々の可変容量コンデンサー６３’−１〜ｎ，８３’−１〜ｎ、可変容量コンデンサー（ダイオード）６３’’−１〜ｎ，８３’’−１〜ｎへの電力供給と共に、スイッチ２６２６−１〜ｎ，２６２６’−１〜ｎ及び／又はトランジスタ２６２５−１〜ｎ，２６２５’−１〜ｎのスイッチを切り替えることにより、複数のコンデンサー（可変容量コンデンサー６３’−１〜ｎ，８３’−１〜ｎ、可変容量コンデンサー（ダイオード）６３’’−１〜ｎ，８３’’−１〜ｎ）から構成される（全体の）コンデンサーの容量(及び／又は電圧)の設定を行う。また、直列にスイッチ２６２６−１〜ｎ，２６２６’−１〜ｎ及び／又はトランジスタ２６２５−１〜ｎ，２６２５’−１〜ｎを介して接続されたコンデンサー６３−１〜ｎ，８３−１〜ｎの場合、スイッチ２６２６−１〜ｎ，２６２６’−１〜ｎ及び／又はトランジスタ２６２５−１〜ｎ，２６２５’−１〜ｎのスイッチを切り替えることにより、複数のコンデンサー６３−１〜ｎ，８３−１〜ｎから構成される（全体の）コンデンサーの容量(及び／又は電圧)の設定を行う。これにより、充電及び／又は仮蓄電容量設定スイッチ制御装置（部）２６００’’によれば、充電池に応じた起電力で（電圧調整を行わずとも）自動的に充電を行うことができると共に、蓄電精度を向上することができる。（充電及び／又は仮蓄電容量設定スイッチ制御装置（部））上述した充電及び／又は仮蓄電容量設定スイッチ制御装置（部）２６００’’を充電スイッチ制御装置（部）２６００と仮蓄電容量設定スイッチ制御装置（部）２６００’とを分けて使用するようにしてもよい。尚、仮蓄電容量設定スイッチ制御装置（部）２６００’の場合は、ＣＰＵ２６０１、ＲＡＭ２６０２、ＲＯＭ２６０３、電力蓄電供給部２６１１、電圧計測部２６１３、容量設定部２６１６とから構成されるものとなる。また、所定の起電力になった後、電力を供給する際、スイッチをＯＮにした後、コンデンサーの可変容量を所定の大きさにして（例えば、小さくし）、起電力を所定の大きさにして（例えば、大きくして）蓄電手段に電力を一気に供給するようにしてもよい（この場合、コンデンサーの所定の可変容量の大きさ、起電力を所定の大きさは、第１の所定検知電圧付加導通許可手段，第１の所定電圧付加導通許可手段、第２の所定電圧付加導通許可手段、及び／又は、第３の所定電圧付加導通許可手段の電圧値に基づいて決定される。）この許可電圧値の設定情報は、初期設定により行われ、又、さらに備えられた許可電圧設定情報設定部（手段）２６１９により任意の時刻に設定を行うことができる（この許可電圧設定情報設定部（手段）２６１９による任意の時刻の設定は、外部に備えられたスイッチ切り替え部（手段）（不図示）からのスイッチ切り替え信号のＣＰＵ２６０１への入力により、ＣＰＵ２６０１からスイッチ切り替え命令が出力され、許可電圧設定情報設定部（手段）２６１９により、所望のスイッチにスイッチ切り替え用の電流を供給することによるスイッチ切り替えにより行われる。）。
【０３９７】
＜第２の所定電圧付加導通許可手段＞
また、図２６−２（１）−５に示すように、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）（定電圧）ダイオード６２，８２の変わりに、スイッチ２６２６−１〜n、２６２６−１’〜n、トランジスタ２６２５−１〜n、２６２５−１’〜nを介して直列に接続された（定電圧）ダイオード６２−１〜n，８２−１〜nを、さらに備えられた許可電圧設定部２６１８より切り替え、全体での許可電圧を設定するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。この許可電圧値の設定情報は、初期設定により行われ、又、さらに備えられた許可電圧設定情報設定部（手段）２６１９により任意の時刻に許可電圧設定を行うことができる（この許可電圧設定情報設定部（手段）２６１９による任意の時刻の設定は、外部に備えられたスイッチ切り替え部（手段）（不図示）からのスイッチ切り替え信号のＣＰＵ２６０１への入力により、ＣＰＵ２６０１からスイッチ切り替え命令が出力され、許可電圧設定情報設定部（手段）２６１９により、所望のスイッチにスイッチ切り替え用の電流を供給することによるスイッチ切り替えにより行われる。）。尚、第３の所定電圧付加導通許可手段のコンデンサーを（定電圧）ダイオードに置き換えたものを第２の所定電圧付加導通許可手段としてもよい。
【０３９８】
＜第１の所定検知電圧付加導通許可手段，第１の所定電圧付加導通許可手段＞
また、図２６−２（１）−３，（１）−４に示すように、（検知手段とコンデンサー間又は充電池間とコンデンサー間又はコンデンサーと充電池間又は複数仮蓄電手段が備えられている場合のコンデンサーと次の仮蓄電手段のダイオード間に備えられた）ダイオード６２，８２に前及び／又は後から接続されたコンデンサー６３，６８を検知手段とダイオード間に、及び／又はダイオードとコンデンサー間に、回路に対して並列に単数又は複数設置するようにしてもよい。また、複数設置した場合、一方の整流（導通方向）の向きと他方の整流（導通方向）の向きが逆向きになるように設置してもよい。また、コンデンサーを図２６−２（１）−３，（１）−４に示すように、単数又は複数の、スイッチ２６２６−１〜n、２６２６−１’〜n、トランジスタ２６２５−１〜n、２６２５−１’〜nを介して接続された（定電圧、可変容量）ダイオード２６３０−１〜n、（可変）コンデンサー２６３０−１〜nを、さらに備えられた容量設定部２６１７によりスイッチを制御することにより、全体の許可電圧を調整するようにしてもよい（この全体での許可電圧値の設定は、第１の所定検知電圧付加導通許可手段，第１の所定電圧付加導通許可手段、第２の所定電圧付加導通許可手段、及び／又は、第３の所定電圧付加導通許可手段の電圧値に基づいて決定される）。このようにすれば、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電することができる。この許可電圧値の設定情報は、初期設定により行われ、又、さらに備えられた許可電圧設定情報設定部（手段）２６１９により任意の時刻に設定を行うことができる（この許可電圧設定情報設定部（手段）２６１９による任意の時刻の設定は、外部に備えられたスイッチ切り替え部（手段）（不図示）からのスイッチ切り替え信号のＣＰＵ２６０１への入力により、ＣＰＵ２６０１からスイッチ切り替え命令が出力され、許可電圧設定情報設定部（手段）２６１９により、所望のスイッチにスイッチ切り替え用の電流を供給することによるスイッチ切り替えにより行われる。）。
【０３９９】
尚、以上において、仮蓄電手段が複数繰り返された構成においても、上述した構成と同様の構成が複数回繰り返された構成となる。
【０４００】
尚、仮蓄電手段が単数又は複数繰り返された構成において、第２の仮（一時）蓄電手段を挟むように設置された、隣り合う第１の所定電圧付加導通許可手段と第１の所定電圧付加導通許可手段よりも蓄電に起電力を有する蓄電手段に近いほうの第２の所定電圧付加導通許可手段の導通許可電圧は、第２の所定電圧付加導通許可手段の導通許可電圧の方が、第１の所定電圧付加導通許可手段の導通許可電圧よりも大きく、小さく、ばらばらに、又は同じように構成してもよい。
【０４０１】
また、仮蓄電手段が単数又は複数繰り返された構成において、各要素間から別に分岐して、構成以外の他の、前記蓄電に起電力を有する蓄電手段又は蓄電に起電力を有しない仮（一時）蓄電手段の電力入力側に少なくとも所定電圧付加導通許可手段を備え、及び／又は、電力入力側に整流手段、電力入力側の反対側に整流手段、若しくは、電力入力側の反対側に所定電圧付加導通許可手段を備えた蓄電手段、並びに／若しくは、回路に接続するようにし、電力を供給し、蓄電する、並びに／若しくは、電力を供給するように接続してもよい。
【０４０２】
以上のように、本実施の形態のスイッチ制御装置２６００は、電力蓄電供給部２６１１に供給された電力を元に無燃料で可動でき、コンデンサー６３，６８間の電圧が一定電圧になってから充電池への充電の切り替えを自動的に行うことができるので、微少電流でも無燃料で蓄電することができる。また、仮蓄電容量設定スイッチ制御装置（部）２６００’、充電及び／又は仮蓄電容量設定スイッチ制御装置（部）２６００’’によれば、充電池に応じた起電力で（電圧調整を行わずとも）自動的に充電を行うことができると共に、蓄電精度を向上することができる。また、充電及び／又は仮蓄電容量設定スイッチ制御装置（部）２６００’２（３）によれば、コンデンサーの可変容量を、第１の所定検知電圧付加導通許可手段，第１の所定電圧付加導通許可手段、第２の所定電圧付加導通許可手段、及び／又は、第３の所定電圧付加導通許可手段の電圧値に基づいて、所定の大きさにして（例えば、小さくし）、起電力を所定の大きさにして（例えば、大きくして）蓄電手段に電力を一気に供給するようにしたので、蓄電精度を向上することができる。また、充電及び／又は仮蓄電容量設定スイッチ制御装置（部）２６００’４〜７によれば、第１の所定検知電圧付加導通許可手段，第１の所定電圧付加導通許可手段、第２の所定電圧付加導通許可手段の許可電圧を設定することができる為、検知する電磁波の電圧値の上限値及び／又は下限値幅、電圧値幅、並びに／若しくは、電圧値を設定することができ、及び／又は、充電する電圧値の上限値及び／又は下限値幅、電圧値幅、並びに／若しくは、電圧値を調整することができ、所望の電圧値の電磁波を所望の電圧値で蓄電精度を向上させて自動的に蓄電することができる。
【０４０３】
以上説明した、本実施の形態のスイッチ制御装置２６００をステム集積回路（IC（Integrated・Circuit）,チップ）化してもよい。
【０４０４】
図２６（２）は、本実施の形態のスイッチ制御装置２６００をステム集積回路（IC（Integrated・Circuit）,チップ）化したスイッチ制御システム集積回路２６００−１の概観を示す図である。
【０４０５】
スイッチ制御システム集積回路２６００−１は、本発明の実施の形態のスイッチ制御装置２６００がシステム集積回路（IC（Integrated・Circuit）,チップ）化され、平らな、例えばプラスチック製（材質はプラスチック製に限らずどのようなものであってもよい）、の容器に格納され、外には端子が必要な本数分（電力供給部接続端用子分，電源スイッチ制御部接続用端子分，電圧計測部接続用端子分（例えば、８本））突き出した概観となっている。
【０４０６】
また、以上説明した、本実施の形態の（仮蓄電容量設定）スイッチ制御装置置（部）２６００’，充電及び／又は仮蓄電容量設定スイッチ装置（部）２６００’
’をステム集積回路（IC（Integrated・Circuit）,チップ）化してもよい。図２６−１（２’）に示す（仮蓄電容量設定）スイッチ制御システム集積回路２６００−２は、仮蓄電容量設定スイッチ装置（部）２６００’をIC化したものであり、概観は、（充電）スイッチ制御システム集積回路２６００−１と同様であり、突き出した端子の本数が必要な本数分異なっている（必要な本数分の合計：（（電力供給部接続用端子分，電源スイッチ制御部接続用端子分，電圧計測部接続用端子分）（例えば、８本）＋（，スイッチ切り替え部（手段）接続用端子分、並びに／若しくは、接続する第１の所定検知電圧付加導通許可手段，第１の所定電圧付加導通許可手段、第２の所定電圧付加導通許可手段、及び／又は、第３の所定電圧付加導通許可手段への接続用端子分）（例えば、接続する第１の所定検知電圧付加導通許可手段，第１の所定電圧付加導通許可手段、第２の所定電圧付加導通許可手段、及び／又は、第３の所定電圧付加導通許可手段への接続用端子分総数×２本））。また、図２６−１（２’’）に示す充電及び／又は仮蓄電容量設定スイッチ制御システム集積回路２６００−３は、充電及び／又は仮蓄電容量設定スイッチ装置（部）２６００’’をIC化したものであり、概観は、（充電）スイッチ制御システム集積回路２６００−１、（仮蓄電容量設定）スイッチ制御システム集積回路２６００−２と同様であり、突き出した端子の本数が必要な本数分異なっている（必要な本数分の合計：（（電力供給部接続用端子分，電源スイッチ制御部接続用端子分，電圧計測部接続用端子分）（例えば、８本）＋（，スイッチ切り替え部（手段）接続用端子分、並びに／若しくは、接続する第１の所定検知電圧付加導通許可手段，第１の所定電圧付加導通許可手段、第２の所定電圧付加導通許可手段、及び／又は、第３の所定電圧付加導通許可手段への接続用端子分）（例えば、接続する第１の所定検知電圧付加導通許可手段，第１の所定電圧付加導通許可手段、第２の所定電圧付加導通許可手段、及び／又は、第３の所定電圧付加導通許可手段への接続用端子分総数×２本））。また、図２６−２（２’３）に示す充電及び／又は仮蓄電容量設定スイッチ制御システム集積回路２６００−４は、充電及び／又は仮蓄電容量設定スイッチ装置（部）２６００’３をIC化したものであり、概観は、（充電）スイッチ制御システム集積回路２６００−１、（仮蓄電容量設定）スイッチ制御システム集積回路２６００−２と同様であり、突き出した端子の本数が必要な本数分異なっている（必要な本数分の合計：（（電力供給部接続用端子分，電源スイッチ制御部接続用端子分，電圧計測部接続用端子分）（例えば、８本）＋（，スイッチ切り替え部（手段）接続用端子分、並びに／若しくは、接続する第１の所定検知電圧付加導通許可手段，第１の所定電圧付加導通許可手段、第２の所定電圧付加導通許可手段、及び／又は、第３の所定電圧付加導通許可手段への接続用端子分）（例えば、接続する第１の所定検知電圧付加導通許可手段，第１の所定電圧付加導通許可手段、第２の所定電圧付加導通許可手段、及び／又は、第３の所定電圧付加導通許可手段への接続用端子分総数×２本））。また、図２６−２（２’４）に示す充電及び／又は仮���電容量設定スイッチ制御システム集積回路２６００−５は、充電及び／又は仮蓄電容量設定スイッチ装置（部）２６００’４をIC化したものであり、概観は、（充電）スイッチ制御システム集積回路２６００−１、（仮蓄電容量設定）スイッチ制御システム集積回路２６００−２と同様であり、突き出した端子の本数が必要な本数分異なっている（必要な本数分の合計：（（電力供給部接続用端子分，電源スイッチ制御部接続用端子分，電圧計測部接続用端子分）（例えば、８本）＋（，スイッチ切り替え部（手段）接続用端子分、並びに／若しくは、接続する第１の所定検知電圧付加導通許可手段，第１の所定電圧付加導通許可手段、第２の所定電圧付加導通許可手段、及び／又は、第３の所定電圧付加導通許可手段への接続用端子分）（例えば、接続する第１の所定検知電圧付加導通許可手段，第１の所定電圧付加導通許可手段、第２の所定電圧付加導通許可手段、及び／又は、第３の所定電圧付加導通許可手段への接続用端子分総数×２本））。また、図２６−２（２’５）に示す充電及び／又は仮蓄電容量設定スイッチ制御システム集積回路２６００−６は、充電及び／又は仮蓄電容量設定スイッチ装置（部）２６００’５をIC化したものであり、概観は、（充電）スイッチ制御システム集積回路２６００−１、（仮蓄電容量設定）スイッチ制御システム集積回路２６００−２と同様であり、突き出した端子の本数が必要な本数分異なっている（必要な本数分の合計：（（電力供給部接続用端子分，電源スイッチ制御部接続用端子分，電圧計測部接続用端子分）（例えば、８本）＋（，スイッチ切り替え部（手段）接続用端子分、並びに／若しくは、接続する第１の所定検知電圧付加導通許可手段，第１の所定電圧付加導通許可手段、第２の所定電圧付加導通許可手段、及び／又は、第３の所定電圧付加導通許可手段への接続用端子分）（例えば、接続する第１の所定検知電圧付加導通許可手段，第１の所定電圧付加導通許可手段、第２の所定電圧付加導通許可手段、及び／又は、第３の所定電圧付加導通許可手段への接続用端子分総数×２本））。また、図２６−２（２’６）に示す充電及び／又は仮蓄電容量設定スイッチ制御システム集積回路２６００−７は、充電及び／又は仮蓄電容量設定スイッチ装置（部）２６００’６をIC化したものであり、概観は、（充電）スイッチ制御システム集積回路２６００−１、（仮蓄電容量設定）スイッチ制御システム集積回路２６００−２と同様であり、突き出した端子の本数が必要な本数分異なっている（必要な本数分の合計：（（電力供給部接続用端子分，電源スイッチ制御部接続用端子分，電圧計測部接続用端子分）（例えば、８本）＋（，スイッチ切り替え部（手段）接続用端子分、並びに／若しくは、接続する第１の所定検知電圧付加導通許可手段，第１の所定電圧付加導通許可手段、第２の所定電圧付加導通許可手段、及び／又は、第３の所定電圧付加導通許可手段への接続用端子分）（例えば、接続する第１の所定検知電圧付加導通許可手段，第１の所定電圧付加導通許可手段、第２の所定電圧付加導通許可手段、及び／又は、第３の所定電圧付加導通許可手段への接続用端子分総数×２本））。
【０４０７】
尚、以上の図２６、図２６−１、図２６−２において、容器を、金属性等、少なくとも金属性のものから構成されたもの等の電磁波を検知できるものである電磁波検知手段２７０を含む電磁波検知手段及び／又は各種自然界量検知手段１８７’から少なくとも構成されるようにし、容器に接続された導電膜導線）を介し、電源スイッチ、及び／又は定電圧ダイオード（ツェナーダイオード）を介して電流供給部２６１１に接続するようにしてもよい。このようにすれば、さらに無駄な電磁波を蓄電することができる。
【０４０８】
スイッチ制御システム集積回路２６００−１は、図２６（１）に示すスイッチ制御装置２６００のブロック図と同様の構成をしており、電子機器又はコンピュータに装着され、図２６（１）に示すスイッチ制御装置２６００の構成と同様の接続構成により、スイッチ制御装置２６００と同様の機能を有する。
【０４０９】
また、図２６−１（２’）に示す（仮蓄電容量設定）スイッチ制御システム集積回路２６００−２は、図２６−１（１）に示す仮蓄電容量設定スイッチ制御装置（部）２６００’のブロック図と同様の構成をしており、電子機器又はコンピュータに装着され、図２６−１（１）に示す仮蓄電容量設定スイッチ制御装置（部）２６００’の構成と同様の接続構成により、仮蓄電容量設定スイッチ制御装置（部）２６００’と同様の機能を有する。また、図２６−１（２’２）に示す充電及び／又は仮蓄電容量設定スイッチ制御システム集積回路２６００−３は、図２６−１（１）に示す充電及び／又は仮蓄電容量設定スイッチ制御装置（部）２６００’’のブロック図と同様の構成をしており、電子機器又はコンピュータに装着され、図２６−１（１）に示す充電及び／又は仮蓄電容量設定スイッチ制御装置２６００’’の構成と同様の接続構成により、充電及び／又は仮蓄電容量設定スイッチ制御装置２６００’’と同様の機能を有する。また、図２６−２（２’３）に示す充電及び／又は仮蓄電容量設定スイッチ制御システム集積回路２６００−４は、図２６−２（１）に示す充電及び／又は仮蓄電容量設定スイッチ制御装置（部）２６００’３のブロック図と同様の構成をしており、電子機器又はコンピュータに装着され、図２６−２（１）に示す充電及び／又は仮蓄電容量設定スイッチ制御装置２６００’３の構成と同様の接続構成により、充電及び／又は仮蓄電容量設定スイッチ制御装置２６００’
３と同様の機能を有する。また、図２６−２（２’４）に示す充電及び／又は仮蓄電容量設定スイッチ制御システム集積回路２６００−４は、図２６−２（１）に示す充電及び／又は仮蓄電容量設定スイッチ制御装置（部）２６００’４のブロック図と同様の構成をしており、電子機器又はコンピュータに装着され、図２６−２（１）に示す充電及び／又は仮蓄電容量設定スイッチ制御装置２６００’４の構成と同様の接続構成により、充電及び／又は仮蓄電容量設定スイッチ制御装置２６００’
４と同様の機能を有する。また、図２６−２（２’５）に示す充電及び／又は仮蓄電容量設定スイッチ制御システム集積回路２６００−５は、図２６−２（１）に示す充電及び／又は仮蓄電容量設定スイッチ制御装置（部）２６００’５のブロック図と同様の構成をしており、電子機器又はコンピュータに装着され、図２６−２（１）に示す充電及び／又は仮蓄電容量設定スイッチ制御装置２６００’５の構成と同様の接続構成により、充電及び／又は仮蓄電容量設定スイッチ制御装置２６００’５と同様の機能を有する。また、図２６−２（２’６）に示す充電及び／又は仮蓄電容量設定スイッチ制御システム集積回路２６００−６は、図２６−２（１）に示す充電及び／又は仮蓄電容量設定スイッチ制御装置（部）２６００’６のブロック図と同様の構成をしており、電子機器又はコンピュータに装着され、図２６−２（１）に示す充電及び／又は仮蓄電容量設定スイッチ制御装置２６００’６の構成と同様の接続構成により、充電及び／又は仮蓄電容量設定スイッチ制御装置２６００’６と同様の機能を有する。また、図２６−２（２’７）に示す充電及び／又は仮蓄電容量設定スイッチ制御システム集積回路２６００−７は、図２６−２（１）に示す充電及び／又は仮蓄電容量設定スイッチ制御装置（部）２６００’７のブロック図と同様の構成をしており、電子機器又はコンピュータに装着され、図２６−２（１）に示す充電及び／又は仮蓄電容量設定スイッチ制御装置２６００’６の構成と同様の接続構成により、充電及び／又は仮蓄電容量設定スイッチ制御装置２６００’７と同様の機能を有する。
【０４１０】
尚、以上において、仮蓄電手段が複数繰り返された構成においても、上述した構成と同様の構成が複数回繰り返された構成となる。
【０４１１】
尚、以上説明した特許請求の範囲中、本明細書中、実施の形態中、図面中、要約書中における各構成において、構成の各要素間には所望の，適宜必要な抵抗値を有する抵抗が備えられている。
【０４１２】
尚、以上説明した特許請求の範囲中、本明細書中、実施の形態中、図面中、要約書中において、繰り返す、又は、単数又は複数（回）繰り返すという場合、及び／又は繰り返さない場合即ち単数（回）のみの実行の場合も含まれる場合もある。
【図面の簡単な説明】
【０４１３】
【図１】本発明の無燃料蓄電システムの第１の実施の形態を示す概念図である。
【図１−１】本発明の無燃料蓄電システムの実施の形態を示す概念図である。
【図１−２】本発明の無燃料蓄電システムの実施の形態を示す概念図である。
【図１−３】本発明の無燃料蓄電システムの実施の形態を示す概念図である。
【図１−４】本発明の無燃料蓄電システムの実施の形態を示す概念図である。
【図２】本発明の無燃料蓄電システムの第２の実施の形態を示す概念図である。
【図３】本発明の無燃料蓄電システムの第３の実施の形態を示す概念図である。
【図４】本発明の無燃料蓄電システムの第４の実施の形態を示す概念図である。
【図５】本発明の無燃料蓄電システムの第５の実施の形態の無燃料電力増幅装置（素子）の１実施の形態を示す概念図である。
【図６】本発明の無燃料蓄電システムの第１の実施の形態の無燃料蓄電装置の実施例１を示す概念図である。
【図７】本発明の無燃料蓄電システムの第２の実施の形態の無燃料蓄電装置の実施例２を示す概念図である。
【図８】本発明の無燃料蓄電システムの第３の実施の形態の無燃料蓄電装置の実施例３を示す概念図である。
【図９】本発明の無燃料蓄電システムの第４の実施の形態の無燃料蓄電装置の実施例４を示す概念図である。
【図１０】本発明の無燃料蓄電システムの第５の実施の形態の無燃料蓄電装置の実施例５の無燃料電力増幅装置（素子）の実施例を示す概念図である。
【図１１】本発明の無燃料蓄電システムの第１の実施の形態の無燃料蓄電装置の実施例６を示す概念図である。
【図１２】本発明の無燃料蓄電システムの第２の実施の形態の無燃料蓄電装置の実施例７を示す概念図である。
【図１３】本発明の無燃料蓄電システムの第３の実施の形態の無燃料蓄電装置の実施例８を示す概念図である。
【図１４】本発明の無燃料蓄電システムの第４の実施の形態の無燃料蓄電装置の実施例９を示す概念図である。
【図１５】本発明の無燃料蓄電システムの第５の実施の形態の無燃料蓄電装置の実施例１０の無燃料電力増幅装置（素子）の実施例を示す概念図である。
【図１６】本発明の無燃料蓄電システムの第１乃至第４の実施の形態の無燃料蓄電装置の実施例１乃至４及び６乃至９の無燃料蓄電装置の概観の構成を示す概観構成図である。
【図１７】本発明の無燃料蓄電システムの第５及び１０の実施の形態の無燃料電力増幅装置（素子）の実施例５及び１０の無燃料電力増幅装置（素子）の概観の構成を示す概観構成図である。
【図１８】本発明の無燃料蓄電システムの第５及び１０の実施の形態の無燃料電力増幅素子の実施例である無燃料電力増幅素子の内部構成及び外観の構成を示す内部及び概観構成図である。
【図１８−１】本発明の無燃料蓄電システムの第５及び１０の実施の形態の無燃料電力増幅素子の実施例である無燃料電力増幅素子の内部構成及び外観の構成を示す内部及び概観構成図である。
【図１８−２】本発明の無燃料蓄電システムの第５及び１０の実施の形態の無燃料電力増幅素子の実施例である無燃料電力増幅素子の内部構成及び外観の構成を示す内部及び概観構成図である。
【図１９】本発明の無燃料可動電子機器若しくは機器の実施の形態の無燃料可動電子機器若しくは機器の実施例の構成を示す概念図である。
【図２０】本発明の無燃料可動電子機器若しくは機器の実施の形態の無燃料可動電子機器若しくは機器の実施例の概観の構成を示す概観構成図である。
【図２１】本発明の無燃料蓄電システムの第６の実施の形態を示す微少電流蓄電装置（素子）を示す概念図である。
【図２１−１】本発明の無燃料蓄電システムの第６の実施の形態を示す微少電流蓄電装置（素子）を示す概念図である。
【図２２】本発明の無燃料蓄電システムの第６の実施の形態の微少電流蓄電装置（素子）の実施例１１の微少電流蓄電装置（素子）の実施例の構成を示す概念図である。
【図２３】本発明の無燃料蓄電システムの第６の実施の形態の微少電流蓄電装置（素子）の実施例１１の微少電流蓄電装置（素子）の概観の構成を示す概観構成図である。
【図２４】本発明の無燃料蓄電システムの第６の実施の形態の微少電流蓄電装置（素子）の実施例１１の微少電流蓄電装置（素子）の内部構成及び外観の構成を示す内部及び概観構成図である。
【図２４−１】本発明の無燃料蓄電システムの第６の実施の形態の微少電流蓄電装置（素子）の実施例１１の微少電流蓄電装置（素子）の内部構成及び外観の構成を示す内部及び概観構成図である。
【図２４−２】本発明の無燃料蓄電システムの第６の実施の形態の微少電流蓄電装置（素子）の実施例１１の微少電流蓄電装置（素子）の内部構成及び外観の構成を示す内部及び概観構成図である。
【図２５】本発明の無燃料蓄電システムの第３、第４の実施の形態の無燃料蓄電装置を示す概念図である。
【図２６】本発明の実施の形態のスイッチ制御装置及びスイッチ制御システム集積回路の構成を示す内部及び構成図である。
【図２６−１】本発明の実施の形態のスイッチ制御装置及びスイッチ制御システム集積回路の構成を示す内部及び構成図である。
【図２６−２】本発明の実施の形態のスイッチ制御装置及びスイッチ制御システム集積回路の構成を示す内部及び構成図である。
【図２７】本発明の無燃料蓄電システムの第１の実施の形態の無燃料蓄電装置の実施例６の他の実施例を示す概念図である。
【図２８】本発明の無燃料蓄電システムの第２の実施の形態の無燃料蓄電装置の実施例７の他の実施例を示す概念図である。
【図２９】本発明の無燃料蓄電システムの第５の実施の形態の無燃料蓄電装置の実施例１０の無燃料電力増幅装置（素子）の実施例の他の実施例を示す概念図である。
【図３０】本発明の無燃料蓄電システムの第１乃至第４の実施の形態の無燃料蓄電装置の実施例１乃至４及び６乃至９の他の実施例の無燃料蓄電装置の概観の構成を示す概観構成図である。
【図３１】本発明の無燃料蓄電システムの第５及び１０の実施の形態の無燃料電力増幅装置（素子）の実施例５及び１０の他の実施例の無燃料電力増幅装置（素子）の概観の構成を示す概観構成図である。
【図３２】本発明の無燃料蓄電システムの第５及び１０の実施の形態の無燃料電力増幅素子の実施例の他の実施例である無燃料電力増幅素子の内部構成及び外観の構成を示す内部及び概観構成図である。
【図３２−１】本発明の無燃料蓄電システムの第５及び１０の実施の形態の無燃料電力増幅素子の実施例の他の実施例である無燃料電力増幅素子の内部構成及び外観の構成を示す内部及び概観構成図である。
【図３２−２】本発明の無燃料蓄電システムの第５及び１０の実施の形態の無燃料電力増幅素子の実施例の他の実施例である無燃料電力増幅素子の内部構成及び外観の構成を示す内部及び概観構成図である。
【図３３】本発明の無燃料蓄電システムの第６の実施の形態の微少電流蓄電装置（素子）の実施例１１の他の実施例の微少電流蓄電装置（素子）の概観の構成を示す概観構成図である。
【図３４】本発明の無燃料蓄電システムの第６の実施の形態の微少電流蓄電装置（素子）の実施例１１の他の実施例の微少電流蓄電装置（素子）の内部構成及び外観の構成を示す内部及び概観構成図である。
【図３４−１】本発明の無燃料蓄電システムの第６の実施の形態の微少電流蓄電装置（素子）の実施例１１の他の実施例の微少電流蓄電装置（素子）の内部構成及び外観の構成を示す内部及び概観構成図である。
【図３４−２】本発明の無燃料蓄電システムの第６の実施の形態の微少電流蓄電装置（素子）の実施例１１の他の実施例の微少電流蓄電装置（素子）の内部構成及び外観の構成を示す内部及び概観構成図である。
【符号の説明】
【０４１４】
１  無燃料電磁波蓄電システム，  １１  電磁波検知部，  １２  電磁波整流部，  １４  電磁波蓄電部，
２  無燃料電磁波蓄電システム，  ２１  電磁波検知部，  ２２  電磁波整流部，  ２３  電磁波増幅部，  ２４  電磁波蓄電部，
３  無燃料自然界量蓄電システム，  ３１  自然界量検知部，  ３２  電力整流部，  ３４  電力蓄電部，  ３５  自然界量電力変換部
４  無燃料自然界量蓄電システム，  ４１  自然界量検知部，  ４２  自電力整流部，  ４３  電力増幅部，  ４４  電力蓄電部，  ４５  自然界量電力変換部
５  無燃料電力増幅装置（素子），  
５１−１  スイッチ，  ５１−２  スイッチ，  ５１−３  スイッチ，  ５１−４  スイッチ，  
５２  スイッチ，  
【０４１５】
６  無燃料電磁波蓄電装置，  
【０４１６】
６１（１−１）  アンテナ，  ６２（１−１）  ダイオード，  ６３（１−１）  コンデンサー，  ６４（１−１）a，６４（１−１）b  スイッチ，  ６３（１−１）  コンデンサー，  ６５（１−１）a   ＋端子，  ６５（１−１）b  −端子，  ６６（１−１）  電磁波蓄電部，  
【０４１７】
６１（１−２）  アンテナ，  ６２（１−２）a，６２（１−２）b  ダイオード，  ６３（１−２）  コンデンサー，  ６４（１−２）a，６４（１−２）b  スイッチ，  ６３（１２）  コンデンサー，  ６５（１−２）a   ＋端子，  ６５（１−２）b  −端子，  ６６（１−２）  電磁波蓄電部，  
【０４１８】
６１（１−３）  アンテナ，  ６２（１−３）  ダイオード，  ６３（１−３）  コンデンサー，  ６４（１−３）a，６４（１−３）b  スイッチ，  ６３（１３）  コンデンサー，  ６５（１−３）a   ＋端子，  ６５（１−３）b  −端子，  ６６（１−３）  電磁波蓄電部，  
【０４１９】
６１（１−４）  アンテナ，  ６２（１−４）a，６２（１−４）b  ダイオード，  ６３（１−４）  コンデンサー，  ６４（１−４）a，６４（１−４）b  スイッチ，  ６３（１−４）  コンデンサー，  ６５（１−４）a   ＋端子，  ６５（１−４）b  −端子，  ６６（１−４）  電磁波蓄電部，  
【０４２０】
６１（１−５）  アンテナ，  ６２（１−５）a，６２（１−５）b，６２（１−５）c  ダイオード，  ６３（１−５）  コンデンサー，  ６４（１−５）a，６４（１−５）b  スイッチ，  ６３（１−５）  コンデンサー，  ６５（１−５）a   ＋端子，  ６５（１−５）b  −端子，  ６６（１−５）  電磁波蓄電部，  
【０４２１】
６１（１−６）  アンテナ，  ６２（１−６）a，６２（１−６）b，６２（１−６）c，６２（１−６）d  ダイオード，  ６３（１−６）  コンデンサー，  ６４（１−６）a，６４（１−６）b  スイッチ，  ６３（１−６）  コンデンサー，  ６５（１−６）a   ＋端子，  ６５（１−６）b  −端子，  ６６（１−６）  電磁波蓄電部，  
【０４２２】
６１（２−１）  アンテナ，  ６２（２−１）  ダイオード，  ６３（２−１）  コンデンサー，  ６４（２−１）a，６４（２−１）b  スイッチ，  ６３（２−１）  コンデンサー，  ６５（２−１）a   ＋端子，  ６５（２−１）b  −端子，  ６６（２−１）  電磁波蓄電部，  ６７（２−１）  コイル，  ６８（２−１）  可変容量コンデンサー，  
【０４２３】
６１（２−２）  アンテナ，  ６２（２−２）a，６２（２−２）b  ダイオード，  ６３（２−２）  コンデンサー，  ６４（２−２）a，６４（２−２）b  スイッチ，  ６３（２−２）  コンデンサー，  ６５（２−２）a   ＋端子，  ６５（２−２）b  −端子，  ６６（２−２）  電磁波蓄電部，  ６７（２−２）  コイル，  ６８（２−２）  可変容量コンデンサー，  
【０４２４】
６１（２−３）  アンテナ，  ６２（２−３）  ダイオード，  ６３（２−３）  コンデンサー，  ６４（２−３）a，６４（２−３）b  スイッチ，  ６３（２−３）  コンデンサー，  ６５（２−３）a   ＋端子，  ６５（２−３）b  −端子，  ６６（２−３）  電磁波蓄電部，  ６７（２−３）  コイル，  ６８（２−３）  可変容量コンデンサー，  
【０４２５】
６１（２−４）  アンテナ，  ６２（２−４）a，６２（２−４）b，  ダイオード，  ６３（２−４）  コンデンサー，  ６４（２−４）a，６４（２−４）b  スイッチ，  ６３（２−４）  コンデンサー，  ６５（２−４）a   ＋端子，  ６５（２−４）b  −端子，  ６６（２−４）  電磁波蓄電部，  ６７（２−４）  コイル，  ６８（２−４）  可変容量コンデンサー，  
【０４２６】
６１（２−５）  アンテナ，  ６２（２−５）a，６２（２−５）b，６２（２−５）c  ダイオード，  ６３（２−５）  コンデンサー，  ６４（２−５）a，６４（２−５）b  スイッチ，  ６３（２−５）  コンデンサー，  ６５（２−５）a   ＋端子，  ６５（２−５）b  −端子，  ６６（２−５）  電磁波蓄電部，  ６７（２−５）  コイル，  ６８（２−５）  可変容量コンデンサー，  
【０４２７】
６１（２−６）  アンテナ，  ６２（２−６）a，６２（２−６）b，６２（２−６）c，６２（２−６）d  ダイオード，  ６３（２−６）  コンデンサー，  ６４（２−６）a，６４（２−６）b  スイッチ，  ６３（２−６）  コンデンサー，  ６５（２−６）a   ＋端子，  ６５（２−６）b  −端子，  ６６（２−６）  電磁波蓄電部，  ６７（２−６）  コイル，  ６８（２−６）  可変容量コンデンサー，  
【０４２８】
６１（３−１）  コイル状アンテナ，  ６２（３−１）  ダイオード，  ６３（３−１）  コンデンサー，  ６４（３−１）a，６４（３−１）b  スイッチ，  ６３（３−１）  コンデンサー，  ６５（３−１）a   ＋端子，  ６５（３−１）b  −端子，  ６６（３−１）  電磁波蓄電部，  ６７（３−１）  コイル，  ６８（３−１）  可変容量コンデンサー，  ６９（３−１）  コイル，
【０４２９】
６１（３−２）  コイル状アンテナ，  ６２（３−２）a，６２（３−２）b  ダイオード，  ６３（３−２）  コンデンサー，  ６４（３−２）a，６４（３−２）b  スイッチ，  ６３（３−２）  コンデンサー，  ６５（３−２）a   ＋端子，  ６５（３−２）b  −端子，  ６６（３−２）  電磁波蓄電部，  ６７（３−２）  コイル，  ６８（３−２）  可変容量コンデンサー，  ６９（３−２）  コイル，
【０４３０】
６１（３−３）  コイル状アンテナ，  ６２（３−３）  ダイオード，  ６３（３−３）  コンデンサー，  ６４（３−３）a，６４（３−３）b  スイッチ，  ６３（３−３）  コンデンサー，  ６５（３−３）a   ＋端子，  ６５（３−３）b  −端子，  ６６（３−３）  電磁波蓄電部，  ６７（３−３）  コイル，  ６８（３−３）  可変容量コンデンサー，  ６９（３−３）  コイル，
【０４３１】
６１（３−４）  コイル状アンテナ，  ６２（３−４）a，６２（３−４）b，  ダイオード，  ６３（３−４）  コンデンサー，  ６４（３−４）a，６４（３−４）b  スイッチ，  ６３（３−４）  コンデンサー，  ６５（３−４）a   ＋端子，  ６５（３−４）b  −端子，  ６６（３−４）  電磁波蓄電部，  ６７（３−４）  コイル，  ６８（３−４）  可変容量コンデンサー，  ６９（３−４）  コイル，
【０４３２】
６１（３−５）  コイル状アンテナ，  ６２（３−５）a，６２（３−５）b，６２（３−５）c  ダイオード，  ６３（３−５）  コンデンサー，  ６４（３−５）a，６４（３−５）b  スイッチ，  ６３（３−５）  コンデンサー，  ６５（３−５）a   ＋端子，  ６５（３−５）b  −端子，  ６６（３−５）  電磁波蓄電部，  ６７（３−５）  コイル，  ６８（３−５）  可変容量コンデンサー，  ６９（３−５）  コイル，
【０４３３】
６１（３−６）  コイル状アンテナ，  ６２（３−６）a，６２（３−６）b，６２（３−６）c，６２（３−６）d  ダイオード，  ６３（３−６）  コンデンサー，  ６４（３−６）a，６４（３−６）b  スイッチ，  ６３（３−６）  コンデンサー，  ６５（３−６）a   ＋端子，  ６５（３−６）b  −端子，  ６６（３−６）  電磁波蓄電部，  ６７（３−６）  コイル，  ６８（３−６）  可変容量コンデンサー，  ６９（３−６）  コイル，
【０４３４】
７  無燃料電磁波蓄電装置，  
【０４３５】
７１（１−１）a，７１（１−１）b  増幅回路,  
【０４３６】
７１（１−２）a，７１（１−２）b  増幅回路,  
【０４３７】
７１（１−３）a，７１（１−３）b，７１（１−３）c  増幅回路,  
【０４３８】
７１（１−４）a，７１（１−４）b，７１（１−４）c  増幅回路,  
【０４３９】
７１（１−５）a，７１（１−５）b，７１（１−５）c，７１（１−５）d  増幅回路,  
【０４４０】
７１（１−６）a，７１（１−６）b，７１（１−６）c，７１（１−６）d  増幅回路,  
【０４４１】
７１（２−１）a，７１（２−１）b  増幅回路,  
【０４４２】
７１（２−２）a，７１（２−２）b  増幅回路,  
【０４４３】
７１（２−３）a，７１（２−３）b，７１（２−３）c  増幅回路,  
【０４４４】
７１（２−４）a，７１（２−４）b，７１（２−４）c  増幅回路,  
【０４４５】
７１（２−５）a，７１（２−５）b，７１（２−５）c，７１（２−５）d  増幅回路,  
【０４４６】
７１（２−６）a，７１（２−６）b，７１（２−６）c，７１（２−６）d  増幅回路,  
【０４４７】
７１（３−１）a，７１（３−１）b  増幅回路,  
【０４４８】
７１（３−２）a，７１（３−２）b  増幅回路,  
【０４４９】
７１（３−３）a，７１（３−３）b，７１（３−３）c  増幅回路,  
【０４５０】
７１（３−４）a，７１（３−４）b，７１（３−４）c  増幅回路,  
【０４５１】
７１（３−５）a，７１（３−５）b，７１（３−５）c，７１（３−５）d  増幅回路,  
【０４５２】
７１（３−６）a，７１（３−６）b，７１（３−６）c，７１（３−６）d  増幅回路,  
【０４５３】
８  無燃料自然界量蓄電装置，  
【０４５４】
８１（１−１）  自然界量センサ，  ８２（１−１）  ダイオード，  ８３（１−１）  コンデンサー，  ６４（１−１）a，６４（１−１）b  スイッチ，  ８３（１−１）  コンデンサー，  ８５（１−１）a   ＋端子，  ８５（１−１）b  −端子，  ８６（１−１）  電磁波蓄電部，  
【０４５５】
８１（１−２）  自然界量センサ，  ８２（１−２）a，８２（１−２）b  ダイオード，  ８３（１−２）  コンデンサー，  ６４（１−２）a，６４（１−２）b  スイッチ，  ８３（１２）  コンデンサー，  ８５（１−２）a   ＋端子，  ８５（１−２）b  −端子，  ８６（１−２）  電磁波蓄電部，  
【０４５６】
８１（１−３）  自然界量センサ，  ８２（１−３）  ダイオード，  ８３（１−３）  コンデンサー，  ６４（１−３）a，６４（１−３）b  スイッチ，  ８３（１３）  コンデンサー，  ８５（１−３）a   ＋端子，  ８５（１−３）b  −端子，  ８６（１−３）  電磁波蓄電部，  
【０４５７】
８１（１−４）  自然界量センサ，  ８２（１−４）a，８２（１−４）b  ダイオード，  ８３（１−４）  コンデンサー，  ６４（１−４）a，６４（１−４）b  スイッチ，  ８３（１−４）  コンデンサー，  ８５（１−４）a   ＋端子，  ８５（１−４）b  −端子，  ８６（１−４）  電磁波蓄電部，  
【０４５８】
８１（１−５）  自然界量センサ，  ８２（１−５）a，８２（１−５）b，８２（１−５）c  ダイオード，  ８３（１−５）  コンデンサー，  ６４（１−５）a，６４（１−５）b  スイッチ，  ８３（１−５）  コンデンサー，  ８５（１−５）a   ＋端子，  ８５（１−５）b  −端子，  ８６（１−５）  電磁波蓄電部，  
【０４５９】
８１（１−６）  自然界量センサ，  ８２（１−６）a，８２（１−６）b，８２（１−６）c，８２（１−６）d  ダイオード，  ８３（１−６）  コンデンサー，  ６４（１−６）a，６４（１−６）b  スイッチ，  ８３（１−６）  コンデンサー，  ８５（１−６）a   ＋端子，  ８５（１−６）b  −端子，  ８６（１−６）  電磁波蓄電部，  
【０４６０】
８１（２−１）  自然界量センサ，  ８２（２−１）  ダイオード，  ８３（２−１）  コンデンサー，  ６４（２−１）a，６４（２−１）b  スイッチ，  ８３（２−１）  コンデンサー，  ８５（２−１）a   ＋端子，  ８５（２−１）b  −端子，  ８６（２−１）  電磁波蓄電部，  ８７（２−１）  コイル，  ８８（２−１）  可変容量コンデンサー，  
【０４６１】
８１（２−２）  自然界量センサ，  ８２（２−２）a，８２（２−２）b  ダイオード，  ８３（２−２）  コンデンサー，  ６４（２−２）a，６４（２−２）b  スイッチ，  ８３（２−２）  コンデンサー，  ８５（２−２）a   ＋端子，  ８５（２−２）b  −端子，  ８６（２−２）  電磁波蓄電部，  ８７（２−２）  コイル，  ８８（２−２）  可変容量コンデンサー，  
【０４６２】
８１（２−３）  自然界量センサ，  ８２（２−３）  ダイオード，  ８３（２−３）  コンデンサー，  ６４（２−３）a，６４（２−３）b  スイッチ，  ８３（２−３）  コンデンサー，  ８５（２−３）a   ＋端子，  ８５（２−３）b  −端子，  ８６（２−３）  電磁波蓄電部，  ８７（２−３）  コイル，  ８８（２−３）  可変容量コンデンサー，  
【０４６３】
８１（２−４）  自然界量センサ，  ８２（２−４）a，８２（２−４）b，  ダイオード，  ８３（２−４）  コンデンサー，  ６４（２−４）a，６４（２−４）b  スイッチ，  ８３（２−４）  コンデンサー，  ８５（２−４）a   ＋端子，  ８５（２−４）b  −端子，  ８６（２−４）  電磁波蓄電部，  ８７（２−４）  コイル，  ８８（２−４）  可変容量コンデンサー，  
【０４６４】
８１（２−５）  自然界量センサ，  ８２（２−５）a，８２（２−５）b，８２（２−５）c  ダイオード，  ８３（２−５）  コンデンサー，  ６４（２−５）a，６４（２−５）b  スイッチ，  ８３（２−５）  コンデンサー，  ８５（２−５）a   ＋端子，  ８５（２−５）b  −端子，  ８６（２−５）  電磁波蓄電部，  ８７（２−５）  コイル，  ８８（２−５）  可変容量コンデンサー，  
【０４６５】
８１（２−６）  自然界量センサ，  ８２（２−６）a，８２（２−６）b，８２（２−６）c，８２（２−６）d  ダイオード，  ８３（２−６）  コンデンサー，  ６４（２−６）a，６４（２−６）b  スイッチ，  ８３（２−６）  コンデンサー，  ８５（２−６）a   ＋端子，  ８５（２−６）b  −端子，  ８６（２−６）  電磁波蓄電部，  ８７（２−６）  コイル，  ８８（２−６）  可変容量コンデンサー，  
【０４６６】
８１（３−１）  自然界量センサ，  ８２（３−１）  ダイオード，  ８３（３−１）  コンデンサー，  ６４（３−１）a，６４（３−１）b  スイッチ，  ８３（３−１）  コンデンサー，  ８５（３−１）a   ＋端子，  ８５（３−１）b  −端子，  ８６（３−１）  電磁波蓄電部，  ８７（３−１）  コイル，  ８８（３−１）  可変容量コンデンサー，  ８９（３−１）  コイル，  
８１（３−２）  自然界量センサ，  ８２（３−２）a，８２（３−２）b  ダイオード，  ８３（３−２）  コンデンサー，  ６４（３−２）a，６４（３−２）b  スイッチ，  ８３（３−２）  コンデンサー，  ８５（３−２）a   ＋端子，  ８５（３−２）b  −端子，  ８６（３−２）  電磁波蓄電部，  ８７（３−２）  コイル，  ８８（３−２）  可変容量コンデンサー，  ８９（３−２）  コイル，  
【０４６７】
８１（３−３）  自然界量センサ，  ８２（３−３）  ダイオード，  ８３（３−３）  コンデンサー，  ６４（３−３）a，６４（３−３）b  スイッチ，  ８３（３−３）  コンデンサー，  ８５（３−３）a   ＋端子，  ８５（３−３）b  −端子，  ８６（３−３）  電磁波蓄電部，  ８７（３−３）  コイル，  ８８（３−３）  可変容量コンデンサー，  ８９（３−３）  コイル，  
【０４６８】
８１（３−４）  自然界量センサ，  ８２（３−４）a，８２（３−４）b，  ダイオード，  ８３（３−４）  コンデンサー，  ６４（３−４）a，６４（３−４）b  スイッチ，  ８３（３−４）  コンデンサー，  ８５（３−４）a   ＋端子，  ８５（３−４）b  −端子，  ８６（３−４）  電磁波蓄電部，  ８７（３−４）  コイル，  ８８（３−４）  可変容量コンデンサー，  ８９（３−４）  コイル，  
【０４６９】
８１（３−５）  自然界量センサ，  ８２（３−５）a，８２（３−５）b，８２（３−５）c  ダイオード，  ８３（３−５）  コンデンサー，  ６４（３−５）a，６４（３−５）b  スイッチ，  ８３（３−５）  コンデンサー，  ８５（３−５）a   ＋端子，  ８５（３−５）b  −端子，  ８６（３−５）  電磁波蓄電部，  ８７（３−５）  コイル，  ８８（３−５）  可変容量コンデンサー，  ８９（３−５）  コイル，  
【０４７０】
８１（３−６）  自然界量センサ，  ８２（３−６）a，８２（３−６）b，８２（３−６）c，８２（３−６）d  ダイオード，  ８３（３−６）  コンデンサー，  ６４（３−６）a，６４（３−６）b  スイッチ，  ８３（３−６）  コンデンサー，  ８５（３−６）a   ＋端子，  ８５（３−６）b  −端子，  ８６（３−６）  電磁波蓄電部，  ８７（３−６）  コイル，  ８８（３−６）  可変容量コンデンサー，  ８９（３−６）  コイル，  
【０４７１】
９  無燃料自然界量蓄電装置，  
【０４７２】
９１（１−１）a，９１（１−１）b  増幅回路,  
【０４７３】
９１（１−２）a，９１（１−２）b  増幅回路,  
【０４７４】
９１（１−３）a，９１（１−３）b，９１（１−３）c  増幅回路,  
【０４７５】
９１（１−４）a，９１（１−４）b，９１（１−４）c  増幅回路,  
【０４７６】
９１（１−５）a，９１（１−５）b，９１（１−５）c，９１（１−５）d  増幅回路,  
【０４７７】
９１（１−６）a，９１（１−６）b，９１（１−６）c，９１（１−６）d  増幅回路,  
【０４７８】
９１（２−１）a，９１（２−１）b  増幅回路,  
【０４７９】
９１（２−２）a，９１（２−２）b  増幅回路,  
【０４８０】
９１（２−３）a，９１（２−３）b，９１（２−３）c  増幅回路,  
【０４８１】
９１（２−４）a，９１（２−４）b，９１（２−４）c  増幅回路,  
【０４８２】
９１（２−５）a，９１（２−５）b，９１（２−５）c，９１（２−５）d  増幅回路,  
【０４８３】
９１（２−６）a，９１（２−６）b，９１（２−６）c，９１（２−６）d  増幅回路,  
【０４８４】
９１（３−１）a，９１（３−１）b  増幅回路,  
９１（３−２）a，９１（３−２）b  増幅回路,  
【０４８５】
９１（３−３）a，９１（３−３）b，９１（３−３）c  増幅回路,  
【０４８６】
９１（３−４）a，９１（３−４）b，９１（３−４）c  増幅回路,  
【０４８７】
９１（３−５）a，９１（３−５）b，９１（３−５）c，９１（３−５）d  増幅回路,  
【０４８８】
９１（３−６）a，９１（３−６）b，９１（３−６）c，９１（３−６）d  増幅回路,  
【０４８９】
１０  無燃料電流増幅装置（素子）,  
【０４９０】
１１  無燃料電磁波蓄電装置,  １１５（１−１）ａ，１１５（２−１）ａ，１１５（３−１）ａ，１１５（１−２）ａ，１１５（２−２）a，１１５（３−２）ａ，１１５（１−３）a，１１５（１−３）ｂ，１１５（３−３）ａ，１１５（３−３）ｂ，１１５（１−４）a，１１５（１−４）ｂ，１１５（２−４）a，１１５（２−４）ｂ，１１５（３−４）a，１１５（３−４）ｂ，  定電圧ダイオード（ツェナーダイオード）,  
【０４９１】
１２  無燃料電磁波蓄電装置,  １１５（１−１）ａ，１１５（２−１）ａ，１１５（３−１）ａ，１１５（１−２）ａ，１１５（２−２）a，１１５（３−２）ａ，１１５（１−３）a，１１５（１−３）ｂ，１１５（３−３）ａ，１１５（３−３）ｂ，１１５（１−４）a，１１５（１−４）ｂ，１１５（２−４）a，１１５（２−４）ｂ，１１５（３−４）a，１１５（３−４）ｂ，  定電圧ダイオード（ツェナーダイオード）,  
【０４９２】
１３  無燃料電磁波蓄電装置,  １１５（１−１）ａ，１１５（２−１）ａ，１１５（３−１）ａ，１１５（１−２）ａ，１１５（２−２）a，１１５（３−２）ａ，１１５（１−３）a，１１５（１−３）ｂ，１１５（３−３）ａ，１１５（３−３）ｂ，１１５（１−４）a，１１５（１−４）ｂ，１１５（２−４）a，１１５（２−４）ｂ，１１５（３−４）a，１１５（３−４）ｂ，  定電圧ダイオード（ツェナーダイオード）,  
【０４９３】
１４  無燃料電磁波蓄電装置,  １１５（１−１）ａ，１１５（２−１）ａ，１１５（３−１）ａ，１１５（１−２）ａ，１１５（２−２）a，１１５（３−２）ａ，１１５（１−３）a，１１５（１−３）ｂ，１１５（３−３）ａ，１１５（３−３）ｂ，１１５（１−４）a，１１５（１−４）ｂ，１１５（２−４）a，１１５（２−４）ｂ，１１５（３−４）a，１１５（３−４）ｂ，  定電圧ダイオード（ツェナーダイオード）,  
【０４９４】
１５  無燃料電流増幅装置（素子）,  
【０４９５】
１６０  無燃料電磁波及び／又は自然界量蓄電装置，容器  １６１−１  アンテナ，  １６１−２  先端クリップ装着コード状アンテナ，  １６３  充電池格納部，  １６４  プラス及びマイナス凹部端子部，  １６５  プラス及びマイナス凸凹部端子部，  １６６a，b  プラス／マイナス端子，  １６７  充電完了点灯表示部，  １６２  自然界量センサ，  
【０４９６】
１７０  無燃料電流増幅装置（素子），容器，  
【０４９７】
１８０，１８０−１，１８０−２，１８０−３  無燃料蓄電素子、無燃料電力増幅素子、電流増幅素子，  １８１  定電圧ダイオード（ツェナーダイオード），１８１−１  ｎ型半導体膜，  １８１−２  ｐ型半導体膜，  １８２  ダイオード，  １８２−１  ｐ型半導体膜，  １８２−２  ｎ型半導体膜，  １８３  コンデンサー，  １８３−１  プラス電極，  １８３−１  誘電体膜，  １８３−１  マイナス電極，  １８４  ダイオード，  １８４−１  ｎ型半導体膜，  １８４−２  ｐ型半導体膜，  １８５  定電圧ダイオード（ツェナーダイオード），１８５−１  ｎ型半導体膜，  １８５−２  ｐ型半導体膜，  １８６  ダイオード，  １８６−１  ｎ型半導体膜，  １８６−２  ｐ型半導体膜，  １８７  電磁波検知手段及び／又は各種自然界量検知手段，  １８８  絶縁膜，  １８９  基板，  １８０−１，１８０−２，１８０−３  プラスチック容器，  １８６−１，１８６−２，１８６−３，１８６−４，１８６−５，１８６−６  端子，  
【０４９８】
１９０  無燃料可動電子機器若しくは機器,  １９１  無燃料可動機器，  
【０４９９】
２００  無燃料可動電子レンジ，  ２００  無燃料可動携帯電話，  ２０２  無燃料可動電光掲示板，  
【０５００】
２１０  微少電流蓄電装置（素子）,  ２１１a,２１１b  IN端子，端子,  ２１２,２１２a,２１２b  電流整流部,ダイオード,  ２１３  仮（一時）蓄電部,  ２１４，コンデンサー，  ２１４a，２１４b  仮（一時）蓄電部一定電圧蓄電監視送出部,定電圧ダイオード（ツェナーダイオード）,  ２１５a，２１５b  OUT（充電）端子，端子
【０５０１】
２３０  微少電流蓄電装置（素子），容器  ２３１a，２３１b  電源入力プラス端子，電源入マイナス端子，  
【０５０２】
２４０，２４０−１，２４０−２，２４０−３  微少電流蓄電素子，  ２４０−１，２４０−２，２４０−３  プラスチック容器，  ２４１  端子，  
【０５０３】
２６００  スイッチ制御装置，  ２６０１  ＣＰＵ，  ２６０２  ＲＯＭ，  ２６０３  ＲＡＭ，  ２６０４  バス，  ２６０５  入出力インターフェイス，  ２６１１  電流蓄電供給部，  ２６１２  電源スイッチ制御部，  ２６１３  電圧計測部，  ２６１４  充電スイッチ制御部，  ２６１５  タイマー，  ２６２４  定電圧ダイオード（ツェナーダイオード），  ２６２１  電源スイッチ，  ２６２２  充電スイッチ，  ２６２３  電圧計，  ２６００−１  スイッチ制御システム集積回路，  
【０５０４】
２６００  （充電）スイッチ制御装置（部），  ２６００’  （仮蓄電容量設定）スイッチ制御装置置（部），  ２６００’’  （充電及び／又は仮蓄電容量設定）スイッチ制御装置（部），  
２６００−１  （充電）スイッチ制御システム集積回路，  ２６００−２  （仮蓄電容量設定）スイッチ制御システム集積回路，  ２６００−３  （充電及び／又は仮蓄電容量設定）スイッチ制御システム集積回路，  
２６２５，２６２５’  トランジスタ，  
６３’，８３’  可変容量コンデンサー，  ６３’’，８３’’  可変容量コンデンサー（ダイオード），  
６３−１〜ｎ，８３−１〜ｎ  コンデンサー，  ６３’−１〜ｎ，８３’−１〜ｎ  可変容量コンデンサー，  ６３’’−１〜ｎ，８３’’−１〜ｎ  可変容量コンデンサー（ダイオード），  
２６２６−１〜ｎ，２６２６’−１〜ｎ  スイッチ，  ２６２５−１〜ｎ，２６２５’−１〜ｎ  トランジスタ，  
【０５０５】
２７０  金属性等、少なくとも金属性のものから構成されたもの等の電磁波を検知できるものである電磁波検知手段，  
１８７’  金属性等、少なくとも金属性のものから構成されたもの等の電磁波を検知できるものである電磁波検知手段２７０を含む電磁波検知手段及び／又は各種自然界量検知手段，  １８７’’  導電膜（導線），  
【０５０６】
１８００A-1〜n  可変容量コンデンサー（ダイオード），  
１８００A-1〜n−３  n型半導体膜，  
１８００A-1〜n−３−１  第１のn型半導体膜，  
１８００A-1〜n−３−１  第１のｎ型半導体膜表面，  
１８００A-1〜n−３−２  第２のｎ型半導体膜，  
１８００A-1〜n−３−２  第２のｎ型半導体膜表面，  
１８００A-1〜n−１  p型半導体膜，  
１８００A-1〜n−２  空乏層，  
【０５０７】
１８００B-1〜n  トランジスタ，  
１８００b-1〜n  他のトランジスタ，  
１８００B-1〜n−１，１８００b-1〜n−１  ｐ型半導体膜，  
１８００B-1〜n−１，１８００b-1〜n−１  ｐ型半導体膜表面，  
１８００B-1〜n−１−２，１８００b-1〜n−１−２  第１のｐ型半導体膜表面，  
１８００B-1〜n−１−３，１８００b-1〜n−１−３  第２のｐ型半導体膜表面，  
１８００B-1〜n−１−１，１８００b-1〜n−１−１  第３のｐ型半導体膜表面，  
１８００B-1〜n−２，１８００b-1〜n−２  第１のn型半導体膜，  
１８００B-1〜n−３，１８００b-1〜n−３  第２のn型半導体膜，  
１８００B-1〜n−２，１８００b-1〜n−２  第１のn型半導体膜表面，  
１８００B-1〜n−３，１８００b-1〜n−３  第２のn型半導体膜表面，  
１８００C-1〜n−１，１８００D-1〜n−１，１８００d-1〜n−１  端子，  
【０５０８】
１８０’−１，１８０’−２，１８０’−３  無燃料蓄電素子、無燃料電力増幅素子、電流増幅素子，
２４０’−１，２４０’−２，２４０’−３  微少電流蓄電素子，
１８０１  （定電圧（ツェナー））ダイオード，
１８０１A−１〜ｎ，  １８０１A−１〜ｎ−１，  １８０１A−３〜ｎ−１，
１８０’２−１  ，  １８０’２−２  ，１８０’２−３  無燃料蓄電素子、無燃料電力増幅素子、電流増幅素子，
２４０’２−１  ，  ２４０’２−２  ，２４０’２−３  微少電流蓄電素子，
１８０２  第１の所定検知電圧付加導通許可手段，第１の所定電圧付加導通許可手段，
１８０’３−１，１８０’３−２，１８０’３−３  無燃料蓄電素子、無燃料電力増幅素子、電流増幅素子，
２４０’３−１，２４０’３−２，２４０’３−３  微少電流蓄電素子，
【０５０９】
２６１６  容量設定部（第３の許可電圧値調整設定部），
２６２５，２６２５’ ，２６２５−１〜ｎ  ダイオード，
２６２６， ２６２５’ ，２６２６−１〜ｎ，２６２６’−１〜ｎ  スイッチ，  
２６３０  コンデンサー，  ２６３０’  可変容量コンデンサー，  ２６３０’２  可変容量ダイオード，  ２６３０’３  （定電圧（ツェナー））ダイオード，
２６１７  容量設定部（第２の許可電圧値調整設定部），
２６１８  設定部（（第１の）許可（検知）電圧値調整設定部），
２６１９  許可電圧値設定情報設定部），
２６００’，２６００’２，２６００’３，２６００’４，２６００’５，２６００’６  スイッチ制御部，
２６００−２’，２６００−３，２６００−４，２６００−５，２６００−６，２６００−７  スイッチ制御システム集積回路，
【図１】
2011097819.tif 000003
【図１−１】
2011097819.tif 000004
【図１−２】
2011097819.tif 000005
【図１−３】
2011097819.tif 000006
【図１−４】
2011097819.tif 000007
【図２】
2011097819.tif 000008
【図３】
2011097819.tif 000009
【図４】
2011097819.tif 000010
【図５】
2011097819.tif 000011
【図６】
2011097819.tif 000012
【図７】
2011097819.tif 000013
【図８】
2011097819.tif 000014
【図９】
2011097819.tif 000015
【図１０】
2011097819.tif 000016
【図１１】
2011097819.tif 000017
【図１２】
2011097819.tif 000018
【図１３】
2011097819.tif 000019
【図１４】
2011097819.tif 000020
【図１５】
2011097819.tif 000021
【図１６】
2011097819.tif 000022
【図１７】
2011097819.tif 000023
【図１８】
2011097819.tif 000024
【図１８−１】
2011097819.tif 000025
【図１８−２】
2011097819.tif 000026
【図１９】
2011097819.tif 000027
【図２０】
2011097819.tif 000028
【図２１】
2011097819.tif 000029
【図２１−１】
2011097819.tif 000030
【図２２】
2011097819.tif 000031
【図２３】
2011097819.tif 000032
【図２４】
2011097819.tif 000033
【図２４−１】
2011097819.tif 000034
【図２４−２】
2011097819.tif 000035
【図２５】
2011097819.tif 000036
【図２６】
2011097819.tif 000037
【図２６−１】
2011097819.tif 000038
【図２６−２】
2011097819.tif 000039
【図２７】
2011097819.tif 000040
【図２８】
2011097819.tif 000041
【図２９】
2011097819.tif 000042
【図３０】
2011097819.tif 000043
【図３１】
2011097819.tif 000044
【図３２】
2011097819.tif 000045
【図３２−１】
2011097819.tif 000046
【図３２−２】
2011097819.tif 000047
【図３３】
2011097819.tif 000048
【図３４】
2011097819.tif 000049
【図３４−１】
2011097819.tif 000050
【図３４−２】
2011097819.tif 000051